(57)【要約】【課題】既存往復機関は出力を発生で充分な頃の時代遅れの発明を改良で無茶苦茶、小学校理科の速度×質量＝重力仕事能力＝１／１０００仮説出力に近付け、公害増大大損失。【解決手段】縮径主燃焼室兼熱交換器で限り無く高圧燃焼長時間熱交換冷却燃焼により４００ＭＰａ過熱蒸気爆発力＋最低温度２００ＭＰａ燃焼ガス爆発力に分割し、過熱蒸気噴射ノズルの過熱蒸気爆発力と霧吹きの原理＋燃焼ガス噴射ノズルの燃焼ガス爆発力と霧吹きの原理で夫々１以上の水を混合噴射加速し、夫々大気圧重力仕事能力を燃焼ガスの１０００倍に近付けて弾み車タービン８・８に噴射し、既存往復機関死点後９０度１ＭＰａ×燃焼ガス質量断続静圧駆動を、死点後９０度４００ＭＰａ×燃焼ガスの１０００倍質量連続動圧駆動とし、同一燃料量既存往復機関の１０００倍仮説発電量に近付け、供給熱量全部を１００℃の水道水温熱と０℃の水道水冷熱と０℃の燃焼ガス溶解水で利用します。【選択図】図１
2006144762.tif 000002
【特許請求の範囲】
【請求項１】
エネルキ保存圧縮機（２０Ａ）を１以上の余圧圧縮機として使用すると共に公知技術により圧縮水として使用する各種エネルギ保存サイクル合体機関。
【請求項２】
エネルキ保存圧縮機（２０Ｂ）を１以上の余圧圧縮機として使用すると共に公知技術により圧縮水として使用する各種エネルギ保存サイクル合体機関。
【請求項３】
エネルキ保存圧縮機（２０Ｃ）を１以上の余圧圧縮機として使用すると共に公知技術により圧縮水として使用する各種エネルギ保存サイクル合体機関。
【請求項４】
エネルキ保存圧縮機（２０Ｄ）を１以上の余圧圧縮機として使用すると共に公知技術により圧縮水として使用する各種エネルギ保存サイクル合体機関。
【請求項５】
エネルキ保存圧縮機（２０Ｅ）を１以上の余圧圧縮機として使用すると共に公知技術により圧縮水として使用する各種エネルギ保存サイクル合体機関。
【請求項６】
エネルキ保存圧縮機（２０Ｆ）を１以上の余圧圧縮機として使用すると共に公知技術により圧縮水として使用する各種エネルギ保存サイクル合体機関。
【請求項７】
エネルキ保存圧縮機（２０Ｇ）を１以上の余圧圧縮機として使用すると共に公知技術により圧縮水として使用する各種エネルギ保存サイクル合体機関。
【請求項８】
エネルキ保存圧縮機（２０Ｈ）を１以上の余圧圧縮機として使用すると共に公知技術により圧縮水として使用する各種エネルギ保存サイクル合体機関。
【請求項９】
全動翼圧縮機（２０Ｊ）を１以上の余圧圧縮機として使用すると共に公知技術により圧縮水として使用する各種エネルギ保存サイクル合体機関。
【請求項１０】
公知の圧縮機を１以上の余圧圧縮機として使用すると共に公知技術により圧縮水として使用する各種エネルギ保存サイクル合体機関。
【請求項１１】
エネルキ保存圧縮機（２０Ａ）を１以上の余圧圧縮機として使用すると共に公知技術により圧縮水として使用して拡径圧縮室（１０ａ）で圧縮する各種エネルギ保存サイクル合体機関。
【請求項１２】
エネルキ保存圧縮機（２０Ｂ）を１以上の余圧圧縮機として使用すると共に公知技術により圧縮水として使用して拡径圧縮室（１０ａ）で圧縮する各種エネルギ保存サイクル合体機関。
【請求項１３】
エネルキ保存圧縮機（２０Ｃ）を１以上の余圧圧縮機として使用すると共に公知技術により圧縮水として使用して拡径圧縮室（１０ａ）で圧縮する各種エネルギ保存サイクル合体機関。
【請求項１４】
エネルキ保存圧縮機（２０Ｄ）を１以上の余圧圧縮機として使用すると共に公知技術により圧縮水として使用して拡径圧縮室（１０ａ）で圧縮する各種エネルギ保存サイクル合体機関。
【請求項１５】
エネルキ保存圧縮機（２０Ｅ）を１以上の余圧圧縮機として使用すると共に公知技術により圧縮水として使用して拡径圧縮室（１０ａ）で圧縮する各種エネルギ保存サイクル合体機関。
【請求項１６】
エネルキ保存圧縮機（２０Ｆ）を１以上の余圧圧縮機として使用すると共に公知技術により圧縮水として使用して拡径圧縮室（１０ａ）で圧縮する各種エネルギ保存サイクル合体機関。
【請求項１７】
エネルキ保存圧縮機（２０Ｇ）を１以上の余圧圧縮機として使用すると共に公知技術により圧縮水として使用して拡径圧縮室（１０ａ）で圧縮する各種エネルギ保存サイクル合体機関。
【請求項１８】
エネルキ保存圧縮機（２０Ｈ）を１以上の余圧圧縮機として使用すると共に公知技術により圧縮水として使用して拡径圧縮室（１０ａ）で圧縮する各種エネルギ保存サイクル合体機関。
【請求項１９】
全動翼圧縮機（２０Ｊ）を１以上の余圧圧縮機として使用すると共に公知技術により圧縮水として使用して拡径圧縮室（１０ａ）で圧縮する各種エネルギ保存サイクル合体機関。
【請求項２０】
公知の圧縮機を１以上の余圧圧縮機として使用すると共に公知技術により圧縮水として使用して拡径圧縮室（１０ａ）で圧縮する各種エネルギ保存サイクル合体機関。
【請求項２１】
エネルキ保存圧縮機（２０Ａ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼する各種エネルギ保存サイクル合体機関。
【請求項２２】
エネルキ保存圧縮機（２０Ｂ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼する各種エネルギ保存サイクル合体機関。
【請求項２３】
エネルキ保存圧縮機（２０Ｃ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼する各種エネルギ保存サイクル合体機関。
【請求項２４】
エネルキ保存圧縮機（２０Ｄ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼する各種エネルギ保存サイクル合体機関。
【請求項２５】
エネルキ保存圧縮機（２０Ｅ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼する各種エネルギ保存サイクル合体機関。
【請求項２６】
エネルキ保存圧縮機（２０Ｆ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼する各種エネルギ保存サイクル合体機関。
【請求項２７】
エネルキ保存圧縮機（２０Ｇ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼する各種エネルギ保存サイクル合体機関。
【請求項２８】
エネルキ保存圧縮機（２０Ｈ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼する各種エネルギ保存サイクル合体機関。
【請求項２９】
全動翼圧縮機（２０Ｊ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼する各種エネルギ保存サイクル合体機関。
【請求項３０】
公知の圧縮機を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼する各種エネルギ保存サイクル合体機関。
【請求項３１】
エネルキ保存圧縮機（２０Ａ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼して、過熱蒸気爆発力＋燃焼ガス爆発力に分割する各種エネルギ保存サイクル合体機関。
【請求項３２】
エネルキ保存圧縮機（２０Ｂ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼して、過熱蒸気爆発力＋燃焼ガス爆発力に分割する各種エネルギ保存サイクル合体機関。
【請求項３３】
エネルキ保存圧縮機（２０Ｃ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼して、過熱蒸気爆発力＋燃焼ガス爆発力に分割する各種エネルギ保存サイクル合体機関。
【請求項３４】
エネルキ保存圧縮機（２０Ｄ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼して、過熱蒸気爆発力＋燃焼ガス爆発力に分割する各種エネルギ保存サイクル合体機関。
【請求項３５】
エネルキ保存圧縮機（２０Ｅ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼して、過熱蒸気爆発力＋燃焼ガス爆発力に分割する各種エネルギ保存サイクル合体機関。
【請求項３６】
エネルキ保存圧縮機（２０Ｆ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼して、過熱蒸気爆発力＋燃焼ガス爆発力に分割する各種エネルギ保存サイクル合体機関。
【請求項３７】
エネルキ保存圧縮機（２０Ｇ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼して、過熱蒸気爆発力＋燃焼ガス爆発力に分割する各種エネルギ保存サイクル合体機関。
【請求項３８】
エネルキ保存圧縮機（２０Ｈ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼して、過熱蒸気爆発力＋燃焼ガス爆発力に分割する各種エネルギ保存サイクル合体機関。
【請求項３９】
全動翼圧縮機（２０Ｊ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼して、過熱蒸気爆発力＋燃焼ガス爆発力に分割する各種エネルギ保存サイクル合体機関。
【請求項４０】
公知の圧縮機を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼して、過熱蒸気爆発力＋燃焼ガス爆発力に分割する各種エネルギ保存サイクル合体機関。
【請求項４１】
エネルキ保存圧縮機（２０Ａ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼して、２００ＭＰａ以下の過熱蒸気爆発力＋１００ＭＰａ以下の燃焼ガス爆発力に分割する各種エネルギ保存サイクル合体機関。
【請求項４２】
エネルキ保存圧縮機（２０Ｂ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼して、２００ＭＰａ以下の過熱蒸気爆発力＋１００ＭＰａ以下の燃焼ガス爆発力に分割する各種エネルギ保存サイクル合体機関。
【請求項４３】
エネルキ保存圧縮機（２０Ｃ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼して、２００ＭＰａ以下の過熱蒸気爆発力＋１００ＭＰａ以下の燃焼ガス爆発力に分割する各種エネルギ保存サイクル合体機関。
【請求項４４】
エネルキ保存圧縮機（２０Ｄ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼して、２００ＭＰａ以下の過熱蒸気爆発力＋１００ＭＰａ以下の燃焼ガス爆発力に分割する各種エネルギ保存サイクル合体機関。
【請求項４５】
エネルキ保存圧縮機（２０Ｅ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼して、２００ＭＰａ以下の過熱蒸気爆発力＋１００ＭＰａ以下の燃焼ガス爆発力に分割する各種エネルギ保存サイクル合体機関。
【請求項４６】
エネルキ保存圧縮機（２０Ｆ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼して、２００ＭＰａ以下の過熱蒸気爆発力＋１００ＭＰａ以下の燃焼ガス爆発力に分割する各種エネルギ保存サイクル合体機関。
【請求項４７】
エネルキ保存圧縮機（２０Ｇ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼して、２００ＭＰａ以下の過熱蒸気爆発力＋１００ＭＰａ以下の燃焼ガス爆発力に分割する各種エネルギ保存サイクル合体機関。
【請求項４８】
エネルキ保存圧縮機（２０Ｈ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼して、２００ＭＰａ以下の過熱蒸気爆発力＋１００ＭＰａ以下の燃焼ガス爆発力に分割する各種エネルギ保存サイクル合体機関。
【請求項４９】
全動翼圧縮機（２０Ｊ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼して、２００ＭＰａ以下の過熱蒸気爆発力＋１００ＭＰａ以下の燃焼ガス爆発力に分割する各種エネルギ保存サイクル合体機関。
【請求項５０】
公知の圧縮機を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼して、２００ＭＰａ以下の過熱蒸気爆発力＋１００ＭＰａ以下の燃焼ガス爆発力に分割する各種エネルギ保存サイクル合体機関。
【請求項５１】
エネルキ保存圧縮機（２０Ａ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼して、２００ＭＰａ以上の過熱蒸気爆発力＋１００ＭＰａ以上の燃焼ガス爆発力に分割する各種エネルギ保存サイクル合体機関。
【請求項５２】
エネルキ保存圧縮機（２０Ｂ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼して、２００ＭＰａ以上の過熱蒸気爆発力＋１００ＭＰａ以上の燃焼ガス爆発力に分割する各種エネルギ保存サイクル合体機関。
【請求項５３】
エネルキ保存圧縮機（２０Ｃ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼して、２００ＭＰａ以上の過熱蒸気爆発力＋１００ＭＰａ以上の燃焼ガス爆発力に分割する各種エネルギ保存サイクル合体機関。
【請求項５４】
エネルキ保存圧縮機（２０Ｄ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼して、２００ＭＰａ以上の過熱蒸気爆発力＋１００ＭＰａ以上の燃焼ガス爆発力に分割する各種エネルギ保存サイクル合体機関。
【請求項５５】
エネルキ保存圧縮機（２０Ｅ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼して、２００ＭＰａ以上の過熱蒸気爆発力＋１００ＭＰａ以上の燃焼ガス爆発力に分割する各種エネルギ保存サイクル合体機関。
【請求項５６】
エネルキ保存圧縮機（２０Ｆ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼して、２００ＭＰａ以上の過熱蒸気爆発力＋１００ＭＰａ以上の燃焼ガス爆発力に分割する各種エネルギ保存サイクル合体機関。
【請求項５７】
エネルキ保存圧縮機（２０Ｇ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼して、２００ＭＰａ以上の過熱蒸気爆発力＋１００ＭＰａ以上の燃焼ガス爆発力に分割する各種エネルギ保存サイクル合体機関。
【請求項５８】
エネルキ保存圧縮機（２０Ｈ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼して、２００ＭＰａ以上の過熱蒸気爆発力＋１００ＭＰａ以上の燃焼ガス爆発力に分割する各種エネルギ保存サイクル合体機関。
【請求項５９】
全動翼圧縮機（２０Ｊ）を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼して、２００ＭＰａ以上の過熱蒸気爆発力＋１００ＭＰａ以上の燃焼ガス爆発力に分割する各種エネルギ保存サイクル合体機関。
【請求項６０】
公知の圧縮機を１以上の余圧圧縮機として使用すると共に公知技術により圧縮水として使用して拡径圧縮室（１０ａ）で圧縮して縮径主燃焼室兼熱交換器（１）で限りなく高圧燃焼長時間熱交換冷却燃焼して、２００ＭＰａ以上の過熱蒸気爆発力＋１００ＭＰａ以上の燃焼ガス爆発力に分割する各種エネルギ保存サイクル合体機関。
【請求項６１】
エネルキ保存圧縮機（２０Ａ）を１以上の余圧圧縮機として使用すると共に公知技術により圧縮水として使用して過熱蒸気爆発力＋燃焼ガス爆発力に分割する各種エネルギ保存サイクル合体機関。
【請求項６２】
エネルキ保存圧縮機（２０Ｂ）を１以上の余圧圧縮機として使用すると共に公知技術により圧縮水として使用して過熱蒸気爆発力＋燃焼ガス爆発力に分割する各種エネルギ保存サイクル合体機関。
【請求項６３】
エネルキ保存圧縮機（２０Ｃ）を１以上の余圧圧縮機として使用すると共に公知技術により圧縮水として使用して過熱蒸気爆発力＋燃焼ガス爆発力に分割する各種エネルギ保存サイクル合体機関。
【請求項６４】
エネルキ保存圧縮機（２０Ｄ）を１以上の余圧圧縮機として使用すると共に公知技術により圧縮水として使用して過熱蒸気爆発力＋燃焼ガス爆発力に分割する各種エネルギ保存サイクル合体機関。
【請求項６５】
エネルキ保存圧縮機（２０Ｅ）を１以上の余圧圧縮機として使用すると共に公知技術により圧縮水として使用して過熱蒸気爆発力＋燃焼ガス爆発力に分割する各種エネルギ保存サイクル合体機関。
【請求項６６】
エネルキ保存圧縮機（２０Ｆ）を１以上の余圧圧縮機として使用すると共に公知技術により圧縮水として使用して過熱蒸気爆発力＋燃焼ガス爆発力に分割する各種エネルギ保存サイクル合体機関。
【請求項６７】
エネルキ保存圧縮機（２０Ｇ）を１以上の余圧圧縮機として使用すると共に公知技術により圧縮水として使用して過熱蒸気爆発力＋燃焼ガス爆発力に分割する各種エネルギ保存サイクル合体機関。
【請求項６８】
エネルキ保存圧縮機（２０Ｈ）を１以上の余圧圧縮機として使用すると共に公知技術により圧縮水として使用して過熱蒸気爆発力＋燃焼ガス爆発力に分割する各種エネルギ保存サイクル合体機関。
【請求項６９】
全動翼圧縮機（２０Ｊ）を１以上の余圧圧縮機として使用すると共に公知技術により圧縮水として使用して過熱蒸気爆発力＋燃焼ガス爆発力に分割する各種エネルギ保存サイクル合体機関。
【請求項７０】
公知の圧縮機を１以上の余圧圧縮機として使用すると共に公知技術により圧縮水として使用して過熱蒸気爆発力＋燃焼ガス爆発力に分割する各種エネルギ保存サイクル合体機関。
【請求項７１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割する各種エネルギ保存サイクル合体機関。
【請求項７２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割する各種エネルギ保存サイクル合体機関。
【請求項７３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割する各種エネルギ保存サイクル合体機関。
【請求項７４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割する各種エネルギ保存サイクル合体機関。
【請求項７５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割する各種エネルギ保存サイクル合体機関。
【請求項７６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割する各種エネルギ保存サイクル合体機関。
【請求項７７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割する各種エネルギ保存サイクル合体機関。
【請求項７８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割する各種エネルギ保存サイクル合体機関。
【請求項７９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割する各種エネルギ保存サイクル合体機関。
【請求項８０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割する各種エネルギ保存サイクル合体機関。
【請求項８１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割する各種エネルギ保存サイクル合体機関。
【請求項８２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割する各種エネルギ保存サイクル合体機関。
【請求項８３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割する各種エネルギ保存サイクル合体機関。
【請求項８４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割する各種エネルギ保存サイクル合体機関。
【請求項８５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割する各種エネルギ保存サイクル合体機関。
【請求項８６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割する各種エネルギ保存サイクル合体機関。
【請求項８７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割する各種エネルギ保存サイクル合体機関。
【請求項８８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割する各種エネルギ保存サイクル合体機関。
【請求項８９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割する各種エネルギ保存サイクル合体機関。
【請求項９０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割する各種エネルギ保存サイクル合体機関。
【請求項９１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射する各種エネルギ保存サイクル合体機関。
【請求項９２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射する各種エネルギ保存サイクル合体機関。
【請求項９３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射する各種エネルギ保存サイクル合体機関。
【請求項９４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射する各種エネルギ保存サイクル合体機関。
【請求項９５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射する各種エネルギ保存サイクル合体機関。
【請求項９６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射する各種エネルギ保存サイクル合体機関。
【請求項９７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射する各種エネルギ保存サイクル合体機関。
【請求項９８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射する各種エネルギ保存サイクル合体機関。
【請求項９９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射する各種エネルギ保存サイクル合体機関。
【請求項１００】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射する各種エネルギ保存サイクル合体機関。
【請求項１０１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射する各種エネルギ保存サイクル合体機関。
【請求項１０２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射する各種エネルギ保存サイクル合体機関。
【請求項１０３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射する各種エネルギ保存サイクル合体機関。
【請求項１０４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射する各種エネルギ保存サイクル合体機関。
【請求項１０５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射する各種エネルギ保存サイクル合体機関。
【請求項１０６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射する各種エネルギ保存サイクル合体機関。
【請求項１０７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射する各種エネルギ保存サイクル合体機関。
【請求項１０８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射する各種エネルギ保存サイクル合体機関。
【請求項１０９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射する各種エネルギ保存サイクル合体機関。
【請求項１１０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射する各種エネルギ保存サイクル合体機関。
【請求項１１１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射する各種エネルギ保存サイクル合体機関。
【請求項１１２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射する各種エネルギ保存サイクル合体機関。
【請求項１１３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射する各種エネルギ保存サイクル合体機関。
【請求項１１４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射する各種エネルギ保存サイクル合体機関。
【請求項１１５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射する各種エネルギ保存サイクル合体機関。
【請求項１１６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射する各種エネルギ保存サイクル合体機関。
【請求項１１７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射する各種エネルギ保存サイクル合体機関。
【請求項１１８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射する各種エネルギ保存サイクル合体機関。
【請求項１１９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射する各種エネルギ保存サイクル合体機関。
【請求項１２０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射する各種エネルギ保存サイクル合体機関。
【請求項１２１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射する各種エネルギ保存サイクル合体機関。
【請求項１２２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射する各種エネルギ保存サイクル合体機関。
【請求項１２３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射する各種エネルギ保存サイクル合体機関。
【請求項１２４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射する各種エネルギ保存サイクル合体機関。
【請求項１２５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射する各種エネルギ保存サイクル合体機関。
【請求項１２６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射する各種エネルギ保存サイクル合体機関。
【請求項１２７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射する各種エネルギ保存サイクル合体機関。
【請求項１２８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射する各種エネルギ保存サイクル合体機関。
【請求項１２９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射する各種エネルギ保存サイクル合体機関。
【請求項１３０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射する各種エネルギ保存サイクル合体機関。
【請求項１３１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射する各種エネルギ保存サイクル合体機関。
【請求項１３２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射する各種エネルギ保存サイクル合体機関。
【請求項１３３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射する各種エネルギ保存サイクル合体機関。
【請求項１３４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射する各種エネルギ保存サイクル合体機関。
【請求項１３５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射する各種エネルギ保存サイクル合体機関。
【請求項１３６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射する各種エネルギ保存サイクル合体機関。
【請求項１３７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射する各種エネルギ保存サイクル合体機関。
【請求項１３８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射する各種エネルギ保存サイクル合体機関。
【請求項１３９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射する各種エネルギ保存サイクル合体機関。
【請求項１４０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射する各種エネルギ保存サイクル合体機関。
【請求項１４１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射する各種エネルギ保存サイクル合体機関。
【請求項１４２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射する各種エネルギ保存サイクル合体機関。
【請求項１４３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射する各種エネルギ保存サイクル合体機関。
【請求項１４４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射する各種エネルギ保存サイクル合体機関。
【請求項１４５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射する各種エネルギ保存サイクル合体機関。
【請求項１４６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射する各種エネルギ保存サイクル合体機関。
【請求項１４７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射する各種エネルギ保存サイクル合体機関。
【請求項１４８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射する各種エネルギ保存サイクル合体機関。
【請求項１４９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射する各種エネルギ保存サイクル合体機関。
【請求項１５０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射する各種エネルギ保存サイクル合体機関。
【請求項１５１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生する各種エネルギ保存サイクル合体機関。
【請求項１５２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生する各種エネルギ保存サイクル合体機関。
【請求項１５３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生する各種エネルギ保存サイクル合体機関。
【請求項１５４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生する各種エネルギ保存サイクル合体機関。
【請求項１５５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生する各種エネルギ保存サイクル合体機関。
【請求項１５６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生する各種エネルギ保存サイクル合体機関。
【請求項１５７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生する各種エネルギ保存サイクル合体機関。
【請求項１５８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生する各種エネルギ保存サイクル合体機関。
【請求項１５９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生する各種エネルギ保存サイクル合体機関。
【請求項１６０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生する各種エネルギ保存サイクル合体機関。
【請求項１６１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生する各種エネルギ保存サイクル合体機関。
【請求項１６２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生する各種エネルギ保存サイクル合体機関。
【請求項１６３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生する各種エネルギ保存サイクル合体機関。
【請求項１６４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生する各種エネルギ保存サイクル合体機関。
【請求項１６５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生する各種エネルギ保存サイクル合体機関。
【請求項１６６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生する各種エネルギ保存サイクル合体機関。
【請求項１６７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生する各種エネルギ保存サイクル合体機関。
【請求項１６８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生する各種エネルギ保存サイクル合体機関。
【請求項１６９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生する各種エネルギ保存サイクル合体機関。
【請求項１７０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生する各種エネルギ保存サイクル合体機関。
【請求項１７１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生する各種エネルギ保存サイクル合体機関。
【請求項１７２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生する各種エネルギ保存サイクル合体機関。
【請求項１７３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生する各種エネルギ保存サイクル合体機関。
【請求項１７４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生する各種エネルギ保存サイクル合体機関。
【請求項１７５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生する各種エネルギ保存サイクル合体機関。
【請求項１７６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生する各種エネルギ保存サイクル合体機関。
【請求項１７７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生する各種エネルギ保存サイクル合体機関。
【請求項１７８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生する各種エネルギ保存サイクル合体機関。
【請求項１７９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生する各種エネルギ保存サイクル合体機関。
【請求項１８０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生する各種エネルギ保存サイクル合体機関。
【請求項１８１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生する各種エネルギ保存サイクル合体機関。
【請求項１８２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生する各種エネルギ保存サイクル合体機関。
【請求項１８３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生する各種エネルギ保存サイクル合体機関。
【請求項１８４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生する各種エネルギ保存サイクル合体機関。
【請求項１８５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生する各種エネルギ保存サイクル合体機関。
【請求項１８６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生する各種エネルギ保存サイクル合体機関。
【請求項１８７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生する各種エネルギ保存サイクル合体機関。
【請求項１８８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生する各種エネルギ保存サイクル合体機関。
【請求項１８９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生する各種エネルギ保存サイクル合体機関。
【請求項１９０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生する各種エネルギ保存サイクル合体機関。
【請求項１９１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生する各種エネルギ保存サイクル合体機関。
【請求項１９２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生する各種エネルギ保存サイクル合体機関。
【請求項１９３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生する各種エネルギ保存サイクル合体機関。
【請求項１９４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生する各種エネルギ保存サイクル合体機関。
【請求項１９５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生する各種エネルギ保存サイクル合体機関。
【請求項１９６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生する各種エネルギ保存サイクル合体機関。
【請求項１９７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生する各種エネルギ保存サイクル合体機関。
【請求項１９８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生する各種エネルギ保存サイクル合体機関。
【請求項１９９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生する各種エネルギ保存サイクル合体機関。
【請求項２００】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生する各種エネルギ保存サイクル合体機関。
【請求項２０１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生する各種エネルギ保存サイクル合体機関。
【請求項２０２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生する各種エネルギ保存サイクル合体機関。
【請求項２０３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生する各種エネルギ保存サイクル合体機関。
【請求項２０４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生する各種エネルギ保存サイクル合体機関。
【請求項２０５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生する各種エネルギ保存サイクル合体機関。
【請求項２０６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生する各種エネルギ保存サイクル合体機関。
【請求項２０７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生する各種エネルギ保存サイクル合体機関。
【請求項２０８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生する各種エネルギ保存サイクル合体機関。
【請求項２０９】
全動翼圧縮機（２０Ｊ）を１以上の余圧圧縮機として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生する各種エネルギ保存サイクル合体機関。
【請求項２１０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生する各種エネルギ保存サイクル合体機関。
【請求項２１１】
エネルキ保存圧縮機（２０Ａ）を１以上の余圧圧縮機として使用すると共に公知技術により圧縮水として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）を駆動する各種エネルギ保存サイクル合体機関。
【請求項２１２】
エネルキ保存圧縮機（２０Ｂ）を１以上の余圧圧縮機として使用すると共に公知技術により圧縮水として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）を駆動する各種エネルギ保存サイクル合体機関。
【請求項２１３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）を駆動する各種エネルギ保存サイクル合体機関。
【請求項２１４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）を駆動する各種エネルギ保存サイクル合体機関。
【請求項２１５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）を駆動する各種エネルギ保存サイクル合体機関。
【請求項２１６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）を駆動する各種エネルギ保存サイクル合体機関。
【請求項２１７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）を駆動する各種エネルギ保存サイクル合体機関。
【請求項２１８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）を駆動する各種エネルギ保存サイクル合体機関。
【請求項２１９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）を駆動する各種エネルギ保存サイクル合体機関。
【請求項２２０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）を駆動する各種エネルギ保存サイクル合体機関。
【請求項２２１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）を駆動する各種エネルギ保存サイクル合体機関。
【請求項２２２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）を駆動する各種エネルギ保存サイクル合体機関。
【請求項２２３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）を駆動する各種エネルギ保存サイクル合体機関。
【請求項２２４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）を駆動する各種エネルギ保存サイクル合体機関。
【請求項２２５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）を駆動する各種エネルギ保存サイクル合体機関。
【請求項２２６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）を駆動する各種エネルギ保存サイクル合体機関。
【請求項２２７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）を駆動する各種エネルギ保存サイクル合体機関。
【請求項２２８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）を駆動する各種エネルギ保存サイクル合体機関。
【請求項２２９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）を駆動する各種エネルギ保存サイクル合体機関。
【請求項２３０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）を駆動する各種エネルギ保存サイクル合体機関。
【請求項２３１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）を駆動する各種エネルギ保存サイクル合体機関。
【請求項２３２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）を駆動する各種エネルギ保存サイクル合体機関。
【請求項２３３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）を駆動する各種エネルギ保存サイクル合体機関。
【請求項２３４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）を駆動する各種エネルギ保存サイクル合体機関。
【請求項２３５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）を駆動する各種エネルギ保存サイクル合体機関。
【請求項２３６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）を駆動する各種エネルギ保存サイクル合体機関。
【請求項２３７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）を駆動する各種エネルギ保存サイクル合体機関。
【請求項２３８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）を駆動する各種エネルギ保存サイクル合体機関。
【請求項２３９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）を駆動する各種エネルギ保存サイクル合体機関。
【請求項２４０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）を駆動する各種エネルギ保存サイクル合体機関。
【請求項２４１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）を駆動する各種エネルギ保存サイクル合体機関。
【請求項２４２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）を駆動する各種エネルギ保存サイクル合体機関。
【請求項２４３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）を駆動する各種エネルギ保存サイクル合体機関。
【請求項２４４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）を駆動する各種エネルギ保存サイクル合体機関。
【請求項２４５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）を駆動する各種エネルギ保存サイクル合体機関。
【請求項２４６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）を駆動する各種エネルギ保存サイクル合体機関。
【請求項２４７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）を駆動する各種エネルギ保存サイクル合体機関。
【請求項２４８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）を駆動する各種エネルギ保存サイクル合体機関。
【請求項２４９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）を駆動する各種エネルギ保存サイクル合体機関。
【請求項２５０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）を駆動する各種エネルギ保存サイクル合体機関。
【請求項２５１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）を駆動する各種エネルギ保存サイクル合体機関。
【請求項２５２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）を駆動する各種エネルギ保存サイクル合体機関。
【請求項２５３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）を駆動する各種エネルギ保存サイクル合体機関。
【請求項２５４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）を駆動する各種エネルギ保存サイクル合体機関。
【請求項２５５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）を駆動する各種エネルギ保存サイクル合体機関。
【請求項２５６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）を駆動する各種エネルギ保存サイクル合体機関。
【請求項２５７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）を駆動する各種エネルギ保存サイクル合体機関。
【請求項２５８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）を駆動する各種エネルギ保存サイクル合体機関。
【請求項２５９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）を駆動する各種エネルギ保存サイクル合体機関。
【請求項２６０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）を駆動する各種エネルギ保存サイクル合体機関。
【請求項２６１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）を駆動する各種エネルギ保存サイクル合体機関。
【請求項２６２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）を駆動する各種エネルギ保存サイクル合体機関。
【請求項２６３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）を駆動する各種エネルギ保存サイクル合体機関。
【請求項２６４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）を駆動する各種エネルギ保存サイクル合体機関。
【請求項２６５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）を駆動する各種エネルギ保存サイクル合体機関。
【請求項２６６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）を駆動する各種エネルギ保存サイクル合体機関。
【請求項２６７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）を駆動する各種エネルギ保存サイクル合体機関。
【請求項２６８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）を駆動する各種エネルギ保存サイクル合体機関。
【請求項２６９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）を駆動する各種エネルギ保存サイクル合体機関。
【請求項２７０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）を駆動する各種エネルギ保存サイクル合体機関。
【請求項２７１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動する各種エネルギ保存サイクル合体機関。
【請求項２７２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動する各種エネルギ保存サイクル合体機関。
【請求項２７３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動する各種エネルギ保存サイクル合体機関。
【請求項２７４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動する各種エネルギ保存サイクル合体機関。
【請求項２７５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動する各種エネルギ保存サイクル合体機関。
【請求項２７６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動する各種エネルギ保存サイクル合体機関。
【請求項２７７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動する各種エネルギ保存サイクル合体機関。
【請求項２７８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動する各種エネルギ保存サイクル合体機関。
【請求項２７９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動する各種エネルギ保存サイクル合体機関。
【請求項２８０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動する各種エネルギ保存サイクル合体機関。
【請求項２８１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動する各種エネルギ保存サイクル合体機関。
【請求項２８２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動する各種エネルギ保存サイクル合体機関。
【請求項２８３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動する各種エネルギ保存サイクル合体機関。
【請求項２８４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動する各種エネルギ保存サイクル合体機関。
【請求項２８５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動する各種エネルギ保存サイクル合体機関。
【請求項２８６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動する各種エネルギ保存サイクル合体機関。
【請求項２８７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動する各種エネルギ保存サイクル合体機関。
【請求項２８８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動する各種エネルギ保存サイクル合体機関。
【請求項２８９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動する各種エネルギ保存サイクル合体機関。
【請求項２９０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動する各種エネルギ保存サイクル合体機関。
【請求項２９１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動する各種エネルギ保存サイクル合体機関。
【請求項２９２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動する各種エネルギ保存サイクル合体機関。
【請求項２９３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動する各種エネルギ保存サイクル合体機関。
【請求項２９４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動する各種エネルギ保存サイクル合体機関。
【請求項２９５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動する各種エネルギ保存サイクル合体機関。
【請求項２９６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動する各種エネルギ保存サイクル合体機関。
【請求項２９７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動する各種エネルギ保存サイクル合体機関。
【請求項２９８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動する各種エネルギ保存サイクル合体機関。
【請求項２９９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動する各種エネルギ保存サイクル合体機関。
【請求項３００】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動する各種エネルギ保存サイクル合体機関。
【請求項３０１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動する各種エネルギ保存サイクル合体機関。
【請求項３０２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動する各種エネルギ保存サイクル合体機関。
【請求項３０３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動する各種エネルギ保存サイクル合体機関。
【請求項３０４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動する各種エネルギ保存サイクル合体機関。
【請求項３０５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動する各種エネルギ保存サイクル合体機関。
【請求項３０６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動する各種エネルギ保存サイクル合体機関。
【請求項３０７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動する各種エネルギ保存サイクル合体機関。
【請求項３０８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動する各種エネルギ保存サイクル合体機関。
【請求項３０９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動する各種エネルギ保存サイクル合体機関。
【請求項３１０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動する各種エネルギ保存サイクル合体機関。
【請求項３１１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動する各種エネルギ保存サイクル合体機関。
【請求項３１２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動する各種エネルギ保存サイクル合体機関。
【請求項３１３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動する各種エネルギ保存サイクル合体機関。
【請求項３１４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動する各種エネルギ保存サイクル合体機関。
【請求項３１５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動する各種エネルギ保存サイクル合体機関。
【請求項３１６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動する各種エネルギ保存サイクル合体機関。
【請求項３１７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動する各種エネルギ保存サイクル合体機関。
【請求項３１８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動する各種エネルギ保存サイクル合体機関。
【請求項３１９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動する各種エネルギ保存サイクル合体機関。
【請求項３２０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動する各種エネルギ保存サイクル合体機関。
【請求項３２１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動する各種エネルギ保存サイクル合体機関。
【請求項３２２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動する各種エネルギ保存サイクル合体機関。
【請求項３２３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動する各種エネルギ保存サイクル合体機関。
【請求項３２４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動する各種エネルギ保存サイクル合体機関。
【請求項３２５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動する各種エネルギ保存サイクル合体機関。
【請求項３２６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動する各種エネルギ保存サイクル合体機関。
【請求項３２７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動する各種エネルギ保存サイクル合体機関。
【請求項３２８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動する各種エネルギ保存サイクル合体機関。
【請求項３２９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動する各種エネルギ保存サイクル合体機関。
【請求項３３０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動する各種エネルギ保存サイクル合体機関。
【請求項３３１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して噴射出力を発生する各種エネルギ保存サイクル合体機関。
【請求項３３２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して噴射出力を発生する各種エネルギ保存サイクル合体機関。
【請求項３３３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して噴射出力を発生する各種エネルギ保存サイクル合体機関。
【請求項３３４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して噴射出力を発生する各種エネルギ保存サイクル合体機関。
【請求項３３５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して噴射出力を発生する各種エネルギ保存サイクル合体機関。
【請求項３３６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して噴射出力を発生する各種エネルギ保存サイクル合体機関。
【請求項３３７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して噴射出力を発生する各種エネルギ保存サイクル合体機関。
【請求項３３８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して噴射出力を発生する各種エネルギ保存サイクル合体機関。
【請求項３３９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して噴射出力を発生する各種エネルギ保存サイクル合体機関。
【請求項３４０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して噴射出力を発生する各種エネルギ保存サイクル合体機関。
【請求項３４１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して噴射出力を発生する各種エネルギ保存サイクル合体機関。
【請求項３４２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して噴射出力を発生する各種エネルギ保存サイクル合体機関。
【請求項３４３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して噴射出力を発生する各種エネルギ保存サイクル合体機関。
【請求項３４４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して噴射出力を発生する各種エネルギ保存サイクル合体機関。
【請求項３４５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して噴射出力を発生する各種エネルギ保存サイクル合体機関。
【請求項３４６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して噴射出力を発生する各種エネルギ保存サイクル合体機関。
【請求項３４７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して噴射出力を発生する各種エネルギ保存サイクル合体機関。
【請求項３４８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して噴射出力を発生する各種エネルギ保存サイクル合体機関。
【請求項３４９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して噴射出力を発生する各種エネルギ保存サイクル合体機関。
【請求項３５０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して噴射出力を発生する各種エネルギ保存サイクル合体機関。
【請求項３５１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して噴射出力を発生する各種エネルギ保存サイクル合体機関。
【請求項３５２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して噴射出力を発生する各種エネルギ保存サイクル合体機関。
【請求項３５３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して噴射出力を発生する各種エネルギ保存サイクル合体機関。
【請求項３５４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して噴射出力を発生する各種エネルギ保存サイクル合体機関。
【請求項３５５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して噴射出力を発生する各種エネルギ保存サイクル合体機関。
【請求項３５６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して噴射出力を発生する各種エネルギ保存サイクル合体機関。
【請求項３５７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して噴射出力を発生する各種エネルギ保存サイクル合体機関。
【請求項３５８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して噴射出力を発生する各種エネルギ保存サイクル合体機関。
【請求項３５９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して噴射出力を発生する各種エネルギ保存サイクル合体機関。
【請求項３６０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して噴射出力を発生する各種エネルギ保存サイクル合体機関。
【請求項３６１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して噴射出力を発生する各種エネルギ保存サイクル合体機関。
【請求項３６２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して噴射出力を発生する各種エネルギ保存サイクル合体機関。
【請求項３６３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して噴射出力を発生する各種エネルギ保存サイクル合体機関。
【請求項３６４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して噴射出力を発生する各種エネルギ保存サイクル合体機関。
【請求項３６５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して噴射出力を発生する各種エネルギ保存サイクル合体機関。
【請求項３６６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して噴射出力を発生する各種エネルギ保存サイクル合体機関。
【請求項３６７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して噴射出力を発生する各種エネルギ保存サイクル合体機関。
【請求項３６８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して噴射出力を発生する各種エネルギ保存サイクル合体機関。
【請求項３６９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して噴射出力を発生する各種エネルギ保存サイクル合体機関。
【請求項３７０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して噴射出力を発生する各種エネルギ保存サイクル合体機関。
【請求項３７１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して噴射出力を発生する各種エネルギ保存サイクル合体機関。
【請求項３７２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して噴射出力を発生する各種エネルギ保存サイクル合体機関。
【請求項３７３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して噴射出力を発生する各種エネルギ保存サイクル合体機関。
【請求項３７４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して噴射出力を発生する各種エネルギ保存サイクル合体機関。
【請求項３７５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して噴射出力を発生する各種エネルギ保存サイクル合体機関。
【請求項３７６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して噴射出力を発生する各種エネルギ保存サイクル合体機関。
【請求項３７７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して噴射出力を発生する各種エネルギ保存サイクル合体機関。
【請求項３７８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して噴射出力を発生する各種エネルギ保存サイクル合体機関。
【請求項３７９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して噴射出力を発生する各種エネルギ保存サイクル合体機関。
【請求項３８０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して噴射出力を発生する各種エネルギ保存サイクル合体機関。
【請求項３８１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して噴射出力を発生する各種エネルギ保存サイクル合体機関。
【請求項３８２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して噴射出力を発生する各種エネルギ保存サイクル合体機関。
【請求項３８３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して噴射出力を発生する各種エネルギ保存サイクル合体機関。
【請求項３８４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して噴射出力を発生する各種エネルギ保存サイクル合体機関。
【請求項３８５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して噴射出力を発生する各種エネルギ保存サイクル合体機関。
【請求項３８６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して噴射出力を発生する各種エネルギ保存サイクル合体機関。
【請求項３８７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して噴射出力を発生する各種エネルギ保存サイクル合体機関。
【請求項３８８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して噴射出力を発生する各種エネルギ保存サイクル合体機関。
【請求項３８９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して噴射出力を発生する各種エネルギ保存サイクル合体機関。
【請求項３９０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して噴射出力を発生する各種エネルギ保存サイクル合体機関。
【請求項３９１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｋ）を駆動する各種エネルギ保存サイクル合体機関。
【請求項３９２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｋ）を駆動する各種エネルギ保存サイクル合体機関。
【請求項３９３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｋ）を駆動する各種エネルギ保存サイクル合体機関。
【請求項３９４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｋ）を駆動する各種エネルギ保存サイクル合体機関。
【請求項３９５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｋ）を駆動する各種エネルギ保存サイクル合体機関。
【請求項３９６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｋ）を駆動する各種エネルギ保存サイクル合体機関。
【請求項３９７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｋ）を駆動する各種エネルギ保存サイクル合体機関。
【請求項３９８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｋ）を駆動する各種エネルギ保存サイクル合体機関。
【請求項３９９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｋ）を駆動する各種エネルギ保存サイクル合体機関。
【請求項４００】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｋ）を駆動する各種エネルギ保存サイクル合体機関。
【請求項４０１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｋ）を駆動する各種エネルギ保存サイクル合体機関。
【請求項４０２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｋ）を駆動する各種エネルギ保存サイクル合体機関。
【請求項４０３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｋ）を駆動する各種エネルギ保存サイクル合体機関。
【請求項４０４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｋ）を駆動する各種エネルギ保存サイクル合体機関。
【請求項４０５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｋ）を駆動する各種エネルギ保存サイクル合体機関。
【請求項４０６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｋ）を駆動する各種エネルギ保存サイクル合体機関。
【請求項４０７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｋ）を駆動する各種エネルギ保存サイクル合体機関。
【請求項４０８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｋ）を駆動する各種エネルギ保存サイクル合体機関。
【請求項４０９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｋ）を駆動する各種エネルギ保存サイクル合体機関。
【請求項４１０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｋ）を駆動する各種エネルギ保存サイクル合体機関。
【請求項４１１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｋ）を駆動する各種エネルギ保存サイクル合体機関。
【請求項４１２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｋ）を駆動する各種エネルギ保存サイクル合体機関。
【請求項４１３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｋ）を駆動する各種エネルギ保存サイクル合体機関。
【請求項４１４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｋ）を駆動する各種エネルギ保存サイクル合体機関。
【請求項４１５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｋ）を駆動する各種エネルギ保存サイクル合体機関。
【請求項４１６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｋ）を駆動する各種エネルギ保存サイクル合体機関。
【請求項４１７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｋ）を駆動する各種エネルギ保存サイクル合体機関。
【請求項４１８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｋ）を駆動する各種エネルギ保存サイクル合体機関。
【請求項４１９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｋ）を駆動する各種エネルギ保存サイクル合体機関。
【請求項４２０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｋ）を駆動する各種エネルギ保存サイクル合体機関。
【請求項４２１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｋ）を駆動する各種エネルギ保存サイクル合体機関。
【請求項４２２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｋ）を駆動する各種エネルギ保存サイクル合体機関。
【請求項４２３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｋ）を駆動する各種エネルギ保存サイクル合体機関。
【請求項４２４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｋ）を駆動する各種エネルギ保存サイクル合体機関。
【請求項４２５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｋ）を駆動する各種エネルギ保存サイクル合体機関。
【請求項４２６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｋ）を駆動する各種エネルギ保存サイクル合体機関。
【請求項４２７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｋ）を駆動する各種エネルギ保存サイクル合体機関。
【請求項４２８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｋ）を駆動する各種エネルギ保存サイクル合体機関。
【請求項４２９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｋ）を駆動する各種エネルギ保存サイクル合体機関。
【請求項４３０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｋ）を駆動する各種エネルギ保存サイクル合体機関。
【請求項４３１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｋ）を駆動する各種エネルギ保存サイクル合体機関。
【請求項４３２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｋ）を駆動する各種エネルギ保存サイクル合体機関。
【請求項４３３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｋ）を駆動する各種エネルギ保存サイクル合体機関。
【請求項４３４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｋ）を駆動する各種エネルギ保存サイクル合体機関。
【請求項４３５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｋ）を駆動する各種エネルギ保存サイクル合体機関。
【請求項４３６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｋ）を駆動する各種エネルギ保存サイクル合体機関。
【請求項４３７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｋ）を駆動する各種エネルギ保存サイクル合体機関。
【請求項４３８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｋ）を駆動する各種エネルギ保存サイクル合体機関。
【請求項４３９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｋ）を駆動する各種エネルギ保存サイクル合体機関。
【請求項４４０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｋ）を駆動する各種エネルギ保存サイクル合体機関。
【請求項４４１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｋ）を駆動する各種エネルギ保存サイクル合体機関。
【請求項４４２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｋ）を駆動する各種エネルギ保存サイクル合体機関。
【請求項４４３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｋ）を駆動する各種エネルギ保存サイクル合体機関。
【請求項４４４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｋ）を駆動する各種エネルギ保存サイクル合体機関。
【請求項４４５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｋ）を駆動する各種エネルギ保存サイクル合体機関。
【請求項４４６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｋ）を駆動する各種エネルギ保存サイクル合体機関。
【請求項４４７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｋ）を駆動する各種エネルギ保存サイクル合体機関。
【請求項４４８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｋ）を駆動する各種エネルギ保存サイクル合体機関。
【請求項４４９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｋ）を駆動する各種エネルギ保存サイクル合体機関。
【請求項４５０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｋ）を駆動する各種エネルギ保存サイクル合体機関。
【請求項４５１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｌ）を駆動する各種エネルギ保存サイクル合体機関。
【請求項４５２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｌ）を駆動する各種エネルギ保存サイクル合体機関。
【請求項４５３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｌ）を駆動する各種エネルギ保存サイクル合体機関。
【請求項４５４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｌ）を駆動する各種エネルギ保存サイクル合体機関。
【請求項４５５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｌ）を駆動する各種エネルギ保存サイクル合体機関。
【請求項４５６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｌ）を駆動する各種エネルギ保存サイクル合体機関。
【請求項４５７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｌ）を駆動する各種エネルギ保存サイクル合体機関。
【請求項４５８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｌ）を駆動する各種エネルギ保存サイクル合体機関。
【請求項４５９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｌ）を駆動する各種エネルギ保存サイクル合体機関。
【請求項４６０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｌ）を駆動する各種エネルギ保存サイクル合体機関。
【請求項４６１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｌ）を駆動する各種エネルギ保存サイクル合体機関。
【請求項４６２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｌ）を駆動する各種エネルギ保存サイクル合体機関。
【請求項４６３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｌ）を駆動する各種エネルギ保存サイクル合体機関。
【請求項４６４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｌ）を駆動する各種エネルギ保存サイクル合体機関。
【請求項４６５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｌ）を駆動する各種エネルギ保存サイクル合体機関。
【請求項４６６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｌ）を駆動する各種エネルギ保存サイクル合体機関。
【請求項４６７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｌ）を駆動する各種エネルギ保存サイクル合体機関。
【請求項４６８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｌ）を駆動する各種エネルギ保存サイクル合体機関。
【請求項４６９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｌ）を駆動する各種エネルギ保存サイクル合体機関。
【請求項４７０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｌ）を駆動する各種エネルギ保存サイクル合体機関。
【請求項４７１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｌ）を駆動する各種エネルギ保存サイクル合体機関。
【請求項４７２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｌ）を駆動する各種エネルギ保存サイクル合体機関。
【請求項４７３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｌ）を駆動する各種エネルギ保存サイクル合体機関。
【請求項４７４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｌ）を駆動する各種エネルギ保存サイクル合体機関。
【請求項４７５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｌ）を駆動する各種エネルギ保存サイクル合体機関。
【請求項４７６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｌ）を駆動する各種エネルギ保存サイクル合体機関。
【請求項４７７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｌ）を駆動する各種エネルギ保存サイクル合体機関。
【請求項４７８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｌ）を駆動する各種エネルギ保存サイクル合体機関。
【請求項４７９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｌ）を駆動する各種エネルギ保存サイクル合体機関。
【請求項４８０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｌ）を駆動する各種エネルギ保存サイクル合体機関。
【請求項４８１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｌ）を駆動する各種エネルギ保存サイクル合体機関。
【請求項４８２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｌ）を駆動する各種エネルギ保存サイクル合体機関。
【請求項４８３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｌ）を駆動する各種エネルギ保存サイクル合体機関。
【請求項４８４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｌ）を駆動する各種エネルギ保存サイクル合体機関。
【請求項４８５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｌ）を駆動する各種エネルギ保存サイクル合体機関。
【請求項４８６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｌ）を駆動する各種エネルギ保存サイクル合体機関。
【請求項４８７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｌ）を駆動する各種エネルギ保存サイクル合体機関。
【請求項４８８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｌ）を駆動する各種エネルギ保存サイクル合体機関。
【請求項４８９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｌ）を駆動する各種エネルギ保存サイクル合体機関。
【請求項４９０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｌ）を駆動する各種エネルギ保存サイクル合体機関。
【請求項４９１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｌ）を駆動する各種エネルギ保存サイクル合体機関。
【請求項４９２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｌ）を駆動する各種エネルギ保存サイクル合体機関。
【請求項４９３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｌ）を駆動する各種エネルギ保存サイクル合体機関。
【請求項４９４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｌ）を駆動する各種エネルギ保存サイクル合体機関。
【請求項４９５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｌ）を駆動する各種エネルギ保存サイクル合体機関。
【請求項４９６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｌ）を駆動する各種エネルギ保存サイクル合体機関。
【請求項４９７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｌ）を駆動する各種エネルギ保存サイクル合体機関。
【請求項４９８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｌ）を駆動する各種エネルギ保存サイクル合体機関。
【請求項４９９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｌ）を駆動する各種エネルギ保存サイクル合体機関。
【請求項５００】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｌ）を駆動する各種エネルギ保存サイクル合体機関。
【請求項５０１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｌ）を駆動する各種エネルギ保存サイクル合体機関。
【請求項５０２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｌ）を駆動する各種エネルギ保存サイクル合体機関。
【請求項５０３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｌ）を駆動する各種エネルギ保存サイクル合体機関。
【請求項５０４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｌ）を駆動する各種エネルギ保存サイクル合体機関。
【請求項５０５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｌ）を駆動する各種エネルギ保存サイクル合体機関。
【請求項５０６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｌ）を駆動する各種エネルギ保存サイクル合体機関。
【請求項５０７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｌ）を駆動する各種エネルギ保存サイクル合体機関。
【請求項５０８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｌ）を駆動する各種エネルギ保存サイクル合体機関。
【請求項５０９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｌ）を駆動する各種エネルギ保存サイクル合体機関。
【請求項５１０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｌ）を駆動する各種エネルギ保存サイクル合体機関。
【請求項５１１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｍ）を駆動する各種エネルギ保存サイクル合体機関。
【請求項５１２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｍ）を駆動する各種エネルギ保存サイクル合体機関。
【請求項５１３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｍ）を駆動する各種エネルギ保存サイクル合体機関。
【請求項５１４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｍ）を駆動する各種エネルギ保存サイクル合体機関。
【請求項５１５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｍ）を駆動する各種エネルギ保存サイクル合体機関。
【請求項５１６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｍ）を駆動する各種エネルギ保存サイクル合体機関。
【請求項５１７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｍ）を駆動する各種エネルギ保存サイクル合体機関。
【請求項５１８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｍ）を駆動する各種エネルギ保存サイクル合体機関。
【請求項５１９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｍ）を駆動する各種エネルギ保存サイクル合体機関。
【請求項５２０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｍ）を駆動する各種エネルギ保存サイクル合体機関。
【請求項５２１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｍ）を駆動する各種エネルギ保存サイクル合体機関。
【請求項５２２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｍ）を駆動する各種エネルギ保存サイクル合体機関。
【請求項５２３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｍ）を駆動する各種エネルギ保存サイクル合体機関。
【請求項５２４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｍ）を駆動する各種エネルギ保存サイクル合体機関。
【請求項５２５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｍ）を駆動する各種エネルギ保存サイクル合体機関。
【請求項５２６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｍ）を駆動する各種エネルギ保存サイクル合体機関。
【請求項５２７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｍ）を駆動する各種エネルギ保存サイクル合体機関。
【請求項５２８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｍ）を駆動する各種エネルギ保存サイクル合体機関。
【請求項５２９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｍ）を駆動する各種エネルギ保存サイクル合体機関。
【請求項５３０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｍ）を駆動する各種エネルギ保存サイクル合体機関。
【請求項５３１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｍ）を駆動する各種エネルギ保存サイクル合体機関。
【請求項５３２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｍ）を駆動する各種エネルギ保存サイクル合体機関。
【請求項５３３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｍ）を駆動する各種エネルギ保存サイクル合体機関。
【請求項５３４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｍ）を駆動する各種エネルギ保存サイクル合体機関。
【請求項５３５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｍ）を駆動する各種エネルギ保存サイクル合体機関。
【請求項５３６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｍ）を駆動する各種エネルギ保存サイクル合体機関。
【請求項５３７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｍ）を駆動する各種エネルギ保存サイクル合体機関。
【請求項５３８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｍ）を駆動する各種エネルギ保存サイクル合体機関。
【請求項５３９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｍ）を駆動する各種エネルギ保存サイクル合体機関。
【請求項５４０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｍ）を駆動する各種エネルギ保存サイクル合体機関。
【請求項５４１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｍ）を駆動する各種エネルギ保存サイクル合体機関。
【請求項５４２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｍ）を駆動する各種エネルギ保存サイクル合体機関。
【請求項５４３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｍ）を駆動する各種エネルギ保存サイクル合体機関。
【請求項５４４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｍ）を駆動する各種エネルギ保存サイクル合体機関。
【請求項５４５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｍ）を駆動する各種エネルギ保存サイクル合体機関。
【請求項５４６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｍ）を駆動する各種エネルギ保存サイクル合体機関。
【請求項５４７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｍ）を駆動する各種エネルギ保存サイクル合体機関。
【請求項５４８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｍ）を駆動する各種エネルギ保存サイクル合体機関。
【請求項５４９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｍ）を駆動する各種エネルギ保存サイクル合体機関。
【請求項５５０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｍ）を駆動する各種エネルギ保存サイクル合体機関。
【請求項５５１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｍ）を駆動する各種エネルギ保存サイクル合体機関。
【請求項５５２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｍ）を駆動する各種エネルギ保存サイクル合体機関。
【請求項５５３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｍ）を駆動する各種エネルギ保存サイクル合体機関。
【請求項５５４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｍ）を駆動する各種エネルギ保存サイクル合体機関。
【請求項５５５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｍ）を駆動する各種エネルギ保存サイクル合体機関。
【請求項５５６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｍ）を駆動する各種エネルギ保存サイクル合体機関。
【請求項５５７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｍ）を駆動する各種エネルギ保存サイクル合体機関。
【請求項５５８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｍ）を駆動する各種エネルギ保存サイクル合体機関。
【請求項５５９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｍ）を駆動する各種エネルギ保存サイクル合体機関。
【請求項５６０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｍ）を駆動する各種エネルギ保存サイクル合体機関。
【請求項５６１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｍ）を駆動する各種エネルギ保存サイクル合体機関。
【請求項５６２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｍ）を駆動する各種エネルギ保存サイクル合体機関。
【請求項５６３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｍ）を駆動する各種エネルギ保存サイクル合体機関。
【請求項５６４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｍ）を駆動する各種エネルギ保存サイクル合体機関。
【請求項５６５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｍ）を駆動する各種エネルギ保存サイクル合体機関。
【請求項５６６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｍ）を駆動する各種エネルギ保存サイクル合体機関。
【請求項５６７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｍ）を駆動する各種エネルギ保存サイクル合体機関。
【請求項５６８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｍ）を駆動する各種エネルギ保存サイクル合体機関。
【請求項５６９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｍ）を駆動する各種エネルギ保存サイクル合体機関。
【請求項５７０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｍ）を駆動する各種エネルギ保存サイクル合体機関。
【請求項５７１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｎ）を駆動する各種エネルギ保存サイクル合体機関。
【請求項５７２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｎ）を駆動する各種エネルギ保存サイクル合体機関。
【請求項５７３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｎ）を駆動する各種エネルギ保存サイクル合体機関。
【請求項５７４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｎ）を駆動する各種エネルギ保存サイクル合体機関。
【請求項５７５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｎ）を駆動する各種エネルギ保存サイクル合体機関。
【請求項５７６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｎ）を駆動する各種エネルギ保存サイクル合体機関。
【請求項５７７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｎ）を駆動する各種エネルギ保存サイクル合体機関。
【請求項５７８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｎ）を駆動する各種エネルギ保存サイクル合体機関。
【請求項５７９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｎ）を駆動する各種エネルギ保存サイクル合体機関。
【請求項５８０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｎ）を駆動する各種エネルギ保存サイクル合体機関。
【請求項５８１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｎ）を駆動する各種エネルギ保存サイクル合体機関。
【請求項５８２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｎ）を駆動する各種エネルギ保存サイクル合体機関。
【請求項５８３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｎ）を駆動する各種エネルギ保存サイクル合体機関。
【請求項５８４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｎ）を駆動する各種エネルギ保存サイクル合体機関。
【請求項５８５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｎ）を駆動する各種エネルギ保存サイクル合体機関。
【請求項５８６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｎ）を駆動する各種エネルギ保存サイクル合体機関。
【請求項５８７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｎ）を駆動する各種エネルギ保存サイクル合体機関。
【請求項５８８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｎ）を駆動する各種エネルギ保存サイクル合体機関。
【請求項５８９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｎ）を駆動する各種エネルギ保存サイクル合体機関。
【請求項５９０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｎ）を駆動する各種エネルギ保存サイクル合体機関。
【請求項５９１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｎ）を駆動する各種エネルギ保存サイクル合体機関。
【請求項５９２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｎ）を駆動する各種エネルギ保存サイクル合体機関。
【請求項５９３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｎ）を駆動する各種エネルギ保存サイクル合体機関。
【請求項５９４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｎ）を駆動する各種エネルギ保存サイクル合体機関。
【請求項５９５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｎ）を駆動する各種エネルギ保存サイクル合体機関。
【請求項５９６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｎ）を駆動する各種エネルギ保存サイクル合体機関。
【請求項５９７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｎ）を駆動する各種エネルギ保存サイクル合体機関。
【請求項５９８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｎ）を駆動する各種エネルギ保存サイクル合体機関。
【請求項５９９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｎ）を駆動する各種エネルギ保存サイクル合体機関。
【請求項６００】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｎ）を駆動する各種エネルギ保存サイクル合体機関。
【請求項６０１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｎ）を駆動する各種エネルギ保存サイクル合体機関。
【請求項６０２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｎ）を駆動する各種エネルギ保存サイクル合体機関。
【請求項６０３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｎ）を駆動する各種エネルギ保存サイクル合体機関。
【請求項６０４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｎ）を駆動する各種エネルギ保存サイクル合体機関。
【請求項６０５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｎ）を駆動する各種エネルギ保存サイクル合体機関。
【請求項６０６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｎ）を駆動する各種エネルギ保存サイクル合体機関。
【請求項６０７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｎ）を駆動する各種エネルギ保存サイクル合体機関。
【請求項６０８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｎ）を駆動する各種エネルギ保存サイクル合体機関。
【請求項６０９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｎ）を駆動する各種エネルギ保存サイクル合体機関。
【請求項６１０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｎ）を駆動する各種エネルギ保存サイクル合体機関。
【請求項６１１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｎ）を駆動する各種エネルギ保存サイクル合体機関。
【請求項６１２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｎ）を駆動する各種エネルギ保存サイクル合体機関。
【請求項６１３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｎ）を駆動する各種エネルギ保存サイクル合体機関。
【請求項６１４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｎ）を駆動する各種エネルギ保存サイクル合体機関。
【請求項６１５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｎ）を駆動する各種エネルギ保存サイクル合体機関。
【請求項６１６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｎ）を駆動する各種エネルギ保存サイクル合体機関。
【請求項６１７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｎ）を駆動する各種エネルギ保存サイクル合体機関。
【請求項６１８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｎ）を駆動する各種エネルギ保存サイクル合体機関。
【請求項６１９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｎ）を駆動する各種エネルギ保存サイクル合体機関。
【請求項６２０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｎ）を駆動する各種エネルギ保存サイクル合体機関。
【請求項６２１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｎ）を駆動する各種エネルギ保存サイクル合体機関。
【請求項６２２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｎ）を駆動する各種エネルギ保存サイクル合体機関。
【請求項６２３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｎ）を駆動する各種エネルギ保存サイクル合体機関。
【請求項６２４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｎ）を駆動する各種エネルギ保存サイクル合体機関。
【請求項６２５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｎ）を駆動する各種エネルギ保存サイクル合体機関。
【請求項６２６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｎ）を駆動する各種エネルギ保存サイクル合体機関。
【請求項６２７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｎ）を駆動する各種エネルギ保存サイクル合体機関。
【請求項６２８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｎ）を駆動する各種エネルギ保存サイクル合体機関。
【請求項６２９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｎ）を駆動する各種エネルギ保存サイクル合体機関。
【請求項６３０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｎ）を駆動する各種エネルギ保存サイクル合体機関。
【請求項６３１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生して各種車両を駆動する各種エネルギ保存サイクル合体機関。
【請求項６３２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生して各種車両を駆動する各種エネルギ保存サイクル合体機関。
【請求項６３３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生して各種車両を駆動する各種エネルギ保存サイクル合体機関。
【請求項６３４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生して各種車両を駆動する各種エネルギ保存サイクル合体機関。
【請求項６３５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生して各種車両を駆動する各種エネルギ保存サイクル合体機関。
【請求項６３６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生して各種車両を駆動する各種エネルギ保存サイクル合体機関。
【請求項６３７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生して各種車両を駆動する各種エネルギ保存サイクル合体機関。
【請求項６３８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生して各種車両を駆動する各種エネルギ保存サイクル合体機関。
【請求項６３９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生して各種車両を駆動する各種エネルギ保存サイクル合体機関。
【請求項６４０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生して各種車両を駆動する各種エネルギ保存サイクル合体機関。
【請求項６４１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生して各種車両を駆動する各種エネルギ保存サイクル合体機関。
【請求項６４２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生して各種車両を駆動する各種エネルギ保存サイクル合体機関。
【請求項６４３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生して各種車両を駆動する各種エネルギ保存サイクル合体機関。
【請求項６４４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生して各種車両を駆動する各種エネルギ保存サイクル合体機関。
【請求項６４５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生して各種車両を駆動する各種エネルギ保存サイクル合体機関。
【請求項６４６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生して各種車両を駆動する各種エネルギ保存サイクル合体機関。
【請求項６４７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生して各種車両を駆動する各種エネルギ保存サイクル合体機関。
【請求項６４８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生して各種車両を駆動する各種エネルギ保存サイクル合体機関。
【請求項６４９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生して各種車両を駆動する各種エネルギ保存サイクル合体機関。
【請求項６５０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生して各種車両を駆動する各種エネルギ保存サイクル合体機関。
【請求項６５１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生して各種車両を駆動する各種エネルギ保存サイクル合体機関。
【請求項６５２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生して各種車両を駆動する各種エネルギ保存サイクル合体機関。
【請求項６５３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生して各種車両を駆動する各種エネルギ保存サイクル合体機関。
【請求項６５４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生して各種車両を駆動する各種エネルギ保存サイクル合体機関。
【請求項６５５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生して各種車両を駆動する各種エネルギ保存サイクル合体機関。
【請求項６５６】
エネルキ保存圧縮機（２０Ｆ）を１以上の余圧圧縮機として使用すると共に公知技術により圧縮水として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生して各種車両を駆動する各種エネルギ保存サイクル合体機関。
【請求項６５７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生して各種車両を駆動する各種エネルギ保存サイクル合体機関。
【請求項６５８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生して各種車両を駆動する各種エネルギ保存サイクル合体機関。
【請求項６５９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生して各種車両を駆動する各種エネルギ保存サイクル合体機関。
【請求項６６０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生して各種車両を駆動する各種エネルギ保存サイクル合体機関。
【請求項６６１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生して各種車両を駆動して各種車両を駆動する各種エネルギ保存サイクル合体機関。
【請求項６６２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生して各種車両を駆動する各種エネルギ保存サイクル合体機関。
【請求項６６３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生して各種車両を駆動する各種エネルギ保存サイクル合体機関。
【請求項６６４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生して各種車両を駆動する各種エネルギ保存サイクル合体機関。
【請求項６６５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生して各種車両を駆動する各種エネルギ保存サイクル合体機関。
【請求項６６６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生して各種車両を駆動する各種エネルギ保存サイクル合体機関。
【請求項６６７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生して各種車両を駆動する各種エネルギ保存サイクル合体機関。
【請求項６６８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生して各種車両を駆動する各種エネルギ保存サイクル合体機関。
【請求項６６９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生して各種車両を駆動する各種エネルギ保存サイクル合体機関。
【請求項６７０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生して各種車両を駆動する各種エネルギ保存サイクル合体機関。
【請求項６７１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生して各種車両を駆動する各種エネルギ保存サイクル合体機関。
【請求項６７２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生して各種車両を駆動する各種エネルギ保存サイクル合体機関。
【請求項６７３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生して各種車両を駆動する各種エネルギ保存サイクル合体機関。
【請求項６７４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生して各種車両を駆動する各種エネルギ保存サイクル合体機関。
【請求項６７５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生して各種車両を駆動する各種エネルギ保存サイクル合体機関。
【請求項６７６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生して各種車両を駆動する各種エネルギ保存サイクル合体機関。
【請求項６７７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生して各種車両を駆動する各種エネルギ保存サイクル合体機関。
【請求項６７８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生して各種車両を駆動する各種エネルギ保存サイクル合体機関。
【請求項６７９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生して各種車両を駆動する各種エネルギ保存サイクル合体機関。
【請求項６８０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生して各種車両を駆動する各種エネルギ保存サイクル合体機関。
【請求項６８１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生して各種車両を駆動する各種エネルギ保存サイクル合体機関。
【請求項６８２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生して各種車両を駆動する各種エネルギ保存サイクル合体機関。
【請求項６８３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生して各種車両を駆動する各種エネルギ保存サイクル合体機関。
【請求項６８４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生して各種車両を駆動する各種エネルギ保存サイクル合体機関。
【請求項６８５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生して各種車両を駆動する各種エネルギ保存サイクル合体機関。
【請求項６８６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生して各種車両を駆動する各種エネルギ保存サイクル合体機関。
【請求項６８７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生して各種車両を駆動する各種エネルギ保存サイクル合体機関。
【請求項６８８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生して各種車両を駆動する各種エネルギ保存サイクル合体機関。
【請求項６８９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生して各種車両を駆動する各種エネルギ保存サイクル合体機関。
【請求項６９０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生して各種車両を駆動する各種エネルギ保存サイクル合体機関。
【請求項６９１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生して各種船舶を駆動する各種エネルギ保存サイクル合体機関。
【請求項６９２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生して各種船舶を駆動する各種エネルギ保存サイクル合体機関。
【請求項６９３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生して各種船舶を駆動する各種エネルギ保存サイクル合体機関。
【請求項６９４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生して各種船舶を駆動する各種エネルギ保存サイクル合体機関。
【請求項６９５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生して各種船舶を駆動する各種エネルギ保存サイクル合体機関。
【請求項６９６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生して各種船舶を駆動する各種エネルギ保存サイクル合体機関。
【請求項６９７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生して各種船舶を駆動する各種エネルギ保存サイクル合体機関。
【請求項６９８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生して各種船舶を駆動する各種エネルギ保存サイクル合体機関。
【請求項６９９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生して各種船舶を駆動する各種エネルギ保存サイクル合体機関。
【請求項７００】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生して各種船舶を駆動する各種エネルギ保存サイクル合体機関。
【請求項７０１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生して各種船舶を駆動する各種エネルギ保存サイクル合体機関。
【請求項７０２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生して各種船舶を駆動する各種エネルギ保存サイクル合体機関。
【請求項７０３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生して各種船舶を駆動する各種エネルギ保存サイクル合体機関。
【請求項７０４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生して各種船舶を駆動する各種エネルギ保存サイクル合体機関。
【請求項７０５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生して各種船舶を駆動する各種エネルギ保存サイクル合体機関。
【請求項７０６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生して各種船舶を駆動する各種エネルギ保存サイクル合体機関。
【請求項７０７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生して各種船舶を駆動する各種エネルギ保存サイクル合体機関。
【請求項７０８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生して各種船舶を駆動する各種エネルギ保存サイクル合体機関。
【請求項７０９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生して各種船舶を駆動する各種エネルギ保存サイクル合体機関。
【請求項７１０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生して各種船舶を駆動する各種エネルギ保存サイクル合体機関。
【請求項７１１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生して各種船舶を駆動する各種エネルギ保存サイクル合体機関。
【請求項７１２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生して各種船舶を駆動する各種エネルギ保存サイクル合体機関。
【請求項７１３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生して各種船舶を駆動する各種エネルギ保存サイクル合体機関。
【請求項７１４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生して各種船舶を駆動する各種エネルギ保存サイクル合体機関。
【請求項７１５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生して各種船舶を駆動する各種エネルギ保存サイクル合体機関。
【請求項７１６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生して各種船舶を駆動する各種エネルギ保存サイクル合体機関。
【請求項７１７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生して各種船舶を駆動する各種エネルギ保存サイクル合体機関。
【請求項７１８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生して各種船舶を駆動する各種エネルギ保存サイクル合体機関。
【請求項７１９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生して各種船舶を駆動する各種エネルギ保存サイクル合体機関。
【請求項７２０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生して各種船舶を駆動する各種エネルギ保存サイクル合体機関。
【請求項７２１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生して各種船舶を駆動する各種エネルギ保存サイクル合体機関。
【請求項７２２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生して各種船舶を駆動する各種エネルギ保存サイクル合体機関。
【請求項７２３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生して各種船舶を駆動する各種エネルギ保存サイクル合体機関。
【請求項７２４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生して各種船舶を駆動する各種エネルギ保存サイクル合体機関。
【請求項７２５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生して各種船舶を駆動する各種エネルギ保存サイクル合体機関。
【請求項７２６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生して各種船舶を駆動する各種エネルギ保存サイクル合体機関。
【請求項７２７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生して各種船舶を駆動する各種エネルギ保存サイクル合体機関。
【請求項７２８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生して各種船舶を駆動する各種エネルギ保存サイクル合体機関。
【請求項７２９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生して各種船舶を駆動する各種エネルギ保存サイクル合体機関。
【請求項７３０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生して各種船舶を駆動する各種エネルギ保存サイクル合体機関。
【請求項７３１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生して各種船舶を駆動する各種エネルギ保存サイクル合体機関。
【請求項７３２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生して各種船舶を駆動する各種エネルギ保存サイクル合体機関。
【請求項７３３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生して各種船舶を駆動する各種エネルギ保存サイクル合体機関。
【請求項７３４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生して各種船舶を駆動する各種エネルギ保存サイクル合体機関。
【請求項７３５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生して各種船舶を駆動する各種エネルギ保存サイクル合体機関。
【請求項７３６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生して各種船舶を駆動する各種エネルギ保存サイクル合体機関。
【請求項７３７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生して各種船舶を駆動する各種エネルギ保存サイクル合体機関。
【請求項７３８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生して各種船舶を駆動する各種エネルギ保存サイクル合体機関。
【請求項７３９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生して各種船舶を駆動する各種エネルギ保存サイクル合体機関。
【請求項７４０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生して各種船舶を駆動する各種エネルギ保存サイクル合体機関。
【請求項７４１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生して各種船舶を駆動する各種エネルギ保存サイクル合体機関。
【請求項７４２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生して各種船舶を駆動する各種エネルギ保存サイクル合体機関。
【請求項７４３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生して各種船舶を駆動する各種エネルギ保存サイクル合体機関。
【請求項７４４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生して各種船舶を駆動する各種エネルギ保存サイクル合体機関。
【請求項７４５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生して各種船舶を駆動する各種エネルギ保存サイクル合体機関。
【請求項７４６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生して各種船舶を駆動する各種エネルギ保存サイクル合体機関。
【請求項７４７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生して各種船舶を駆動する各種エネルギ保存サイクル合体機関。
【請求項７４８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生して各種船舶を駆動する各種エネルギ保存サイクル合体機関。
【請求項７４９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生して各種船舶を駆動する各種エネルギ保存サイクル合体機関。
【請求項７５０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生して各種船舶を駆動する各種エネルギ保存サイクル合体機関。
【請求項７５１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生して各種機械類を駆動する各種エネルギ保存サイクル合体機関。
【請求項７５２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生して各種機械類を駆動する各種エネルギ保存サイクル合体機関。
【請求項７５３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生して各種機械類を駆動する各種エネルギ保存サイクル合体機関。
【請求項７５４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生して各種機械類を駆動する各種エネルギ保存サイクル合体機関。
【請求項７５５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生して各種機械類を駆動する各種エネルギ保存サイクル合体機関。
【請求項７５６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生して各種機械類を駆動する各種エネルギ保存サイクル合体機関。
【請求項７５７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生して各種機械類を駆動する各種エネルギ保存サイクル合体機関。
【請求項７５８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生して各種機械類を駆動する各種エネルギ保存サイクル合体機関。
【請求項７５９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生して各種機械類を駆動する各種エネルギ保存サイクル合体機関。
【請求項７６０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して回転出力を発生して各種機械類を駆動する各種エネルギ保存サイクル合体機関。
【請求項７６１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生して各種機械類を駆動する各種エネルギ保存サイクル合体機関。
【請求項７６２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生して各種機械類を駆動する各種エネルギ保存サイクル合体機関。
【請求項７６３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生して各種機械類を駆動する各種エネルギ保存サイクル合体機関。
【請求項７６４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生して各種機械類を駆動する各種エネルギ保存サイクル合体機関。
【請求項７６５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生して各種機械類を駆動する各種エネルギ保存サイクル合体機関。
【請求項７６６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生して各種機械類を駆動する各種エネルギ保存サイクル合体機関。
【請求項７６７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生して各種機械類を駆動する各種エネルギ保存サイクル合体機関。
【請求項７６８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生して各種機械類を駆動する各種エネルギ保存サイクル合体機関。
【請求項７６９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生して各種機械類を駆動する各種エネルギ保存サイクル合体機関。
【請求項７７０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して回転出力を発生して各種機械類を駆動する各種エネルギ保存サイクル合体機関。
【請求項７７１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生して各種機械類を駆動する各種エネルギ保存サイクル合体機関。
【請求項７７２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生して各種機械類を駆動する各種エネルギ保存サイクル合体機関。
【請求項７７３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生して各種機械類を駆動する各種エネルギ保存サイクル合体機関。
【請求項７７４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生して各種機械類を駆動する各種エネルギ保存サイクル合体機関。
【請求項７７５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生して各種機械類を駆動する各種エネルギ保存サイクル合体機関。
【請求項７７６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生して各種機械類を駆動する各種エネルギ保存サイクル合体機関。
【請求項７７７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生して各種機械類を駆動する各種エネルギ保存サイクル合体機関。
【請求項７７８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生して各種機械類を駆動する各種エネルギ保存サイクル合体機関。
【請求項７７９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生して各種機械類を駆動する各種エネルギ保存サイクル合体機関。
【請求項７８０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して回転出力を発生して各種機械類を駆動する各種エネルギ保存サイクル合体機関。
【請求項７８１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生して各種機械類を駆動する各種エネルギ保存サイクル合体機関。
【請求項７８２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生して各種機械類を駆動する各種エネルギ保存サイクル合体機関。
【請求項７８３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生して各種機械類を駆動する各種エネルギ保存サイクル合体機関。
【請求項７８４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生して各種機械類を駆動する各種エネルギ保存サイクル合体機関。
【請求項７８５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生して各種機械類を駆動する各種エネルギ保存サイクル合体機関。
【請求項７８６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生して各種機械類を駆動する各種エネルギ保存サイクル合体機関。
【請求項７８７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生して各種機械類を駆動する各種エネルギ保存サイクル合体機関。
【請求項７８８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生して各種機械類を駆動する各種エネルギ保存サイクル合体機関。
【請求項７８９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生して各種機械類を駆動する各種エネルギ保存サイクル合体機関。
【請求項７９０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して回転出力を発生して各種機械類を駆動する各種エネルギ保存サイクル合体機関。
【請求項７９１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生して各種機械類を駆動する各種エネルギ保存サイクル合体機関。
【請求項７９２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生して各種機械類を駆動する各種エネルギ保存サイクル合体機関。
【請求項７９３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生して各種機械類を駆動する各種エネルギ保存サイクル合体機関。
【請求項７９４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生して各種機械類を駆動する各種エネルギ保存サイクル合体機関。
【請求項７９５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生して各種機械類を駆動する各種エネルギ保存サイクル合体機関。
【請求項７９６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生して各種機械類を駆動する各種エネルギ保存サイクル合体機関。
【請求項７９７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生して各種機械類を駆動する各種エネルギ保存サイクル合体機関。
【請求項７９８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生して各種機械類を駆動する各種エネルギ保存サイクル合体機関。
【請求項７９９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生して各種機械類を駆動する各種エネルギ保存サイクル合体機関。
【請求項８００】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して回転出力を発生して各種機械類を駆動する各種エネルギ保存サイクル合体機関。
【請求項８０１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生して各種機械類を駆動する各種エネルギ保存サイクル合体機関。
【請求項８０２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生して各種機械類を駆動する各種エネルギ保存サイクル合体機関。
【請求項８０３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生して各種機械類を駆動する各種エネルギ保存サイクル合体機関。
【請求項８０４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生して各種機械類を駆動する各種エネルギ保存サイクル合体機関。
【請求項８０５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生して各種機械類を駆動する各種エネルギ保存サイクル合体機関。
【請求項８０６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生して各種機械類を駆動する各種エネルギ保存サイクル合体機関。
【請求項８０７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生して各種機械類を駆動する各種エネルギ保存サイクル合体機関。
【請求項８０８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生して各種機械類を駆動する各種エネルギ保存サイクル合体機関。
【請求項８０９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生して各種機械類を駆動する各種エネルギ保存サイクル合体機関。
【請求項８１０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して回転出力を発生して各種機械類を駆動して各種機械類を駆動する各種エネルギ保存サイクル合体機関。
【請求項８１１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動して各種車両を駆動する各種エネルギ保存サイクル合体機関。
【請求項８１２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動して各種車両を駆動する各種エネルギ保存サイクル合体機関。
【請求項８１３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動して各種車両を駆動する各種エネルギ保存サイクル合体機関。
【請求項８１４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動して各種車両を駆動する各種エネルギ保存サイクル合体機関。
【請求項８１５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動して各種車両を駆動する各種エネルギ保存サイクル合体機関。
【請求項８１６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動して各種車両を駆動する各種エネルギ保存サイクル合体機関。
【請求項８１７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動して各種車両を駆動する各種エネルギ保存サイクル合体機関。
【請求項８１８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動して各種車両を駆動する各種エネルギ保存サイクル合体機関。
【請求項８１９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動して各種車両を駆動する各種エネルギ保存サイクル合体機関。
【請求項８２０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動して各種車両を駆動する各種エネルギ保存サイクル合体機関。
【請求項８２１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動して各種車両を駆動する各種エネルギ保存サイクル合体機関。
【請求項８２２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動して各種車両を駆動する各種エネルギ保存サイクル合体機関。
【請求項８２３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動して各種車両を駆動する各種エネルギ保存サイクル合体機関。
【請求項８２４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動して各種車両を駆動する各種エネルギ保存サイクル合体機関。
【請求項８２５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動して各種車両を駆動する各種エネルギ保存サイクル合体機関。
【請求項８２６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動して各種車両を駆動する各種エネルギ保存サイクル合体機関。
【請求項８２７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動して各種車両を駆動する各種エネルギ保存サイクル合体機関。
【請求項８２８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動して各種車両を駆動する各種エネルギ保存サイクル合体機関。
【請求項８２９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動して各種車両を駆動する各種エネルギ保存サイクル合体機関。
【請求項８３０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動して各種車両を駆動する各種エネルギ保存サイクル合体機関。
【請求項８３１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動して各種車両を駆動する各種エネルギ保存サイクル合体機関。
【請求項８３２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動して各種車両を駆動する各種エネルギ保存サイクル合体機関。
【請求項８３３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動して各種車両を駆動する各種エネルギ保存サイクル合体機関。
【請求項８３４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動して各種車両を駆動する各種エネルギ保存サイクル合体機関。
【請求項８３５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動して各種車両を駆動する各種エネルギ保存サイクル合体機関。
【請求項８３６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動して各種車両を駆動する各種エネルギ保存サイクル合体機関。
【請求項８３７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動して各種車両を駆動する各種エネルギ保存サイクル合体機関。
【請求項８３８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動して各種車両を駆動する各種エネルギ保存サイクル合体機関。
【請求項８３９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動して各種車両を駆動する各種エネルギ保存サイクル合体機関。
【請求項８４０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動して各種車両を駆動する各種エネルギ保存サイクル合体機関。
【請求項８４１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動して各種車両を駆動する各種エネルギ保存サイクル合体機関。
【請求項８４２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動して各種車両を駆動する各種エネルギ保存サイクル合体機関。
【請求項８４３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動して各種車両を駆動する各種エネルギ保存サイクル合体機関。
【請求項８４４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動して各種車両を駆動する各種エネルギ保存サイクル合体機関。
【請求項８４５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動して各種車両を駆動する各種エネルギ保存サイクル合体機関。
【請求項８４６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動して各種車両を駆動する各種エネルギ保存サイクル合体機関。
【請求項８４７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動して各種車両を駆動する各種エネルギ保存サイクル合体機関。
【請求項８４８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動して各種車両を駆動する各種エネルギ保存サイクル合体機関。
【請求項８４９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動して各種車両を駆動する各種エネルギ保存サイクル合体機関。
【請求項８５０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動して各種車両を駆動する各種エネルギ保存サイクル合体機関。
【請求項８５１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動して各種車両を駆動する各種エネルギ保存サイクル合体機関。
【請求項８５２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動して各種車両を駆動する各種エネルギ保存サイクル合体機関。
【請求項８５３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動して各種車両を駆動する各種エネルギ保存サイクル合体機関。
【請求項８５４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動して各種車両を駆動する各種エネルギ保存サイクル合体機関。
【請求項８５５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動して各種車両を駆動する各種エネルギ保存サイクル合体機関。
【請求項８５６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動して各種車両を駆動する各種エネルギ保存サイクル合体機関。
【請求項８５７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動して各種車両を駆動する各種エネルギ保存サイクル合体機関。
【請求項８５８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動して各種車両を駆動する各種エネルギ保存サイクル合体機関。
【請求項８５９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動して各種車両を駆動する各種エネルギ保存サイクル合体機関。
【請求項８６０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動して各種車両を駆動する各種エネルギ保存サイクル合体機関。
【請求項８６１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動して各種車両を駆動する各種エネルギ保存サイクル合体機関。
【請求項８６２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動して各種車両を駆動する各種エネルギ保存サイクル合体機関。
【請求項８６３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動して各種車両を駆動する各種エネルギ保存サイクル合体機関。
【請求項８６４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動して各種車両を駆動する各種エネルギ保存サイクル合体機関。
【請求項８６５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動して各種車両を駆動する各種エネルギ保存サイクル合体機関。
【請求項８６６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動して各種車両を駆動する各種エネルギ保存サイクル合体機関。
【請求項８６７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動して各種車両を駆動する各種エネルギ保存サイクル合体機関。
【請求項８６８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動して各種車両を駆動する各種エネルギ保存サイクル合体機関。
【請求項８６９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動して各種車両を駆動する各種エネルギ保存サイクル合体機関。
【請求項８７０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動して各種車両を駆動する各種エネルギ保存サイクル合体機関。
【請求項８７１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動して各種船舶を駆動する各種エネルギ保存サイクル合体機関。
【請求項８７２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動して各種船舶を駆動する各種エネルギ保存サイクル合体機関。
【請求項８７３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動して各種船舶を駆動する各種エネルギ保存サイクル合体機関。
【請求項８７４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動して各種船舶を駆動する各種エネルギ保存サイクル合体機関。
【請求項８７５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動して各種船舶を駆動する各種エネルギ保存サイクル合体機関。
【請求項８７６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動して各種船舶を駆動する各種エネルギ保存サイクル合体機関。
【請求項８７７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動して各種船舶を駆動する各種エネルギ保存サイクル合体機関。
【請求項８７８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動して各種船舶を駆動する各種エネルギ保存サイクル合体機関。
【請求項８７９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動して各種船舶を駆動する各種エネルギ保存サイクル合体機関。
【請求項８８０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動して各種船舶を駆動する各種エネルギ保存サイクル合体機関。
【請求項８８１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動して各種船舶を駆動する各種エネルギ保存サイクル合体機関。
【請求項８８２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動して各種船舶を駆動する各種エネルギ保存サイクル合体機関。
【請求項８８３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動して各種船舶を駆動する各種エネルギ保存サイクル合体機関。
【請求項８８４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動して各種船舶を駆動する各種エネルギ保存サイクル合体機関。
【請求項８８５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動して各種船舶を駆動する各種エネルギ保存サイクル合体機関。
【請求項８８６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動して各種船舶を駆動する各種エネルギ保存サイクル合体機関。
【請求項８８７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動して各種船舶を駆動する各種エネルギ保存サイクル合体機関。
【請求項８８８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動して各種船舶を駆動する各種エネルギ保存サイクル合体機関。
【請求項８８９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動して各種船舶を駆動する各種エネルギ保存サイクル合体機関。
【請求項８９０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動して各種船舶を駆動する各種エネルギ保存サイクル合体機関。
【請求項８９１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動して各種船舶を駆動する各種エネルギ保存サイクル合体機関。
【請求項８９２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動して各種船舶を駆動する各種エネルギ保存サイクル合体機関。
【請求項８９３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動して各種船舶を駆動する各種エネルギ保存サイクル合体機関。
【請求項８９４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動して各種船舶を駆動する各種エネルギ保存サイクル合体機関。
【請求項８９５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動して各種船舶を駆動する各種エネルギ保存サイクル合体機関。
【請求項８９６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動して各種船舶を駆動する各種エネルギ保存サイクル合体機関。
【請求項８９７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動して各種船舶を駆動する各種エネルギ保存サイクル合体機関。
【請求項８９８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動して各種船舶を駆動する各種エネルギ保存サイクル合体機関。
【請求項８９９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動して各種船舶を駆動する各種エネルギ保存サイクル合体機関。
【請求項９００】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動して各種船舶を駆動する各種エネルギ保存サイクル合体機関。
【請求項９０１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動して各種船舶を駆動する各種エネルギ保存サイクル合体機関。
【請求項９０２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動して各種船舶を駆動する各種エネルギ保存サイクル合体機関。
【請求項９０３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動して各種船舶を駆動する各種エネルギ保存サイクル合体機関。
【請求項９０４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動して各種船舶を駆動する各種エネルギ保存サイクル合体機関。
【請求項９０５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動して各種船舶を駆動する各種エネルギ保存サイクル合体機関。
【請求項９０６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動して各種船舶を駆動する各種エネルギ保存サイクル合体機関。
【請求項９０７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動して各種船舶を駆動する各種エネルギ保存サイクル合体機関。
【請求項９０８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動して各種船舶を駆動する各種エネルギ保存サイクル合体機関。
【請求項９０９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動して各種船舶を駆動する各種エネルギ保存サイクル合体機関。
【請求項９１０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動して各種船舶を駆動する各種エネルギ保存サイクル合体機関。
【請求項９１１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動して各種船舶を駆動する各種エネルギ保存サイクル合体機関。
【請求項９１２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動して各種船舶を駆動する各種エネルギ保存サイクル合体機関。
【請求項９１３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動して各種船舶を駆動する各種エネルギ保存サイクル合体機関。
【請求項９１４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動して各種船舶を駆動する各種エネルギ保存サイクル合体機関。
【請求項９１５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動して各種船舶を駆動する各種エネルギ保存サイクル合体機関。
【請求項９１６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動して各種船舶を駆動する各種エネルギ保存サイクル合体機関。
【請求項９１７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動して各種船舶を駆動する各種エネルギ保存サイクル合体機関。
【請求項９１８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動して各種船舶を駆動する各種エネルギ保存サイクル合体機関。
【請求項９１９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動して各種船舶を駆動する各種エネルギ保存サイクル合体機関。
【請求項９２０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動して各種船舶を駆動する各種エネルギ保存サイクル合体機関。
【請求項９２１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動して各種船舶を駆動する各種エネルギ保存サイクル合体機関。
【請求項９２２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動して各種船舶を駆動する各種エネルギ保存サイクル合体機関。
【請求項９２３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動して各種船舶を駆動する各種エネルギ保存サイクル合体機関。
【請求項９２４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動して各種船舶を駆動する各種エネルギ保存サイクル合体機関。
【請求項９２５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動して各種船舶を駆動する各種エネルギ保存サイクル合体機関。
【請求項９２６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動して各種船舶を駆動する各種エネルギ保存サイクル合体機関。
【請求項９２７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動して各種船舶を駆動する各種エネルギ保存サイクル合体機関。
【請求項９２８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動して各種船舶を駆動する各種エネルギ保存サイクル合体機関。
【請求項９２９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動して各種船舶を駆動する各種エネルギ保存サイクル合体機関。
【請求項９３０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動して各種船舶を駆動する各種エネルギ保存サイクル合体機関。
【請求項９３１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動して各種機械類を駆動する各種エネルギ保存サイクル合体機関。
【請求項９３２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動して各種機械類を駆動する各種エネルギ保存サイクル合体機関。
【請求項９３３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動して各種機械類を駆動する各種エネルギ保存サイクル合体機関。
【請求項９３４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動して各種機械類を駆動する各種エネルギ保存サイクル合体機関。
【請求項９３５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動して各種機械類を駆動する各種エネルギ保存サイクル合体機関。
【請求項９３６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動して各種機械類を駆動する各種エネルギ保存サイクル合体機関。
【請求項９３７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動して各種機械類を駆動する各種エネルギ保存サイクル合体機関。
【請求項９３８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動して各種機械類を駆動する各種エネルギ保存サイクル合体機関。
【請求項９３９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動して各種機械類を駆動する各種エネルギ保存サイクル合体機関。
【請求項９４０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して弾み車タービン（８）（８）を駆動して各種機械類を駆動する各種エネルギ保存サイクル合体機関。
【請求項９４１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動して各種機械類を駆動する各種エネルギ保存サイクル合体機関。
【請求項９４２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動して各種機械類を駆動する各種エネルギ保存サイクル合体機関。
【請求項９４３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動して各種機械類を駆動する各種エネルギ保存サイクル合体機関。
【請求項９４４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動して各種機械類を駆動する各種エネルギ保存サイクル合体機関。
【請求項９４５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動して各種機械類を駆動する各種エネルギ保存サイクル合体機関。
【請求項９４６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動して各種機械類を駆動する各種エネルギ保存サイクル合体機関。
【請求項９４７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動して各種機械類を駆動する各種エネルギ保存サイクル合体機関。
【請求項９４８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動して各種機械類を駆動する各種エネルギ保存サイクル合体機関。
【請求項９４９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動して各種機械類を駆動する各種エネルギ保存サイクル合体機関。
【請求項９５０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して弾み車タービン（８）（８）を駆動して各種機械類を駆動する各種エネルギ保存サイクル合体機関。
【請求項９５１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動して各種機械類を駆動する各種エネルギ保存サイクル合体機関。
【請求項９５２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動して各種機械類を駆動する各種エネルギ保存サイクル合体機関。
【請求項９５３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動して各種機械類を駆動する各種エネルギ保存サイクル合体機関。
【請求項９５４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動して各種機械類を駆動する各種エネルギ保存サイクル合体機関。
【請求項９５５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動して各種機械類を駆動する各種エネルギ保存サイクル合体機関。
【請求項９５６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動して各種機械類を駆動する各種エネルギ保存サイクル合体機関。
【請求項９５７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動して各種機械類を駆動する各種エネルギ保存サイクル合体機関。
【請求項９５８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動して各種機械類を駆動する各種エネルギ保存サイクル合体機関。
【請求項９５９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動して各種機械類を駆動する各種エネルギ保存サイクル合体機関。
【請求項９６０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して弾み車タービン（８）（８）を駆動して各種機械類を駆動する各種エネルギ保存サイクル合体機関。
【請求項９６１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動して各種機械類を駆動する各種エネルギ保存サイクル合体機関。
【請求項９６２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動して各種機械類を駆動する各種エネルギ保存サイクル合体機関。
【請求項９６３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動して各種機械類を駆動する各種エネルギ保存サイクル合体機関。
【請求項９６４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動して各種機械類を駆動する各種エネルギ保存サイクル合体機関。
【請求項９６５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動して各種機械類を駆動する各種エネルギ保存サイクル合体機関。
【請求項９６６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動して各種機械類を駆動する各種エネルギ保存サイクル合体機関。
【請求項９６７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動して各種機械類を駆動する各種エネルギ保存サイクル合体機関。
【請求項９６８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動して各種機械類を駆動する各種エネルギ保存サイクル合体機関。
【請求項９６９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動して各種機械類を駆動する各種エネルギ保存サイクル合体機関。
【請求項９７０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して弾み車タービン（８）（８）を駆動して各種機械類を駆動する各種エネルギ保存サイクル合体機関。
【請求項９７１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動して各種機械類を駆動する各種エネルギ保存サイクル合体機関。
【請求項９７２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動して各種機械類を駆動する各種エネルギ保存サイクル合体機関。
【請求項９７３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動して各種機械類を駆動する各種エネルギ保存サイクル合体機関。
【請求項９７４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動して各種機械類を駆動する各種エネルギ保存サイクル合体機関。
【請求項９７５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動して各種機械類を駆動する各種エネルギ保存サイクル合体機関。
【請求項９７６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動して各種機械類を駆動する各種エネルギ保存サイクル合体機関。
【請求項９７７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動して各種機械類を駆動する各種エネルギ保存サイクル合体機関。
【請求項９７８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動して各種機械類を駆動する各種エネルギ保存サイクル合体機関。
【請求項９７９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動して各種機械類を駆動する各種エネルギ保存サイクル合体機関。
【請求項９８０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して弾み車タービン（８）（８）を駆動して各種機械類を駆動する各種エネルギ保存サイクル合体機関。
【請求項９８１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動して各種機械類を駆動する各種エネルギ保存サイクル合体機関。
【請求項９８２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動して各種機械類を駆動する各種エネルギ保存サイクル合体機関。
【請求項９８３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動して各種機械類を駆動する各種エネルギ保存サイクル合体機関。
【請求項９８４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動して各種機械類を駆動する各種エネルギ保存サイクル合体機関。
【請求項９８５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動して各種機械類を駆動する各種エネルギ保存サイクル合体機関。
【請求項９８６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動して各種機械類を駆動する各種エネルギ保存サイクル合体機関。
【請求項９８７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動して各種機械類を駆動する各種エネルギ保存サイクル合体機関。
【請求項９８８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動して各種機械類を駆動する各種エネルギ保存サイクル合体機関。
【請求項９８９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動して各種機械類を駆動する各種エネルギ保存サイクル合体機関。
【請求項９９０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して弾み車タービン（８）（８）を駆動して各種機械類を駆動する各種エネルギ保存サイクル合体機関。
【請求項９９１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｋ）を駆動して各種飛行機を駆動する各種エネルギ保存サイクル合体機関。
【請求項９９２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｋ）を駆動して各種飛行機を駆動する各種エネルギ保存サイクル合体機関。
【請求項９９３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｋ）を駆動して各種飛行機を駆動する各種エネルギ保存サイクル合体機関。
【請求項９９４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｋ）を駆動して各種飛行機を駆動する各種エネルギ保存サイクル合体機関。
【請求項９９５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｋ）を駆動して各種飛行機を駆動する各種エネルギ保存サイクル合体機関。
【請求項９９６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｋ）を駆動して各種飛行機を駆動する各種エネルギ保存サイクル合体機関。
【請求項９９７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｋ）を駆動して各種飛行機を駆動する各種エネルギ保存サイクル合体機関。
【請求項９９８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｋ）を駆動すして各種飛行機を駆動る各種エネルギ保存サイクル合体機関。
【請求項９９９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｋ）を駆動して各種飛行機を駆動する各種エネルギ保存サイクル合体機関。
【請求項１０００】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｋ）を駆動して各種飛行機を駆動する各種エネルギ保存サイクル合体機関。
【請求項１００１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｋ）を駆動して各種飛行機を駆動する各種エネルギ保存サイクル合体機関。
【請求項１００２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｋ）を駆動して各種飛行機を駆動する各種エネルギ保存サイクル合体機関。
【請求項１００３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｋ）を駆動して各種飛行機を駆動する各種エネルギ保存サイクル合体機関。
【請求項１００４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｋ）を駆動して各種飛行機を駆動する各種エネルギ保存サイクル合体機関。
【請求項１００５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｋ）を駆動して各種飛行機を駆動する各種エネルギ保存サイクル合体機関。
【請求項１００６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｋ）を駆動して各種飛行機を駆動する各種エネルギ保存サイクル合体機関。
【請求項１００７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｋ）を駆動して各種飛行機を駆動する各種エネルギ保存サイクル合体機関。
【請求項１００８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｋ）を駆動して各種飛行機を駆動する各種エネルギ保存サイクル合体機関。
【請求項１００９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｋ）を駆動して各種飛行機を駆動する各種エネルギ保存サイクル合体機関。
【請求項１０１０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｋ）を駆動して各種飛行機を駆動する各種エネルギ保存サイクル合体機関。
【請求項１０１１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｋ）を駆動して各種飛行機を駆動する各種エネルギ保存サイクル合体機関。
【請求項１０１２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｋ）を駆動して各種飛行機を駆動する各種エネルギ保存サイクル合体機関。
【請求項１０１３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｋ）を駆動して各種飛行機を駆動する各種エネルギ保存サイクル合体機関。
【請求項１０１４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｋ）を駆動して各種飛行機を駆動する各種エネルギ保存サイクル合体機関。
【請求項１０１５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｋ）を駆動して各種飛行機を駆動する各種エネルギ保存サイクル合体機関。
【請求項１０１６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｋ）を駆動して各種飛行機を駆動する各種エネルギ保存サイクル合体機関。
【請求項１０１７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｋ）を駆動して各種飛行機を駆動する各種エネルギ保存サイクル合体機関。
【請求項１０１８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｋ）を駆動して各種飛行機を駆動する各種エネルギ保存サイクル合体機関。
【請求項１０１９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｋ）を駆動して各種飛行機を駆動する各種エネルギ保存サイクル合体機関。
【請求項１０２０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｋ）を駆動して各種飛行機を駆動する各種エネルギ保存サイクル合体機関。
【請求項１０２１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｋ）を駆動して各種飛行機を駆動する各種エネルギ保存サイクル合体機関。
【請求項１０２２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｋ）を駆動して各種飛行機を駆動する各種エネルギ保存サイクル合体機関。
【請求項１０２３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｋ）を駆動して各種飛行機を駆動する各種エネルギ保存サイクル合体機関。
【請求項１０２４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｋ）を駆動して各種飛行機を駆動する各種エネルギ保存サイクル合体機関。
【請求項１０２５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｋ）を駆動して各種飛行機を駆動する各種エネルギ保存サイクル合体機関。
【請求項１０２６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｋ）を駆動して各種飛行機を駆動する各種エネルギ保存サイクル合体機関。
【請求項１０２７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｋ）を駆動して各種飛行機を駆動する各種エネルギ保存サイクル合体機関。
【請求項１０２８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｋ）を駆動して各種飛行機を駆動する各種エネルギ保存サイクル合体機関。
【請求項１０２９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｋ）を駆動して各種飛行機を駆動する各種エネルギ保存サイクル合体機関。
【請求項１０３０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｋ）を駆動して各種飛行機を駆動する各種エネルギ保存サイクル合体機関。
【請求項１０３１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｋ）を駆動して各種飛行機を駆動する各種エネルギ保存サイクル合体機関。
【請求項１０３２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｋ）を駆動して各種飛行機を駆動する各種エネルギ保存サイクル合体機関。
【請求項１０３３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｋ）を駆動して各種飛行機を駆動する各種エネルギ保存サイクル合体機関。
【請求項１０３４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｋ）を駆動して各種飛行機を駆動する各種エネルギ保存サイクル合体機関。
【請求項１０３５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｋ）を駆動して各種飛行機を駆動する各種エネルギ保存サイクル合体機関。
【請求項１０３６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｋ）を駆動して各種飛行機を駆動する各種エネルギ保存サイクル合体機関。
【請求項１０３７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｋ）を駆動して各種飛行機を駆動する各種エネルギ保存サイクル合体機関。
【請求項１０３８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｋ）を駆動して各種飛行機を駆動する各種エネルギ保存サイクル合体機関。
【請求項１０３９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｋ）を駆動して各種飛行機を駆動する各種エネルギ保存サイクル合体機関。
【請求項１０４０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｋ）を駆動して各種飛行機を駆動する各種エネルギ保存サイクル合体機関。
【請求項１０４１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｋ）を駆動して各種飛行機を駆動する各種エネルギ保存サイクル合体機関。
【請求項１０４２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｋ）を駆動して各種飛行機を駆動する各種エネルギ保存サイクル合体機関。
【請求項１０４３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｋ）を駆動して各種飛行機を駆動する各種エネルギ保存サイクル合体機関。
【請求項１０４４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｋ）を駆動して各種飛行機を駆動する各種エネルギ保存サイクル合体機関。
【請求項１０４５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｋ）を駆動して各種飛行機を駆動する各種エネルギ保存サイクル合体機関。
【請求項１０４６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｋ）を駆動して各種飛行機を駆動する各種エネルギ保存サイクル合体機関。
【請求項１０４７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｋ）を駆動して各種飛行機を駆動する各種エネルギ保存サイクル合体機関。
【請求項１０４８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｋ）を駆動して各種飛行機を駆動する各種エネルギ保存サイクル合体機関。
【請求項１０４９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｋ）を駆動して各種飛行機を駆動する各種エネルギ保存サイクル合体機関。
【請求項１０５０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｋ）を駆動して各種飛行機を駆動する各種エネルギ保存サイクル合体機関。
【請求項１０５１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｌ）を駆動して各種飛行機を駆動する各種エネルギ保存サイクル合体機関。
【請求項１０５２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｌ）を駆動して各種飛行機を駆動する各種エネルギ保存サイクル合体機関。
【請求項１０５３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｌ）を駆動して各種飛行機を駆動する各種エネルギ保存サイクル合体機関。
【請求項１０５４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｌ）を駆動して各種飛行機を駆動する各種エネルギ保存サイクル合体機関。
【請求項１０５５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｌ）を駆動して各種飛行機を駆動する各種エネルギ保存サイクル合体機関。
【請求項１０５６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｌ）を駆動して各種飛行機を駆動する各種エネルギ保存サイクル合体機関。
【請求項１０５７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｌ）を駆動して各種飛行機を駆動する各種エネルギ保存サイクル合体機関。
【請求項１０５８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｌ）を駆動して各種飛行機を駆動する各種エネルギ保存サイクル合体機関。
【請求項１０５９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｌ）を駆動して各種飛行機を駆動する各種エネルギ保存サイクル合体機関。
【請求項１０６０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射して合体機関噴射部（７７Ｌ）を駆動して各種飛行機を駆動する各種エネルギ保存サイクル合体機関。
【請求項１０６１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｌ）を駆動して各種飛行機を駆動する各種エネルギ保存サイクル合体機関。
【請求項１０６２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｌ）を駆動して各種飛行機を駆動する各種エネルギ保存サイクル合体機関。
【請求項１０６３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｌ）を駆動して各種飛行機を駆動する各種エネルギ保存サイクル合体機関。
【請求項１０６４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｌ）を駆動して各種飛行機を駆動する各種エネルギ保存サイクル合体機関。
【請求項１０６５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｌ）を駆動して各種飛行機を駆動する各種エネルギ保存サイクル合体機関。
【請求項１０６６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｌ）を駆動して各種飛行機を駆動する各種エネルギ保存サイクル合体機関。
【請求項１０６７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｌ）を駆動して各種飛行機を駆動する各種エネルギ保存サイクル合体機関。
【請求項１０６８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｌ）を駆動して各種飛行機を駆動する各種エネルギ保存サイクル合体機関。
【請求項１０６９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｌ）を駆動して各種飛行機を駆動する各種エネルギ保存サイクル合体機関。
【請求項１０７０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射して合体機関噴射部（７７Ｌ）を駆動して各種飛行機を駆動する各種エネルギ保存サイクル合体機関。
【請求項１０７１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｌ）を駆動して各種飛行機を駆動する各種エネルギ保存サイクル合体機関。
【請求項１０７２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｌ）を駆動して各種飛行機を駆動する各種エネルギ保存サイクル合体機関。
【請求項１０７３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｌ）を駆動して各種飛行機を駆動する各種エネルギ保存サイクル合体機関。
【請求項１０７４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｌ）を駆動して各種飛行機を駆動する各種エネルギ保存サイクル合体機関。
【請求項１０７５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｌ）を駆動して各種飛行機を駆動する各種エネルギ保存サイクル合体機関。
【請求項１０７６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｌ）を駆動して各種飛行機を駆動する各種エネルギ保存サイクル合体機関。
【請求項１０７７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｌ）を駆動して各種飛行機を駆動する各種エネルギ保存サイクル合体機関。
【請求項１０７８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｌ）を駆動して各種飛行機を駆動する各種エネルギ保存サイクル合体機関。
【請求項１０７９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｌ）を駆動して各種飛行機を駆動する各種エネルギ保存サイクル合体機関。
【請求項１０８０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射して合体機関噴射部（７７Ｌ）を駆動して各種飛行機を駆動する各種エネルギ保存サイクル合体機関。
【請求項１０８１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｌ）を駆動して各種飛行機を駆動する各種エネルギ保存サイクル合体機関。
【請求項１０８２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｌ）を駆動して各種飛行機を駆動する各種エネルギ保存サイクル合体機関。
【請求項１０８３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｌ）を駆動して各種飛行機を駆動する各種エネルギ保存サイクル合体機関。
【請求項１０８４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｌ）を駆動して各種飛行機を駆動する各種エネルギ保存サイクル合体機関。
【請求項１０８５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｌ）を駆動して各種飛行機を駆動する各種エネルギ保存サイクル合体機関。
【請求項１０８６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｌ）を駆動して各種飛行機を駆動する各種エネルギ保存サイクル合体機関。
【請求項１０８７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｌ）を駆動して各種飛行機を駆動する各種エネルギ保存サイクル合体機関。
【請求項１０８８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｌ）を駆動して各種飛行機を駆動する各種エネルギ保存サイクル合体機関。
【請求項１０８９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｌ）を駆動して各種飛行機を駆動する各種エネルギ保存サイクル合体機関。
【請求項１０９０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射して合体機関噴射部（７７Ｌ）を駆動して各種飛行機を駆動する各種エネルギ保存サイクル合体機関。
【請求項１０９１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｌ）を駆動して各種飛行機を駆動する各種エネルギ保存サイクル合体機関。
【請求項１０９２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｌ）を駆動して各種飛行機を駆動する各種エネルギ保存サイクル合体機関。
【請求項１０９３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｌ）を駆動して各種飛行機を駆動する各種エネルギ保存サイクル合体機関。
【請求項１０９４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｌ）を駆動して各種飛行機を駆動する各種エネルギ保存サイクル合体機関。
【請求項１０９５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｌ）を駆動して各種飛行機を駆動する各種エネルギ保存サイクル合体機関。
【請求項１０９６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｌ）を駆動して各種飛行機を駆動する各種エネルギ保存サイクル合体機関。
【請求項１０９７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｌ）を駆動して各種飛行機を駆動する各種エネルギ保存サイクル合体機関。
【請求項１０９８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｌ）を駆動して各種飛行機を駆動する各種エネルギ保存サイクル合体機関。
【請求項１０９９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｌ）を駆動して各種飛行機を駆動する各種エネルギ保存サイクル合体機関。
【請求項１１００】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射して合体機関噴射部（７７Ｌ）を駆動して各種飛行機を駆動する各種エネルギ保存サイクル合体機関。
【請求項１１０１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｌ）を駆動して各種飛行機を駆動する各種エネルギ保存サイクル合体機関。
【請求項１１０２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｌ）を駆動して各種飛行機を駆動する各種エネルギ保存サイクル合体機関。
【請求項１１０３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｌ）を駆動して各種飛行機を駆動する各種エネルギ保存サイクル合体機関。
【請求項１１０４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｌ）を駆動して各種飛行機を駆動する各種エネルギ保存サイクル合体機関。
【請求項１１０５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｌ）を駆動して各種飛行機を駆動する各種エネルギ保存サイクル合体機関。
【請求項１１０６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｌ）を駆動して各種飛行機を駆動する各種エネルギ保存サイクル合体機関。
【請求項１１０７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｌ）を駆動して各種飛行機を駆動する各種エネルギ保存サイクル合体機関。
【請求項１１０８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｌ）を駆動して各種飛行機を駆動する各種エネルギ保存サイクル合体機関。
【請求項１１０９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｌ）を駆動して各種飛行機を駆動する各種エネルギ保存サイクル合体機関。
【請求項１１１０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射して合体機関噴射部（７７Ｌ）を駆動して各種飛行機を駆動する各種エネルギ保存サイクル合体機関。
【請求項１１１１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｍ）を駆動して各種船舶を駆動する各種エネルギ保存サイクル合体機関。
【請求項１１１２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｍ）を駆動して各種船舶を駆動する各種エネルギ保存サイクル合体機関。
【請求項１１１３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｍ）を駆動して各種船舶を駆動する各種エネルギ保存サイクル合体機関。
【請求項１１１４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｍ）を駆動して各種船舶を駆動する各種エネルギ保存サイクル合体機関。
【請求項１１１５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｍ）を駆動して各種船舶を駆動する各種エネルギ保存サイクル合体機関。
【請求項１１１６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｍ）を駆動して各種船舶を駆動する各種エネルギ保存サイクル合体機関。
【請求項１１１７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｍ）を駆動して各種船舶を駆動する各種エネルギ保存サイクル合体機関。
【請求項１１１８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｍ）を駆動して各種船舶を駆動する各種エネルギ保存サイクル合体機関。
【請求項１１１９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｍ）を駆動して各種船舶を駆動する各種エネルギ保存サイクル合体機関。
【請求項１１２０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｍ）を駆動して各種船舶を駆動する各種エネルギ保存サイクル合体機関。
【請求項１１２１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｍ）を駆動して各種船舶を駆動する各種エネルギ保存サイクル合体機関。
【請求項１１２２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｍ）を駆動して各種船舶を駆動する各種エネルギ保存サイクル合体機関。
【請求項１１２３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｍ）を駆動して各種船舶を駆動する各種エネルギ保存サイクル合体機関。
【請求項１１２４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｍ）を駆動して各種船舶を駆動する各種エネルギ保存サイクル合体機関。
【請求項１１２５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｍ）を駆動して各種船舶を駆動する各種エネルギ保存サイクル合体機関。
【請求項１１２６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｍ）を駆動して各種船舶を駆動する各種エネルギ保存サイクル合体機関。
【請求項１１２７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｍ）を駆動して各種船舶を駆動する各種エネルギ保存サイクル合体機関。
【請求項１１２８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｍ）を駆動して各種船舶を駆動する各種エネルギ保存サイクル合体機関。
【請求項１１２９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｍ）を駆動して各種船舶を駆動する各種エネルギ保存サイクル合体機関。
【請求項１１３０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｍ）を駆動して各種船舶を駆動する各種エネルギ保存サイクル合体機関。
【請求項１１３１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｍ）を駆動して各種船舶を駆動する各種エネルギ保存サイクル合体機関。
【請求項１１３２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｍ）を駆動して各種船舶を駆動する各種エネルギ保存サイクル合体機関。
【請求項１１３３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｍ）を駆動して各種船舶を駆動する各種エネルギ保存サイクル合体機関。
【請求項１１３４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｍ）を駆動して各種船舶を駆動する各種エネルギ保存サイクル合体機関。
【請求項１１３５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｍ）を駆動して各種船舶を駆動する各種エネルギ保存サイクル合体機関。
【請求項１１３６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｍ）を駆動して各種船舶を駆動する各種エネルギ保存サイクル合体機関。
【請求項１１３７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｍ）を駆動して各種船舶を駆動する各種エネルギ保存サイクル合体機関。
【請求項１１３８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｍ）を駆動して各種船舶を駆動する各種エネルギ保存サイクル合体機関。
【請求項１１３９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｍ）を駆動して各種船舶を駆動する各種エネルギ保存サイクル合体機関。
【請求項１１４０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｍ）を駆動して各種船舶を駆動する各種エネルギ保存サイクル合体機関。
【請求項１１４１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｍ）を駆動して各種船舶を駆動する各種エネルギ保存サイクル合体機関。
【請求項１１４２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｍ）を駆動して各種船舶を駆動する各種エネルギ保存サイクル合体機関。
【請求項１１４３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｍ）を駆動して各種船舶を駆動する各種エネルギ保存サイクル合体機関。
【請求項１１４４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｍ）を駆動して各種船舶を駆動する各種エネルギ保存サイクル合体機関。
【請求項１１４５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｍ）を駆動して各種船舶を駆動する各種エネルギ保存サイクル合体機関。
【請求項１１４６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｍ）を駆動して各種船舶を駆動する各種エネルギ保存サイクル合体機関。
【請求項１１４７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｍ）を駆動して各種船舶を駆動する各種エネルギ保存サイクル合体機関。
【請求項１１４８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｍ）を駆動して各種船舶を駆動する各種エネルギ保存サイクル合体機関。
【請求項１１４９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｍ）を駆動して各種船舶を駆動する各種エネルギ保存サイクル合体機関。
【請求項１１５０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｍ）を駆動して各種船舶を駆動する各種エネルギ保存サイクル合体機関。
【請求項１１５１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｍ）を駆動して各種船舶を駆動する各種エネルギ保存サイクル合体機関。
【請求項１１５２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｍ）を駆動して各種船舶を駆動する各種エネルギ保存サイクル合体機関。
【請求項１１５３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｍ）を駆動して各種船舶を駆動する各種エネルギ保存サイクル合体機関。
【請求項１１５４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｍ）を駆動して各種船舶を駆動する各種エネルギ保存サイクル合体機関。
【請求項１１５５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｍ）を駆動して各種船舶を駆動する各種エネルギ保存サイクル合体機関。
【請求項１１５６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｍ）を駆動して各種船舶を駆動する各種エネルギ保存サイクル合体機関。
【請求項１１５７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｍ）を駆動して各種船舶を駆動する各種エネルギ保存サイクル合体機関。
【請求項１１５８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｍ）を駆動して各種船舶を駆動する各種エネルギ保存サイクル合体機関。
【請求項１１５９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｍ）を駆動して各種船舶を駆動する各種エネルギ保存サイクル合体機関。
【請求項１１６０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｍ）を駆動して各種船舶を駆動する各種エネルギ保存サイクル合体機関。
【請求項１１６１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｍ）を駆動して各種船舶を駆動する各種エネルギ保存サイクル合体機関。
【請求項１１６２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｍ）を駆動して各種船舶を駆動する各種エネルギ保存サイクル合体機関。
【請求項１１６３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｍ）を駆動して各種船舶を駆動する各種エネルギ保存サイクル合体機関。
【請求項１１６４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｍ）を駆動して各種船舶を駆動する各種エネルギ保存サイクル合体機関。
【請求項１１６５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｍ）を駆動して各種船舶を駆動する各種エネルギ保存サイクル合体機関。
【請求項１１６６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｍ）を駆動して各種船舶を駆動する各種エネルギ保存サイクル合体機関。
【請求項１１６７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｍ）を駆動して各種船舶を駆動する各種エネルギ保存サイクル合体機関。
【請求項１１６８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｍ）を駆動して各種船舶を駆動する各種エネルギ保存サイクル合体機関。
【請求項１１６９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｍ）を駆動して各種船舶を駆動する各種エネルギ保存サイクル合体機関。
【請求項１１７０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｍ）を駆動して各種船舶を駆動する各種エネルギ保存サイクル合体機関。
【請求項１１７１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｎ）を駆動して各種船舶を駆動する各種エネルギ保存サイクル合体機関。
【請求項１１７２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｎ）を駆動して各種船舶を駆動する各種エネルギ保存サイクル合体機関。
【請求項１１７３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｎ）を駆動して各種船舶を駆動する各種エネルギ保存サイクル合体機関。
【請求項１１７４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｎ）を駆動して各種船舶を駆動する各種エネルギ保存サイクル合体機関。
【請求項１１７５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｎ）を駆動して各種船舶を駆動する各種エネルギ保存サイクル合体機関。
【請求項１１７６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｎ）を駆動して各種船舶を駆動する各種エネルギ保存サイクル合体機関。
【請求項１１７７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｎ）を駆動して各種船舶を駆動する各種エネルギ保存サイクル合体機関。
【請求項１１７８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｎ）を駆動して各種船舶を駆動する各種エネルギ保存サイクル合体機関。
【請求項１１７９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｎ）を駆動して各種船舶を駆動する各種エネルギ保存サイクル合体機関。
【請求項１１８０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｈ）より噴射してウォータージェット（７７Ｎ）を駆動して各種船舶を駆動する各種エネルギ保存サイクル合体機関。
【請求項１１８１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｎ）を駆動して各種船舶を駆動する各種エネルギ保存サイクル合体機関。
【請求項１１８２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｎ）を駆動して各種船舶を駆動する各種エネルギ保存サイクル合体機関。
【請求項１１８３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｎ）を駆動して各種船舶を駆動する各種エネルギ保存サイクル合体機関。
【請求項１１８４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｎ）を駆動して各種船舶を駆動する各種エネルギ保存サイクル合体機関。
【請求項１１８５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｎ）を駆動して各種船舶を駆動する各種エネルギ保存サイクル合体機関。
【請求項１１８６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｎ）を駆動して各種船舶を駆動する各種エネルギ保存サイクル合体機関。
【請求項１１８７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｎ）を駆動して各種船舶を駆動する各種エネルギ保存サイクル合体機関。
【請求項１１８８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｎ）を駆動して各種船舶を駆動する各種エネルギ保存サイクル合体機関。
【請求項１１８９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｎ）を駆動して各種船舶を駆動する各種エネルギ保存サイクル合体機関。
【請求項１１９０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｈ）より噴射してウォータージェット（７７Ｎ）を駆動して各種船舶を駆動する各種エネルギ保存サイクル合体機関。
【請求項１１９１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｎ）を駆動して各種船舶を駆動する各種エネルギ保存サイクル合体機関。
【請求項１１９２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｎ）を駆動して各種船舶を駆動する各種エネルギ保存サイクル合体機関。
【請求項１１９３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｎ）を駆動して各種船舶を駆動する各種エネルギ保存サイクル合体機関。
【請求項１１９４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｎ）を駆動して各種船舶を駆動する各種エネルギ保存サイクル合体機関。
【請求項１１９５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｎ）を駆動して各種船舶を駆動する各種エネルギ保存サイクル合体機関。
【請求項１１９６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｎ）を駆動して各種船舶を駆動する各種エネルギ保存サイクル合体機関。
【請求項１１９７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｎ）を駆動して各種船舶を駆動する各種エネルギ保存サイクル合体機関。
【請求項１１９８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｎ）を駆動して各種船舶を駆動する各種エネルギ保存サイクル合体機関。
【請求項１１９９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｎ）を駆動して各種船舶を駆動する各種エネルギ保存サイクル合体機関。
【請求項１２００】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｈ）より噴射してウォータージェット（７７Ｎ）を駆動して各種船舶を駆動する各種エネルギ保存サイクル合体機関。
【請求項１２０１】
エネルキ保存圧縮機（２０Ａ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｎ）を駆動して各種船舶を駆動する各種エネルギ保存サイクル合体機関。
【請求項１２０２】
エネルキ保存圧縮機（２０Ｂ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｎ）を駆動して各種船舶を駆動する各種エネルギ保存サイクル合体機関。
【請求項１２０３】
エネルキ保存圧縮機（２０Ｃ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｎ）を駆動して各種船舶を駆動する各種エネルギ保存サイクル合体機関。
【請求項１２０４】
エネルキ保存圧縮機（２０Ｄ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｎ）を駆動して各種船舶を駆動する各種エネルギ保存サイクル合体機関。
【請求項１２０５】
エネルキ保存圧縮機（２０Ｅ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｎ）を駆動して各種船舶を駆動する各種エネルギ保存サイクル合体機関。
【請求項１２０６】
エネルキ保存圧縮機（２０Ｆ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｎ）を駆動して各種船舶を駆動する各種エネルギ保存サイクル合体機関。
【請求項１２０７】
エネルキ保存圧縮機（２０Ｇ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｎ）を駆動して各種船舶を駆動する各種エネルギ保存サイクル合体機関。
【請求項１２０８】
エネルキ保存圧縮機（２０Ｈ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｎ）を駆動して各種船舶を駆動する各種エネルギ保存サイクル合体機関。
【請求項１２０９】
全動翼圧縮機（２０Ｊ）を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｎ）を駆動して各種船舶を駆動する各種エネルギ保存サイクル合体機関。
【請求項１２１０】
公知の圧縮機を１以上の余圧圧縮機として使用すると共に公知技術により圧縮水として使用して過熱蒸気爆発力＋燃焼ガス爆発力に分割して過熱蒸気燃焼ガス噴射ノズル（６Ｘ）より噴射してウォータージェット（７７Ｎ）を駆動して各種船舶を駆動する各種エネルギ保存サイクル合体機関。
【請求項１２１１】
エネルキ保存圧縮機（２０Ａ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｎ）を駆動して各種船舶を駆動する各種エネルギ保存サイクル合体機関。
【請求項１２１２】
エネルキ保存圧縮機（２０Ｂ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｎ）を駆動して各種船舶を駆動する各種エネルギ保存サイクル合体機関。
【請求項１２１３】
エネルキ保存圧縮機（２０Ｃ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｎ）を駆動して各種船舶を駆動する各種エネルギ保存サイクル合体機関。
【請求項１２１４】
エネルキ保存圧縮機（２０Ｄ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｎ）を駆動して各種船舶を駆動する各種エネルギ保存サイクル合体機関。
【請求項１２１５】
エネルキ保存圧縮機（２０Ｅ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｎ）を駆動して各種船舶を駆動する各種エネルギ保存サイクル合体機関。
【請求項１２１６】
エネルキ保存圧縮機（２０Ｆ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｎ）を駆動して各種船舶を駆動する各種エネルギ保存サイクル合体機関。
【請求項１２１７】
エネルキ保存圧縮機（２０Ｇ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｎ）を駆動して各種船舶を駆動する各種エネルギ保存サイクル合体機関。
【請求項１２１８】
エネルキ保存圧縮機（２０Ｈ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｎ）を駆動して各種船舶を駆動する各種エネルギ保存サイクル合体機関。
【請求項１２１９】
全動翼圧縮機（２０Ｊ）を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｎ）を駆動して各種船舶を駆動する各種エネルギ保存サイクル合体機関。
【請求項１２２０】
公知の圧縮機を１以上の余圧圧縮機として使用すると共に公知技術により圧縮水として使用して２００ＭＰａ以下の過熱蒸気爆発力＋１００ＭＰａ以下の燃焼ガス爆発力に分割して過熱蒸気燃焼ガス噴射ノズル（６Ｘ）より噴射してウォータージェット（７７Ｎ）を駆動して各種船舶を駆動する各種エネルギ保存サイクル合体機関。
【請求項１２２１】
エネルキ保存圧縮機（２０Ａ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｎ）を駆動して各種船舶を駆動する各種エネルギ保存サイクル合体機関。
【請求項１２２２】
エネルキ保存圧縮機（２０Ｂ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｎ）を駆動して各種船舶を駆動する各種エネルギ保存サイクル合体機関。
【請求項１２２３】
エネルキ保存圧縮機（２０Ｃ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｎ）を駆動して各種船舶を駆動する各種エネルギ保存サイクル合体機関。
【請求項１２２４】
エネルキ保存圧縮機（２０Ｄ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｎ）を駆動して各種船舶を駆動する各種エネルギ保存サイクル合体機関。
【請求項１２２５】
エネルキ保存圧縮機（２０Ｅ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｎ）を駆動して各種船舶を駆動する各種エネルギ保存サイクル合体機関。
【請求項１２２６】
エネルキ保存圧縮機（２０Ｆ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｎ）を駆動して各種船舶を駆動する各種エネルギ保存サイクル合体機関。
【請求項１２２７】
エネルキ保存圧縮機（２０Ｇ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｎ）を駆動して各種船舶を駆動する各種エネルギ保存サイクル合体機関。
【請求項１２２８】
エネルキ保存圧縮機（２０Ｈ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｎ）を駆動して各種船舶を駆動する各種エネルギ保存サイクル合体機関。
【請求項１２２９】
全動翼圧縮機（２０Ｊ）を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｎ）を駆動して各種船舶を駆動する各種エネルギ保存サイクル合体機関。
【請求項１２３０】
公知の圧縮機を１以上の余圧圧縮機として使用すると共に公知技術により圧縮水として使用して２００ＭＰａ以上の過熱蒸気爆発力＋１００ＭＰａ以上の燃焼ガス爆発力に分割して過熱蒸気燃焼ガス噴射ノズル（６Ｘ）より噴射してウォータージェット（７７Ｎ）を駆動して各種船舶を駆動する各種エネルギ保存サイクル合体機関。
【請求項１２３１】
内部をＮ極に磁化したタービン用過熱蒸気燃焼ガス噴射ノズル（６Ｈ）に筒型過熱蒸気溜（９５ｃ）を具備して過熱蒸気噴射量を制御する各種エネルギ保存サイクル合体機関。
【請求項１２３２】
内部をＮ極に磁化したタービン用過熱蒸気燃焼ガス噴射ノズル（６Ｘ）に筒型過熱蒸気溜（９５ｃ）を具備して過熱蒸気噴射量を制御する各種エネルギ保存サイクル合体機関。
【請求項１２３３】
内部をＮ極に磁化したタービン用過熱蒸気燃焼ガス噴射ノズル（６Ｈ）に筒型燃焼ガス溜（９５ａ）を具備して燃焼ガス噴射量を制御する各種エネルギ保存サイクル合体機関。
【請求項１２３４】
内部をＮ極に磁化したタービン用過熱蒸気燃焼ガス噴射ノズル（６Ｘ）に筒型燃焼ガス溜（９５ａ）を具備して燃焼ガス噴射量を制御する各種エネルギ保存サイクル合体機関。
【請求項１２３５】
内部をＮ極に磁化した空気噴射用過熱蒸気燃焼ガス噴射ノズル（６Ｈ）に流線型過熱蒸気溜（９５ｃ）を具備して過熱蒸気噴射量を制御する各種エネルギ保存サイクル合体機関。
【請求項１２３６】
内部をＮ極に磁化した空気噴射用過熱蒸気燃焼ガス噴射ノズル（６Ｘ）に流線型過熱蒸気溜（９５ｃ）を具備して過熱蒸気噴射量を制御する各種エネルギ保存サイクル合体機関。
【請求項１２３７】
内部をＮ極に磁化した空気噴射用過熱蒸気燃焼ガス噴射ノズル（６Ｈ）に流線型燃焼ガス溜（９５ａ）を具備して燃焼ガス噴射量を制御する各種エネルギ保存サイクル合体機関。
【請求項１２３８】
内部をＮ極に磁化した空気噴射用過熱蒸気燃焼ガス噴射ノズル（６Ｘ）に流線型燃焼ガス溜（９５ａ）を具備して燃焼ガス噴射量を制御する各種エネルギ保存サイクル合体機関。
【請求項１２３９】
内部をＮ極に磁化した水噴射用過熱蒸気燃焼ガス噴射ノズル（６Ｈ）に流線型過熱蒸気溜（９５ｃ）を具備して過熱蒸気噴射量を制御する各種エネルギ保存サイクル合体機関。
【請求項１２４０】
内部をＮ極に磁化した水噴射用過熱蒸気燃焼ガス噴射ノズル（６Ｘ）に流線型過熱蒸気溜（９５ｃ）を具備して過熱蒸気噴射量を制御する各種エネルギ保存サイクル合体機関。
【請求項１２４１】
内部をＮ極に磁化した水噴射用過熱蒸気燃焼ガス噴射ノズル（６Ｈ）に流線型燃焼ガス溜（９５ａ）を具備して燃焼ガス噴射量を制御する各種エネルギ保存サイクル合体機関。
【請求項１２４２】
内部をＮ極に磁化した水噴射用過熱蒸気燃焼ガス噴射ノズル（６Ｘ）に流線型燃焼ガス溜（９５ａ）を具備して燃焼ガス噴射量を制御する各種エネルギ保存サイクル合体機関。
【請求項１２４３】
内部をＮ極に磁化したタービン用過熱蒸気燃焼ガス噴射ノズル（６Ｈ）に筒型過熱蒸気溜（９５ｃ）を具備して過熱蒸気噴射量を制御する１以上のノズル（６）より噴射して１以上の複雑帯状高温水溜（９５）の１以上の水噴射ノズル（６Ｅ）の高温水（５２ｂ）を混合噴射加速する各種エネルギ保存サイクル合体機関。
【請求項１２４４】
内部をＮ極に磁化したタービン用過熱蒸気燃焼ガス噴射ノズル（６Ｘ）に筒型過熱蒸気溜（９５ｃ）を具備して過熱蒸気噴射量を制御する１以上のノズル（６）より噴射して１以上の複雑帯状高温水溜（９５）の１以上の水噴射ノズル（６Ｅ）の高温水（５２ｂ）を混合噴射加速する各種エネルギ保存サイクル合体機関。
【請求項１２４５】
内部をＮ極に磁化したタービン用過熱蒸気燃焼ガス噴射ノズル（６Ｈ）に筒型過熱蒸気溜（９５ｃ）を具備して過熱蒸気噴射量を制御する１以上のノズル（６）より噴射して複雑帯状の燃焼ガス溜（９５ａ）の燃焼ガス（４９）爆発力により過熱蒸気含有水を混合噴射加速する各種エネルギ保存サイクル合体機関。
【請求項１２４６】
内部をＮ極に磁化したタービン用過熱蒸気燃焼ガス噴射ノズル（６Ｘ）に筒型過熱蒸気溜（９５ｃ）を具備して過熱蒸気噴射量を制御する１以上のノズル（６）より噴射して複雑帯状の燃焼ガス溜（９５ａ）の燃焼ガス（４９）爆発力により過熱蒸気含有水を混合噴射加速する各種エネルギ保存サイクル合体機関。
【請求項１２４７】
内部をＮ極に磁化したタービン用過熱蒸気燃焼ガス噴射ノズル（６Ｈ）に筒型燃焼ガス溜（９５ａ）を具備して燃焼ガス噴射量を制御する１以上のノズル（６）より噴射して１以上の複雑帯状水溜（９５ｂ）の１以上の水噴射ノズル（６Ｅ）の水（５２ｂ）を混合噴射加速する各種エネルギ保存サイクル合体機関。
【請求項１２４８】
内部をＮ極に磁化したタービン用過熱蒸気燃焼ガス噴射ノズル（６Ｘ）に筒型燃焼ガス溜（９５ａ）を具備して燃焼ガス噴射量を制御する１以上のノズル（６）より噴射して１以上の複雑帯状水溜（９５ｂ）の１以上の水噴射ノズル（６Ｅ）の水（５２ｂ）を混合噴射加速する各種エネルギ保存サイクル合体機関。
【請求項１２４９】
内部をＮ極に磁化したタービン用過熱蒸気燃焼ガス噴射ノズル（６Ｈ）に筒型燃焼ガス溜（９５ａ）を具備して燃焼ガス噴射量を制御する１以上のノズル（６）より噴射して１以上の複雑帯状水溜（９５ｂ）の１以上の冷水噴射ノズル（６Ｇ）の冷水（５２ｈ）を混合噴射加速する各種エネルギ保存サイクル合体機関。
【請求項１２５０】
内部をＮ極に磁化したタービン用過熱蒸気燃焼ガス噴射ノズル（６Ｘ）に筒型燃焼ガス溜（９５ａ）を具備して燃焼ガス噴射量を制御する１以上のノズル（６）より噴射して１以上の複雑帯状水溜（９５ｂ）の１以上の冷水噴射ノズル（６Ｇ）の冷水（５２ｈ）を混合噴射加速する各種エネルギ保存サイクル合体機関。
【請求項１２５１】
内部をＮ極に磁化した空気噴射用過熱蒸気燃焼ガス噴射ノズル（６Ｈ）に流線型過熱蒸気溜（９５ｃ）を具備して過熱蒸気噴射量を制御する１以上のノズル（６）より噴射して１以上の帯状水溜（９５ｂ）の１以上の水噴射ノズル（６Ｅ）の水（５２ａ）を混合噴射加速する各種エネルギ保存サイクル合体機関。
【請求項１２５２】
内部をＮ極に磁化した空気噴射用過熱蒸気燃焼ガス噴射ノズル（６Ｘ）に流線型過熱蒸気溜（９５ｃ）を具備して過熱蒸気噴射量を制御する１以上のノズル（６）より噴射して１以上の帯状水溜（９５ｂ）の１以上の水噴射ノズル（６Ｅ）の水（５２ａ）を混合噴射加速する各種エネルギ保存サイクル合体機関。
【請求項１２５３】
内部をＮ極に磁化した空気噴射用過熱蒸気燃焼ガス噴射ノズル（６Ｈ）に流線型過熱蒸気溜（９５ｃ）を具備して過熱蒸気噴射量を制御する１以上のノズル（６）より噴射して帯状の燃焼ガス溜（９５ａ）の燃焼ガス（４９）爆発力により過熱蒸気含有水を混合噴射加速する各種エネルギ保存サイクル合体機関。
【請求項１２５４】
内部をＮ極に磁化した空気噴射用過熱蒸気燃焼ガス噴射ノズル（６Ｘ）に流線型過熱蒸気溜（９５ｃ）を具備して過熱蒸気噴射量を制御する１以上のノズル（６）より噴射して帯状の燃焼ガス溜（９５ａ）の燃焼ガス（４９）爆発力により過熱蒸気含有水を混合噴射加速する各種エネルギ保存サイクル合体機関。
【請求項１２５５】
内部をＮ極に磁化した空気噴射用過熱蒸気燃焼ガス噴射ノズル（６Ｈ）に流線型燃焼ガス溜（９５ａ）を具備して燃焼ガス噴射量を制御する１以上のノズル（６）より噴射して１以上の複雑帯状水溜（９５ｂ）の１以上の水噴射ノズル（６Ｅ）の水（５２ｂ）を混合噴射加速する各種エネルギ保存サイクル合体機関。
【請求項１２５６】
内部をＮ極に磁化した空気噴射用過熱蒸気燃焼ガス噴射ノズル（６Ｘ）に流線型燃焼ガス溜（９５ａ）を具備して燃焼ガス噴射量を制御する１以上のノズル（６）より噴射して１以上の複雑帯状水溜（９５ｂ）の１以上の水噴射ノズル（６Ｅ）の水（５２ｂ）を混合噴射加速する各種エネルギ保存サイクル合体機関。
【請求項１２５７】
内部をＮ極に磁化した水噴射用過熱蒸気燃焼ガス噴射ノズル（６Ｈ）に流線型過熱蒸気溜（９５ｃ）を具備して過熱蒸気噴射量を制御する１以上のノズル（６）より噴射して１以上の帯状水溜（９５ｂ）の１以上の水噴射ノズル（６Ｅ）の水（５２ａ）を混合噴射加速する各種エネルギ保存サイクル合体機関。
【請求項１２５８】
内部をＮ極に磁化した水噴射用過熱蒸気燃焼ガス噴射ノズル（６Ｘ）に流線型過熱蒸気溜（９５ｃ）を具備して過熱蒸気噴射量を制御する１以上のノズル（６）より噴射して１以上の帯状水溜（９５ｂ）の１以上の水噴射ノズル（６Ｅ）の水（５２ａ）を混合噴射加速する各種エネルギ保存サイクル合体機関。
【請求項１２５９】
内部をＮ極に磁化した水噴射用過熱蒸気燃焼ガス噴射ノズル（６Ｈ）に流線型過熱蒸気溜（９５ｃ）を具備して過熱蒸気噴射量を制御する１以上のノズル（６）より噴射して帯状の燃焼ガス溜（９５ａ）の燃焼ガス（４９）爆発力により過熱蒸気含有水を混合噴射加速する各種エネルギ保存サイクル合体機関。
【請求項１２６０】
内部をＮ極に磁化した水噴射用過熱蒸気燃焼ガス噴射ノズル（６Ｘ）に流線型過熱蒸気溜（９５ｃ）を具備して過熱蒸気噴射量を制御する１以上のノズル（６）より噴射して複雑帯状の燃焼ガス溜（９５ａ）の燃焼ガス（４９）爆発力により過熱蒸気含有水を混合噴射加速する各種エネルギ保存サイクル合体機関。
【請求項１２６１】
内部をＮ極に磁化した水噴射用過熱蒸気燃焼ガス噴射ノズル（６Ｈ）に流線型燃焼ガス溜（９５ａ）を具備して燃焼ガス噴射量を制御する１以上のノズル（６）より噴射して１以上の複雑帯状水溜（９５ｂ）の１以上の水噴射ノズル（６Ｅ）の水（５２ｂ）を混合噴射加速する各種エネルギ保存サイクル合体機関。
【請求項１２６２】
内部をＮ極に磁化した水噴射用過熱蒸気燃焼ガス噴射ノズル（６Ｘ）に流線型燃焼ガス溜（９５ａ）を具備して燃焼ガス噴射量を制御する１以上のノズル（６）より噴射して１以上の複雑帯状水溜（９５ｂ）の１以上の水噴射ノズル（６Ｅ）の水（５２ｂ）を混合噴射加速する各種エネルギ保存サイクル合体機関。
【請求項１２６３】
内部をＮ極に磁化したタービン用過熱蒸気燃焼ガス噴射ノズル（６Ｈ）に筒型過熱蒸気溜（９５ｃ）を具備して過熱蒸気噴射量を制御する１以上のノズル（６）より噴射して１以上の複雑帯状高温水溜（９５）の１以上の水噴射ノズル（６Ｅ）の高温水（５２ｂ）を混合噴射加速してタービン翼（８ｃ）（８ｃ）に噴射する各種エネルギ保存サイクル合体機関。
【請求項１２６４】
内部をＮ極に磁化したタービン用過熱蒸気燃焼ガス噴射ノズル（６Ｘ）に筒型過熱蒸気溜（９５ｃ）を具備して過熱蒸気噴射量を制御する１以上のノズル（６）より噴射して１以上の複雑帯状高温水溜（９５）の１以上の水噴射ノズル（６Ｅ）の高温水（５２ｂ）を混合噴射加速してタービン翼（８ｃ）（８ｃ）に噴射する各種エネルギ保存サイクル合体機関。
【請求項１２６５】
内部をＮ極に磁化したタービン用過熱蒸気燃焼ガス噴射ノズル（６Ｈ）に筒型過熱蒸気溜（９５ｃ）を具備して過熱蒸気噴射量を制御する１以上のノズル（６）より噴射して複雑帯状の燃焼ガス溜（９５ａ）の燃焼ガス（４９）爆発力により過熱蒸気含有水を混合噴射加速してタービン翼（８ｃ）（８ｃ）に噴射する各種エネルギ保存サイクル合体機関。
【請求項１２６６】
内部をＮ極に磁化したタービン用過熱蒸気燃焼ガス噴射ノズル（６Ｘ）に筒型過熱蒸気溜（９５ｃ）を具備して過熱蒸気噴射量を制御する１以上のノズル（６）より噴射して複雑帯状の燃焼ガス溜（９５ａ）の燃焼ガス（４９）爆発力により過熱蒸気含有水を混合噴射加速してタービン翼（８ｃ）（８ｃ）に噴射する各種エネルギ保存サイクル合体機関。
【請求項１２６７】
内部をＮ極に磁化したタービン用過熱蒸気燃焼ガス噴射ノズル（６Ｈ）に筒型燃焼ガス溜（９５ａ）を具備して燃焼ガス噴射量を制御する１以上のノズル（６）より噴射して１以上の複雑帯状水溜（９５ｂ）の１以上の水噴射ノズル（６Ｅ）の水（５２ｂ）を混合噴射加速してタービン翼（８ｃ）（８ｃ）に噴射する各種エネルギ保存サイクル合体機関。
【請求項１２６８】
内部をＮ極に磁化したタービン用過熱蒸気燃焼ガス噴射ノズル（６Ｘ）に筒型燃焼ガス溜（９５ａ）を具備して燃焼ガス噴射量を制御する１以上のノズル（６）より噴射して１以上の複雑帯状水溜（９５ｂ）の１以上の水噴射ノズル（６Ｅ）の水（５２ｂ）を混合噴射加速してタービン翼（８ｃ）（８ｃ）に噴射する各種エネルギ保存サイクル合体機関。
【請求項１２６９】
内部をＮ極に磁化したタービン用過熱蒸気燃焼ガス噴射ノズル（６Ｈ）に筒型燃焼ガス溜（９５ａ）を具備して燃焼ガス噴射量を制御する１以上のノズル（６）より噴射して１以上の複雑帯状水溜（９５ｂ）の１以上の冷水噴射ノズル（６Ｇ）の冷水（５２ｈ）を混合噴射加速してタービン翼（８ｃ）（８ｃ）に噴射する各種エネルギ保存サイクル合体機関。
【請求項１２７０】
内部をＮ極に磁化したタービン用過熱蒸気燃焼ガス噴射ノズル（６Ｘ）に筒型燃焼ガス溜（９５ａ）を具備して燃焼ガス噴射量を制御する１以上のノズル（６）より噴射して１以上の複雑帯状水溜（９５ｂ）の１以上の冷水噴射ノズル（６Ｇ）の冷水（５２ｈ）を混合噴射加速してタービン翼（８ｃ）（８ｃ）に噴射する各種エネルギ保存サイクル合体機関。
【請求項１２７１】
内部をＮ極に磁化した空気噴射用過熱蒸気燃焼ガス噴射ノズル（６Ｈ）に流線型過熱蒸気溜（９５ｃ）を具備して過熱蒸気噴射量を制御する１以上のノズル（６）より噴射して１以上の帯状水溜（９５ｂ）の１以上の水噴射ノズル（６Ｅ）の水（５２ａ）を混合噴射加速して霧吹きの原理（１１１ｅ）に噴射する各種エネルギ保存サイクル合体機関。
【請求項１２７２】
内部をＮ極に磁化した空気噴射用過熱蒸気燃焼ガス噴射ノズル（６Ｘ）に流線型過熱蒸気溜（９５ｃ）を具備して過熱蒸気噴射量を制御する１以上のノズル（６）より噴射して１以上の帯状水溜（９５ｂ）の１以上の水噴射ノズル（６Ｅ）の水（５２ａ）を混合噴射加速して霧吹きの原理（１１１ｅ）に噴射する各種エネルギ保存サイクル合体機関。
【請求項１２７３】
内部をＮ極に磁化した空気噴射用過熱蒸気燃焼ガス噴射ノズル（６Ｈ）に流線型過熱蒸気溜（９５ｃ）を具備して過熱蒸気噴射量を制御する１以上のノズル（６）より噴射して１以上の帯状水溜（９５ｂ）の１以上の水噴射ノズル（６Ｅ）の水（５２ａ）を混合噴射加速して霧吹きの原理（１１１Ｉ）に噴射する各種エネルギ保存サイクル合体機関。
【請求項１２７４】
内部をＮ極に磁化した空気噴射用過熱蒸気燃焼ガス噴射ノズル（６Ｘ）に流線型過熱蒸気溜（９５ｃ）を具備して過熱蒸気噴射量を制御する１以上のノズル（６）より噴射して１以上の帯状水溜（９５ｂ）の１以上の水噴射ノズル（６Ｅ）の水（５２ａ）を混合噴射加速して霧吹きの原理（１１１Ｉ）に噴射する各種エネルギ保存サイクル合体機関。
【請求項１２７５】
内部をＮ極に磁化した空気噴射用過熱蒸気燃焼ガス噴射ノズル（６Ｈ）に流線型過熱蒸気溜（９５ｃ）を具備して過熱蒸気噴射量を制御する１以上のノズル（６）より噴射して帯状の燃焼ガス溜（９５ａ）の燃焼ガス（４９）爆発力により過熱蒸気含有水を混合噴射加速して霧吹きの原理（１１１Ｘ）に噴射する各種エネルギ保存サイクル合体機関。
【請求項１２７６】
内部をＮ極に磁化した空気噴射用過熱蒸気燃焼ガス噴射ノズル（６Ｘ）に流線型過熱蒸気溜（９５ｃ）を具備して過熱蒸気噴射量を制御する１以上のノズル（６）より噴射して帯状の燃焼ガス溜（９５ａ）の燃焼ガス（４９）爆発力により過熱蒸気含有水を混合噴射加速して霧吹きの原理（１１１Ｘ）に噴射する各種エネルギ保存サイクル合体機関。
【請求項１２７７】
内部をＮ極に磁化した空気噴射用過熱蒸気燃焼ガス噴射ノズル（６Ｈ）に流線型燃焼ガス溜（９５ａ）を具備して燃焼ガス噴射量を制御する１以上のノズル（６）より噴射して１以上の複雑帯状水溜（９５ｂ）の１以上の水噴射ノズル（６Ｅ）の水（５２ｂ）を混合噴射加速して霧吹きの原理（１１１ｆ）に噴射する各種エネルギ保存サイクル合体機関。
【請求項１２７８】
内部をＮ極に磁化した空気噴射用過熱蒸気燃焼ガス噴射ノズル（６Ｘ）に流線型燃焼ガス溜（９５ａ）を具備して燃焼ガス噴射量を制御する１以上のノズル（６）より噴射して１以上の複雑帯状水溜（９５ｂ）の１以上の水噴射ノズル（６Ｅ）の水（５２ｂ）を混合噴射加速して霧吹きの原理（１１１ｆ）に噴射する各種エネルギ保存サイクル合体機関。
【請求項１２７９】
内部をＮ極に磁化した空気噴射用過熱蒸気燃焼ガス噴射ノズル（６Ｈ）に流線型燃焼ガス溜（９５ａ）を具備して燃焼ガス噴射量を制御する１以上のノズル（６）より噴射して１以上の複雑帯状水溜（９５ｂ）の１以上の水噴射ノズル（６Ｅ）の水（５２ｂ）を混合噴射加速して霧吹きの原理（１１１Ｊ）に噴射する各種エネルギ保存サイクル合体機関。
【請求項１２８０】
内部をＮ極に磁化した空気噴射用過熱蒸気燃焼ガス噴射ノズル（６Ｘ）に流線型燃焼ガス溜（９５ａ）を具備して燃焼ガス噴射量を制御する１以上のノズル（６）より噴射して１以上の複雑帯状水溜（９５ｂ）の１以上の水噴射ノズル（６Ｅ）の水（５２ｂ）を混合噴射加速して霧吹きの原理（１１１Ｊ）に噴射する各種エネルギ保存サイクル合体機関。
【請求項１２８１】
内部をＮ極に磁化した水噴射用過熱蒸気燃焼ガス噴射ノズル（６Ｈ）に流線型過熱蒸気溜（９５ｃ）を具備して過熱蒸気噴射量を制御する１以上のノズル（６）より噴射して１以上の帯状水溜（９５ｂ）の１以上の水噴射ノズル（６Ｅ）の水（５２ａ）を混合噴射加速して霧吹きの原理（１１１ｇ）に噴射する各種エネルギ保存サイクル合体機関。
【請求項１２８２】
内部をＮ極に磁化した水噴射用過熱蒸気燃焼ガス噴射ノズル（６Ｘ）に流線型過熱蒸気溜（９５ｃ）を具備して過熱蒸気噴射量を制御する１以上のノズル（６）より噴射して１以上の帯状水溜（９５ｂ）の１以上の水噴射ノズル（６Ｅ）の水（５２ａ）を混合噴射加速して霧吹きの原理（１１１ｇ）に噴射する各種エネルギ保存サイクル合体機関。
【請求項１２８３】
内部をＮ極に磁化した水噴射用過熱蒸気燃焼ガス噴射ノズル（６Ｈ）に流線型過熱蒸気溜（９５ｃ）を具備して過熱蒸気噴射量を制御する１以上のノズル（６）より噴射して１以上の帯状水溜（９５ｂ）の１以上の水噴射ノズル（６Ｅ）の水（５２ａ）を混合噴射加速して霧吹きの原理（１１１Ｋ）に噴射する各種エネルギ保存サイクル合体機関。
【請求項１２８４】
内部をＮ極に磁化した水噴射用過熱蒸気燃焼ガス噴射ノズル（６Ｘ）に流線型過熱蒸気溜（９５ｃ）を具備して過熱蒸気噴射量を制御する１以上のノズル（６）より噴射して１以上の帯状水溜（９５ｂ）の１以上の水噴射ノズル（６Ｅ）の水（５２ａ）を混合噴射加速して霧吹きの原理（１１１Ｋ）に噴射する各種エネルギ保存サイクル合体機関。
【請求項１２８５】
内部をＮ極に磁化した水噴射用過熱蒸気燃焼ガス噴射ノズル（６Ｈ）に流線型過熱蒸気溜（９５ｃ）を具備して過熱蒸気噴射量を制御する１以上のノズル（６）より噴射して帯状の燃焼ガス溜（９５ａ）の燃焼ガス（４９）爆発力により過熱蒸気含有水を混合噴射加速して霧吹きの原理（１１１）に噴射する各種エネルギ保存サイクル合体機関。
【請求項１２８６】
内部をＮ極に磁化した水噴射用過熱蒸気燃焼ガス噴射ノズル（６Ｘ）に流線型過熱蒸気溜（９５ｃ）を具備して過熱蒸気噴射量を制御する１以上のノズル（６）より噴射して複雑帯状の燃焼ガス溜（９５ａ）の燃焼ガス（４９）爆発力により過熱蒸気含有水を混合噴射加速して霧吹きの原理（１１１）に噴射する各種エネルギ保存サイクル合体機関。
【請求項１２８７】
内部をＮ極に磁化した水噴射用過熱蒸気燃焼ガス噴射ノズル（６Ｈ）に流線型燃焼ガス溜（９５ａ）を具備して燃焼ガス噴射量を制御する１以上のノズル（６）より噴射して１以上の複雑帯状水溜（９５ｂ）の１以上の水噴射ノズル（６Ｅ）の水（５２ｂ）を混合噴射加速して霧吹きの原理（１１１ｈ）に噴射する各種エネルギ保存サイクル合体機関。
【請求項１２８８】
内部をＮ極に磁化した水噴射用過熱蒸気燃焼ガス噴射ノズル（６Ｘ）に流線型燃焼ガス溜（９５ａ）を具備して燃焼ガス噴射量を制御する１以上のノズル（６）より噴射して１以上の複雑帯状水溜（９５ｂ）の１以上の水噴射ノズル（６Ｅ）の水（５２ｂ）を混合噴射加速して霧吹きの原理（１１１ｈ）に噴射する各種エネルギ保存サイクル合体機関。
【請求項１２８９】
内部をＮ極に磁化した水噴射用過熱蒸気燃焼ガス噴射ノズル（６Ｈ）に流線型燃焼ガス溜（９５ａ）を具備して燃焼ガス噴射量を制御する１以上のノズル（６）より噴射して１以上の複雑帯状水溜（９５ｂ）の１以上の水噴射ノズル（６Ｅ）の水（５２ｂ）を混合噴射加速して霧吹きの原理（１１１Ｌ）に噴射する各種エネルギ保存サイクル合体機関。
【請求項１２９０】
内部をＮ極に磁化した水噴射用過熱蒸気燃焼ガス噴射ノズル（６Ｘ）に流線型燃焼ガス溜（９５ａ）を具備して燃焼ガス噴射量を制御する１以上のノズル（６）より噴射して１以上の複雑帯状水溜（９５ｂ）の１以上の水噴射ノズル（６Ｅ）の水（５２ｂ）を混合噴射加速して霧吹きの原理（１１１Ｌ）に噴射する各種エネルギ保存サイクル合体機関。
【請求項１２９１】
内部をＮ極に磁化したタービン用過熱蒸気燃焼ガス噴射ノズル（６Ｈ）に筒型過熱蒸気溜（９５ｃ）を具備して過熱蒸気噴射量を制御する１以上のノズル（６）より噴射して１以上の複雑帯状高温水溜（９５）の１以上の水噴射ノズル（６Ｅ）の高温水（５２ｂ）を混合噴射加速してタービン翼（８ｃ）（８ｃ）に噴射して弾み車タービン（８）（８）を駆動する各種エネルギ保存サイクル合体機関。
【請求項１２９２】
内部をＮ極に磁化したタービン用過熱蒸気燃焼ガス噴射ノズル（６Ｘ）に筒型過熱蒸気溜（９５ｃ）を具備して過熱蒸気噴射量を制御する１以上のノズル（６）より噴射して１以上の複雑帯状高温水溜（９５）の１以上の水噴射ノズル（６Ｅ）の高温水（５２ｂ）を混合噴射加速してタービン翼（８ｃ）（８ｃ）に噴射して弾み車タービン（８）（８）を駆動する各種エネルギ保存サイクル合体機関。
【請求項１２９３】
内部をＮ極に磁化したタービン用過熱蒸気燃焼ガス噴射ノズル（６Ｈ）に筒型過熱蒸気溜（９５ｃ）を具備して過熱蒸気噴射量を制御する１以上のノズル（６）より噴射して複雑帯状の燃焼ガス溜（９５ａ）の燃焼ガス（４９）爆発力により過熱蒸気含有水を混合噴射加速してタービン翼（８ｃ）（８ｃ）に噴射して弾み車タービン（８）（８）を駆動する各種エネルギ保存サイクル合体機関。
【請求項１２９４】
内部をＮ極に磁化したタービン用過熱蒸気燃焼ガス噴射ノズル（６Ｘ）に筒型過熱蒸気溜（９５ｃ）を具備して過熱蒸気噴射量を制御する１以上のノズル（６）より噴射して複雑帯状の燃焼ガス溜（９５ａ）の燃焼ガス（４９）爆発力により過熱蒸気含有水を混合噴射加速してタービン翼（８ｃ）（８ｃ）に噴射して弾み車タービン（８）（８）を駆動する各種エネルギ保存サイクル合体機関。
【請求項１２９５】
内部をＮ極に磁化したタービン用過熱蒸気燃焼ガス噴射ノズル（６Ｈ）に筒型過熱蒸気溜（９５ｃ）を具備して過熱蒸気噴射量を制御する１以上のノズル（６）より噴射して複雑帯状の燃焼ガス溜（９５ａ）の燃焼ガス（４９）爆発力により過熱蒸気含有水を混合噴射加速してタービン翼（８ｃ）（８ｃ）の長さに合せて垂直噴射して弾み車タービン（８）（８）を駆動する各種エネルギ保存サイクル合体機関。
【請求項１２９６】
内部をＮ極に磁化したタービン用過熱蒸気燃焼ガス噴射ノズル（６Ｘ）に筒型過熱蒸気溜（９５ｃ）を具備して過熱蒸気噴射量を制御する１以上のノズル（６）より噴射して複雑帯状の燃焼ガス溜（９５ａ）の燃焼ガス（４９）爆発力により過熱蒸気含有水を混合噴射加速してタービン翼（８ｃ）（８ｃ）の長さに合せて垂直噴射して弾み車タービン（８）（８）を駆動する各種エネルギ保存サイクル合体機関。
【請求項１２９７】
内部をＮ極に磁化したタービン用過熱蒸気燃焼ガス噴射ノズル（６Ｈ）に筒型燃焼ガス溜（９５ａ）を具備して燃焼ガス噴射量を制御する１以上のノズル（６）より噴射して１以上の複雑帯状水溜（９５ｂ）の１以上の水噴射ノズル（６Ｅ）の水（５２ｂ）を混合噴射加速してタービン翼（８ｃ）（８ｃ）に噴射して弾み車タービン（８）（８）を駆動する各種エネルギ保存サイクル合体機関。
【請求項１２９８】
内部をＮ極に磁化したタービン用過熱蒸気燃焼ガス噴射ノズル（６Ｘ）に筒型燃焼ガス溜（９５ａ）を具備して燃焼ガス噴射量を制御する１以上のノズル（６）より噴射して１以上の複雑帯状水溜（９５ｂ）の１以上の水噴射ノズル（６Ｅ）の水（５２ｂ）を混合噴射加速してタービン翼（８ｃ）（８ｃ）に噴射して弾み車タービン（８）（８）を駆動する各種エネルギ保存サイクル合体機関。
【請求項１２９９】
内部をＮ極に磁化したタービン用過熱蒸気燃焼ガス噴射ノズル（６Ｈ）に筒型燃焼ガス溜（９５ａ）を具備して燃焼ガス噴射量を制御する１以上のノズル（６）より噴射して１以上の複雑帯状水溜（９５ｂ）の１以上の冷水噴射ノズル（６Ｇ）の冷水（５２ｈ）を混合噴射加速してタービン翼（８ｃ）（８ｃ）に噴射して弾み車タービン（８）（８）を駆動する各種エネルギ保存サイクル合体機関。
【請求項１３００】
内部をＮ極に磁化したタービン用過熱蒸気燃焼ガス噴射ノズル（６Ｘ）に筒型燃焼ガス溜（９５ａ）を具備して燃焼ガス噴射量を制御する１以上のノズル（６）より噴射して１以上の複雑帯状水溜（９５ｂ）の１以上の冷水噴射ノズル（６Ｇ）の冷水（５２ｈ）を混合噴射加速してタービン翼（８ｃ）（８ｃ）に噴射して弾み車タービン（８）（８）を駆動する各種エネルギ保存サイクル合体機関。
【請求項１３０１】
内部をＮ極に磁化した空気噴射用過熱蒸気燃焼ガス噴射ノズル（６Ｈ）に流線型過熱蒸気溜（９５ｃ）を具備して過熱蒸気噴射量を制御する１以上のノズル（６）より噴射して１以上の帯状水溜（９５ｂ）の１以上の水噴射ノズル（６Ｅ）の水（５２ａ）を混合噴射加速して霧吹きの原理（１１１ｅ）に噴射して合体機関噴射部（７７Ｋ）で空気吸引噴射する各種エネルギ保存サイクル合体機関。
【請求項１３０２】
内部をＮ極に磁化した空気噴射用過熱蒸気燃焼ガス噴射ノズル（６Ｘ）に流線型過熱蒸気溜（９５ｃ）を具備して過熱蒸気噴射量を制御する１以上のノズル（６）より噴射して１以上の帯状水溜（９５ｂ）の１以上の水噴射ノズル（６Ｅ）の水（５２ａ）を混合噴射加速して霧吹きの原理（１１１ｅ）に噴射して合体機関噴射部（７７Ｋ）で空気吸引噴射する各種エネルギ保存サイクル合体機関。
【請求項１３０３】
内部をＮ極に磁化した空気噴射用過熱蒸気燃焼ガス噴射ノズル（６Ｈ）に流線型過熱蒸気溜（９５ｃ）を具備して過熱蒸気噴射量を制御する１以上のノズル（６）より噴射して１以上の帯状水溜（９５ｂ）の１以上の水噴射ノズル（６Ｅ）の水（５２ａ）を混合噴射加速して霧吹きの原理（１１１Ｉ）に噴射して合体機関噴射部（７７Ｋ）で空気吸引噴射する各種エネルギ保存サイクル合体機関。
【請求項１３０４】
内部をＮ極に磁化した空気噴射用過熱蒸気燃焼ガス噴射ノズル（６Ｘ）に流線型過熱蒸気溜（９５ｃ）を具備して過熱蒸気噴射量を制御する１以上のノズル（６）より噴射して１以上の帯状水溜（９５ｂ）の１以上の水噴射ノズル（６Ｅ）の水（５２ａ）を混合噴射加速して霧吹きの原理（１１１Ｉ）に噴射して合体機関噴射部（７７Ｋ）で空気吸引噴射する各種エネルギ保存サイクル合体機関。
【請求項１３０５】
内部をＮ極に磁化した空気噴射用過熱蒸気燃焼ガス噴射ノズル（６Ｈ）に流線型過熱蒸気溜（９５ｃ）を具備して過熱蒸気噴射量を制御する１以上のノズル（６）より噴射して帯状の燃焼ガス溜（９５ａ）の燃焼ガス（４９）爆発力により過熱蒸気含有水を混合噴射加速して霧吹きの原理（１１１Ｘ）に噴射して合体機関噴射部（７７Ｌ）で空気吸引噴射する各種エネルギ保存サイクル合体機関。
【請求項１３０６】
内部をＮ極に磁化した空気噴射用過熱蒸気燃焼ガス噴射ノズル（６Ｘ）に流線型過熱蒸気溜（９５ｃ）を具備して過熱蒸気噴射量を制御する１以上のノズル（６）より噴射して帯状の燃焼ガス溜（９５ａ）の燃焼ガス（４９）爆発力により過熱蒸気含有水を混合噴射加速して霧吹きの原理（１１１Ｘ）に噴射して合体機関噴射部（７７Ｌ）で空気吸引噴射する各種エネルギ保存サイクル合体機関。
【請求項１３０７】
内部をＮ極に磁化した空気噴射用過熱蒸気燃焼ガス噴射ノズル（６Ｈ）に流線型過熱蒸気溜（９５ｃ）を具備して過熱蒸気噴射量を制御する１以上のノズル（６）より噴射して帯状の燃焼ガス溜（９５ａ）の燃焼ガス（４９）爆発力により過熱蒸気含有水を混合噴射加速して霧吹きの原理（１１１）に噴射して合体機関噴射部（７７Ｌ）で空気吸引噴射する各種エネルギ保存サイクル合体機関。
【請求項１３０８】
内部をＮ極に磁化した空気噴射用過熱蒸気燃焼ガス噴射ノズル（６Ｘ）に流線型過熱蒸気溜（９５ｃ）を具備して過熱蒸気噴射量を制御する１以上のノズル（６）より噴射して帯状の燃焼ガス溜（９５ａ）の燃焼ガス（４９）爆発力により過熱蒸気含有水を混合噴射加速して霧吹きの原理（１１１）に噴射して合体機関噴射部（７７Ｌ）で空気吸引噴射する各種エネルギ保存サイクル合体機関。
【請求項１３０９】
内部をＮ極に磁化した空気噴射用過熱蒸気燃焼ガス噴射ノズル（６Ｈ）に流線型燃焼ガス溜（９５ａ）を具備して燃焼ガス噴射量を制御する１以上のノズル（６）より噴射して１以上の複雑帯状水溜（９５ｂ）の１以上の水噴射ノズル（６Ｅ）の水（５２ｂ）を混合噴射加速して霧吹きの原理（１１１ｆ）に噴射して合体機関噴射部（７７Ｋ）で空気吸引噴射する各種エネルギ保存サイクル合体機関。
【請求項１３１０】
内部をＮ極に磁化した空気噴射用過熱蒸気燃焼ガス噴射ノズル（６Ｘ）に流線型燃焼ガス溜（９５ａ）を具備して燃焼ガス噴射量を制御する１以上のノズル（６）より噴射して１以上の複雑帯状水溜（９５ｂ）の１以上の水噴射ノズル（６Ｅ）の水（５２ｂ）を混合噴射加速して霧吹きの原理（１１１ｆ）に噴射して合体機関噴射部（７７Ｋ）で空気吸引噴射する各種エネルギ保存サイクル合体機関。
【請求項１３１１】
内部をＮ極に磁化した空気噴射用過熱蒸気燃焼ガス噴射ノズル（６Ｈ）に流線型燃焼ガス溜（９５ａ）を具備して燃焼ガス噴射量を制御する１以上のノズル（６）より噴射して１以上の複雑帯状水溜（９５ｂ）の１以上の水噴射ノズル（６Ｅ）の水（５２ｂ）を混合噴射加速して霧吹きの原理（１１１Ｊ）に噴射して合体機関噴射部（７７Ｋ）で空気吸引噴射する各種エネルギ保存サイクル合体機関。
【請求項１３１２】
内部をＮ極に磁化した空気噴射用過熱蒸気燃焼ガス噴射ノズル（６Ｘ）に流線型燃焼ガス溜（９５ａ）を具備して燃焼ガス噴射量を制御する１以上のノズル（６）より噴射して１以上の複雑帯状水溜（９５ｂ）の１以上の水噴射ノズル（６Ｅ）の水（５２ｂ）を混合噴射加速して霧吹きの原理（１１１Ｊ）に噴射して合体機関噴射部（７７Ｋ）で空気吸引噴射する各種エネルギ保存サイクル合体機関。
【請求項１３１３】
内部をＮ極に磁化した水噴射用過熱蒸気燃焼ガス噴射ノズル（６Ｈ）に流線型過熱蒸気溜（９５ｃ）を具備して過熱蒸気噴射量を制御する１以上のノズル（６）より噴射して１以上の帯状水溜（９５ｂ）の１以上の水噴射ノズル（６Ｅ）の水（５２ａ）を混合噴射加速して霧吹きの原理（１１１ｇ）に噴射してウォータージェット（７７Ｍ）の筒形外箱（７７ｂ）で水を吸引噴射する各種エネルギ保存サイクル合体機関。
【請求項１３１４】
内部をＮ極に磁化した水噴射用過熱蒸気燃焼ガス噴射ノズル（６Ｘ）に流線型過熱蒸気溜（９５ｃ）を具備して過熱蒸気噴射量を制御する１以上のノズル（６）より噴射して１以上の帯状水溜（９５ｂ）の１以上の水噴射ノズル（６Ｅ）の水（５２ａ）を混合噴射加速して霧吹きの原理（１１１ｇ）に噴射してウォータージェット（７７Ｍ）の筒形外箱（７７ｂ）で水を吸引噴射する各種エネルギ保存サイクル合体機関。
【請求項１３１５】
内部をＮ極に磁化した水噴射用過熱蒸気燃焼ガス噴射ノズル（６Ｈ）に流線型過熱蒸気溜（９５ｃ）を具備して過熱蒸気噴射量を制御する１以上のノズル（６）より噴射して１以上の帯状水溜（９５ｂ）の１以上の水噴射ノズル（６Ｅ）の水（５２ａ）を混合噴射加速して霧吹きの原理（１１１Ｋ）に噴射してウォータージェット（７７Ｍ）の筒形外箱（７７ｂ）で水を吸引噴射する各種エネルギ保存サイクル合体機関。
【請求項１３１６】
内部をＮ極に磁化した水噴射用過熱蒸気燃焼ガス噴射ノズル（６Ｘ）に流線型過熱蒸気溜（９５ｃ）を具備して過熱蒸気噴射量を制御する１以上のノズル（６）より噴射して１以上の帯状水溜（９５ｂ）の１以上の水噴射ノズル（６Ｅ）の水（５２ａ）を混合噴射加速して霧吹きの原理（１１１Ｋ）に噴射してウォータージェット（７７Ｍ）の筒形外箱（７７ｂ）で水を吸引噴射する各種エネルギ保存サイクル合体機関。
【請求項１３１７】
内部をＮ極に磁化した水噴射用過熱蒸気燃焼ガス噴射ノズル（６Ｈ）に流線型過熱蒸気溜（９５ｃ）を具備して過熱蒸気噴射量を制御する１以上のノズル（６）より噴射して１以上の帯状水溜（９５ｂ）の１以上の水噴射ノズル（６Ｅ）の水（５２ａ）を混合噴射加速して霧吹きの原理（１１１ｇ）に噴射してウォータージェット（７７Ｎ）のウォータージェット外箱（７７Ｄ）で水を吸引噴射する各種エネルギ保存サイクル合体機関。
【請求項１３１８】
内部をＮ極に磁化した水噴射用過熱蒸気燃焼ガス噴射ノズル（６Ｘ）に流線型過熱蒸気溜（９５ｃ）を具備して過熱蒸気噴射量を制御する１以上のノズル（６）より噴射して１以上の帯状水溜（９５ｂ）の１以上の水噴射ノズル（６Ｅ）の水（５２ａ）を混合噴射加速して霧吹きの原理（１１１ｇ）に噴射してウォータージェット（７７Ｎ）のウォータージェット外箱（７７Ｄ）で水を吸引噴射する各種エネルギ保存サイクル合体機関。
【請求項１３１９】
内部をＮ極に磁化した水噴射用過熱蒸気燃焼ガス噴射ノズル（６Ｈ）に流線型過熱蒸気溜（９５ｃ）を具備して過熱蒸気噴射量を制御する１以上のノズル（６）より噴射して１以上の帯状水溜（９５ｂ）の１以上の水噴射ノズル（６Ｅ）の水（５２ａ）を混合噴射加速して霧吹きの原理（１１１Ｋ）に噴射してウォータージェット（７７Ｎ）のウォータージェット外箱（７７Ｄ）で水を吸引噴射する各種エネルギ保存サイクル合体機関。
【請求項１３２０】
内部をＮ極に磁化した水噴射用過熱蒸気燃焼ガス噴射ノズル（６Ｘ）に流線型過熱蒸気溜（９５ｃ）を具備して過熱蒸気噴射量を制御する１以上のノズル（６）より噴射して１以上の帯状水溜（９５ｂ）の１以上の水噴射ノズル（６Ｅ）の水（５２ａ）を混合噴射加速して霧吹きの原理（１１１Ｋ）に噴射してウォータージェット（７７Ｎ）のウォータージェット外箱（７７Ｄ）で水を吸引噴射する各種エネルギ保存サイクル合体機関。
【請求項１３２１】
内部をＮ極に磁化した水噴射用過熱蒸気燃焼ガス噴射ノズル（６Ｈ）に流線型過熱蒸気溜（９５ｃ）を具備して過熱蒸気噴射量を制御する１以上のノズル（６）より噴射して帯状の燃焼ガス溜（９５ａ）の燃焼ガス（４９）爆発力により過熱蒸気含有水を混合噴射加速して霧吹きの原理（１１１）に噴射してウォータージェットで水を吸引噴射する各種エネルギ保存サイクル合体機関。
【請求項１３２２】
内部をＮ極に磁化した水噴射用過熱蒸気燃焼ガス噴射ノズル（６Ｘ）に流線型過熱蒸気溜（９５ｃ）を具備して過熱蒸気噴射量を制御する１以上のノズル（６）より噴射して複雑帯状の燃焼ガス溜（９５ａ）の燃焼ガス（４９）爆発力により過熱蒸気含有水を混合噴射加速して霧吹きの原理（１１１）に噴射してウォータージェットで水を吸引噴射する各種エネルギ保存サイクル合体機関。
【請求項１３２３】
内部をＮ極に磁化した水噴射用過熱蒸気燃焼ガス噴射ノズル（６Ｈ）に流線型燃焼ガス溜（９５ａ）を具備して燃焼ガス噴射量を制御する１以上のノズル（６）より噴射して１以上の複雑帯状水溜（９５ｂ）の１以上の水噴射ノズル（６Ｅ）の水（５２ｂ）を混合噴射加速して霧吹きの原理（１１１ｈ）に噴射してウォータージェット（７７Ｍ）の筒形外箱（７７ｂ）で水を吸引噴射する各種エネルギ保存サイクル合体機関。
【請求項１３２４】
内部をＮ極に磁化した水噴射用過熱蒸気燃焼ガス噴射ノズル（６Ｘ）に流線型燃焼ガス溜（９５ａ）を具備して燃焼ガス噴射量を制御する１以上のノズル（６）より噴射して１以上の複雑帯状水溜（９５ｂ）の１以上の水噴射ノズル（６Ｅ）の水（５２ｂ）を混合噴射加速して霧吹きの原理（１１１ｈ）に噴射してウォータージェット（７７Ｍ）の筒形外箱（７７ｂ）で水を吸引噴射する各種エネルギ保存サイクル合体機関。
【請求項１３２５】
内部をＮ極に磁化した水噴射用過熱蒸気燃焼ガス噴射ノズル（６Ｈ）に流線型燃焼ガス溜（９５ａ）を具備して燃焼ガス噴射量を制御する１以上のノズル（６）より噴射して１以上の複雑帯状水溜（９５ｂ）の１以上の水噴射ノズル（６Ｅ）の水（５２ｂ）を混合噴射加速して霧吹きの原理（１１１Ｌ）に噴射してウォータージェット（７７Ｍ）の筒形外箱（７７ｂ）で水を吸引噴射する各種エネルギ保存サイクル合体機関。
【請求項１３２６】
内部をＮ極に磁化した水噴射用過熱蒸気燃焼ガス噴射ノズル（６Ｘ）に流線型燃焼ガス溜（９５ａ）を具備して燃焼ガス噴射量を制御する１以上のノズル（６）より噴射して１以上の複雑帯状水溜（９５ｂ）の１以上の水噴射ノズル（６Ｅ）の水（５２ｂ）を混合噴射加速して霧吹きの原理（１１１Ｌ）に噴射してウォータージェット（７７Ｍ）の筒形外箱（７７ｂ）で水を吸引噴射する各種エネルギ保存サイクル合体機関。
【請求項１３２７】
内部をＮ極に磁化した水噴射用過熱蒸気燃焼ガス噴射ノズル（６Ｈ）に流線型燃焼ガス溜（９５ａ）を具備して燃焼ガス噴射量を制御する１以上のノズル（６）より噴射して１以上の複雑帯状水溜（９５ｂ）の１以上の水噴射ノズル（６Ｅ）の水（５２ｂ）を混合噴射加速して霧吹きの原理（１１１ｈ）に噴射してウォータージェット（７７Ｎ）のウォータージェット外箱（７７Ｄ）で水を吸引噴射する各種エネルギ保存サイクル合体機関。
【請求項１３２８】
内部をＮ極に磁化した水噴射用過熱蒸気燃焼ガス噴射ノズル（６Ｘ）に流線型燃焼ガス溜（９５ａ）を具備して燃焼ガス噴射量を制御する１以上のノズル（６）より噴射して１以上の複雑帯状水溜（９５ｂ）の１以上の水噴射ノズル（６Ｅ）の水（５２ｂ）を混合噴射加速して霧吹きの原理（１１１ｈ）に噴射してウォータージェット（７７Ｎ）のウォータージェット外箱（７７Ｄ）で水を吸引噴射する各種エネルギ保存サイクル合体機関。
【請求項１３２９】
内部をＮ極に磁化した水噴射用過熱蒸気燃焼ガス噴射ノズル（６Ｈ）に流線型燃焼ガス溜（９５ａ）を具備して燃焼ガス噴射量を制御する１以上のノズル（６）より噴射して１以上の複雑帯状水溜（９５ｂ）の１以上の水噴射ノズル（６Ｅ）の水（５２ｂ）を混合噴射加速して霧吹きの原理（１１１Ｌ）に噴射してウォータージェット（７７Ｎ）のウォータージェット外箱（７７Ｄ）で水を吸引噴射する各種エネルギ保存サイクル合体機関。
【請求項１３３０】
内部をＮ極に磁化した水噴射用過熱蒸気燃焼ガス噴射ノズル（６Ｘ）に流線型燃焼ガス溜（９５ａ）を具備して燃焼ガス噴射量を制御する１以上のノズル（６）より噴射して１以上の複雑帯状水溜（９５ｂ）の１以上の水噴射ノズル（６Ｅ）の水（５２ｂ）を混合噴射加速して霧吹きの原理（１１１Ｌ）に噴射してウォータージェット（７７Ｎ）のウォータージェット外箱（７７Ｄ）で水を吸引噴射する各種エネルギ保存サイクル合体機関。
【請求項１３３１】
クランク軸（１６）（１６）に直接具備した水噴射面をＮ極に磁化した弾み車タービン（８）（８）を噛合せて対向無接触同期回転可能に送水ポンプ兼磁気摩擦動力伝達装置（５５）を具備した各種エネルギ保存サイクル合体機関。
【請求項１３３２】
クランク軸（１６）（１６）に変速して具備した水噴射面をＮ極に磁化した弾み車タービン（８）（８）を噛合せて対向無接触同期回転可能に送水ポンプ兼磁気摩擦動力伝達装置（５５）を具備した各種エネルギ保存サイクル合体機関。
【請求項１３３３】
クランク軸（１６）（１６）に直接具備した水噴射面をＮ極に磁化した弾み車タービン（８）（８）を噛合せて対向無接触同期回転可能に公知の歯車ポンプを具備した各種エネルギ保存サイクル合体機関。
【請求項１３３４】
クランク軸（１６）（１６）に変速して具備した水噴射面をＮ極に磁化した弾み車タービン（８）（８）を噛合せて対向無接触同期回転可能に公知の歯車ポンプを具備した各種エネルギ保存サイクル合体機関。
【請求項１３３５】
クランク軸（１６）（１６）に直接具備した水噴射面をＮ極に磁化した弾み車タービン（８）（８）を噛合せて対向無接触同期回転可能に磁気摩擦動力伝達装置（７６）を具備した各種エネルギ保存サイクル合体機関。
【請求項１３３６】
クランク軸（１６）（１６）に変速して具備した水噴射面をＮ極に磁化した弾み車タービン（８）（８）を噛合せて対向無接触同期回転可能に磁気摩擦動力伝達装置（７６）を具備した各種エネルギ保存サイクル合体機関。
【請求項１３３７】
クランク軸（１６）（１６）に直接具備した水噴射面をＮ極に磁化した弾み車タービン（８）（８）を接近させて対向無接触同期回転可能に送水ポンプ兼磁気摩擦動力伝達装置（５５）を具備した各種エネルギ保存サイクル合体機関。
【請求項１３３８】
クランク軸（１６）（１６）に変速して具備した水噴射面をＮ極に磁化した弾み車タービン（８）（８）を接近させて対向無接触同期回転可能に送水ポンプ兼磁気摩擦動力伝達装置（５５）を具備した各種エネルギ保存サイクル合体機関。
【請求項１３３９】
クランク軸（１６）（１６）に直接具備した水噴射面をＮ極に磁化した弾み車タービン（８）（８）を接近させて対向無接触同期回転可能に公知の歯車ポンプを具備した各種エネルギ保存サイクル合体機関。
【請求項１３４０】
クランク軸（１６）（１６）に変速して具備した水噴射面をＮ極に磁化した弾み車タービン（８）（８）を接近させて対向無接触同期回転可能に公知の歯車ポンプを具備した各種エネルギ保存サイクル合体機関。
【請求項１３４１】
クランク軸（１６）（１６）に直接具備した水噴射面をＮ極に磁化した弾み車タービン（８）（８）を接近させて対向無接触同期回転可能に磁気摩擦動力伝達装置（７６）を具備した各種エネルギ保存サイクル合体機関。
【請求項１３４２】
クランク軸（１６）（１６）に変速して具備した水噴射面をＮ極に磁化した弾み車タービン（８）（８）を接近させて対向無接触同期回転可能に磁気摩擦動力伝達装置（７６）を具備した各種エネルギ保存サイクル合体機関。
【請求項１３４３】
クランク軸（１６）（１６）に直接具備して摩擦損失を低減した水噴射面をＮ極に磁化した弾み車タービン（８）（８）を噛合せて対向無接触同期回転可能に送水ポンプ兼磁気摩擦動力伝達装置（５５）を具備した各種エネルギ保存サイクル合体機関。
【請求項１３４４】
クランク軸（１６）（１６）に変速して具備して摩擦損失を低減した水噴射面をＮ極に磁化した弾み車タービン（８）（８）を噛合せて対向無接触同期回転可能に送水ポンプ兼磁気摩擦動力伝達装置（５５）を具備した各種エネルギ保存サイクル合体機関。
【請求項１３４５】
クランク軸（１６）（１６）に直接具備して摩擦損失を低減した水噴射面をＮ極に磁化した弾み車タービン（８）（８）を噛合せて対向無接触同期回転可能に公知の歯車ポンプを具備した各種エネルギ保存サイクル合体機関。
【請求項１３４６】
クランク軸（１６）（１６）に変速して具備して摩擦損失を低減した水噴射面をＮ極に磁化した弾み車タービン（８）（８）を噛合せて対向無接触同期回転可能に公知の歯車ポンプを具備した各種エネルギ保存サイクル合体機関。
【請求項１３４７】
クランク軸（１６）（１６）に直接具備して摩擦損失を低減した水噴射面をＮ極に磁化した弾み車タービン（８）（８）を噛合せて対向無接触同期回転可能に磁気摩擦動力伝達装置（７６）を具備した各種エネルギ保存サイクル合体機関。
【請求項１３４８】
クランク軸（１６）（１６）に変速して具備して摩擦損失を低減した水噴射面をＮ極に磁化した弾み車タービン（８）（８）を噛合せて対向無接触同期回転可能に磁気摩擦動力伝達装置（７６）を具備した各種エネルギ保存サイクル合体機関。
【請求項１３４９】
クランク軸（１６）（１６）に直接具備して摩擦損失を低減した水噴射面をＮ極に磁化した弾み車タービン（８）（８）を接近させて対向無接触同期回転可能に送水ポンプ兼磁気摩擦動力伝達装置（５５）を具備した各種エネルギ保存サイクル合体機関。
【請求項１３５０】
クランク軸（１６）（１６）に変速して具備して摩擦損失を低減した水噴射面をＮ極に磁化した弾み車タービン（８）（８）を接近させて対向無接触同期回転可能に送水ポンプ兼磁気摩擦動力伝達装置（５５）を具備した各種エネルギ保存サイクル合体機関。
【請求項１３５１】
クランク軸（１６）（１６）に直接具備して摩擦損失を低減した水噴射面をＮ極に磁化した弾み車タービン（８）（８）を接近させて対向無接触同期回転可能に公知の歯車ポンプを具備した各種エネルギ保存サイクル合体機関。
【請求項１３５２】
クランク軸（１６）（１６）に変速して具備して摩擦損失を低減した水噴射面をＮ極に磁化した弾み車タービン（８）（８）を接近させて対向無接触同期回転可能に公知の歯車ポンプを具備した各種エネルギ保存サイクル合体機関。
【請求項１３５３】
クランク軸（１６）（１６）に直接具備して摩擦損失を低減した水噴射面をＮ極に磁化した弾み車タービン（８）（８）を接近させて対向無接触同期回転可能に磁気摩擦動力伝達装置（７６）を具備した各種エネルギ保存サイクル合体機関。
【請求項１３５４】
クランク軸（１６）（１６）に変速して具備して摩擦損失を低減した水噴射面をＮ極に磁化した弾み車タービン（８）（８）を接近させて対向無接触同期回転可能に磁気摩擦動力伝達装置（７６）を具備した各種エネルギ保存サイクル合体機関。
【請求項１３５５】
クランク軸（１６）（１６）に直接具備して撥水鍍金（３ａ）により摩擦損失を低減した水噴射面をＮ極に磁化した弾み車タービン（８）（８）を噛合せて対向無接触同期回転可能に送水ポンプ兼磁気摩擦動力伝達装置（５５）を具備した各種エネルギ保存サイクル合体機関。
【請求項１３５６】
クランク軸（１６）（１６）に変速して具備して撥水鍍金（３ａ）により摩擦損失を低減した水噴射面をＮ極に磁化した弾み車タービン（８）（８）を噛合せて対向無接触同期回転可能に送水ポンプ兼磁気摩擦動力伝達装置（５５）を具備した各種エネルギ保存サイクル合体機関。
【請求項１３５７】
クランク軸（１６）（１６）に直接具備して撥水鍍金（３ａ）により摩擦損失を低減した水噴射面をＮ極に磁化した弾み車タービン（８）（８）を噛合せて対向無接触同期回転可能に公知の歯車ポンプを具備した各種エネルギ保存サイクル合体機関。
【請求項１３５８】
クランク軸（１６）（１６）に変速して具備して撥水鍍金（３ａ）により摩擦損失を低減した水噴射面をＮ極に磁化した弾み車タービン（８）（８）を噛合せて対向無接触同期回転可能に公知の歯車ポンプを具備した各種エネルギ保存サイクル合体機関。
【請求項１３５９】
クランク軸（１６）（１６）に直接具備して撥水鍍金（３ａ）により摩擦損失を低減した水噴射面をＮ極に磁化した弾み車タービン（８）（８）を噛合せて対向無接触同期回転可能に磁気摩擦動力伝達装置（７６）を具備した各種エネルギ保存サイクル合体機関。
【請求項１３６０】
クランク軸（１６）（１６）に変速して具備して撥水鍍金（３ａ）により摩擦損失を低減した水噴射面をＮ極に磁化した弾み車タービン（８）（８）を噛合せて対向無接触同期回転可能に磁気摩擦動力伝達装置（７６）を具備した各種エネルギ保存サイクル合体機関。
【請求項１３６１】
クランク軸（１６）（１６）に直接具備して撥水鍍金（３ａ）により摩擦損失を低減した水噴射面をＮ極に磁化した弾み車タービン（８）（８）を接近させて対向無接触同期回転可能に送水ポンプ兼磁気摩擦動力伝達装置（５５）を具備した各種エネルギ保存サイクル合体機関。
【請求項１３６２】
クランク軸（１６）（１６）に変速して具備して撥水鍍金（３ａ）により摩擦損失を低減した水噴射面をＮ極に磁化した弾み車タービン（８）（８）を接近させて対向無接触同期回転可能に送水ポンプ兼磁気摩擦動力伝達装置（５５）を具備した各種エネルギ保存サイクル合体機関。
【請求項１３６３】
クランク軸（１６）（１６）に直接具備して撥水鍍金（３ａ）により摩擦損失を低減した水噴射面をＮ極に磁化した弾み車タービン（８）（８）を接近させて対向無接触同期回転可能に公知の歯車ポンプを具備した各種エネルギ保存サイクル合体機関。
【請求項１３６４】
クランク軸（１６）（１６）に変速して具備して撥水鍍金（３ａ）により摩擦損失を低減した水噴射面をＮ極に磁化した弾み車タービン（８）（８）を接近させて対向無接触同期回転可能に公知の歯車ポンプを具備した各種エネルギ保存サイクル合体機関。
【請求項１３６５】
クランク軸（１６）（１６）に直接具備して撥水鍍金（３ａ）により摩擦損失を低減した水噴射面をＮ極に磁化した弾み車タービン（８）（８）を接近させて対向無接触同期回転可能に磁気摩擦動力伝達装置（７６）を具備した各種エネルギ保存サイクル合体機関。
【請求項１３６６】
クランク軸（１６）（１６）に変速して具備して撥水鍍金（３ａ）により摩擦損失を低減した水噴射面をＮ極に磁化した弾み車タービン（８）（８）を接近させて対向無接触同期回転可能に磁気摩擦動力伝達装置（７６）を具備した各種エネルギ保存サイクル合体機関。
【請求項１３６７】
クランク軸（１６）（１６）に直接具備して加熱高温気化膜で摩擦損失を低減した水噴射面をＮ極に磁化した弾み車タービン（８）（８）を噛合せて対向無接触同期回転可能に送水ポンプ兼磁気摩擦動力伝達装置（５５）を具備した各種エネルギ保存サイクル合体機関。
【請求項１３６８】
クランク軸（１６）（１６）に変速して具備して加熱高温気化膜で摩擦損失を低減した水噴射面をＮ極に磁化した弾み車タービン（８）（８）を噛合せて対向無接触同期回転可能に送水ポンプ兼磁気摩擦動力伝達装置（５５）を具備した各種エネルギ保存サイクル合体機関。
【請求項１３６９】
クランク軸（１６）（１６）に直接具備して加熱高温気化膜で摩擦損失を低減した水噴射面をＮ極に磁化した弾み車タービン（８）（８）を噛合せて対向無接触同期回転可能に公知の歯車ポンプを具備した各種エネルギ保存サイクル合体機関。
【請求項１３７０】
クランク軸（１６）（１６）に変速して具備して加熱高温気化膜で摩擦損失を低減した水噴射面をＮ極に磁化した弾み車タービン（８）（８）を噛合せて対向無接触同期回転可能に公知の歯車ポンプを具備した各種エネルギ保存サイクル合体機関。
【請求項１３７１】
クランク軸（１６）（１６）に直接具備して加熱高温気化膜で摩擦損失を低減した水噴射面をＮ極に磁化した弾み車タービン（８）（８）を噛合せて対向無接触同期回転可能に磁気摩擦動力伝達装置（７６）を具備した各種エネルギ保存サイクル合体機関。
【請求項１３７２】
クランク軸（１６）（１６）に変速して具備して加熱高温気化膜で摩擦損失を低減した水噴射面をＮ極に磁化した弾み車タービン（８）（８）を噛合せて対向無接触同期回転可能に磁気摩擦動力伝達装置（７６）を具備した各種エネルギ保存サイクル合体機関。
【請求項１３７３】
クランク軸（１６）（１６）に直接具備して加熱高温気化膜で摩擦損失を低減した水噴射面をＮ極に磁化した弾み車タービン（８）（８）を接近させて対向無接触同期回転可能に送水ポンプ兼磁気摩擦動力伝達装置（５５）を具備した各種エネルギ保存サイクル合体機関。
【請求項１３７４】
クランク軸（１６）（１６）に変速して具備して加熱高温気化膜で摩擦損失を低減した水噴射面をＮ極に磁化した弾み車タービン（８）（８）を接近させて対向無接触同期回転可能に送水ポンプ兼磁気摩擦動力伝達装置（５５）を具備した各種エネルギ保存サイクル合体機関。
【請求項１３７５】
クランク軸（１６）（１６）に直接具備して加熱高温気化膜で摩擦損失を低減した水噴射面をＮ極に磁化した弾み車タービン（８）（８）を接近させて対向無接触同期回転可能に公知の歯車ポンプを具備した各種エネルギ保存サイクル合体機関。
【請求項１３７６】
クランク軸（１６）（１６）に変速して具備して加熱高温気化膜で摩擦損失を低減した水噴射面をＮ極に磁化した弾み車タービン（８）（８）を接近させて対向無接触同期回転可能に公知の歯車ポンプを具備した各種エネルギ保存サイクル合体機関。
【請求項１３７７】
クランク軸（１６）（１６）に直接具備して加熱高温気化膜で摩擦損失を低減した水噴射面をＮ極に磁化した弾み車タービン（８）（８）を接近させて対向無接触同期回転可能に磁気摩擦動力伝達装置（７６）を具備した各種エネルギ保存サイクル合体機関。
【請求項１３７８】
クランク軸（１６）（１６）に変速して具備して加熱高温気化膜で摩擦損失を低減した水噴射面をＮ極に磁化した弾み車タービン（８）（８）を接近させて対向無接触同期回転可能に磁気摩擦動力伝達装置（７６）を具備した各種エネルギ保存サイクル合体機関。
【請求項１３７９】
外部をＮ極とした磁化圧縮水を使用する合体機関飛行機（３８Ａ）に合体機関燃焼部（２９Ａ）と合体機関噴射部（７７Ｋ）を分離して具備した各種エネルギ保存サイクル合体機関。
【請求項１３８０】
外部をＮ極とした磁化圧縮水を使用する合体機関飛行機（３８Ａ）に合体機関燃焼部（２９Ｂ）と合体機関噴射部（７７Ｋ）を分離して具備した各種エネルギ保存サイクル合体機関。
【請求項１３８１】
外部をＮ極とした磁化圧縮水を使用する合体機関飛行機（３８Ａ）に合体機関燃焼部（２９Ｃ）と合体機関噴射部（７７Ｋ）を分離して具備した各種エネルギ保存サイクル合体機関。
【請求項１３８２】
外部をＮ極とした磁化圧縮水を使用する合体機関飛行機（３８Ａ）に合体機関燃焼部（２９Ｄ）と合体機関噴射部（７７Ｋ）を分離して具備した各種エネルギ保存サイクル合体機関。
【請求項１３８３】
外部をＮ極とした磁化圧縮水を使用する合体機関飛行機（３８Ａ）に合体機関燃焼部（２９Ｅ）と合体機関噴射部（７７Ｋ）を分離して具備した各種エネルギ保存サイクル合体機関。
【請求項１３８４】
外部をＮ極とした磁化圧縮水を使用する合体機関飛行機（３８Ａ）に合体機関燃焼部（２９Ｆ）と合体機関噴射部（７７Ｋ）を分離して具備した各種エネルギ保存サイクル合体機関。
【請求項１３８５】
外部をＮ極とした磁化圧縮水を使用する合体機関飛行機（３８Ａ）に合体機関燃焼部（２９Ｇ）と合体機関噴射部（７７Ｋ）を分離して具備した各種エネルギ保存サイクル合体機関。
【請求項１３８６】
外部をＮ極とした磁化圧縮水を使用する合体機関飛行機（３８Ａ）に合体機関燃焼部（２９Ｈ）と合体機関噴射部（７７Ｋ）を分離して具備した各種エネルギ保存サイクル合体機関。
【請求項１３８７】
外部をＮ極とした磁化圧縮水を使用する合体機関飛行機（３８Ａ）に合体機関燃焼部（２９Ａ）と合体機関噴射部（７７Ｌ）を分離して具備した各種エネルギ保存サイクル合体機関。
【請求項１３８８】
外部をＮ極とした磁化圧縮水を使用する合体機関飛行機（３８Ａ）に合体機関燃焼部（２９Ｂ）と合体機関噴射部（７７Ｌ）を分離して具備した各種エネルギ保存サイクル合体機関。
【請求項１３８９】
外部をＮ極とした磁化圧縮水を使用する合体機関飛行機（３８Ａ）に合体機関燃焼部（２９Ｃ）と合体機関噴射部（７７Ｌ）を分離して具備した各種エネルギ保存サイクル合体機関。
【請求項１３９０】
外部をＮ極とした磁化圧縮水を使用する合体機関飛行機（３８Ａ）に合体機関燃焼部（２９Ｄ）と合体機関噴射部（７７Ｌ）を分離して具備した各種エネルギ保存サイクル合体機関。
【請求項１３９１】
外部をＮ極とした磁化圧縮水を使用する合体機関飛行機（３８Ａ）に合体機関燃焼部（２９Ｅ）と合体機関噴射部（７７Ｌ）を分離して具備した各種エネルギ保存サイクル合体機関。
【請求項１３９２】
外部をＮ極とした磁化圧縮水を使用する合体機関飛行機（３８Ａ）に合体機関燃焼部（２９Ｆ）と合体機関噴射部（７７Ｌ）を分離して具備した各種エネルギ保存サイクル合体機関。
【請求項１３９３】
外部をＮ極とした磁化圧縮水を使用する合体機関飛行機（３８Ａ）に合体機関燃焼部（２９Ｇ）と合体機関噴射部（７７Ｌ）を分離して具備した各種エネルギ保存サイクル合体機関。
【請求項１３９４】
外部をＮ極とした磁化圧縮水を使用する合体機関飛行機（３８Ａ）に合体機関燃焼部（２９Ｈ）と合体機関噴射部（７７Ｌ）を分離して具備した各種エネルギ保存サイクル合体機関。
【請求項１３９５】
外部をＮ極とした磁化圧縮水を使用する合体機関飛行機（３８Ａ）に合体機関燃焼部（２９Ａ）と合体機関噴射部（７７Ｋ）を分離して飛行翼（３８ｂ）の翼前縁吸入口（３８ｅ）より飛行圧縮空気を吸入する各種エネルギ保存サイクル合体機関。
【請求項１３９６】
外部をＮ極とした磁化圧縮水を使用する合体機関飛行機（３８Ａ）に合体機関燃焼部（２９Ｂ）と合体機関噴射部（７７Ｋ）を分離して飛行翼（３８ｂ）の翼前縁吸入口（３８ｅ）より飛行圧縮空気を吸入する各種エネルギ保存サイクル合体機関。
【請求項１３９７】
外部をＮ極とした磁化圧縮水を使用する合体機関飛行機（３８Ａ）に合体機関燃焼部（２９Ｃ）と合体機関噴射部（７７Ｋ）を分離して飛行翼（３８ｂ）の翼前縁吸入口（３８ｅ）より飛行圧縮空気を吸入する各種エネルギ保存サイクル合体機関。
【請求項１３９８】
外部をＮ極とした磁化圧縮水を使用する合体機関飛行機（３８Ａ）に合体機関燃焼部（２９Ｄ）と合体機関噴射部（７７Ｋ）を分離して飛行翼（３８ｂ）の翼前縁吸入口（３８ｅ）より飛行圧縮空気を吸入する各種エネルギ保存サイクル合体機関。
【請求項１３９９】
外部をＮ極とした磁化圧縮水を使用する合体機関飛行機（３８Ａ）に合体機関燃焼部（２９Ｅ）と合体機関噴射部（７７Ｋ）を分離して飛行翼（３８ｂ）の翼前縁吸入口（３８ｅ）より飛行圧縮空気を吸入する各種エネルギ保存サイクル合体機関。
【請求項１４００】
外部をＮ極とした磁化圧縮水を使用する合体機関飛行機（３８Ａ）に合体機関燃焼部（２９Ｆ）と合体機関噴射部（７７Ｋ）を分離して飛行翼（３８ｂ）の翼前縁吸入口（３８ｅ）より飛行圧縮空気を吸入する各種エネルギ保存サイクル合体機関。
【請求項１４０１】
外部をＮ極とした磁化圧縮水を使用する合体機関飛行機（３８Ａ）に合体機関燃焼部（２９Ｇ）と合体機関噴射部（７７Ｋ）を分離して飛行翼（３８ｂ）の翼前縁吸入口（３８ｅ）より飛行圧縮空気を吸入する各種エネルギ保存サイクル合体機関。
【請求項１４０２】
外部をＮ極とした磁化圧縮水を使用する合体機関飛行機（３８Ａ）に合体機関燃焼部（２９Ｈ）と合体機関噴射部（７７Ｋ）を分離して飛行翼（３８ｂ）の翼前縁吸入口（３８ｅ）より飛行圧縮空気を吸入する各種エネルギ保存サイクル合体機関。
【請求項１４０３】
外部をＮ極とした磁化圧縮水を使用する合体機関飛行機（３８Ａ）に合体機関燃焼部（２９Ａ）と合体機関噴射部（７７Ｌ）を分離して飛行翼（３８ｂ）の翼前縁吸入口（３８ｅ）より飛行圧縮空気を吸入する各種エネルギ保存サイクル合体機関。
【請求項１４０４】
外部をＮ極とした磁化圧縮水を使用する合体機関飛行機（３８Ａ）に合体機関燃焼部（２９Ｂ）と合体機関噴射部（７７Ｌ）を分離して飛行翼（３８ｂ）の翼前縁吸入口（３８ｅ）より飛行圧縮空気を吸入する各種エネルギ保存サイクル合体機関。
【請求項１４０５】
外部をＮ極とした磁化圧縮水を使用する合体機関飛行機（３８Ａ）に合体機関燃焼部（２９Ｃ）と合体機関噴射部（７７Ｌ）を分離して飛行翼（３８ｂ）の翼前縁吸入口（３８ｅ）より飛行圧縮空気を吸入する各種エネルギ保存サイクル合体機関。
【請求項１４０６】
外部をＮ極とした磁化圧縮水を使用する合体機関飛行機（３８Ａ）に合体機関燃焼部（２９Ｄ）と合体機関噴射部（７７Ｌ）を分離して飛行翼（３８ｂ）の翼前縁吸入口（３８ｅ）より飛行圧縮空気を吸入する各種エネルギ保存サイクル合体機関。
【請求項１４０７】
外部をＮ極とした磁化圧縮水を使用する合体機関飛行機（３８Ａ）に合体機関燃焼部（２９Ｅ）と合体機関噴射部（７７Ｌ）を分離して飛行翼（３８ｂ）の翼前縁吸入口（３８ｅ）より飛行圧縮空気を吸入する各種エネルギ保存サイクル合体機関。
【請求項１４０８】
外部をＮ極とした磁化圧縮水を使用する合体機関飛行機（３８Ａ）に合体機関燃焼部（２９Ｆ）と合体機関噴射部（７７Ｌ）を分離して飛行翼（３８ｂ）の翼前縁吸入口（３８ｅ）より飛行圧縮空気を吸入する各種エネルギ保存サイクル合体機関。
【請求項１４０９】
外部をＮ極とした磁化圧縮水を使用する合体機関飛行機（３８Ａ）に合体機関燃焼部（２９Ｇ）と合体機関噴射部（７７Ｌ）を分離して飛行翼（３８ｂ）の翼前縁吸入口（３８ｅ）より飛行圧縮空気を吸入する各種エネルギ保存サイクル合体機関。
【請求項１４１０】
外部をＮ極とした磁化圧縮水を使用する合体機関飛行機（３８Ａ）に合体機関燃焼部（２９Ｈ）と合体機関噴射部（７７Ｌ）を分離して飛行翼（３８ｂ）の翼前縁吸入口（３８ｅ）より飛行圧縮空気を吸入する各種エネルギ保存サイクル合体機関。
【請求項１４１１】
外部をＮ極とした磁化圧縮水を使用する合体機関飛行機（３８Ａ）に合体機関燃焼部（２９Ａ）と合体機関噴射部（７７Ｋ）を分離して飛行尾翼（３８ｃ）の翼前縁吸入口（３８ｅ）より飛行圧縮空気を吸入する各種エネルギ保存サイクル合体機関。
【請求項１４１２】
外部をＮ極とした磁化圧縮水を使用する合体機関飛行機（３８Ａ）に合体機関燃焼部（２９Ｂ）と合体機関噴射部（７７Ｋ）を分離して飛行尾翼（３８ｃ）の翼前縁吸入口（３８ｅ）より飛行圧縮空気を吸入する各種エネルギ保存サイクル合体機関。
【請求項１４１３】
外部をＮ極とした磁化圧縮水を使用する合体機関飛行機（３８Ａ）に合体機関燃焼部（２９Ｃ）と合体機関噴射部（７７Ｋ）を分離して飛行尾翼（３８ｃ）の翼前縁吸入口（３８ｅ）より飛行圧縮空気を吸入する各種エネルギ保存サイクル合体機関。
【請求項１４１４】
外部をＮ極とした磁化圧縮水を使用する合体機関飛行機（３８Ａ）に合体機関燃焼部（２９Ｄ）と合体機関噴射部（７７Ｋ）を分離して飛行尾翼（３８ｃ）の翼前縁吸入口（３８ｅ）より飛行圧縮空気を吸入する各種エネルギ保存サイクル合体機関。
【請求項１４１５】
外部をＮ極とした磁化圧縮水を使用する合体機関飛行機（３８Ａ）に合体機関燃焼部（２９Ｅ）と合体機関噴射部（７７Ｋ）を分離して飛行尾翼（３８ｃ）の翼前縁吸入口（３８ｅ）より飛行圧縮空気を吸入する各種エネルギ保存サイクル合体機関。
【請求項１４１６】
外部をＮ極とした磁化圧縮水を使用する合体機関飛行機（３８Ａ）に合体機関燃焼部（２９Ｆ）と合体機関噴射部（７７Ｋ）を分離して飛行尾翼（３８ｃ）の翼前縁吸入口（３８ｅ）より飛行圧縮空気を吸入する各種エネルギ保存サイクル合体機関。
【請求項１４１７】
外部をＮ極とした磁化圧縮水を使用する合体機関飛行機（３８Ａ）に合体機関燃焼部（２９Ｇ）と合体機関噴射部（７７Ｋ）を分離して飛行尾翼（３８ｃ）の翼前縁吸入口（３８ｅ）より飛行圧縮空気を吸入する各種エネルギ保存サイクル合体機関。
【請求項１４１８】
外部をＮ極とした磁化圧縮水を使用する合体機関飛行機（３８Ａ）に合体機関燃焼部（２９Ｈ）と合体機関噴射部（７７Ｋ）を分離して飛行尾翼（３８ｃ）の翼前縁吸入口（３８ｅ）より飛行圧縮空気を吸入する各種エネルギ保存サイクル合体機関。
【請求項１４１９】
外部をＮ極とした磁化圧縮水を使用する合体機関飛行機（３８Ａ）に合体機関燃焼部（２９Ａ）と合体機関噴射部（７７Ｌ）を分離して飛行尾翼（３８ｃ）の翼前縁吸入口（３８ｅ）より飛行圧縮空気を吸入する各種エネルギ保存サイクル合体機関。
【請求項１４２０】
外部をＮ極とした磁化圧縮水を使用する合体機関飛行機（３８Ａ）に合体機関燃焼部（２９Ｂ）と合体機関噴射部（７７Ｌ）を分離して飛行尾翼（３８ｃ）の翼前縁吸入口（３８ｅ）より飛行圧縮空気を吸入する各種エネルギ保存サイクル合体機関。
【請求項１４２１】
外部をＮ極とした磁化圧縮水を使用する合体機関飛行機（３８Ａ）に合体機関燃焼部（２９Ｃ）と合体機関噴射部（７７Ｌ）を分離して飛行尾翼（３８ｃ）の翼前縁吸入口（３８ｅ）より飛行圧縮空気を吸入する各種エネルギ保存サイクル合体機関。
【請求項１４２２】
外部をＮ極とした磁化圧縮水を使用する合体機関飛行機（３８Ａ）に合体機関燃焼部（２９Ｄ）と合体機関噴射部（７７Ｌ）を分離して飛行尾翼（３８ｃ）の翼前縁吸入口（３８ｅ）より飛行圧縮空気を吸入する各種エネルギ保存サイクル合体機関。
【請求項１４２３】
外部をＮ極とした磁化圧縮水を使用する合体機関飛行機（３８Ａ）に合体機関燃焼部（２９Ｅ）と合体機関噴射部（７７Ｌ）を分離して飛行尾翼（３８ｃ）の翼前縁吸入口（３８ｅ）より飛行圧縮空気を吸入する各種エネルギ保存サイクル合体機関。
【請求項１４２４】
外部をＮ極とした磁化圧縮水を使用する合体機関飛行機（３８Ａ）に合体機関燃焼部（２９Ｆ）と合体機関噴射部（７７Ｌ）を分離して飛行尾翼（３８ｃ）の翼前縁吸入口（３８ｅ）より飛行圧縮空気を吸入する各種エネルギ保存サイクル合体機関。
【請求項１４２５】
外部をＮ極とした磁化圧縮水を使用する合体機関飛行機（３８Ａ）に合体機関燃焼部（２９Ｇ）と合体機関噴射部（７７Ｌ）を分離して飛行尾翼（３８ｃ）の翼前縁吸入口（３８ｅ）より飛行圧縮空気を吸入する各種エネルギ保存サイクル合体機関。
【請求項１４２６】
外部をＮ極とした磁化圧縮水を使用する合体機関飛行機（３８Ａ）に合体機関燃焼部（２９Ｈ）と合体機関噴射部（７７Ｌ）を分離して飛行尾翼（３８ｃ）の翼前縁吸入口（３８ｅ）より飛行圧縮空気を吸入する各種エネルギ保存サイクル合体機関。
【請求項１４２７】
外部をＮ極とした磁化圧縮水を使用する合体機関飛行機（３８Ａ）に合体機関燃焼部（２９Ａ）と合体機関噴射部（７７Ｋ）を分離して飛行翼（３８ｂ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４２８】
外部をＮ極とした磁化圧縮水を使用する合体機関飛行機（３８Ａ）に合体機関燃焼部（２９Ｂ）と合体機関噴射部（７７Ｋ）を分離して飛行翼（３８ｂ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４２９】
外部をＮ極とした磁化圧縮水を使用する合体機関飛行機（３８Ａ）に合体機関燃焼部（２９Ｃ）と合体機関噴射部（７７Ｋ）を分離して飛行翼（３８ｂ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４３０】
外部をＮ極とした磁化圧縮水を使用する合体機関飛行機（３８Ａ）に合体機関燃焼部（２９Ｄ）と合体機関噴射部（７７Ｋ）を分離して飛行翼（３８ｂ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４３１】
外部をＮ極とした磁化圧縮水を使用する合体機関飛行機（３８Ａ）に合体機関燃焼部（２９Ｅ）と合体機関噴射部（７７Ｋ）を分離して飛行翼（３８ｂ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４３２】
外部をＮ極とした磁化圧縮水を使用する合体機関飛行機（３８Ａ）に合体機関燃焼部（２９Ｆ）と合体機関噴射部（７７Ｋ）を分離して飛行翼（３８ｂ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４３３】
外部をＮ極とした磁化圧縮水を使用する合体機関飛行機（３８Ａ）に合体機関燃焼部（２９Ｇ）と合体機関噴射部（７７Ｋ）を分離して飛行翼（３８ｂ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４３４】
外部をＮ極とした磁化圧縮水を使用する合体機関飛行機（３８Ａ）に合体機関燃焼部（２９Ｈ）と合体機関噴射部（７７Ｋ）を分離して飛行翼（３８ｂ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４３５】
外部をＮ極とした磁化圧縮水を使用する合体機関飛行機（３８Ａ）に合体機関燃焼部（２９Ａ）と合体機関噴射部（７７Ｌ）を分離して飛行翼（３８ｂ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４３６】
外部をＮ極とした磁化圧縮水を使用する合体機関飛行機（３８Ａ）に合体機関燃焼部（２９Ｂ）と合体機関噴射部（７７Ｌ）を分離して飛行翼（３８ｂ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４３７】
外部をＮ極とした磁化圧縮水を使用する合体機関飛行機（３８Ａ）に合体機関燃焼部（２９Ｃ）と合体機関噴射部（７７Ｌ）を分離して飛行翼（３８ｂ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４３８】
外部をＮ極とした磁化圧縮水を使用する合体機関飛行機（３８Ａ）に合体機関燃焼部（２９Ｄ）と合体機関噴射部（７７Ｌ）を分離して飛行翼（３８ｂ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４３９】
外部をＮ極とした磁化圧縮水を使用する合体機関飛行機（３８Ａ）に合体機関燃焼部（２９Ｅ）と合体機関噴射部（７７Ｌ）を分離して飛行翼（３８ｂ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４４０】
外部をＮ極とした磁化圧縮水を使用する合体機関飛行機（３８Ａ）に合体機関燃焼部（２９Ｆ）と合体機関噴射部（７７Ｌ）を分離して飛行翼（３８ｂ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４４１】
外部をＮ極とした磁化圧縮水を使用する合体機関飛行機（３８Ａ）に合体機関燃焼部（２９Ｇ）と合体機関噴射部（７７Ｌ）を分離して飛行翼（３８ｂ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４４２】
外部をＮ極とした磁化圧縮水を使用する合体機関飛行機（３８Ａ）に合体機関燃焼部（２９Ｈ）と合体機関噴射部（７７Ｌ）を分離して飛行翼（３８ｂ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４４３】
外部をＮ極とした磁化圧縮水を使用する合体機関飛行機（３８Ａ）に合体機関燃焼部（２９Ａ）と合体機関噴射部（７７Ｋ）を分離して飛行尾翼（３８ｃ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４４４】
外部をＮ極とした磁化圧縮水を使用する合体機関飛行機（３８Ａ）に合体機関燃焼部（２９Ｂ）と合体機関噴射部（７７Ｋ）を分離して飛行尾翼（３８ｃ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４４５】
外部をＮ極とした磁化圧縮水を使用する合体機関飛行機（３８Ａ）に合体機関燃焼部（２９Ｃ）と合体機関噴射部（７７Ｋ）を分離して飛行尾翼（３８ｃ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４４６】
外部をＮ極とした磁化圧縮水を使用する合体機関飛行機（３８Ａ）に合体機関燃焼部（２９Ｄ）と合体機関噴射部（７７Ｋ）を分離して飛行尾翼（３８ｃ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４４７】
外部をＮ極とした磁化圧縮水を使用する合体機関飛行機（３８Ａ）に合体機関燃焼部（２９Ｅ）と合体機関噴射部（７７Ｋ）を分離して飛行尾翼（３８ｃ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４４８】
外部をＮ極とした磁化圧縮水を使用する合体機関飛行機（３８Ａ）に合体機関燃焼部（２９Ｆ）と合体機関噴射部（７７Ｋ）を分離して飛行尾翼（３８ｃ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４４９】
外部をＮ極とした磁化圧縮水を使用する合体機関飛行機（３８Ａ）に合体機関燃焼部（２９Ｇ）と合体機関噴射部（７７Ｋ）を分離して飛行尾翼（３８ｃ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４５０】
外部をＮ極とした磁化圧縮水を使用する合体機関飛行機（３８Ａ）に合体機関燃焼部（２９Ｈ）と合体機関噴射部（７７Ｋ）を分離して飛行尾翼（３８ｃ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４５１】
外部をＮ極とした磁化圧縮水を使用する合体機関飛行機（３８Ａ）に合体機関燃焼部（２９Ａ）と合体機関噴射部（７７Ｌ）を分離して飛行尾翼（３８ｃ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４５２】
外部をＮ極とした磁化圧縮水を使用する合体機関飛行機（３８Ａ）に合体機関燃焼部（２９Ｂ）と合体機関噴射部（７７Ｌ）を分離して飛行尾翼（３８ｃ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４５３】
外部をＮ極とした磁化圧縮水を使用する合体機関飛行機（３８Ａ）に合体機関燃焼部（２９Ｃ）と合体機関噴射部（７７Ｌ）を分離して飛行尾翼（３８ｃ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４５４】
外部をＮ極とした磁化圧縮水を使用する合体機関飛行機（３８Ａ）に合体機関燃焼部（２９Ｄ）と合体機関噴射部（７７Ｌ）を分離して飛行尾翼（３８ｃ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４５５】
外部をＮ極とした磁化圧縮水を使用する合体機関飛行機（３８Ａ）に合体機関燃焼部（２９Ｅ）と合体機関噴射部（７７Ｌ）を分離して飛行尾翼（３８ｃ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４５６】
外部をＮ極とした磁化圧縮水を使用する合体機関飛行機（３８Ａ）に合体機関燃焼部（２９Ｆ）と合体機関噴射部（７７Ｌ）を分離して飛行尾翼（３８ｃ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４５７】
外部をＮ極とした磁化圧縮水を使用する合体機関飛行機（３８Ａ）に合体機関燃焼部（２９Ｇ）と合体機関噴射部（７７Ｌ）を分離して飛行尾翼（３８ｃ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４５８】
外部をＮ極とした磁化圧縮水を使用する合体機関飛行機（３８Ａ）に合体機関燃焼部（２９Ｈ）と合体機関噴射部（７７Ｌ）を分離して飛行尾翼（３８ｃ）の翼前縁吸入口（３８ｅ）より飛行圧縮空気を吸入圧縮して限り無く高圧燃焼長時間熱交換冷却燃焼する各種エネルギ保存サイクル合体機関。
【請求項１４５９】
外部をＮ極とした磁化圧縮水を使用する合体機関燃焼部（２９Ａ）により限り無く高圧燃焼長時間熱交換冷却燃焼して過熱蒸気爆発力＋燃焼ガス爆発力に分割する各種エネルギ保存サイクル合体機関。
【請求項１４６０】
外部をＮ極とした磁化圧縮水を使用する合体機関燃焼部（２９Ｂ）により限り無く高圧燃焼長時間熱交換冷却燃焼して過熱蒸気爆発力＋燃焼ガス爆発力に分割する各種エネルギ保存サイクル合体機関。
【請求項１４６１】
外部をＮ極とした磁化圧縮水を使用する合体機関燃焼部（２９Ｃ）により限り無く高圧燃焼長時間熱交換冷却燃焼して過熱蒸気爆発力＋燃焼ガス爆発力に分割する各種エネルギ保存サイクル合体機関。
【請求項１４６２】
外部をＮ極とした磁化圧縮水を使用する合体機関燃焼部（２９Ｄ）により限り無く高圧燃焼長時間熱交換冷却燃焼して過熱蒸気爆発力＋燃焼ガス爆発力に分割する各種エネルギ保存サイクル合体機関。
【請求項１４６３】
外部をＮ極とした磁化圧縮水を使用する合体機関燃焼部（２９Ｅ）により限り無く高圧燃焼長時間熱交換冷却燃焼して過熱蒸気爆発力＋燃焼ガス爆発力に分割する各種エネルギ保存サイクル合体機関。
【請求項１４６４】
外部をＮ極とした磁化圧縮水を使用する合体機関燃焼部（２９Ｆ）により限り無く高圧燃焼長時間熱交換冷却燃焼して過熱蒸気爆発力＋燃焼ガス爆発力に分割する各種エネルギ保存サイクル合体機関。
【請求項１４６５】
外部をＮ極とした磁化圧縮水を使用する合体機関燃焼部（２９Ｇ）により限り無く高圧燃焼長時間熱交換冷却燃焼して過熱蒸気爆発力＋燃焼ガス爆発力に分割する各種エネルギ保存サイクル合体機関。
【請求項１４６６】
外部をＮ極とした磁化圧縮水を使用する合体機関燃焼部（２９Ｈ）により限り無く高圧燃焼長時間熱交換冷却燃焼して過熱蒸気爆発力＋燃焼ガス爆発力に分割する各種エネルギ保存サイクル合体機関。
【請求項１４６７】
外部をＮ極とした磁化圧縮水を使用する合体機関燃焼部（２９Ａ）と合体機関噴射部（７７Ｋ）を分離して限り無く高圧燃焼長時間熱交換冷却燃焼して過熱蒸気爆発力＋燃焼ガス爆発力に分割する各種エネルギ保存サイクル合体機関。
【請求項１４６８】
外部をＮ極とした磁化圧縮水を使用する合体機関燃焼部（２９Ｂ）と合体機関噴射部（７７Ｋ）を分離して限り無く高圧燃焼長時間熱交換冷却燃焼して過熱蒸気爆発力＋燃焼ガス爆発力に分割する各種エネルギ保存サイクル合体機関。
【請求項１４６９】
外部をＮ極とした磁化圧縮水を使用する合体機関燃焼部（２９Ｃ）と合体機関噴射部（７７Ｋ）を分離して限り無く高圧燃焼長時間熱交換冷却燃焼して過熱蒸気爆発力＋燃焼ガス爆発力に分割する各種エネルギ保存サイクル合体機関。
【請求項１４７０】
外部をＮ極とした磁化圧縮水を使用する合体機関燃焼部（２９Ｄ）と合体機関噴射部（７７Ｋ）を分離して限り無く高圧燃焼長時間熱交換冷却燃焼して過熱蒸気爆発力＋燃焼ガス爆発力に分割する各種エネルギ保存サイクル合体機関。
【請求項１４７１】
外部をＮ極とした磁化圧縮水を使用する合体機関燃焼部（２９Ｅ）と合体機関噴射部（７７Ｋ）を分離して限り無く高圧燃焼長時間熱交換冷却燃焼して過熱蒸気爆発力＋燃焼ガス爆発力に分割する各種エネルギ保存サイクル合体機関。
【請求項１４７２】
外部をＮ極とした磁化圧縮水を使用する合体機関燃焼部（２９Ｆ）と合体機関噴射部（７７Ｋ）を分離して限り無く高圧燃焼長時間熱交換冷却燃焼して過熱蒸気爆発力＋燃焼ガス爆発力に分割する各種エネルギ保存サイクル合体機関。
【請求項１４７３】
外部をＮ極とした磁化圧縮水を使用する合体機関燃焼部（２９Ｇ）と合体機関噴射部（７７Ｋ）を分離して限り無く高圧燃焼長時間熱交換冷却燃焼して過熱蒸気爆発力＋燃焼ガス爆発力に分割する各種エネルギ保存サイクル合体機関。
【請求項１４７４】
外部をＮ極とした磁化圧縮水を使用する合体機関燃焼部（２９Ｈ）と合体機関噴射部（７７Ｋ）を分離して限り無く高圧燃焼長時間熱交換冷却燃焼して過熱蒸気爆発力＋燃焼ガス爆発力に分割する各種エネルギ保存サイクル合体機関。
【請求項１４７５】
外部をＮ極とした磁化圧縮水を使用する合体機関燃焼部（２９Ａ）と合体機関噴射部（７７Ｌ）を分離して限り無く高圧燃焼長時間熱交換冷却燃焼して過熱蒸気爆発力＋燃焼ガス爆発力に分割する各種エネルギ保存サイクル合体機関。
【請求項１４７６】
外部をＮ極とした磁化圧縮水を使用する合体機関燃焼部（２９Ｂ）と合体機関噴射部（７７Ｌ）を分離して限り無く高圧燃焼長時間熱交換冷却燃焼して過熱蒸気爆発力＋燃焼ガス爆発力に分割する各種エネルギ保存サイクル合体機関。
【請求項１４７７】
外部をＮ極とした磁化圧縮水を使用する合体機関燃焼部（２９Ｃ）と合体機関噴射部（７７Ｌ）を分離して限り無く高圧燃焼長時間熱交換冷却燃焼して過熱蒸気爆発力＋燃焼ガス爆発力に分割する各種エネルギ保存サイクル合体機関。
【請求項１４７８】
外部をＮ極とした磁化圧縮水を使用する合体機関燃焼部（２９Ｄ）と合体機関噴射部（７７Ｌ）を分離して限り無く高圧燃焼長時間熱交換冷却燃焼して過熱蒸気爆発力＋燃焼ガス爆発力に分割する各種エネルギ保存サイクル合体機関。
【請求項１４７９】
外部をＮ極とした磁化圧縮水を使用する合体機関燃焼部（２９Ｅ）と合体機関噴射部（７７Ｌ）を分離して限り無く高圧燃焼長時間熱交換冷却燃焼して過熱蒸気爆発力＋燃焼ガス爆発力に分割する各種エネルギ保存サイクル合体機関。
【請求項１４８０】
外部をＮ極とした磁化圧縮水を使用する合体機関燃焼部（２９Ｆ）と合体機関噴射部（７７Ｌ）を分離して限り無く高圧燃焼長時間熱交換冷却燃焼して過熱蒸気爆発力＋燃焼ガス爆発力に分割する各種エネルギ保存サイクル合体機関。
【請求項１４８１】
外部をＮ極とした磁化圧縮水を使用する合体機関燃焼部（２９Ｇ）と合体機関噴射部（７７Ｌ）を分離して限り無く高圧燃焼長時間熱交換冷却燃焼して過熱蒸気爆発力＋燃焼ガス爆発力に分割する各種エネルギ保存サイクル合体機関。
【請求項１４８２】
外部をＮ極とした磁化圧縮水を使用する合体機関燃焼部（２９Ｈ）と合体機関噴射部（７７Ｌ）を分離して限り無く高圧燃焼長時間熱交換冷却燃焼して過熱蒸気爆発力＋燃焼ガス爆発力に分割する各種エネルギ保存サイクル合体機関。
【請求項１４８３】
外部をＮ極とした磁化圧縮水を使用する合体機関燃焼部（２９Ａ）により限り無く高圧燃焼長時間熱交換冷却燃焼して過熱蒸気爆発力＋燃焼ガス爆発力に分割して使用する各種エネルギ保存サイクル合体機関。
【請求項１４８４】
外部をＮ極とした磁化圧縮水を使用する合体機関燃焼部（２９Ｂ）により限り無く高圧燃焼長時間熱交換冷却燃焼して過熱蒸気爆発力＋燃焼ガス爆発力に分割して使用する各種エネルギ保存サイクル合体機関。
【請求項１４８５】
外部をＮ極とした磁化圧縮水を使用する合体機関燃焼部（２９Ｃ）により限り無く高圧燃焼長時間熱交換冷却燃焼して過熱蒸気爆発力＋燃焼ガス爆発力に分割して使用する各種エネルギ保存サイクル合体機関。
【請求項１４８６】
外部をＮ極とした磁化圧縮水を使用する合体機関燃焼部（２９Ｄ）により限り無く高圧燃焼長時間熱交換冷却燃焼して過熱蒸気爆発力＋燃焼ガス爆発力に分割して使用する各種エネルギ保存サイクル合体機関。
【請求項１４８７】
外部をＮ極とした磁化圧縮水を使用する合体機関燃焼部（２９Ｅ）により限り無く高圧燃焼長時間熱交換冷却燃焼して過熱蒸気爆発力＋燃焼ガス爆発力に分割して使用する各種エネルギ保存サイクル合体機関。
【請求項１４８８】
外部をＮ極とした磁化圧縮水を使用する合体機関燃焼部（２９Ｆ）により限り無く高圧燃焼長時間熱交換冷却燃焼して過熱蒸気爆発力＋燃焼ガス爆発力に分割して使用する各種エネルギ保存サイクル合体機関。
【請求項１４８９】
外部をＮ極とした磁化圧縮水を使用する合体機関燃焼部（２９Ｇ）により限り無く高圧燃焼長時間熱交換冷却燃焼して過熱蒸気爆発力＋燃焼ガス爆発力に分割して使用する各種エネルギ保存サイクル合体機関。
【請求項１４９０】
外部をＮ極とした磁化圧縮水を使用する合体機関燃焼部（２９Ｈ）により限り無く高圧燃焼長時間熱交換冷却燃焼して過熱蒸気爆発力＋燃焼ガス爆発力に分割して使用する各種エネルギ保存サイクル合体機関。
【請求項１４９１】
外部をＮ極とした磁化圧縮水を使用する合体機関燃焼部（２９Ａ）と合体機関噴射部（７７Ｋ）を分離して限り無く高圧燃焼長時間熱交換冷却燃焼して過熱蒸気爆発力＋燃焼ガス爆発力に分割して使用する各種エネルギ保存サイクル合体機関。
【請求項１４９２】
外部をＮ極とした磁化圧縮水を使用する合体機関燃焼部（２９Ｂ）と合体機関噴射部（７７Ｋ）を分離して限り無く高圧燃焼長時間熱交換冷却燃焼して過熱蒸気爆発力＋燃焼ガス爆発力に分割して使用する各種エネルギ保存サイクル合体機関。
【請求項１４９３】
外部をＮ極とした磁化圧縮水を使用する合体機関燃焼部（２９Ｃ）と合体機関噴射部（７７Ｋ）を分離して限り無く高圧燃焼長時間熱交換冷却燃焼して過熱蒸気爆発力＋燃焼ガス爆発力に分割して使用する各種エネルギ保存サイクル合体機関。
【請求項１４９４】
外部をＮ極とした磁化圧縮水を使用する合体機関燃焼部（２９Ｄ）と合体機関噴射部（７７Ｋ）を分離して限り無く高圧燃焼長時間熱交換冷却燃焼して過熱蒸気爆発力＋燃焼ガス爆発力に分割して使用する各種エネルギ保存サイクル合体機関。
【請求項１４９５】
外部をＮ極とした磁化圧縮水を使用する合体機関燃焼部（２９Ｅ）と合体機関噴射部（７７Ｋ）を分離して限り無く高圧燃焼長時間熱交換冷却燃焼して過熱蒸気爆発力＋燃焼ガス爆発力に分割して使用する各種エネルギ保存サイクル合体機関。
【請求項１４９６】
外部をＮ極とした磁化圧縮水を使用する合体機関燃焼部（２９Ｆ）と合体機関噴射部（７７Ｋ）を分離して限り無く高圧燃焼長時間熱交換冷却燃焼して過熱蒸気爆発力＋燃焼ガス爆発力に分割して使用する各種エネルギ保存サイクル合体機関。
【請求項１４９７】
外部をＮ極とした磁化圧縮水を使用する合体機関燃焼部（２９Ｇ）と合体機関噴射部（７７Ｋ）を分離して限り無く高圧燃焼長時間熱交換冷却燃焼して過熱蒸気爆発力＋燃焼ガス爆発力に分割して使用する各種エネルギ保存サイクル合体機関。
【請求項１４９８】
外部をＮ極とした磁化圧縮水を使用する合体機関燃焼部（２９Ｈ）と合体機関噴射部（７７Ｋ）を分離して限り無く高圧燃焼長時間熱交換冷却燃焼して過熱蒸気爆発力＋燃焼ガス爆発力に分割して使用する各種エネルギ保存サイクル合体機関。
【請求項１４９９】
外部をＮ極とした磁化圧縮水を使用する合体機関燃焼部（２９Ａ）と合体機関噴射部（７７Ｌ）を分離して限り無く高圧燃焼長時間熱交換冷却燃焼して過熱蒸気爆発力＋燃焼ガス爆発力に分割して使用する各種エネルギ保存サイクル合体機関。
【請求項１５００】
外部をＮ極とした磁化圧縮水を使用する合体機関燃焼部（２９Ｂ）と合体機関噴射部（７７Ｌ）を分離して限り無く高圧燃焼長時間熱交換冷却燃焼して過熱蒸気爆発力＋燃焼ガス爆発力に分割して使用する各種エネルギ保存サイクル合体機関。
【請求項１５０１】
外部をＮ極とした磁化圧縮水を使用する合体機関燃焼部（２９Ｃ）と合体機関噴射部（７７Ｌ）を分離して限り無く高圧燃焼長時間熱交換冷却燃焼して過熱蒸気爆発力＋燃焼ガス爆発力に分割して使用する各種エネルギ保存サイクル合体機関。
【請求項１５０２】
外部をＮ極とした磁化圧縮水を使用する合体機関燃焼部（２９Ｄ）と合体機関噴射部（７７Ｌ）を分離して限り無く高圧燃焼長時間熱交換冷却燃焼して過熱蒸気爆発力＋燃焼ガス爆発力に分割して使用する各種エネルギ保存サイクル合体機関。
【請求項１５０３】
外部をＮ極とした磁化圧縮水を使用する合体機関燃焼部（２９Ｅ）と合体機関噴射部（７７Ｌ）を分離して限り無く高圧燃焼長時間熱交換冷却燃焼して過熱蒸気爆発力＋燃焼ガス爆発力に分割して使用する各種エネルギ保存サイクル合体機関。
【請求項１５０４】
外部をＮ極とした磁化圧縮水を使用する合体機関燃焼部（２９Ｆ）と合体機関噴射部（７７Ｌ）を分離して限り無く高圧燃焼長時間熱交換冷却燃焼して過熱蒸気爆発力＋燃焼ガス爆発力に分割して使用する各種エネルギ保存サイクル合体機関。
【請求項１５０５】
外部をＮ極とした磁化圧縮水を使用する合体機関燃焼部（２９Ｇ）と合体機関噴射部（７７Ｌ）を分離して限り無く高圧燃焼長時間熱交換冷却燃焼して過熱蒸気爆発力＋燃焼ガス爆発力に分割して使用する各種エネルギ保存サイクル合体機関。
【請求項１５０６】
外部をＮ極とした磁化圧縮水を使用する合体機関燃焼部（２９Ｈ）と合体機関噴射部（７７Ｌ）を分離して限り無く高圧燃焼長時間熱交換冷却燃焼して過熱蒸気爆発力＋燃焼ガス爆発力に分割して使用する各種エネルギ保存サイクル合体機関。
【請求項１５０７】
過熱蒸気爆発力＋燃焼ガス爆発力により、外部をＮ極とした磁化圧縮水を使用する合体機関飛行機（３８Ａ）の合体機関噴射部（７７Ｋ）を駆動する各種エネルギ保存サイクル合体機関。
【請求項１５０８】
過熱蒸気爆発力＋燃焼ガス爆発力により、外部をＮ極とした磁化圧縮水を使用する合体機関飛行機（３８Ａ）の合体機関噴射部（７７Ｌ）を駆動する各種エネルギ保存サイクル合体機関。
【請求項１５０９】
過熱蒸気爆発力＋燃焼ガス爆発力により、外部をＮ極とした磁化圧縮水を使用する空気噴射船舶（３８Ｂ）の合体機関噴射部（７７Ｋ）を駆動する各種エネルギ保存サイクル合体機関。
【請求項１５１０】
過熱蒸気爆発力＋燃焼ガス爆発力により、外部をＮ極とした磁化圧縮水を使用する空気噴射船舶（３８Ｂ）の合体機関噴射部（７７Ｌ）を駆動する各種エネルギ保存サイクル合体機関。
【請求項１５１１】
過熱蒸気爆発力＋燃焼ガス爆発力により、外部をＮ極とした磁化圧縮水を使用する水噴射船舶（３８Ｃ）のウォータージェット（７７Ｍ）を駆動する各種エネルギ保存サイクル合体機関。
【請求項１５１２】
過熱蒸気爆発力＋燃焼ガス爆発力により、外部をＮ極とした磁化圧縮水を使用する水噴射船舶（３８Ｃ）のウォータージェット（７７Ｎ）を駆動する各種エネルギ保存サイクル合体機関。
【請求項１５１３】
過熱蒸気爆発力＋燃焼ガス爆発力により、外部をＮ極とした磁化圧縮水を使用する合体機関飛行機（３８Ａ）の合体機関噴射部（７７Ｋ）を駆動する各種エネルギ保存サイクル合体機関。
【請求項１５１４】
過熱蒸気爆発力＋燃焼ガス爆発力により、外部をＮ極とした磁化圧縮水を使用する合体機関飛行機（３８Ａ）の合体機関噴射部（７７Ｌ）を駆動する各種エネルギ保存サイクル合体機関。
【請求項１５１５】
過熱蒸気爆発力＋燃焼ガス爆発力により、外部をＮ極とした磁化圧縮水を使用する空気噴射船舶（３８Ｂ）の合体機関噴射部（７７Ｋ）を駆動する各種エネルギ保存サイクル合体機関。
【請求項１５１６】
過熱蒸気爆発力＋燃焼ガス爆発力により、外部をＮ極とした磁化圧縮水を使用する空気噴射船舶（３８Ｂ）の合体機関噴射部（７７Ｌ）を駆動する各種エネルギ保存サイクル合体機関。
【請求項１５１７】
過熱蒸気爆発力＋燃焼ガス爆発力により、外部をＮ極とした磁化圧縮水を使用する水噴射船舶（３８Ｃ）のウォータージェット（７７Ｍ）を駆動する各種エネルギ保存サイクル合体機関。
【請求項１５１８】
過熱蒸気爆発力＋燃焼ガス爆発力により、外部をＮ極とした磁化圧縮水を使用する水噴射船舶（３８Ｃ）のウォータージェット（７７Ｎ）を駆動する各種エネルギ保存サイクル合体機関。
【請求項１５１９】
過熱蒸気爆発力＋燃焼ガス爆発力により、外部をＮ極とした磁化圧縮水を使用する合体機関飛行機（３８Ａ）の合体機関噴射部（７７Ｋ）を駆動して前方の空気を吸引噴射する各種エネルギ保存サイクル合体機関。
【請求項１５２０】
過熱蒸気爆発力＋燃焼ガス爆発力により、外部をＮ極とした磁化圧縮水を使用する合体機関飛行機（３８Ａ）の合体機関噴射部（７７Ｌ）を駆動して前方の空気を吸引噴射する各種エネルギ保存サイクル合体機関。
【請求項１５２１】
過熱蒸気爆発力＋燃焼ガス爆発力により、外部をＮ極とした磁化圧縮水を使用する合体機関飛行機（３８Ａ）の合体機関噴射部（７７Ｋ）を駆動して前方の真空を吸引噴射する各種エネルギ保存サイクル合体機関。
【請求項１５２２】
過熱蒸気爆発力＋燃焼ガス爆発力により、外部をＮ極とした磁化圧縮水を使用する合体機関飛行機（３８Ａ）の合体機関噴射部（７７Ｌ）を駆動して前方の真空を吸引噴射する各種エネルギ保存サイクル合体機関。
【請求項１５２３】
過熱蒸気爆発力＋燃焼ガス爆発力により、外部をＮ極とした磁化圧縮水を使用する空気噴射船舶（３８Ｂ）の合体機関噴射部（７７Ｋ）を駆動して上前方の空気を吸引して船底下後方に噴射する各種エネルギ保存サイクル合体機関。
【請求項１５２４】
過熱蒸気爆発力＋燃焼ガス爆発力により、外部をＮ極とした磁化圧縮水を使用する空気噴射船舶（３８Ｂ）の合体機関噴射部（７７Ｌ）を駆動して上前方の空気を吸引して船底下後方に噴射する各種エネルギ保存サイクル合体機関。
【請求項１５２５】
過熱蒸気爆発力＋燃焼ガス爆発力により、外部をＮ極とした磁化圧縮水を使用する水噴射船舶（３８Ｃ）のウォータージェット（７７Ｍ）を駆動して船底前方の水を吸引して船底後方に噴射する各種エネルギ保存サイクル合体機関。
【請求項１５２６】
過熱蒸気爆発力＋燃焼ガス爆発力により、外部をＮ極とした磁化圧縮水を使用する水噴射船舶（３８Ｃ）のウォータージェット（７７Ｎ）を駆動して船底前方の水を吸引して船底後方に噴射する各種エネルギ保存サイクル合体機関。
【請求項１５２７】
過熱蒸気爆発力＋燃焼ガス爆発力により、外部をＮ極とした磁化圧縮水を使用する合体機関飛行機（３８Ａ）の合体機関噴射部（７７Ｋ）を駆動して前方の空気を吸引噴射する各種エネルギ保存サイクル合体機関。
【請求項１５２８】
過熱蒸気爆発力＋燃焼ガス爆発力により、外部をＮ極とした磁化圧縮水を使用する合体機関飛行機（３８Ａ）の合体機関噴射部（７７Ｌ）を駆動して前方の空気を吸引噴射する各種エネルギ保存サイクル合体機関。
【請求項１５２９】
過熱蒸気爆発力＋燃焼ガス爆発力により、外部をＮ極とした磁化圧縮水を使用する合体機関飛行機（３８Ａ）の合体機関噴射部（７７Ｋ）を駆動して前方の真空を吸引噴射する各種エネルギ保存サイクル合体機関。
【請求項１５３０】
過熱蒸気爆発力＋燃焼ガス爆発力により、外部をＮ極とした磁化圧縮水を使用する合体機関飛行機（３８Ａ）の合体機関噴射部（７７Ｌ）を駆動して前方の真空を吸引噴射する各種エネルギ保存サイクル合体機関。
【請求項１５３１】
過熱蒸気爆発力＋燃焼ガス爆発力により、外部をＮ極とした磁化圧縮水を使用する空気噴射船舶（３８Ｂ）の合体機関噴射部（７７Ｋ）を駆動して上前方の空気を吸引して船底下後方に噴射する各種エネルギ保存サイクル合体機関。
【請求項１５３２】
過熱蒸気爆発力＋燃焼ガス爆発力により、外部をＮ極とした磁化圧縮水を使用する空気噴射船舶（３８Ｂ）の合体機関噴射部（７７Ｌ）を駆動して上前方の空気を吸引して船底下後方に噴射する各種エネルギ保存サイクル合体機関。
【請求項１５３３】
過熱蒸気爆発力＋燃焼ガス爆発力により、外部をＮ極とした磁化圧縮水を使用する水噴射船舶（３８Ｃ）のウォータージェット（７７Ｍ）を駆動して船底前方の水を吸引して船底後方に噴射する各種エネルギ保存サイクル合体機関。
【請求項１５３４】
過熱蒸気爆発力＋燃焼ガス爆発力により、外部をＮ極とした磁化圧縮水を使用する水噴射船舶（３８Ｃ）のウォータージェット（７７Ｎ）を駆動して船底前方の水を吸引して船底後方に噴射する各種エネルギ保存サイクル合体機関。
【請求項１５３５】
過熱蒸気爆発力＋燃焼ガス爆発力により、外部をＮ極とした磁化圧縮水を使用する合体機関飛行機（３８Ａ）の合体機関噴射部（７７Ｋ）を駆動して前方の空気を吸引噴射して噴射推進する各種エネルギ保存サイクル合体機関。
【請求項１５３６】
過熱蒸気爆発力＋燃焼ガス爆発力により、外部をＮ極とした磁化圧縮水を使用する合体機関飛行機（３８Ａ）の合体機関噴射部（７７Ｌ）を駆動して前方の空気を吸引噴射して噴射推進する各種エネルギ保存サイクル合体機関。
【請求項１５３７】
過熱蒸気爆発力＋燃焼ガス爆発力により、外部をＮ極とした磁化圧縮水を使用する合体機関飛行機（３８Ａ）の合体機関噴射部（７７Ｋ）を駆動して前方の真空を吸引噴射して噴射推進する各種エネルギ保存サイクル合体機関。
【請求項１５３８】
過熱蒸気爆発力＋燃焼ガス爆発力により、外部をＮ極とした磁化圧縮水を使用する合体機関飛行機（３８Ａ）の合体機関噴射部（７７Ｌ）を駆動して前方の真空を吸引噴射して噴射推進する各種エネルギ保存サイクル合体機関。
【請求項１５３９】
過熱蒸気爆発力＋燃焼ガス爆発力により、外部をＮ極とした磁化圧縮水を使用する空気噴射船舶（３８Ｂ）の合体機関噴射部（７７Ｋ）を駆動して上前方の空気を吸引して船底下後方に噴射して噴射空圧飛行推進する各種エネルギ保存サイクル合体機関。
【請求項１５４０】
過熱蒸気爆発力＋燃焼ガス爆発力により、外部をＮ極とした磁化圧縮水を使用する空気噴射船舶（３８Ｂ）の合体機関噴射部（７７Ｌ）を駆動して上前方の空気を吸引して船底下後方に噴射して噴射空圧飛行推進する各種エネルギ保存サイクル合体機関。
【請求項１５４１】
過熱蒸気爆発力＋燃焼ガス爆発力により、外部をＮ極とした磁化圧縮水を使用する水噴射船舶（３８Ｃ）のウォータージェット（７７Ｍ）を駆動して船底前方の水を吸引して船底後方に噴射して水噴射浮上推進する各種エネルギ保存サイクル合体機関。
【請求項１５４２】
過熱蒸気爆発力＋燃焼ガス爆発力により、外部をＮ極とした磁化圧縮水を使用する水噴射船舶（３８Ｃ）のウォータージェット（７７Ｎ）を駆動して船底前方の水を吸引して船底後方に噴射して水噴射浮上推進する各種エネルギ保存サイクル合体機関。
【請求項１５４３】
過熱蒸気爆発力＋燃焼ガス爆発力により、外部をＮ極とした磁化圧縮水を使用する合体機関飛行機（３８Ａ）の合体機関噴射部（７７Ｋ）を円筒回転部（７７Ｇ）により回転駆動して空気を吸引噴射し、垂直上昇垂直降下する各種エネルギ保存サイクル合体機関。
【請求項１５４４】
過熱蒸気爆発力＋燃焼ガス爆発力により、外部をＮ極とした磁化圧縮水を使用する合体機関飛行機（３８Ａ）の合体機関噴射部（７７Ｌ）を円筒回転部（７７Ｇ）により回転駆動して空気を吸引噴射し、垂直上昇垂直降下する各種エネルギ保存サイクル合体機関。
【請求項１５４５】
過熱蒸気爆発力＋燃焼ガス爆発力により、外部をＮ極とした磁化圧縮水を使用する合体機関飛行機（３８Ａ）の合体機関噴射部（７７Ｋ）を円筒回転部（７７Ｇ）により回転駆動して空気を吸引噴射し、垂直上昇垂直降下する各種エネルギ保存サイクル合体機関。
【請求項１５４６】
過熱蒸気爆発力＋燃焼ガス爆発力により、外部をＮ極とした磁化圧縮水を使用する合体機関飛行機（３８Ａ）の合体機関噴射部（７７Ｌ）を円筒回転部（７７Ｇ）により回転駆動して空気を吸引噴射し、垂直上昇垂直降下する各種エネルギ保存サイクル合体機関。
【請求項１５４７】
過熱蒸気爆発力＋燃焼ガス爆発力により、外部をＮ極とした磁化圧縮水を使用する空気噴射船舶（３８Ｂ）の合体機関噴射部（７７Ｋ）を駆動して上前方の空気を吸引して船底下後方に噴射し、飛行翼（３８ｂ）（３８ｃ）を含めて噴射空圧飛行推進する各種エネルギ保存サイクル合体機関。
【請求項１５４８】
過熱蒸気爆発力＋燃焼ガス爆発力により、外部をＮ極とした磁化圧縮水を使用する空気噴射船舶（３８Ｂ）の合体機関噴射部（７７Ｌ）を駆動して上前方の空気を吸引して船底下後方に噴射し、飛行翼（３８ｂ）（３８ｃ）を含めて噴射空圧飛行推進する各種エネルギ保存サイクル合体機関。
【請求項１５４９】
過熱蒸気爆発力＋燃焼ガス爆発力により、外部をＮ極とした磁化圧縮水を使用する水噴射船舶（３８Ｃ）のウォータージェット（７７Ｍ）を駆動して船底前方の水を吸引して船底後方に噴射し、水上翼（３８ｇ）の操作を含めて水噴射浮上推進する各種エネルギ保存サイクル合体機関。
【請求項１５５０】
過熱蒸気爆発力＋燃焼ガス爆発力により、外部をＮ極とした磁化圧縮水を使用する水噴射船舶（３８Ｃ）のウォータージェット（７７Ｎ）を駆動して船底前方の水を吸引して船底後方に噴射し、水上翼（３８ｇ）の操作を含めて水噴射浮上推進する各種エネルギ保存サイクル合体機関。
【請求項１５５１】
外部をＮ極とした磁化圧縮水を使用する空気噴射船舶（３８Ｂ）に合体機関燃焼部（２９Ａ）と合体機関噴射部（７７Ｋ）を分離して具備した各種エネルギ保存サイクル合体機関。
【請求項１５５２】
外部をＮ極とした磁化圧縮水を使用する空気噴射船舶（３８Ｂ）に合体機関燃焼部（２９Ｂ）と合体機関噴射部（７７Ｋ）を分離して具備した各種エネルギ保存サイクル合体機関。
【請求項１５５３】
外部をＮ極とした磁化圧縮水を使用する空気噴射船舶（３８Ｂ）に合体機関燃焼部（２９Ｃ）と合体機関噴射部（７７Ｋ）を分離して具備した各種エネルギ保存サイクル合体機関。
【請求項１５５４】
外部をＮ極とした磁化圧縮水を使用する空気噴射船舶（３８Ｂ）に合体機関燃焼部（２９Ｄ）と合体機関噴射部（７７Ｋ）を分離して具備した各種エネルギ保存サイクル合体機関。
【請求項１５５５】
外部をＮ極とした磁化圧縮水を使用する空気噴射船舶（３８Ｂ）に合体機関燃焼部（２９Ｅ）と合体機関噴射部（７７Ｋ）を分離して具備した各種エネルギ保存サイクル合体機関。
【請求項１５５６】
外部をＮ極とした磁化圧縮水を使用する空気噴射船舶（３８Ｂ）に合体機関燃焼部（２９Ｆ）と合体機関噴射部（７７Ｋ）を分離して具備した各種エネルギ保存サイクル合体機関。
【請求項１５５７】
外部をＮ極とした磁化圧縮水を使用する空気噴射船舶（３８Ｂ）に合体機関燃焼部（２９Ｇ）と合体機関噴射部（７７Ｋ）を分離して具備した各種エネルギ保存サイクル合体機関。
【請求項１５５８】
外部をＮ極とした磁化圧縮水を使用する空気噴射船舶（３８Ｂ）に合体機関燃焼部（２９Ｈ）と合体機関噴射部（７７Ｋ）を分離して具備した各種エネルギ保存サイクル合体機関。
【請求項１５５９】
外部をＮ極とした磁化圧縮水を使用する空気噴射船舶（３８Ｂ）に合体機関燃焼部（２９Ａ）と合体機関噴射部（７７Ｌ）を分離して具備した各種エネルギ保存サイクル合体機関。
【請求項１５６０】
外部をＮ極とした磁化圧縮水を使用する空気噴射船舶（３８Ｂ）に合体機関燃焼部（２９Ｂ）と合体機関噴射部（７７Ｌ）を分離して具備した各種エネルギ保存サイクル合体機関。
【請求項１５６１】
外部をＮ極とした磁化圧縮水を使用する空気噴射船舶（３８Ｂ）に合体機関燃焼部（２９Ｃ）と合体機関噴射部（７７Ｌ）を分離して具備した各種エネルギ保存サイクル合体機関。
【請求項１５６２】
外部をＮ極とした磁化圧縮水を使用する空気噴射船舶（３８Ｂ）に合体機関燃焼部（２９Ｄ）と合体機関噴射部（７７Ｌ）を分離して具備した各種エネルギ保存サイクル合体機関。
【請求項１５６３】
外部をＮ極とした磁化圧縮水を使用する空気噴射船舶（３８Ｂ）に合体機関燃焼部（２９Ｅ）と合体機関噴射部（７７Ｌ）を分離して具備した各種エネルギ保存サイクル合体機関。
【請求項１５６４】
外部をＮ極とした磁化圧縮水を使用する空気噴射船舶（３８Ｂ）に合体機関燃焼部（２９Ｆ）と合体機関噴射部（７７Ｌ）を分離して具備した各種エネルギ保存サイクル合体機関。
【請求項１５６５】
外部をＮ極とした磁化圧縮水を使用する空気噴射船舶（３８Ｂ）に合体機関燃焼部（２９Ｇ）と合体機関噴射部（７７Ｌ）を分離して具備した各種エネルギ保存サイクル合体機関。
【請求項１５６６】
外部をＮ極とした磁化圧縮水を使用する空気噴射船舶（３８Ｂ）に合体機関燃焼部（２９Ｈ）と合体機関噴射部（７７Ｌ）を分離して具備した各種エネルギ保存サイクル合体機関。
【請求項１５６７】
外部をＮ極とした磁化圧縮水を使用する空気噴射船舶（３８Ｂ）に合体機関燃焼部（２９Ａ）と合体機関噴射部（７７Ｋ）を分離して翼前縁吸入口（３８ｅ）より飛行圧縮空気を吸入する各種エネルギ保存サイクル合体機関。
【請求項１５６８】
外部をＮ極とした磁化圧縮水を使用する空気噴射船舶（３８Ｂ）に合体機関燃焼部（２９Ｂ）と合体機関噴射部（７７Ｋ）を分離して翼前縁吸入口（３８ｅ）より飛行圧縮空気を吸入する各種エネルギ保存サイクル合体機関。
【請求項１５６９】
外部をＮ極とした磁化圧縮水を使用する空気噴射船舶（３８Ｂ）に合体機関燃焼部（２９Ｃ）と合体機関噴射部（７７Ｋ）を分離して翼前縁吸入口（３８ｅ）より飛行圧縮空気を吸入する各種エネルギ保存サイクル合体機関。
【請求項１５７０】
外部をＮ極とした磁化圧縮水を使用する空気噴射船舶（３８Ｂ）に合体機関燃焼部（２９Ｄ）と合体機関噴射部（７７Ｋ）を分離して翼前縁吸入口（３８ｅ）より飛行圧縮空気を吸入する各種エネルギ保存サイクル合体機関。
【請求項１５７１】
外部をＮ極とした磁化圧縮水を使用する空気噴射船舶（３８Ｂ）に合体機関燃焼部（２９Ｅ）と合体機関噴射部（７７Ｋ）を分離して翼前縁吸入口（３８ｅ）より飛行圧縮空気を吸入する各種エネルギ保存サイクル合体機関。
【請求項１５７２】
外部をＮ極とした磁化圧縮水を使用する空気噴射船舶（３８Ｂ）に合体機関燃焼部（２９Ｆ）と合体機関噴射部（７７Ｋ）を分離して翼前縁吸入口（３８ｅ）より飛行圧縮空気を吸入する各種エネルギ保存サイクル合体機関。
【請求項１５７３】
外部をＮ極とした磁化圧縮水を使用する空気噴射船舶（３８Ｂ）に合体機関燃焼部（２９Ｇ）と合体機関噴射部（７７Ｋ）を分離して翼前縁吸入口（３８ｅ）より飛行圧縮空気を吸入する各種エネルギ保存サイクル合体機関。
【請求項１５７４】
外部をＮ極とした磁化圧縮水を使用する空気噴射船舶（３８Ｂ）に合体機関燃焼部（２９Ｈ）と合体機関噴射部（７７Ｋ）を分離して翼前縁吸入口（３８ｅ）より飛行圧縮空気を吸入する各種エネルギ保存サイクル合体機関。
【請求項１５７５】
外部をＮ極とした磁化圧縮水を使用する空気噴射船舶（３８Ｂ）に合体機関燃焼部（２９Ａ）と合体機関噴射部（７７Ｌ）を分離して翼前縁吸入口（３８ｅ）より飛行圧縮空気を吸入する各種エネルギ保存サイクル合体機関。
【請求項１５７６】
外部をＮ極とした磁化圧縮水を使用する空気噴射船舶（３８Ｂ）に合体機関燃焼部（２９Ｂ）と合体機関噴射部（７７Ｌ）を分離して翼前縁吸入口（３８ｅ）より飛行圧縮空気を吸入する各種エネルギ保存サイクル合体機関。
【請求項１５７７】
外部をＮ極とした磁化圧縮水を使用する空気噴射船舶（３８Ｂ）に合体機関燃焼部（２９Ｃ）と合体機関噴射部（７７Ｌ）を分離して翼前縁吸入口（３８ｅ）より飛行圧縮空気を吸入する各種エネルギ保存サイクル合体機関。
【請求項１５７８】
外部をＮ極とした磁化圧縮水を使用する空気噴射船舶（３８Ｂ）に合体機関燃焼部（２９Ｄ）と合体機関噴射部（７７Ｌ）を分離して翼前縁吸入口（３８ｅ）より飛行圧縮空気を吸入する各種エネルギ保存サイクル合体機関。
【請求項１５７９】
外部をＮ極とした磁化圧縮水を使用する空気噴射船舶（３８Ｂ）に合体機関燃焼部（２９Ｅ）と合体機関噴射部（７７Ｌ）を分離して翼前縁吸入口（３８ｅ）より飛行圧縮空気を吸入する各種エネルギ保存サイクル合体機関。
【請求項１５８０】
外部をＮ極とした磁化圧縮水を使用する空気噴射船舶（３８Ｂ）に合体機関燃焼部（２９Ｆ）と合体機関噴射部（７７Ｌ）を分離して翼前縁吸入口（３８ｅ）より飛行圧縮空気を吸入する各種エネルギ保存サイクル合体機関。
【請求項１５８１】
外部をＮ極とした磁化圧縮水を使用する空気噴射船舶（３８Ｂ）に合体機関燃焼部（２９Ｇ）と合体機関噴射部（７７Ｌ）を分離して翼前縁吸入口（３８ｅ）より飛行圧縮空気を吸入する各種エネルギ保存サイクル合体機関。
【請求項１５８２】
外部をＮ極とした磁化圧縮水を使用する空気噴射船舶（３８Ｂ）に合体機関燃焼部（２９Ｈ）と合体機関噴射部（７７Ｌ）を分離して翼前縁吸入口（３８ｅ）より飛行圧縮空気を吸入する各種エネルギ保存サイクル合体機関。
【請求項１５８３】
外部をＮ極とした磁化圧縮水を使用する空気噴射船舶（３８Ｂ）に合体機関燃焼部（２９Ａ）と合体機関噴射部（７７Ｋ）を分離して翼前縁吸入口（３８ｅ）より飛行圧縮空気を吸入圧縮して限り無く高圧燃焼長時間熱交換冷却燃焼する各種エネルギ保存サイクル合体機関。
【請求項１５８４】
外部をＮ極とした磁化圧縮水を使用する空気噴射船舶（３８Ｂ）に合体機関燃焼部（２９Ｂ）と合体機関噴射部（７７Ｋ）を分離して翼前縁吸入口（３８ｅ）より飛行圧縮空気を吸入圧縮して限り無く高圧燃焼長時間熱交換冷却燃焼する各種エネルギ保存サイクル合体機関。
【請求項１５８５】
外部をＮ極とした磁化圧縮水を使用する空気噴射船舶（３８Ｂ）に合体機関燃焼部（２９Ｃ）と合体機関噴射部（７７Ｋ）を分離して翼前縁吸入口（３８ｅ）より飛行圧縮空気を吸入圧縮して限り無く高圧燃焼長時間熱交換冷却燃焼する各種エネルギ保存サイクル合体機関。
【請求項１５８６】
外部をＮ極とした磁化圧縮水を使用する空気噴射船舶（３８Ｂ）に合体機関燃焼部（２９Ｄ）と合体機関噴射部（７７Ｋ）を分離して翼前縁吸入口（３８ｅ）より飛行圧縮空気を吸入圧縮して限り無く高圧燃焼長時間熱交換冷却燃焼する各種エネルギ保存サイクル合体機関。
【請求項１５８７】
外部をＮ極とした磁化圧縮水を使用する空気噴射船舶（３８Ｂ）に合体機関燃焼部（２９Ｅ）と合体機関噴射部（７７Ｋ）を分離して翼前縁吸入口（３８ｅ）より飛行圧縮空気を吸入圧縮して限り無く高圧燃焼長時間熱交換冷却燃焼する各種エネルギ保存サイクル合体機関。
【請求項１５８８】
外部をＮ極とした磁化圧縮水を使用する空気噴射船舶（３８Ｂ）に合体機関燃焼部（２９Ｆ）と合体機関噴射部（７７Ｋ）を分離して翼前縁吸入口（３８ｅ）より飛行圧縮空気を吸入圧縮して限り無く高圧燃焼長時間熱交換冷却燃焼する各種エネルギ保存サイクル合体機関。
【請求項１５８９】
外部をＮ極とした磁化圧縮水を使用する空気噴射船舶（３８Ｂ）に合体機関燃焼部（２９Ｇ）と合体機関噴射部（７７Ｋ）を分離して翼前縁吸入口（３８ｅ）より飛行圧縮空気を吸入圧縮して限り無く高圧燃焼長時間熱交換冷却燃焼する各種エネルギ保存サイクル合体機関。
【請求項１５９０】
外部をＮ極とした磁化圧縮水を使用する空気噴射船舶（３８Ｂ）に合体機関燃焼部（２９Ｈ）と合体機関噴射部（７７Ｋ）を分離して翼前縁吸入口（３８ｅ）より飛行圧縮空気を吸入圧縮して限り無く高圧燃焼長時間熱交換冷却燃焼する各種エネルギ保存サイクル合体機関。
【請求項１５９１】
外部をＮ極とした磁化圧縮水を使用する空気噴射船舶（３８Ｂ）に合体機関燃焼部（２９Ａ）と合体機関噴射部（７７Ｌ）を分離して翼前縁吸入口（３８ｅ）より飛行圧縮空気を吸入圧縮して限り無く高圧燃焼長時間熱交換冷却燃焼する各種エネルギ保存サイクル合体機関。
【請求項１５９２】
外部をＮ極とした磁化圧縮水を使用する空気噴射船舶（３８Ｂ）に合体機関燃焼部（２９Ｂ）と合体機関噴射部（７７Ｌ）を分離して翼前縁吸入口（３８ｅ）より飛行圧縮空気を吸入圧縮して限り無く高圧燃焼長時間熱交換冷却燃焼する各種エネルギ保存サイクル合体機関。
【請求項１５９３】
外部をＮ極とした磁化圧縮水を使用する空気噴射船舶（３８Ｂ）に合体機関燃焼部（２９Ｃ）と合体機関噴射部（７７Ｌ）を分離して翼前縁吸入口（３８ｅ）より飛行圧縮空気を吸入圧縮して限り無く高圧燃焼長時間熱交換冷却燃焼する各種エネルギ保存サイクル合体機関。
【請求項１５９４】
外部をＮ極とした磁化圧縮水を使用する空気噴射船舶（３８Ｂ）に合体機関燃焼部（２９Ｄ）と合体機関噴射部（７７Ｌ）を分離して翼前縁吸入口（３８ｅ）より飛行圧縮空気を吸入圧縮して限り無く高圧燃焼長時間熱交換冷却燃焼する各種エネルギ保存サイクル合体機関。
【請求項１５９５】
外部をＮ極とした磁化圧縮水を使用する空気噴射船舶（３８Ｂ）に合体機関燃焼部（２９Ｅ）と合体機関噴射部（７７Ｌ）を分離して翼前縁吸入口（３８ｅ）より飛行圧縮空気を吸入圧縮して限り無く高圧燃焼長時間熱交換冷却燃焼する各種エネルギ保存サイクル合体機関。
【請求項１５９６】
外部をＮ極とした磁化圧縮水を使用する空気噴射船舶（３８Ｂ）に合体機関燃焼部（２９Ｆ）と合体機関噴射部（７７Ｌ）を分離して翼前縁吸入口（３８ｅ）より飛行圧縮空気を吸入圧縮して限り無く高圧燃焼長時間熱交換冷却燃焼する各種エネルギ保存サイクル合体機関。
【請求項１５９７】
外部をＮ極とした磁化圧縮水を使用する空気噴射船舶（３８Ｂ）に合体機関燃焼部（２９Ｇ）と合体機関噴射部（７７Ｌ）を分離して翼前縁吸入口（３８ｅ）より飛行圧縮空気を吸入圧縮して限り無く高圧燃焼長時間熱交換冷却燃焼する各種エネルギ保存サイクル合体機関。
【請求項１５９８】
外部をＮ極とした磁化圧縮水を使用する空気噴射船舶（３８Ｂ）に合体機関燃焼部（２９Ｈ）と合体機関噴射部（７７Ｌ）を分離して翼前縁吸入口（３８ｅ）より飛行圧縮空気を吸入圧縮して限り無く高圧燃焼長時間熱交換冷却燃焼する各種エネルギ保存サイクル合体機関。
【請求項１５９９】
外部をＮ極とした磁化圧縮水を使用する水噴射船舶（３８Ｃ）に合体機関燃焼部（２９Ａ）とウォータージェット（７７Ｍ）を分離して具備した各種エネルギ保存サイクル合体機関。
【請求項１６００】
外部をＮ極とした磁化圧縮水を使用する水噴射船舶（３８Ｃ）に合体機関燃焼部（２９Ｂ）とウォータージェット（７７Ｍ）を分離して具備した各種エネルギ保存サイクル合体機関。
【請求項１６０１】
外部をＮ極とした磁化圧縮水を使用する水噴射船舶（３８Ｃ）に合体機関燃焼部（２９Ｃ）とウォータージェット（７７Ｍ）を分離して具備した各種エネルギ保存サイクル合体機関。
【請求項１６０２】
外部をＮ極とした磁化圧縮水を使用する水噴射船舶（３８Ｃ）に合体機関燃焼部（２９Ｄ）とウォータージェット（７７Ｍ）を分離して具備した各種エネルギ保存サイクル合体機関。
【請求項１６０３】
外部をＮ極とした磁化圧縮水を使用する水噴射船舶（３８Ｃ）に合体機関燃焼部（２９Ｅ）とウォータージェット（７７Ｍ）を分離して具備した各種エネルギ保存サイクル合体機関。
【請求項１６０４】
外部をＮ極とした磁化圧縮水を使用する水噴射船舶（３８Ｃ）に合体機関燃焼部（２９Ｆ）とウォータージェット（７７Ｍ）を分離して具備した各種エネルギ保存サイクル合体機関。
【請求項１６０５】
外部をＮ極とした磁化圧縮水を使用する水噴射船舶（３８Ｃ）に合体機関燃焼部（２９Ｇ）とウォータージェット（７７Ｍ）を分離して具備した各種エネルギ保存サイクル合体機関。
【請求項１６０６】
外部をＮ極とした磁化圧縮水を使用する水噴射船舶（３８Ｃ）に合体機関燃焼部（２９Ｈ）とウォータージェット（７７Ｍ）を分離して具備した各種エネルギ保存サイクル合体機関。
【請求項１６０７】
外部をＮ極とした磁化圧縮水を使用する水噴射船舶（３８Ｃ）に合体機関燃焼部（２９Ａ）とウォータージェット（７７Ｎ）を分離して具備した各種エネルギ保存サイクル合体機関。
【請求項１６０８】
外部をＮ極とした磁化圧縮水を使用する水噴射船舶（３８Ｃ）に合体機関燃焼部（２９Ｂ）とウォータージェット（７７Ｎ）を分離して具備した各種エネルギ保存サイクル合体機関。
【請求項１６０９】
外部をＮ極とした磁化圧縮水を使用する水噴射船舶（３８Ｃ）に合体機関燃焼部（２９Ｃ）とウォータージェット（７７Ｎ）を分離して具備した各種エネルギ保存サイクル合体機関。
【請求項１６１０】
外部をＮ極とした磁化圧縮水を使用する水噴射船舶（３８Ｃ）に合体機関燃焼部（２９Ｄ）とウォータージェット（７７Ｎ）を分離して具備した各種エネルギ保存サイクル合体機関。
【請求項１６１１】
外部をＮ極とした磁化圧縮水を使用する水噴射船舶（３８Ｃ）に合体機関燃焼部（２９Ｅ）とウォータージェット（７７Ｎ）を分離して具備した各種エネルギ保存サイクル合体機関。
【請求項１６１２】
外部をＮ極とした磁化圧縮水を使用する水噴射船舶（３８Ｃ）に合体機関燃焼部（２９Ｆ）とウォータージェット（７７Ｎ）を分離して具備した各種エネルギ保存サイクル合体機関。
【請求項１６１３】
外部をＮ極とした磁化圧縮水を使用する水噴射船舶（３８Ｃ）に合体機関燃焼部（２９Ｇ）とウォータージェット（７７Ｎ）を分離して具備した各種エネルギ保存サイクル合体機関。
【請求項１６１４】
外部をＮ極とした磁化圧縮水を使用する水噴射船舶（３８Ｃ）に合体機関燃焼部（２９Ｈ）とウォータージェット（７７Ｎ）を分離して具備した各種エネルギ保存サイクル合体機関。
【請求項１６１５】
外部をＮ極とした磁化圧縮水を使用する水噴射船舶（３８Ｃ）に合体機関燃焼部（２９Ａ）とウォータージェット（７７Ｍ）を分離して船体前方より滑走圧縮空気を吸入する各種エネルギ保存サイクル合体機関。
【請求項１６１６】
外部をＮ極とした磁化圧縮水を使用する水噴射船舶（３８Ｃ）に合体機関燃焼部（２９Ｂ）とウォータージェット（７７Ｍ）を分離して船体前方より滑走圧縮空気を吸入する各種エネルギ保存サイクル合体機関。
【請求項１６１７】
外部をＮ極とした磁化圧縮水を使用する水噴射船舶（３８Ｃ）に合体機関燃焼部（２９Ｃ）とウォータージェット（７７Ｍ）を分離して船体前方より滑走圧縮空気を吸入する各種エネルギ保存サイクル合体機関。
【請求項１６１８】
外部をＮ極とした磁化圧縮水を使用する水噴射船舶（３８Ｃ）に合体機関燃焼部（２９Ｄ）とウォータージェット（７７Ｍ）を分離して船体前方より滑走圧縮空気を吸入する各種エネルギ保存サイクル合体機関。
【請求項１６１９】
外部をＮ極とした磁化圧縮水を使用する水噴射船舶（３８Ｃ）に合体機関燃焼部（２９Ｅ）とウォータージェット（７７Ｍ）を分離して船体前方より滑走圧縮空気を吸入する各種エネルギ保存サイクル合体機関。
【請求項１６２０】
外部をＮ極とした磁化圧縮水を使用する水噴射船舶（３８Ｃ）に合体機関燃焼部（２９Ｆ）とウォータージェット（７７Ｍ）を分離して船体前方より滑走圧縮空気を吸入する各種エネルギ保存サイクル合体機関。
【請求項１６２１】
外部をＮ極とした磁化圧縮水を使用する水噴射船舶（３８Ｃ）に合体機関燃焼部（２９Ｇ）とウォータージェット（７７Ｍ）を分離して船体前方より滑走圧縮空気を吸入する各種エネルギ保存サイクル合体機関。
【請求項１６２２】
外部をＮ極とした磁化圧縮水を使用する水噴射船舶（３８Ｃ）に合体機関燃焼部（２９Ｈ）とウォータージェット（７７Ｍ）を分離して船体前方より滑走圧縮空気を吸入する各種エネルギ保存サイクル合体機関。
【請求項１６２３】
外部をＮ極とした磁化圧縮水を使用する水噴射船舶（３８Ｃ）に合体機関燃焼部（２９Ａ）とウォータージェット（７７Ｎ）を分離して船体前方より滑走圧縮空気を吸入する各種エネルギ保存サイクル合体機関。
【請求項１６２４】
外部をＮ極とした磁化圧縮水を使用する水噴射船舶（３８Ｃ）に合体機関燃焼部（２９Ｂ）とウォータージェット（７７Ｎ）を分離して船体前方より滑走圧縮空気を吸入する各種エネルギ保存サイクル合体機関。
【請求項１６２５】
外部をＮ極とした磁化圧縮水を使用する水噴射船舶（３８Ｃ）に合体機関燃焼部（２９Ｃ）とウォータージェット（７７Ｎ）を分離して船体前方より滑走圧縮空気を吸入する各種エネルギ保存サイクル合体機関。
【請求項１６２６】
外部をＮ極とした磁化圧縮水を使用する水噴射船舶（３８Ｃ）に合体機関燃焼部（２９Ｄ）とウォータージェット（７７Ｎ）を分離して船体前方より滑走圧縮空気を吸入する各種エネルギ保存サイクル合体機関。
【請求項１６２７】
外部をＮ極とした磁化圧縮水を使用する水噴射船舶（３８Ｃ）に合体機関燃焼部（２９Ｅ）とウォータージェット（７７Ｎ）を分離して船体前方より滑走圧縮空気を吸入する各種エネルギ保存サイクル合体機関。
【請求項１６２８】
外部をＮ極とした磁化圧縮水を使用する水噴射船舶（３８Ｃ）に合体機関燃焼部（２９Ｆ）とウォータージェット（７７Ｎ）を分離して船体前方より滑走圧縮空気を吸入する各種エネルギ保存サイクル合体機関。
【請求項１６２９】
外部をＮ極とした磁化圧縮水を使用する水噴射船舶（３８Ｃ）に合体機関燃焼部（２９Ｇ）とウォータージェット（７７Ｎ）を分離して船体前方より滑走圧縮空気を吸入する各種エネルギ保存サイクル合体機関。
【請求項１６３０】
外部をＮ極とした磁化圧縮水を使用する水噴射船舶（３８Ｃ）に合体機関燃焼部（２９Ｈ）とウォータージェット（７７Ｎ）を分離して船体前方より滑走圧縮空気を吸入する各種エネルギ保存サイクル合体機関。
【請求項１６３１】
外部をＮ極とした磁化圧縮水を使用する水噴射船舶（３８Ｃ）に合体機関燃焼部（２９Ａ）とウォータージェット（７７Ｍ）を分離して船体前方より滑走圧縮空気を吸入圧縮して限り無く高圧燃焼長時間熱交換冷却燃焼する各種エネルギ保存サイクル合体機関。
【請求項１６３２】
外部をＮ極とした磁化圧縮水を使用する水噴射船舶（３８Ｃ）に合体機関燃焼部（２９Ｂ）とウォータージェット（７７Ｍ）を分離して船体前方より滑走圧縮空気を吸入圧縮して限り無く高圧燃焼長時間熱交換冷却燃焼する各種エネルギ保存サイクル合体機関。
【請求項１６３３】
外部をＮ極とした磁化圧縮水を使用する水噴射船舶（３８Ｃ）に合体機関燃焼部（２９Ｃ）とウォータージェット（７７Ｍ）を分離して船体前方より滑走圧縮空気を吸入圧縮して限り無く高圧燃焼長時間熱交換冷却燃焼する各種エネルギ保存サイクル合体機関。
【請求項１６３４】
外部をＮ極とした磁化圧縮水を使用する水噴射船舶（３８Ｃ）に合体機関燃焼部（２９Ｄ）とウォータージェット（７７Ｍ）を分離して船体前方より滑走圧縮空気を吸入圧縮して限り無く高圧燃焼長時間熱交換冷却燃焼する各種エネルギ保存サイクル合体機関。
【請求項１６３５】
外部をＮ極とした磁化圧縮水を使用する水噴射船舶（３８Ｃ）に合体機関燃焼部（２９Ｅ）とウォータージェット（７７Ｍ）を分離して船体前方より滑走圧縮空気を吸入圧縮して限り無く高圧燃焼長時間熱交換冷却燃焼する各種エネルギ保存サイクル合体機関。
【請求項１６３６】
外部をＮ極とした磁化圧縮水を使用する水噴射船舶（３８Ｃ）に合体機関燃焼部（２９Ｆ）とウォータージェット（７７Ｍ）を分離して船体前方より滑走圧縮空気を吸入圧縮して限り無く高圧燃焼長時間熱交換冷却燃焼する各種エネルギ保存サイクル合体機関。
【請求項１６３７】
外部をＮ極とした磁化圧縮水を使用する水噴射船舶（３８Ｃ）に合体機関燃焼部（２９Ｇ）とウォータージェット（７７Ｍ）を分離して船体前方より滑走圧縮空気を吸入圧縮して限り無く高圧燃焼長時間熱交換冷却燃焼する各種エネルギ保存サイクル合体機関。
【請求項１６３８】
外部をＮ極とした磁化圧縮水を使用する水噴射船舶（３８Ｃ）に合体機関燃焼部（２９Ｈ）とウォータージェット（７７Ｍ）を分離して船体前方より滑走圧縮空気を吸入圧縮して限り無く高圧燃焼長時間熱交換冷却燃焼する各種エネルギ保存サイクル合体機関。
【請求項１６３９】
外部をＮ極とした磁化圧縮水を使用する水噴射船舶（３８Ｃ）に合体機関燃焼部（２９Ａ）とウォータージェット（７７Ｎ）を分離して船体前方より滑走圧縮空気を吸入圧縮して限り無く高圧燃焼長時間熱交換冷却燃焼する各種エネルギ保存サイクル合体機関。
【請求項１６４０】
外部をＮ極とした磁化圧縮水を使用する水噴射船舶（３８Ｃ）に合体機関燃焼部（２９Ｂ）とウォータージェット（７７Ｎ）を分離して船体前方より滑走圧縮空気を吸入圧縮して限り無く高圧燃焼長時間熱交換冷却燃焼する各種エネルギ保存サイクル合体機関。
【請求項１６４１】
外部をＮ極とした磁化圧縮水を使用する水噴射船舶（３８Ｃ）に合体機関燃焼部（２９Ｃ）とウォータージェット（７７Ｎ）を分離して船体前方より滑走圧縮空気を吸入圧縮して限り無く高圧燃焼長時間熱交換冷却燃焼する各種エネルギ保存サイクル合体機関。
【請求項１６４２】
外部をＮ極とした磁化圧縮水を使用する水噴射船舶（３８Ｃ）に合体機関燃焼部（２９Ｄ）とウォータージェット（７７Ｎ）を分離して船体前方より滑走圧縮空気を吸入圧縮して限り無く高圧燃焼長時間熱交換冷却燃焼する各種エネルギ保存サイクル合体機関。
【請求項１６４３】
外部をＮ極とした磁化圧縮水を使用する水噴射船舶（３８Ｃ）に合体機関燃焼部（２９Ｅ）とウォータージェット（７７Ｎ）を分離して船体前方より滑走圧縮空気を吸入圧縮して限り無く高圧燃焼長時間熱交換冷却燃焼する各種エネルギ保存サイクル合体機関。
【請求項１６４４】
外部をＮ極とした磁化圧縮水を使用する水噴射船舶（３８Ｃ）に合体機関燃焼部（２９Ｆ）とウォータージェット（７７Ｎ）を分離して船体前方より滑走圧縮空気を吸入圧縮して限り無く高圧燃焼長時間熱交換冷却燃焼する各種エネルギ保存サイクル合体機関。
【請求項１６４５】
外部をＮ極とした磁化圧縮水を使用する水噴射船舶（３８Ｃ）に合体機関燃焼部（２９Ｇ）とウォータージェット（７７Ｎ）を分離して船体前方より滑走圧縮空気を吸入圧縮して限り無く高圧燃焼長時間熱交換冷却燃焼する各種エネルギ保存サイクル合体機関。
【請求項１６４６】
外部をＮ極とした磁化圧縮水を使用する水噴射船舶（３８Ｃ）に合体機関燃焼部（２９Ｈ）とウォータージェット（７７Ｎ）を分離して船体前方より滑走圧縮空気を吸入圧縮して限り無く高圧燃焼長時間熱交換冷却燃焼する各種エネルギ保存サイクル合体機関。
【請求項１６４７】
外部をＮ極とした磁化圧縮水を使用する合体機関飛行機（３８Ａ）に操縦室（１０ｂ）及び制御室（１０ｃ）及び客室（１０ｄ）を公知技術で具備した各種エネルギ保存サイクル合体機関。
【請求項１６４８】
外部をＮ極とした磁化圧縮水を使用する合体機関飛行機（３８Ａ）に操縦室（１０ｂ）及び制御室（１０ｃ）及び客室（１０ｄ）及び貨物室（１０ｅ）を公知技術で具備した各種エネルギ保存サイクル合体機関。
【請求項１６４９】
外部をＮ極とした磁化圧縮水を使用する合体機関飛行機（３８Ａ）に操縦室（１０ｂ）及び制御室（１０ｃ）を公知技術で具備した各種エネルギ保存サイクル合体機関。
【請求項１６５０】
外部をＮ極とした磁化圧縮水を使用する合体機関飛行機（３８Ａ）に操縦室（１０ｂ）及び制御室（１０ｃ）及び貨物室（１０ｅ）を公知技術で具備した各種エネルギ保存サイクル合体機関。
【請求項１６５１】
外部をＮ極とした磁化圧縮水を使用する空気噴射船舶（３８Ｂ）に操縦室（１０ｂ）及び制御室（１０ｃ）及び客室（１０ｄ）を公知技術で具備した各種エネルギ保存サイクル合体機関。
【請求項１６５２】
外部をＮ極とした磁化圧縮水を使用する空気噴射船舶（３８Ｂ）に操縦室（１０ｂ）及び制御室（１０ｃ）及び客室（１０ｄ）及び貨物室（１０ｅ）を公知技術で具備した各種エネルギ保存サイクル合体機関。
【請求項１６５３】
外部をＮ極とした磁化圧縮水を使用する空気噴射船舶（３８Ｂ）に操縦室（１０ｂ）及び制御室（１０ｃ）を公知技術で具備した各種エネルギ保存サイクル合体機関。
【請求項１６５４】
外部をＮ極とした磁化圧縮水を使用する空気噴射船舶（３８Ｂ）に操縦室（１０ｂ）及び制御室（１０ｃ）及び貨物室（１０ｅ）を公知技術で具備した各種エネルギ保存サイクル合体機関。
【請求項１６５５】
外部をＮ極とした磁化圧縮水を使用する水噴射船舶（３８Ｃ）に操縦室（１０ｂ）及び制御室（１０ｃ）及び客室（１０ｄ）を公知技術で具備した各種エネルギ保存サイクル合体機関。
【請求項１６５６】
外部をＮ極とした磁化圧縮水を使用する水噴射船舶（３８Ｃ）に操縦室（１０ｂ）及び制御室（１０ｃ）及び客室（１０ｄ）及び貨物室（１０ｅ）を公知技術で具備した各種エネルギ保存サイクル合体機関。
【請求項１６５７】
外部をＮ極とした磁化圧縮水を使用する水噴射船舶（３８Ｃ）に操縦室（１０ｂ）及び制御室（１０ｃ）を公知技術で具備した各種エネルギ保存サイクル合体機関。
【請求項１６５８】
外部をＮ極とした磁化圧縮水を使用する水噴射船舶（３８Ｃ）に操縦室（１０ｂ）及び制御室（１０ｃ）及び貨物室（１０ｅ）を公知技術で具備した各種エネルギ保存サイクル合体機関。
【請求項１６５９】
外部をＮ極とした磁化圧縮水を使用する過熱蒸気噴射ノズル（６Ａ）の加熱高温気化膜により摩擦損失を低減する各種エネルギ保存サイクル合体機関。
【請求項１６６０】
外部をＮ極とした磁化圧縮水を使用する過熱蒸気噴射ノズル（６Ｂ）の撥水作用により摩擦損失を低減する各種エネルギ保存サイクル合体機関。
【請求項１６６１】
外部をＮ極とした磁化圧縮水を使用する過熱蒸気噴射ノズル（６Ｉ）の加熱高温気化膜＋撥水作用により摩擦損失を低減する各種エネルギ保存サイクル合体機関。
【請求項１６６２】
外部をＮ極とした磁化圧縮水を使用する燃焼ガス噴射ノズル（６Ｃ）の加熱高温気化膜により摩擦損失を低減する各種エネルギ保存サイクル合体機関。
【請求項１６６３】
外部をＮ極とした磁化圧縮水を使用する燃焼ガス噴射ノズル（６Ｄ）の撥水作用により摩擦損失を低減する各種エネルギ保存サイクル合体機関。
【請求項１６６４】
外部をＮ極とした磁化圧縮水を使用する燃焼ガス噴射ノズル（６Ｊ）の加熱高温気化膜＋撥水作用により摩擦損失を低減する各種エネルギ保存サイクル合体機関。
【請求項１６６５】
外部をＮ極とした磁化圧縮水を使用する過熱蒸気燃焼ガス噴射ノズル（６Ｈ）の加熱高温気化膜＋撥水作用により摩擦損失を低減する各種エネルギ保存サイクル合体機関。
【請求項１６６６】
外部をＮ極とした磁化圧縮水を使用する過熱蒸気燃焼ガス噴射ノズル（６Ｘ）の加熱高温気化膜＋撥水作用より選択して摩擦損失を低減する各種エネルギ保存サイクル合体機関。
【請求項１６６７】
外部をＮ極とした磁化圧縮水を使用する過熱蒸気噴射ノズル（６Ａ）の加熱高温気化膜により摩擦損失を低減し、水を混合噴射加速して過熱蒸気マイクロバブルで摩擦損失を低減する各種エネルギ保存サイクル合体機関。
【請求項１６６８】
外部をＮ極とした磁化圧縮水を使用する過熱蒸気噴射ノズル（６Ｂ）の撥水作用により摩擦損失を低減し、水を混合噴射加速して過熱蒸気マイクロバブルで摩擦損失を低減する各種エネルギ保存サイクル合体機関。
【請求項１６６９】
外部をＮ極とした磁化圧縮水を使用する過熱蒸気噴射ノズル（６Ｉ）の加熱高温気化膜＋撥水作用により摩擦損失を低減し、水を混合噴射加速して過熱蒸気マイクロバブルで摩擦損失を低減する各種エネルギ保存サイクル合体機関。
【請求項１６７０】
外部をＮ極とした磁化圧縮水を使用する燃焼ガス噴射ノズル（６Ｃ）の加熱高温気化膜により摩擦損失を低減し、水を混合噴射加速して燃焼ガスマイクロバブルで摩擦損失を低減する各種エネルギ保存サイクル合体機関。
【請求項１６７１】
外部をＮ極とした磁化圧縮水を使用する燃焼ガス噴射ノズル（６Ｄ）の撥水作用により摩擦損失を低減し、水を混合噴射加速して燃焼ガスマイクロバブルで摩擦損失を低減する各種エネルギ保存サイクル合体機関。
【請求項１６７２】
外部をＮ極とした磁化圧縮水を使用する燃焼ガス噴射ノズル（６Ｊ）の加熱高温気化膜＋撥水作用により摩擦損失を低減し、水を混合噴射加速して燃焼ガスマイクロバブルで摩擦損失を低減する各種エネルギ保存サイクル合体機関。
【請求項１６７３】
外部をＮ極とした磁化圧縮水を使用する過熱蒸気燃焼ガス噴射ノズル（６Ｈ）の加熱高温気化膜＋撥水作用により摩擦損失を低減し、水を混合噴射加速して過熱蒸気＋燃焼ガスマイクロバブルで摩擦損失を低減する各種エネルギ保存サイクル合体機関。
【請求項１６７４】
外部をＮ極とした磁化圧縮水を使用する過熱蒸気燃焼ガス噴射ノズル（６Ｘ）の加熱高温気化膜＋撥水作用より選択して摩擦損失を低減し、水を混合噴射加速して過熱蒸気＋燃焼ガスマイクロバブルで摩擦損失を低減する各種エネルギ保存サイクル合体機関。
【請求項１６７５】
外部をＮ極とした磁化圧縮水を使用する過熱蒸気噴射ノズル（６Ａ）の加熱高温気化膜により摩擦損失を低減し、水を混合噴射加速して過熱蒸気マイクロバブルで摩擦損失を低減して弾み車蒸気タービン（８ｂ）（８ｂ）に噴射する各種エネルギ保存サイクル合体機関。
【請求項１６７６】
外部をＮ極とした磁化圧縮水を使用する過熱蒸気噴射ノズル（６Ｂ）の撥水作用により摩擦損失を低減し、水を混合噴射加速して過熱蒸気マイクロバブルで摩擦損失を低減して弾み車蒸気タービン（８ｂ）（８ｂ）に噴射する各種エネルギ保存サイクル合体機関。
【請求項１６７７】
外部をＮ極とした磁化圧縮水を使用する過熱蒸気噴射ノズル（６Ｉ）の加熱高温気化膜＋撥水作用により摩擦損失を低減し、水を混合噴射加速して過熱蒸気マイクロバブルで摩擦損失を低減して弾み車蒸気タービン（８ｂ）（８ｂ）に噴射する各種エネルギ保存サイクル合体機関。
【請求項１６７８】
外部をＮ極とした磁化圧縮水を使用する燃焼ガス噴射ノズル（６Ｃ）の加熱高温気化膜により摩擦損失を低減し、水を混合噴射加速して燃焼ガスマイクロバブルで摩擦損失を低減して弾み車ガスタービン（８ａ）（８ａ）に噴射する各種エネルギ保存サイクル合体機関。
【請求項１６７９】
外部をＮ極とした磁化圧縮水を使用する燃焼ガス噴射ノズル（６Ｄ）の撥水作用により摩擦損失を低減し、水を混合噴射加速して燃焼ガスマイクロバブルで摩擦損失を低減して弾み車ガスタービン（８ａ）（８ａ）に噴射する各種エネルギ保存サイクル合体機関。
【請求項１６８０】
外部をＮ極とした磁化圧縮水を使用する燃焼ガス噴射ノズル（６Ｊ）の加熱高温気化膜＋撥水作用により摩擦損失を低減し、水を混合噴射加速して燃焼ガスマイクロバブルで摩擦損失を低減して弾み車ガスタービン（８ａ）（８ａ）に噴射する各種エネルギ保存サイクル合体機関。
【請求項１６８１】
外部をＮ極とした磁化圧縮水を使用する過熱蒸気燃焼ガス噴射ノズル（６Ｈ）の加熱高温気化膜＋撥水作用により摩擦損失を低減し、水を混合噴射加速して過熱蒸気＋燃焼ガスマイクロバブルで摩擦損失を低減して弾み車タービン（８）（８）に噴射する各種エネルギ保存サイクル合体機関。
【請求項１６８２】
外部をＮ極とした磁化圧縮水を使用する過熱蒸気燃焼ガス噴射ノズル（６Ｘ）の加熱高温気化膜＋撥水作用より選択して摩擦損失を低減し、水を混合噴射加速して過熱蒸気＋燃焼ガスマイクロバブルで摩擦損失を低減して弾み車タービン（８）（８）に噴射する各種エネルギ保存サイクル合体機関。
【請求項１６８３】
外部をＮ極とした磁化圧縮水を使用する過熱蒸気噴射ノズル（６Ａ）により水を加速する過程で円形状から楕円形状に膨張させて、弾み車タービン（８）（８）の長さとタービン翼（８ｃ）（８ｃ）の長さに合せた細長いノズル（６）として噴射する各種エネルギ保存サイクル合体機関。
【請求項１６８４】
外部をＮ極とした磁化圧縮水を使用する過熱蒸気噴射ノズル（６Ｂ）により水を加速する過程で円形状から楕円形状に膨張させて、弾み車タービン（８）（８）の長さとタービン翼（８ｃ）（８ｃ）の長さに合せた細長いノズル（６）として噴射する各種エネルギ保存サイクル合体機関。
【請求項１６８５】
外部をＮ極とした磁化圧縮水を使用する過熱蒸気噴射ノズル（６Ｉ）により水を加速する過程で円形状から楕円形状に膨張させて、弾み車タービン（８）（８）の長さとタービン翼（８ｃ）（８ｃ）の長さに合せた細長いノズル（６）として噴射する各種エネルギ保存サイクル合体機関。
【請求項１６８６】
外部をＮ極とした磁化圧縮水を使用する燃焼ガス噴射ノズル（６Ｃ）により水を加速する過程で円形状から楕円形状に膨張させて、弾み車タービン（８）（８）の長さとタービン翼（８ｃ）（８ｃ）の長さに合せた細長いノズル（６）として噴射する各種エネルギ保存サイクル合体機関。
【請求項１６８７】
外部をＮ極とした磁化圧縮水を使用する燃焼ガス噴射ノズル（６Ｄ）により水を加速する過程で円形状から楕円形状に膨張させて、弾み車タービン（８）（８）の長さとタービン翼（８ｃ）（８ｃ）の長さに合せた細長いノズル（６）として噴射する各種エネルギ保存サイクル合体機関。
【請求項１６８８】
外部をＮ極とした磁化圧縮水を使用する燃焼ガス噴射ノズル（６Ｊ）により水を加速する過程で円形状から楕円形状に膨張させて、弾み車タービン（８）（８）の長さとタービン翼（８ｃ）（８ｃ）の長さに合せた細長いノズル（６）として噴射する各種エネルギ保存サイクル合体機関。
【請求項１６８９】
外部をＮ極とした磁化圧縮水を使用する過熱蒸気燃焼ガス噴射ノズル（６Ｈ）により水を加速する過程で円形状から楕円形状に膨張させて、弾み車タービン（８）（８）の長さとタービン翼（８ｃ）（８ｃ）の長さに合せた細長いノズル（６）として噴射する各種エネルギ保存サイクル合体機関。
【請求項１６９０】
外部をＮ極とした磁化圧縮水を使用する過熱蒸気燃焼ガス噴射ノズル（６Ｘ）により水を加速する過程で円形状から楕円形状に膨張させて、弾み車タービン（８）（８）の長さとタービン翼（８ｃ）（８ｃ）の長さに合せた細長いノズル（６）として噴射する各種エネルギ保存サイクル合体機関。
【請求項１６９１】
外部をＮ極とした磁化圧縮水を使用する過熱蒸気噴射ノズル（６Ａ）により水を加速する過程で円形状から楕円形状に膨張させて、弾み車タービン（８）（８）の長さとタービン翼（８ｃ）（８ｃ）の長さに合せた細長いノズル（６）として撥水作用や高温気化膜で摩擦損失を低減した弾み車タービン（８）（８）に噴射する各種エネルギ保存サイクル合体機関。
【請求項１６９２】
外部をＮ極とした磁化圧縮水を使用する過熱蒸気噴射ノズル（６Ｂ）により水を加速する過程で円形状から楕円形状に膨張させて、弾み車タービン（８）（８）の長さとタービン翼（８ｃ）（８ｃ）の長さに合せた細長いノズル（６）として撥水作用や高温気化膜で摩擦損失を低減した弾み車タービン（８）（８）に噴射する各種エネルギ保存サイクル合体機関。
【請求項１６９３】
外部をＮ極とした磁化圧縮水を使用する過熱蒸気噴射ノズル（６Ｉ）により水を加速する過程で円形状から楕円形状に膨張させて、弾み車タービン（８）（８）の長さとタービン翼（８ｃ）（８ｃ）の長さに合せた細長いノズル（６）として撥水作用や高温気化膜で摩擦損失を低減した弾み車タービン（８）（８）に噴射する各種エネルギ保存サイクル合体機関。
【請求項１６９４】
外部をＮ極とした磁化圧縮水を使用する燃焼ガス噴射ノズル（６Ｃ）により水を加速する過程で円形状から楕円形状に膨張させて、弾み車タービン（８）（８）の長さとタービン翼（８ｃ）（８ｃ）の長さに合せた細長いノズル（６）として撥水作用や高温気化膜で摩擦損失を低減した弾み車タービン（８）（８）に噴射する各種エネルギ保存サイクル合体機関。
【請求項１６９５】
外部をＮ極とした磁化圧縮水を使用する燃焼ガス噴射ノズル（６Ｄ）により水を加速する過程で円形状から楕円形状に膨張させて、弾み車タービン（８）（８）の長さとタービン翼（８ｃ）（８ｃ）の長さに合せた細長いノズル（６）として撥水作用や高温気化膜で摩擦損失を低減した弾み車タービン（８）（８）に噴射する各種エネルギ保存サイクル合体機関。
【請求項１６９６】
外部をＮ極とした磁化圧縮水を使用する燃焼ガス噴射ノズル（６Ｊ）により水を加速する過程で円形状から楕円形状に膨張させて、弾み車タービン（８）（８）の長さとタービン翼（８ｃ）（８ｃ）の長さに合せた細長いノズル（６）として撥水作用や高温気化膜で摩擦損失を低減した弾み車タービン（８）（８）に噴射する各種エネルギ保存サイクル合体機関。
【請求項１６９７】
外部をＮ極とした磁化圧縮水を使用する過熱蒸気燃焼ガス噴射ノズル（６Ｈ）により水を加速する過程で円形状から楕円形状に膨張させて、弾み車タービン（８）（８）の長さとタービン翼（８ｃ）（８ｃ）の長さに合せた細長いノズル（６）として撥水作用や高温気化膜で摩擦損失を低減した弾み車タービン（８）（８）に噴射する各種エネルギ保存サイクル合体機関。
【請求項１６９８】
外部をＮ極とした磁化圧縮水を使用する過熱蒸気燃焼ガス噴射ノズル（６Ｘ）により水を加速する過程で円形状から楕円形状に膨張させて、弾み車タービン（８）（８）の長さとタービン翼（８ｃ）（８ｃ）の長さに合せた細長いノズル（６）として撥水作用や高温気化膜で摩擦損失を低減した弾み車タービン（８）（８）に噴射する各種エネルギ保存サイクル合体機関。
【請求項１６９９】
外部をＮ極とした磁化圧縮水を使用する過熱蒸気噴射ノズル（６Ａ）により水を加速する過程で円形状から楕円形状に膨張させて、弾み車タービン（８）（８）の長さとタービン翼（８ｃ）（８ｃ）の長さに合せた細長いノズル（６）として撥水作用や高温気化膜から選択して摩擦損失を低減した弾み車タービン（８）（８）に噴射する各種エネルギ保存サイクル合体機関。
【請求項１７００】
外部をＮ極とした磁化圧縮水を使用する過熱蒸気噴射ノズル（６Ｂ）により水を加速する過程で円形状から楕円形状に膨張させて、弾み車タービン（８）（８）の長さとタービン翼（８ｃ）（８ｃ）の長さに合せた細長いノズル（６）として撥水作用や高温気化膜から選択して摩擦損失を低減した弾み車タービン（８）（８）に噴射する各種エネルギ保存サイクル合体機関。
【請求項１７０１】
外部をＮ極とした磁化圧縮水を使用する過熱蒸気噴射ノズル（６Ｉ）により水を加速する過程で円形状から楕円形状に膨張させて、弾み車タービン（８）（８）の長さとタービン翼（８ｃ）（８ｃ）の長さに合せた細長いノズル（６）として撥水作用や高温気化膜から選択して摩擦損失を低減した弾み車タービン（８）（８）に噴射する各種エネルギ保存サイクル合体機関。
【請求項１７０２】
外部をＮ極とした磁化圧縮水を使用する燃焼ガス噴射ノズル（６Ｃ）により水を加速する過程で円形状から楕円形状に膨張させて、弾み車タービン（８）（８）の長さとタービン翼（８ｃ）（８ｃ）の長さに合せた細長いノズル（６）として撥水作用や高温気化膜から選択して摩擦損失を低減した弾み車タービン（８）（８）に噴射する各種エネルギ保存サイクル合体機関。
【請求項１７０３】
外部をＮ極とした磁化圧縮水を使用する燃焼ガス噴射ノズル（６Ｄ）により水を加速する過程で円形状から楕円形状に膨張させて、弾み車タービン（８）（８）の長さとタービン翼（８ｃ）（８ｃ）の長さに合せた細長いノズル（６）として撥水作用や高温気化膜から選択して摩擦損失を低減した弾み車タービン（８）（８）に噴射する各種エネルギ保存サイクル合体機関。
【請求項１７０４】
外部をＮ極とした磁化圧縮水を使用する燃焼ガス噴射ノズル（６Ｊ）により水を加速する過程で円形状から楕円形状に膨張させて、弾み車タービン（８）（８）の長さとタービン翼（８ｃ）（８ｃ）の長さに合せた細長いノズル（６）として撥水作用や高温気化膜から選択して摩擦損失を低減した弾み車タービン（８）（８）に噴射する各種エネルギ保存サイクル合体機関。
【請求項１７０５】
外部をＮ極とした磁化圧縮水を使用する過熱蒸気燃焼ガス噴射ノズル（６Ｈ）により水を加速する過程で円形状から楕円形状に膨張させて、弾み車タービン（８）（８）の長さとタービン翼（８ｃ）（８ｃ）の長さに合せた細長いノズル（６）として撥水作用や高温気化膜から選択して摩擦損失を低減した弾み車タービン（８）（８）に噴射する各種エネルギ保存サイクル合体機関。
【請求項１７０６】
外部をＮ極とした磁化圧縮水を使用する過熱蒸気燃焼ガス噴射ノズル（６Ｘ）により水を加速する過程で円形状から楕円形状に膨張させて、弾み車タービン（８）（８）の長さとタービン翼（８ｃ）（８ｃ）の長さに合せた細長いノズル（６）として撥水作用や高温気化膜から選択して摩擦損失を低減した弾み車タービン（８）（８）に噴射する各種エネルギ保存サイクル合体機関。
【請求項１７０７】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した磁気摩擦動力伝達装置（７６）により９０度以上回転可能にした各種エネルギ保存サイクル合体機関。
【請求項１７０８】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した磁気摩擦動力伝達装置（７６）により９０度以上回転可能にした各種エネルギ保存サイクル合体機関。
【請求項１７０９】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した磁気摩擦動力伝達装置（７６）により９０度以上回転可能にした各種エネルギ保存サイクル合体機関。
【請求項１７１０】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した磁気摩擦動力伝達装置（７６）により９０度以上回転可能にした各種エネルギ保存サイクル合体機関。
【請求項１７１１】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した歯車装置により９０度以上回転可能にした各種エネルギ保存サイクル合体機関。
【請求項１７１２】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した歯車装置により９０度以上回転可能にした各種エネルギ保存サイクル合体機関。
【請求項１７１３】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した歯車装置により９０度以上回転可能にした各種エネルギ保存サイクル合体機関。
【請求項１７１４】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した歯車装置により９０度以上回転可能にした各種エネルギ保存サイクル合体機関。
【請求項１７１５】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した公知技術により９０度以上回転可能にした各種エネルギ保存サイクル合体機関。
【請求項１７１６】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した公知技術により９０度以上回転可能にした各種エネルギ保存サイクル合体機関。
【請求項１７１７】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した公知技術により９０度以上回転可能にした各種エネルギ保存サイクル合体機関。
【請求項１７１８】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した公知技術により９０度以上回転可能にした各種エネルギ保存サイクル合体機関。
【請求項１７１９】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した磁気摩擦動力伝達装置（７６）により９０度以上回転して垂直上昇垂直降下を可能にした各種エネルギ保存サイクル合体機関。
【請求項１７２０】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した磁気摩擦動力伝達装置（７６）により９０度以上回転して垂直上昇垂直降下を可能にした各種エネルギ保存サイクル合体機関。
【請求項１７２１】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した磁気摩擦動力伝達装置（７６）により９０度以上回転して垂直上昇垂直降下を可能にした各種エネルギ保存サイクル合体機関。
【請求項１７２２】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した磁気摩擦動力伝達装置（７６）により９０度以上回転して垂直上昇垂直降下を可能にした各種エネルギ保存サイクル合体機関。
【請求項１７２３】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した歯車装置により９０度以上回転して垂直上昇垂直降下を可能にした各種エネルギ保存サイクル合体機関。
【請求項１７２４】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した歯車装置により９０度以上回転して垂直上昇垂直降下を可能にした各種エネルギ保存サイクル合体機関。
【請求項１７２５】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した歯車装置により９０度以上回転して垂直上昇垂直降下を可能にした各種エネルギ保存サイクル合体機関。
【請求項１７２６】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した歯車装置により９０度以上回転して垂直上昇垂直降下を可能にした各種エネルギ保存サイクル合体機関。
【請求項１７２７】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した公知技術により９０度以上回転して垂直上昇垂直降下を可能にした各種エネルギ保存サイクル合体機関。
【請求項１７２８】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した公知技術により９０度以上回転して垂直上昇垂直降下を可能にした各種エネルギ保存サイクル合体機関。
【請求項１７２９】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した公知技術により９０度以上回転して垂直上昇垂直降下を可能にした各種エネルギ保存サイクル合体機関。
【請求項１７３０】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した公知技術により９０度以上回転して垂直上昇垂直降下を可能にした各種エネルギ保存サイクル合体機関。
【請求項１７３１】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した磁気摩擦動力伝達装置（７６）により１８０度以下回転して垂直上昇垂直降下を可能にした各種エネルギ保存サイクル合体機関。
【請求項１７３２】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した磁気摩擦動力伝達装置（７６）により１８０度以下回転して垂直上昇垂直降下を可能にした各種エネルギ保存サイクル合体機関。
【請求項１７３３】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した磁気摩擦動力伝達装置（７６）により１８０度以下回転して垂直上昇垂直降下を可能にした各種エネルギ保存サイクル合体機関。
【請求項１７３４】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した磁気摩擦動力伝達装置（７６）により１８０度以下回転して垂直上昇垂直降下を可能にした各種エネルギ保存サイクル合体機関。
【請求項１７３５】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した歯車装置により１８０度以下回転して垂直上昇垂直降下を可能にした各種エネルギ保存サイクル合体機関。
【請求項１７３６】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した歯車装置により１８０度以下回転して垂直上昇垂直降下を可能にした各種エネルギ保存サイクル合体機関。
【請求項１７３７】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した歯車装置により１８０度以下回転して垂直上昇垂直降下を可能にした各種エネルギ保存サイクル合体機関。
【請求項１７３８】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した歯車装置により１８０度以下回転して垂直上昇垂直降下を可能にした各種エネルギ保存サイクル合体機関。
【請求項１７３９】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した公知技術により１８０度以下回転して垂直上昇垂直降下を可能にした各種エネルギ保存サイクル合体機関。
【請求項１７４０】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した公知技術により１８０度以下回転して垂直上昇垂直降下を可能にした各種エネルギ保存サイクル合体機関。
【請求項１７４１】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した公知技術により１８０度以下回転して垂直上昇垂直降下を可能にした各種エネルギ保存サイクル合体機関。
【請求項１７４２】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した公知技術により１８０度以下回転して垂直上昇垂直降下を可能にした各種エネルギ保存サイクル合体機関。
【請求項１７４３】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した磁気摩擦動力伝達装置（７６）により１８０度以上回転して逆噴射を可能にした各種エネルギ保存サイクル合体機関。
【請求項１７４４】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した磁気摩擦動力伝達装置（７６）により１８０度以上回転して逆噴射を可能にした各種エネルギ保存サイクル合体機関。
【請求項１７４５】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した磁気摩擦動力伝達装置（７６）により１８０度以上回転して逆噴射を可能にした各種エネルギ保存サイクル合体機関。
【請求項１７４６】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した磁気摩擦動力伝達装置（７６）により１８０度以上回転して逆噴射を可能にした各種エネルギ保存サイクル合体機関。
【請求項１７４７】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した歯車装置により１８０度以上回転して逆噴射を可能にした各種エネルギ保存サイクル合体機関。
【請求項１７４８】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した歯車装置により１８０度以上回転して逆噴射を可能にした各種エネルギ保存サイクル合体機関。
【請求項１７４９】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した歯車装置により１８０度以上回転して逆噴射を可能にした各種エネルギ保存サイクル合体機関。
【請求項１７５０】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した歯車装置により１８０度以上回転して逆噴射を可能にした各種エネルギ保存サイクル合体機関。
【請求項１７５１】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した公知技術により１８０度以上回転して逆噴射を可能にした各種エネルギ保存サイクル合体機関。
【請求項１７５２】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した公知技術により１８０度以上回転して逆噴射を可能にした各種エネルギ保存サイクル合体機関。
【請求項１７５３】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した公知技術により１８０度以上回転して逆噴射を可能にした各種エネルギ保存サイクル合体機関。
【請求項１７５４】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した公知技術により１８０度以上回転して逆噴射を可能にした各種エネルギ保存サイクル合体機関。
【請求項１７５５】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した磁気摩擦動力伝達装置（７６）により９０度以上回転して地球で垂直上昇垂直降下を可能にした各種エネルギ保存サイクル合体機関。
【請求項１７５６】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した磁気摩擦動力伝達装置（７６）により９０度以上回転して地球で垂直上昇垂直降下を可能にした各種エネルギ保存サイクル合体機関。
【請求項１７５７】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した磁気摩擦動力伝達装置（７６）により９０度以上回転して地球で垂直上昇垂直降下を可能にした各種エネルギ保存サイクル合体機関。
【請求項１７５８】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した磁気摩擦動力伝達装置（７６）により９０度以上回転して地球で垂直上昇垂直降下を可能にした各種エネルギ保存サイクル合体機関。
【請求項１７５９】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した歯車装置により９０度以上回転して地球で垂直上昇垂直降下を可能にした各種エネルギ保存サイクル合体機関。
【請求項１７６０】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した歯車装置により９０度以上回転して地球で垂直上昇垂直降下を可能にした各種エネルギ保存サイクル合体機関。
【請求項１７６１】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した歯車装置により９０度以上回転して地球で垂直上昇垂直降下を可能にした各種エネルギ保存サイクル合体機関。
【請求項１７６２】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した歯車装置により９０度以上回転して地球で垂直上昇垂直降下を可能にした各種エネルギ保存サイクル合体機関。
【請求項１７６３】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した公知技術により９０度以上回転して地球で垂直上昇垂直降下を可能にした各種エネルギ保存サイクル合体機関。
【請求項１７６４】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した公知技術により９０度以上回転して地球で垂直上昇垂直降下を可能にした各種エネルギ保存サイクル合体機関。
【請求項１７６５】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した公知技術により９０度以上回転して地球で垂直上昇垂直降下を可能にした各種エネルギ保存サイクル合体機関。
【請求項１７６６】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した公知技術により９０度以上回転して地球で垂直上昇垂直降下を可能にした各種エネルギ保存サイクル合体機関。
【請求項１７６７】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した磁気摩擦動力伝達装置（７６）により１８０度以下回転して地球で垂直上昇垂直降下を可能にした各種エネルギ保存サイクル合体機関。
【請求項１７６８】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した磁気摩擦動力伝達装置（７６）により１８０度以下回転して地球で垂直上昇垂直降下を可能にした各種エネルギ保存サイクル合体機関。
【請求項１７６９】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した磁気摩擦動力伝達装置（７６）により１８０度以下回転して地球で垂直上昇垂直降下を可能にした各種エネルギ保存サイクル合体機関。
【請求項１７７０】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した磁気摩擦動力伝達装置（７６）により１８０度以下回転して地球で垂直上昇垂直降下を可能にした各種エネルギ保存サイクル合体機関。
【請求項１７７１】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した歯車装置により１８０度以下回転して地球で垂直上昇垂直降下を可能にした各種エネルギ保存サイクル合体機関。
【請求項１７７２】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した歯車装置により１８０度以下回転して地球で垂直上昇垂直降下を可能にした各種エネルギ保存サイクル合体機関。
【請求項１７７３】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した歯車装置により１８０度以下回転して地球で垂直上昇垂直降下を可能にした各種エネルギ保存サイクル合体機関。
【請求項１７７４】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した歯車装置により１８０度以下回転して地球で垂直上昇垂直降下を可能にした各種エネルギ保存サイクル合体機関。
【請求項１７７５】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した公知技術により１８０度以下回転して地球で垂直上昇垂直降下を可能にした各種エネルギ保存サイクル合体機関。
【請求項１７７６】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した公知技術により１８０度以下回転して地球で垂直上昇垂直降下を可能にした各種エネルギ保存サイクル合体機関。
【請求項１７７７】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した公知技術により１８０度以下回転して地球で垂直上昇垂直降下を可能にした各種エネルギ保存サイクル合体機関。
【請求項１７７８】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した公知技術により１８０度以下回転して地球で垂直上昇垂直降下を可能にした各種エネルギ保存サイクル合体機関。
【請求項１７７９】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した磁気摩擦動力伝達装置（７６）により１８０度以上回転して地球で逆噴射を可能にした各種エネルギ保存サイクル合体機関。
【請求項１７８０】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した磁気摩擦動力伝達装置（７６）により１８０度以上回転して地球で逆噴射を可能にした各種エネルギ保存サイクル合体機関。
【請求項１７８１】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した磁気摩擦動力伝達装置（７６）により１８０度以上回転して地球で逆噴射を可能にした各種エネルギ保存サイクル合体機関。
【請求項１７８２】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した磁気摩擦動力伝達装置（７６）により１８０度以上回転して地球で逆噴射を可能にした各種エネルギ保存サイクル合体機関。
【請求項１７８３】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した歯車装置により１８０度以上回転して地球で逆噴射を可能にした各種エネルギ保存サイクル合体機関。
【請求項１７８４】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した歯車装置により１８０度以上回転して地球で逆噴射を可能にした各種エネルギ保存サイクル合体機関。
【請求項１７８５】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した歯車装置により１８０度以上回転して地球で逆噴射を可能にした各種エネルギ保存サイクル合体機関。
【請求項１７８６】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した歯車装置により１８０度以上回転して地球で逆噴射を可能にした各種エネルギ保存サイクル合体機関。
【請求項１７８７】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した公知技術により１８０度以上回転して地球で逆噴射を可能にした各種エネルギ保存サイクル合体機関。
【請求項１７８８】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した公知技術により１８０度以上回転して地球で逆噴射を可能にした各種エネルギ保存サイクル合体機関。
【請求項１７８９】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した公知技術により１８０度以上回転して地球で逆噴射を可能にした各種エネルギ保存サイクル合体機関。
【請求項１７９０】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した公知技術により１８０度以上回転して地球で逆噴射を可能にした各種エネルギ保存サイクル合体機関。
【請求項１７９１】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した磁気摩擦動力伝達装置（７６）により９０度以上回転して天体で垂直上昇垂直降下を可能にした各種エネルギ保存サイクル合体機関。
【請求項１７９２】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した磁気摩擦動力伝達装置（７６）により９０度以上回転して天体で垂直上昇垂直降下を可能にした各種エネルギ保存サイクル合体機関。
【請求項１７９３】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した磁気摩擦動力伝達装置（７６）により９０度以上回転して天体で垂直上昇垂直降下を可能にした各種エネルギ保存サイクル合体機関。
【請求項１７９４】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した磁気摩擦動力伝達装置（７６）により９０度以上回転して天体で垂直上昇垂直降下を可能にした各種エネルギ保存サイクル合体機関。
【請求項１７９５】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した歯車装置により９０度以上回転して天体で垂直上昇垂直降下を可能にした各種エネルギ保存サイクル合体機関。
【請求項１７９６】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した歯車装置により９０度以上回転して天体で垂直上昇垂直降下を可能にした各種エネルギ保存サイクル合体機関。
【請求項１７９７】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した歯車装置により９０度以上回転して天体で垂直上昇垂直降下を可能にした各種エネルギ保存サイクル合体機関。
【請求項１７９８】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した歯車装置により９０度以上回転して天体で垂直上昇垂直降下を可能にした各種エネルギ保存サイクル合体機関。
【請求項１７９９】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した公知技術により９０度以上回転して天体で垂直上昇垂直降下を可能にした各種エネルギ保存サイクル合体機関。
【請求項１８００】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した公知技術により９０度以上回転して天体で垂直上昇垂直降下を可能にした各種エネルギ保存サイクル合体機関。
【請求項１８０１】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した公知技術により９０度以上回転して天体で垂直上昇垂直降下を可能にした各種エネルギ保存サイクル合体機関。
【請求項１８０２】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した公知技術により９０度以上回転して天体で垂直上昇垂直降下を可能にした各種エネルギ保存サイクル合体機関。
【請求項１８０３】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した磁気摩擦動力伝達装置（７６）により１８０度以下回転して天体で垂直上昇垂直降下を可能にした各種エネルギ保存サイクル合体機関。
【請求項１８０４】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した磁気摩擦動力伝達装置（７６）により１８０度以下回転して天体で垂直上昇垂直降下を可能にした各種エネルギ保存サイクル合体機関。
【請求項１８０５】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した磁気摩擦動力伝達装置（７６）により１８０度以下回転して天体で垂直上昇垂直降下を可能にした各種エネルギ保存サイクル合体機関。
【請求項１８０６】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した磁気摩擦動力伝達装置（７６）により１８０度以下回転して天体で垂直上昇垂直降下を可能にした各種エネルギ保存サイクル合体機関。
【請求項１８０７】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した歯車装置により１８０度以下回転して天体で垂直上昇垂直降下を可能にした各種エネルギ保存サイクル合体機関。
【請求項１８０８】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した歯車装置により１８０度以下回転して天体で垂直上昇垂直降下を可能にした各種エネルギ保存サイクル合体機関。
【請求項１８０９】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した歯車装置により１８０度以下回転して天体で垂直上昇垂直降下を可能にした各種エネルギ保存サイクル合体機関。
【請求項１８１０】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した歯車装置により１８０度以下回転して天体で垂直上昇垂直降下を可能にした各種エネルギ保存サイクル合体機関。
【請求項１８１１】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した公知技術により１８０度以下回転して天体で垂直上昇垂直降下を可能にした各種エネルギ保存サイクル合体機関。
【請求項１８１２】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した公知技術により１８０度以下回転して天体で垂直上昇垂直降下を可能にした各種エネルギ保存サイクル合体機関。
【請求項１８１３】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した公知技術により１８０度以下回転して天体で垂直上昇垂直降下を可能にした各種エネルギ保存サイクル合体機関。
【請求項１８１４】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した公知技術により１８０度以下回転して天体で垂直上昇垂直降下を可能にした各種エネルギ保存サイクル合体機関。
【請求項１８１５】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した磁気摩擦動力伝達装置（７６）により１８０度以上回転して天体で逆噴射を可能にした各種エネルギ保存サイクル合体機関。
【請求項１８１６】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した磁気摩擦動力伝達装置（７６）により１８０度以上回転して天体で逆噴射を可能にした各種エネルギ保存サイクル合体機関。
【請求項１８１７】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した磁気摩擦動力伝達装置（７６）により１８０度以上回転して天体で逆噴射を可能にした各種エネルギ保存サイクル合体機関。
【請求項１８１８】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した磁気摩擦動力伝達装置（７６）により１８０度以上回転して天体で逆噴射を可能にした各種エネルギ保存サイクル合体機関。
【請求項１８１９】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した歯車装置により１８０度以上回転して天体で逆噴射を可能にした各種エネルギ保存サイクル合体機関。
【請求項１８２０】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した歯車装置により１８０度以上回転して天体で逆噴射を可能にした各種エネルギ保存サイクル合体機関。
【請求項１８２１】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した歯車装置により１８０度以上回転して天体で逆噴射を可能にした各種エネルギ保存サイクル合体機関。
【請求項１８２２】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した歯車装置により１８０度以上回転して天体で逆噴射を可能にした各種エネルギ保存サイクル合体機関。
【請求項１８２３】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した公知技術により１８０度以上回転して天体で逆噴射を可能にした各種エネルギ保存サイクル合体機関。
【請求項１８２４】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した公知技術により１８０度以上回転して天体で逆噴射を可能にした各種エネルギ保存サイクル合体機関。
【請求項１８２５】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した公知技術により１８０度以上回転して天体で逆噴射を可能にした各種エネルギ保存サイクル合体機関。
【請求項１８２６】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した公知技術により１８０度以上回転して天体で逆噴射を可能にした各種エネルギ保存サイクル合体機関。
【請求項１８２７】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した磁気摩擦動力伝達装置（７６）により９０度以上回転して地球で垂直上昇垂直降下を可能な各種超音速飛行機にした各種エネルギ保存サイクル合体機関。
【請求項１８２８】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した磁気摩擦動力伝達装置（７６）により９０度以上回転して地球で垂直上昇垂直降下を可能な各種超音速飛行機にした各種エネルギ保存サイクル合体機関。
【請求項１８２９】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した磁気摩擦動力伝達装置（７６）により９０度以上回転して地球で垂直上昇垂直降下を可能な各種超音速飛行機にした各種エネルギ保存サイクル合体機関。
【請求項１８３０】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した磁気摩擦動力伝達装置（７６）により９０度以上回転して地球で垂直上昇垂直降下を可能な各種超音速飛行機にした各種エネルギ保存サイクル合体機関。
【請求項１８３１】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した歯車装置により９０度以上回転して地球で垂直上昇垂直降下を可能な各種超音速飛行機にした各種エネルギ保存サイクル合体機関。
【請求項１８３２】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した歯車装置により９０度以上回転して地球で垂直上昇垂直降下を可能な各種超音速飛行機にした各種エネルギ保存サイクル合体機関。
【請求項１８３３】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した歯車装置により９０度以上回転して地球で垂直上昇垂直降下を可能な各種超音速飛行機にした各種エネルギ保存サイクル合体機関。
【請求項１８３４】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した歯車装置により９０度以上回転して地球で垂直上昇垂直降下を可能な各種超音速飛行機にした各種エネルギ保存サイクル合体機関。
【請求項１８３５】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した公知技術により９０度以上回転して地球で垂直上昇垂直降下を可能な各種超音速飛行機にした各種エネルギ保存サイクル合体機関。
【請求項１８３６】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した公知技術により９０度以上回転して地球で垂直上昇垂直降下を可能な各種超音速飛行機にした各種エネルギ保存サイクル合体機関。
【請求項１８３７】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した公知技術により９０度以上回転して地球で垂直上昇垂直降下を可能な各種超音速飛行機にした各種エネルギ保存サイクル合体機関。
【請求項１８３８】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した公知技術により９０度以上回転して地球で垂直上昇垂直降下を可能な各種超音速飛行機にした各種エネルギ保存サイクル合体機関。
【請求項１８３９】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した磁気摩擦動力伝達装置（７６）により１８０度以下回転して地球で垂直上昇垂直降下を可能な各種超音速飛行機にした各種エネルギ保存サイクル合体機関。
【請求項１８４０】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した磁気摩擦動力伝達装置（７６）により１８０度以下回転して地球で垂直上昇垂直降下を可能な各種超音速飛行機にした各種エネルギ保存サイクル合体機関。
【請求項１８４１】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した磁気摩擦動力伝達装置（７６）により１８０度以下回転して地球で垂直上昇垂直降下を可能な各種超音速飛行機にした各種エネルギ保存サイクル合体機関。
【請求項１８４２】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した磁気摩擦動力伝達装置（７６）により１８０度以下回転して地球で垂直上昇垂直降下を可能な各種超音速飛行機にした各種エネルギ保存サイクル合体機関。
【請求項１８４３】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した歯車装置により１８０度以下回転して地球で垂直上昇垂直降下を可能な各種超音速飛行機にした各種エネルギ保存サイクル合体機関。
【請求項１８４４】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した歯車装置により１８０度以下回転して地球で垂直上昇垂直降下を可能な各種超音速飛行機にした各種エネルギ保存サイクル合体機関。
【請求項１８４５】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した歯車装置により１８０度以下回転して地球で垂直上昇垂直降下を可能な各種超音速飛行機にした各種エネルギ保存サイクル合体機関。
【請求項１８４６】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した歯車装置により１８０度以下回転して地球で垂直上昇垂直降下を可能な各種超音速飛行機にした各種エネルギ保存サイクル合体機関。
【請求項１８４７】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した公知技術により１８０度以下回転して地球で垂直上昇垂直降下を可能な各種超音速飛行機にした各種エネルギ保存サイクル合体機関。
【請求項１８４８】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した公知技術により１８０度以下回転して地球で垂直上昇垂直降下を可能な各種超音速飛行機にした各種エネルギ保存サイクル合体機関。
【請求項１８４９】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した公知技術により１８０度以下回転して地球で垂直上昇垂直降下を可能な各種超音速飛行機にした各種エネルギ保存サイクル合体機関。
【請求項１８５０】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した公知技術により１８０度以下回転して地球で垂直上昇垂直降下を可能な各種超音速飛行機にした各種エネルギ保存サイクル合体機関。
【請求項１８５１】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した磁気摩擦動力伝達装置（７６）により１８０度以上回転して地球で逆噴射を可能な各種超音速飛行機にした各種エネルギ保存サイクル合体機関。
【請求項１８５２】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した磁気摩擦動力伝達装置（７６）により１８０度以上回転して地球で逆噴射を可能な各種超音速飛行機にした各種エネルギ保存サイクル合体機関。
【請求項１８５３】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した磁気摩擦動力伝達装置（７６）により１８０度以上回転して地球で逆噴射を可能な各種超音速飛行機にした各種エネルギ保存サイクル合体機関。
【請求項１８５４】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した磁気摩擦動力伝達装置（７６）により１８０度以上回転して地球で逆噴射を可能な各種超音速飛行機にした各種エネルギ保存サイクル合体機関。
【請求項１８５５】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した歯車装置により１８０度以上回転して地球で逆噴射を可能な各種超音速飛行機にした各種エネルギ保存サイクル合体機関。
【請求項１８５６】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した歯車装置により１８０度以上回転して地球で逆噴射を可能な各種超音速飛行機にした各種エネルギ保存サイクル合体機関。
【請求項１８５７】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した歯車装置により１８０度以上回転して地球で逆噴射を可能な各種超音速飛行機にした各種エネルギ保存サイクル合体機関。
【請求項１８５８】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した歯車装置により１８０度以上回転して地球で逆噴射を可能な各種超音速飛行機にした各種エネルギ保存サイクル合体機関。
【請求項１８５９】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した公知技術により１８０度以上回転して地球で逆噴射を可能な各種超音速飛行機にした各種エネルギ保存サイクル合体機関。
【請求項１８６０】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した公知技術により１８０度以上回転して地球で逆噴射を可能な各種超音速飛行機にした各種エネルギ保存サイクル合体機関。
【請求項１８６１】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した公知技術により１８０度以上回転して地球で逆噴射を可能な各種超音速飛行機にした各種エネルギ保存サイクル合体機関。
【請求項１８６２】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した公知技術により１８０度以上回転して地球で逆噴射を可能な各種超音速飛行機にした各種エネルギ保存サイクル合体機関。
【請求項１８６３】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した磁気摩擦動力伝達装置（７６）により９０度以上回転して天体で垂直上昇垂直降下を可能な宇宙往還旅客機にした各種エネルギ保存サイクル合体機関。
【請求項１８６４】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した磁気摩擦動力伝達装置（７６）により９０度以上回転して天体で垂直上昇垂直降下を可能な宇宙往還旅客機にした各種エネルギ保存サイクル合体機関。
【請求項１８６５】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した磁気摩擦動力伝達装置（７６）により９０度以上回転して天体で垂直上昇垂直降下を可能な宇宙往還旅客機にした各種エネルギ保存サイクル合体機関。
【請求項１８６６】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した磁気摩擦動力伝達装置（７６）により９０度以上回転して天体で垂直上昇垂直降下を可能な宇宙往還旅客機にした各種エネルギ保存サイクル合体機関。
【請求項１８６７】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した歯車装置により９０度以上回転して天体で垂直上昇垂直降下を可能な宇宙往還旅客機にした各種エネルギ保存サイクル合体機関。
【請求項１８６８】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した歯車装置により９０度以上回転して天体で垂直上昇垂直降下を可能な宇宙往還旅客機にした各種エネルギ保存サイクル合体機関。
【請求項１８６９】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した歯車装置により９０度以上回転して天体で垂直上昇垂直降下を可能な宇宙往還旅客機にした各種エネルギ保存サイクル合体機関。
【請求項１８７０】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した歯車装置により９０度以上回転して天体で垂直上昇垂直降下を可能な宇宙往還旅客機にした各種エネルギ保存サイクル合体機関。
【請求項１８７１】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した公知技術により９０度以上回転して天体で垂直上昇垂直降下を可能な宇宙往還旅客機にした各種エネルギ保存サイクル合体機関。
【請求項１８７２】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した公知技術により９０度以上回転して天体で垂直上昇垂直降下を可能な宇宙往還旅客機にした各種エネルギ保存サイクル合体機関。
【請求項１８７３】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した公知技術により９０度以上回転して天体で垂直上昇垂直降下を可能な宇宙往還旅客機にした各種エネルギ保存サイクル合体機関。
【請求項１８７４】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した公知技術により９０度以上回転して天体で垂直上昇垂直降下を可能な宇宙往還旅客機にした各種エネルギ保存サイクル合体機関。
【請求項１８７５】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した磁気摩擦動力伝達装置（７６）により１８０度以下回転して天体で垂直上昇垂直降下を可能な宇宙往還旅客機にした各種エネルギ保存サイクル合体機関。
【請求項１８７６】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した磁気摩擦動力伝達装置（７６）により１８０度以下回転して天体で垂直上昇垂直降下を可能な宇宙往還旅客機にした各種エネルギ保存サイクル合体機関。
【請求項１８７７】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した磁気摩擦動力伝達装置（７６）により１８０度以下回転して天体で垂直上昇垂直降下を可能な宇宙往還旅客機にした各種エネルギ保存サイクル合体機関。
【請求項１８７８】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した磁気摩擦動力伝達装置（７６）により１８０度以下回転して天体で垂直上昇垂直降下を可能な宇宙往還旅客機にした各種エネルギ保存サイクル合体機関。
【請求項１８７９】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した歯車装置により１８０度以下回転して天体で垂直上昇垂直降下を可能な宇宙往還旅客機にした各種エネルギ保存サイクル合体機関。
【請求項１８８０】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した歯車装置により１８０度以下回転して天体で垂直上昇垂直降下を可能な宇宙往還旅客機にした各種エネルギ保存サイクル合体機関。
【請求項１８８１】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した歯車装置により１８０度以下回転して天体で垂直上昇垂直降下を可能な宇宙往還旅客機にした各種エネルギ保存サイクル合体機関。
【請求項１８８２】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した歯車装置により１８０度以下回転して天体で垂直上昇垂直降下を可能な宇宙往還旅客機にした各種エネルギ保存サイクル合体機関。
【請求項１８８３】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した公知技術により１８０度以下回転して天体で垂直上昇垂直降下を可能な宇宙往還旅客機にした各種エネルギ保存サイクル合体機関。
【請求項１８８４】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した公知技術により１８０度以下回転して天体で垂直上昇垂直降下を可能な宇宙往還旅客機にした各種エネルギ保存サイクル合体機関。
【請求項１８８５】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した公知技術により１８０度以下回転して天体で垂直上昇垂直降下を可能な宇宙往還旅客機にした各種エネルギ保存サイクル合体機関。
【請求項１８８６】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した公知技術により１８０度以下回転して天体で垂直上昇垂直降下を可能な宇宙往還旅客機にした各種エネルギ保存サイクル合体機関。
【請求項１８８７】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した磁気摩擦動力伝達装置（７６）により１８０度以上回転して天体で逆噴射を可能な宇宙往還旅客機にした各種エネルギ保存サイクル合体機関。
【請求項１８８８】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した磁気摩擦動力伝達装置（７６）により１８０度以上回転して天体で逆噴射を可能な宇宙往還旅客機にした各種エネルギ保存サイクル合体機関。
【請求項１８８９】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した磁気摩擦動力伝達装置（７６）により１８０度以上回転して天体で逆噴射を可能な宇宙往還旅客機にした各種エネルギ保存サイクル合体機関。
【請求項１８９０】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した磁気摩擦動力伝達装置（７６）により１８０度以上回転して天体で逆噴射を可能な宇宙往還旅客機にした各種エネルギ保存サイクル合体機関。
【請求項１８９１】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した歯車装置により１８０度以上回転して天体で逆噴射を可能な宇宙往還旅客機にした各種エネルギ保存サイクル合体機関。
【請求項１８９２】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した歯車装置により１８０度以上回転して天体で逆噴射を可能な宇宙往還旅客機にした各種エネルギ保存サイクル合体機関。
【請求項１８９３】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した歯車装置により１８０度以上回転して天体で逆噴射を可能な宇宙往還旅客機にした各種エネルギ保存サイクル合体機関。
【請求項１８９４】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した歯車装置により１８０度以上回転して天体で逆噴射を可能な宇宙往還旅客機にした各種エネルギ保存サイクル合体機関。
【請求項１８９５】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した公知技術により１８０度以上回転して天体で逆噴射を可能な宇宙往還旅客機にした各種エネルギ保存サイクル合体機関。
【請求項１８９６】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した公知技術により１８０度以上回転して天体で逆噴射を可能な宇宙往還旅客機にした各種エネルギ保存サイクル合体機関。
【請求項１８９７】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した公知技術により１８０度以上回転して天体で逆噴射を可能な宇宙往還旅客機にした各種エネルギ保存サイクル合体機関。
【請求項１８９８】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した公知技術により１８０度以上回転して天体で逆噴射を可能な宇宙往還旅客機にした各種エネルギ保存サイクル合体機関。
【請求項１８９９】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した磁気摩擦動力伝達装置（７６）により９０度以上回転して地球で垂直上昇垂直降下を可能な各種飛行機にした各種エネルギ保存サイクル合体機関。
【請求項１９００】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した磁気摩擦動力伝達装置（７６）により９０度以上回転して地球で垂直上昇垂直降下を可能な各種飛行機にした各種エネルギ保存サイクル合体機関。
【請求項１９０１】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した磁気摩擦動力伝達装置（７６）により９０度以上回転して地球で垂直上昇垂直降下を可能な各種飛行機にした各種エネルギ保存サイクル合体機関。
【請求項１９０２】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した磁気摩擦動力伝達装置（７６）により９０度以上回転して地球で垂直上昇垂直降下を可能な各種飛行機にした各種エネルギ保存サイクル合体機関。
【請求項１９０３】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した歯車装置により９０度以上回転して地球で垂直上昇垂直降下を可能な各種飛行機にした各種エネルギ保存サイクル合体機関。
【請求項１９０４】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した歯車装置により９０度以上回転して地球で垂直上昇垂直降下を可能な各種飛行機にした各種エネルギ保存サイクル合体機関。
【請求項１９０５】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した歯車装置により９０度以上回転して地球で垂直上昇垂直降下を可能な各種飛行機にした各種エネルギ保存サイクル合体機関。
【請求項１９０６】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した歯車装置により９０度以上回転して地球で垂直上昇垂直降下を可能な各種飛行機にした各種エネルギ保存サイクル合体機関。
【請求項１９０７】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した公知技術により９０度以上回転して地球で垂直上昇垂直降下を可能な各種飛行機にした各種エネルギ保存サイクル合体機関。
【請求項１９０８】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した公知技術により９０度以上回転して地球で垂直上昇垂直降下を可能な各種飛行機にした各種エネルギ保存サイクル合体機関。
【請求項１９０９】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した公知技術により９０度以上回転して地球で垂直上昇垂直降下を可能な各種飛行機にした各種エネルギ保存サイクル合体機関。
【請求項１９１０】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した公知技術により９０度以上回転して地球で垂直上昇垂直降下を可能な各種飛行機にした各種エネルギ保存サイクル合体機関。
【請求項１９１１】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した磁気摩擦動力伝達装置（７６）により１８０度以下回転して地球で垂直上昇垂直降下を可能な各種飛行機にした各種エネルギ保存サイクル合体機関。
【請求項１９１２】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した磁気摩擦動力伝達装置（７６）により１８０度以下回転して地球で垂直上昇垂直降下を可能な各種飛行機にした各種エネルギ保存サイクル合体機関。
【請求項１９１３】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した磁気摩擦動力伝達装置（７６）により１８０度以下回転して地球で垂直上昇垂直降下を可能な各種飛行機にした各種エネルギ保存サイクル合体機関。
【請求項１９１４】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した磁気摩擦動力伝達装置（７６）により１８０度以下回転して地球で垂直上昇垂直降下を可能な各種飛行機にした各種エネルギ保存サイクル合体機関。
【請求項１９１５】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した歯車装置により１８０度以下回転して地球で垂直上昇垂直降下を可能な各種飛行機にした各種エネルギ保存サイクル合体機関。
【請求項１９１６】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した歯車装置により１８０度以下回転して地球で垂直上昇垂直降下を可能な各種飛行機にした各種エネルギ保存サイクル合体機関。
【請求項１９１７】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した歯車装置により１８０度以下回転して地球で垂直上昇垂直降下を可能な各種飛行機にした各種エネルギ保存サイクル合体機関。
【請求項１９１８】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した歯車装置により１８０度以下回転して地球で垂直上昇垂直降下を可能な各種飛行機にした各種エネルギ保存サイクル合体機関。
【請求項１９１９】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した公知技術により１８０度以下回転して地球で垂直上昇垂直降下を可能な各種飛行機にした各種エネルギ保存サイクル合体機関。
【請求項１９２０】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した公知技術により１８０度以下回転して地球で垂直上昇垂直降下を可能な各種飛行機にした各種エネルギ保存サイクル合体機関。
【請求項１９２１】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した公知技術により１８０度以下回転して地球で垂直上昇垂直降下を可能な各種飛行機にした各種エネルギ保存サイクル合体機関。
【請求項１９２２】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した公知技術により１８０度以下回転して地球で垂直上昇垂直降下を可能な各種飛行機にした各種エネルギ保存サイクル合体機関。
【請求項１９２３】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した磁気摩擦動力伝達装置（７６）により１８０度以上回転して地球で逆噴射を可能な各種飛行機にした各種エネルギ保存サイクル合体機関。
【請求項１９２４】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した磁気摩擦動力伝達装置（７６）により１８０度以上回転して地球で逆噴射を可能な各種飛行機にした各種エネルギ保存サイクル合体機関。
【請求項１９２５】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した磁気摩擦動力伝達装置（７６）により１８０度以上回転して地球で逆噴射を可能な各種飛行機にした各種エネルギ保存サイクル合体機関。
【請求項１９２６】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した磁気摩擦動力伝達装置（７６）により１８０度以上回転して地球で逆噴射を可能な各種飛行機にした各種エネルギ保存サイクル合体機関。
【請求項１９２７】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した歯車装置により１８０度以上回転して地球で逆噴射を可能な各種飛行機にした各種エネルギ保存サイクル合体機関。
【請求項１９２８】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した歯車装置により１８０度以上回転して地球で逆噴射を可能な各種飛行機にした各種エネルギ保存サイクル合体機関。
【請求項１９２９】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した歯車装置により１８０度以上回転して地球で逆噴射を可能な各種飛行機にした各種エネルギ保存サイクル合体機関。
【請求項１９３０】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した歯車装置により１８０度以上回転して地球で逆噴射を可能な各種飛行機にした各種エネルギ保存サイクル合体機関。
【請求項１９３１】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した公知技術により１８０度以上回転して地球で逆噴射を可能な各種飛行機にした各種エネルギ保存サイクル合体機関。
【請求項１９３２】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した公知技術により１８０度以上回転して地球で逆噴射を可能な各種飛行機にした各種エネルギ保存サイクル合体機関。
【請求項１９３３】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した公知技術により１８０度以上回転して地球で逆噴射を可能な各種飛行機にした各種エネルギ保存サイクル合体機関。
【請求項１９３４】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した公知技術により１８０度以上回転して地球で逆噴射を可能な各種飛行機にした各種エネルギ保存サイクル合体機関。
【請求項１９３５】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した磁気摩擦動力伝達装置（７６）により９０度以上回転して天体で垂直上昇垂直降下を可能な宇宙往還機にした各種エネルギ保存サイクル合体機関。
【請求項１９３６】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した磁気摩擦動力伝達装置（７６）により９０度以上回転して天体で垂直上昇垂直降下を可能な宇宙往還機にした各種エネルギ保存サイクル合体機関。
【請求項１９３７】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した磁気摩擦動力伝達装置（７６）により９０度以上回転して天体で垂直上昇垂直降下を可能な宇宙往還機にした各種エネルギ保存サイクル合体機関。
【請求項１９３８】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した磁気摩擦動力伝達装置（７６）により９０度以上回転して天体で垂直上昇垂直降下を可能な宇宙往還機にした各種エネルギ保存サイクル合体機関。
【請求項１９３９】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した歯車装置により９０度以上回転して天体で垂直上昇垂直降下を可能な宇宙往還機にした各種エネルギ保存サイクル合体機関。
【請求項１９４０】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した歯車装置により９０度以上回転して天体で垂直上昇垂直降下を可能な宇宙往還機にした各種エネルギ保存サイクル合体機関。
【請求項１９４１】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した歯車装置により９０度以上回転して天体で垂直上昇垂直降下を可能な宇宙往還機にした各種エネルギ保存サイクル合体機関。
【請求項１９４２】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した歯車装置により９０度以上回転して天体で垂直上昇垂直降下を可能な宇宙往還機にした各種エネルギ保存サイクル合体機関。
【請求項１９４３】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した公知技術により９０度以上回転して天体で垂直上昇垂直降下を可能な宇宙往還機にした各種エネルギ保存サイクル合体機関。
【請求項１９４４】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した公知技術により９０度以上回転して天体で垂直上昇垂直降下を可能な宇宙往還機にした各種エネルギ保存サイクル合体機関。
【請求項１９４５】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した公知技術により９０度以上回転して天体で垂直上昇垂直降下を可能な宇宙往還機にした各種エネルギ保存サイクル合体機関。
【請求項１９４６】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した公知技術により９０度以上回転して天体で垂直上昇垂直降下を可能な宇宙往還機にした各種エネルギ保存サイクル合体機関。
【請求項１９４７】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した磁気摩擦動力伝達装置（７６）により１８０度以下回転して天体で垂直上昇垂直降下を可能な宇宙往還機にした各種エネルギ保存サイクル合体機関。
【請求項１９４８】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した磁気摩擦動力伝達装置（７６）により１８０度以下回転して天体で垂直上昇垂直降下を可能な宇宙往還機にした各種エネルギ保存サイクル合体機関。
【請求項１９４９】
外部をＮ極とした磁化圧縮水を使用する体機関飛行機（３８Ａ）の合体機関噴射部（７７Ｋ）を、飛行尾翼（３８ｃ）の円筒回転部（７７Ｇ）に具備した磁気摩擦動力伝達装置（７６）により１８０度以下回転して天体で垂直上昇垂直降下を可能な宇宙往還機にした各種エネルギ保存サイクル合体機関。
【請求項１９５０】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した磁気摩擦動力伝達装置（７６）により１８０度以下回転して天体で垂直上昇垂直降下を可能な宇宙往還機にした各種エネルギ保存サイクル合体機関。
【請求項１９５１】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した歯車装置により１８０度以下回転して天体で垂直上昇垂直降下を可能な宇宙往還機にした各種エネルギ保存サイクル合体機関。
【請求項１９５２】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した歯車装置により１８０度以下回転して天体で垂直上昇垂直降下を可能な宇宙往還機にした各種エネルギ保存サイクル合体機関。
【請求項１９５３】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した歯車装置により１８０度以下回転して天体で垂直上昇垂直降下を可能な宇宙往還機にした各種エネルギ保存サイクル合体機関。
【請求項１９５４】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した歯車装置により１８０度以下回転して天体で垂直上昇垂直降下を可能な宇宙往還機にした各種エネルギ保存サイクル合体機関。
【請求項１９５５】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した公知技術により１８０度以下回転して天体で垂直上昇垂直降下を可能な宇宙往還機にした各種エネルギ保存サイクル合体機関。
【請求項１９５６】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した公知技術により１８０度以下回転して天体で垂直上昇垂直降下を可能な宇宙往還機にした各種エネルギ保存サイクル合体機関。
【請求項１９５７】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した公知技術により１８０度以下回転して天体で垂直上昇垂直降下を可能な宇宙往還機にした各種エネルギ保存サイクル合体機関。
【請求項１９５８】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した公知技術により１８０度以下回転して天体で垂直上昇垂直降下を可能な宇宙往還機にした各種エネルギ保存サイクル合体機関。
【請求項１９５９】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した磁気摩擦動力伝達装置（７６）により１８０度以上回転して天体で逆噴射を可能な宇宙往還機にした各種エネルギ保存サイクル合体機関。
【請求項１９６０】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した磁気摩擦動力伝達装置（７６）により１８０度以上回転して天体で逆噴射を可能な宇宙往還機にした各種エネルギ保存サイクル合体機関。
【請求項１９６１】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した磁気摩擦動力伝達装置（７６）により１８０度以上回転して天体で逆噴射を可能な宇宙往還機にした各種エネルギ保存サイクル合体機関。
【請求項１９６２】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した磁気摩擦動力伝達装置（７６）により１８０度以上回転して天体で逆噴射を可能な宇宙往還機にした各種エネルギ保存サイクル合体機関。
【請求項１９６３】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した歯車装置により１８０度以上回転して天体で逆噴射を可能な宇宙往還機にした各種エネルギ保存サイクル合体機関。
【請求項１９６４】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した歯車装置により１８０度以上回転して天体で逆噴射を可能な宇宙往還機にした各種エネルギ保存サイクル合体機関。
【請求項１９６５】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した歯車装置により１８０度以上回転して天体で逆噴射を可能な宇宙往還機にした各種エネルギ保存サイクル合体機関。
【請求項１９６６】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した歯車装置により１８０度以上回転して天体で逆噴射を可能な宇宙往還機にした各種エネルギ保存サイクル合体機関。
【請求項１９６７】
外部をＮ極とした磁化圧縮水を使用する合体機関飛行機（３８Ａ）の合体機関噴射部（７７Ｋ）を、飛行翼（３８ｂ）の円筒回転部（７７Ｇ）に具備した公知技術により１８０度以上回転して天体で逆噴射を可能な宇宙往還機にした各種エネルギ保存サイクル合体機関。
【請求項１９６８】
外部をＮ極とした磁化圧縮水を使用する合体機関飛行機（３８Ａ）の合体機関噴射部（７７Ｌ）を、飛行翼（３８ｂ）の円筒回転部（７７Ｇ）に具備した公知技術により１８０度以上回転して天体で逆噴射を可能な宇宙往還機にした各種エネルギ保存サイクル合体機関。
【請求項１９６９】
外部をＮ極とした磁化圧縮水を使用する合体機関飛行機（３８Ａ）の合体機関噴射部（７７Ｋ）を、飛行尾翼（３８ｃ）の円筒回転部（７７Ｇ）に具備した公知技術により１８０度以上回転して天体で逆噴射を可能な宇宙往還機にした各種エネルギ保存サイクル合体機関。
【請求項１９７０】
外部をＮ極とした磁化圧縮水を使用する合体機関飛行機（３８Ａ）の合体機関噴射部（７７Ｌ）を、飛行尾翼（３８ｃ）の円筒回転部（７７Ｇ）に具備した公知技術により１８０度以上回転して天体で逆噴射を可能な宇宙往還機にした各種エネルギ保存サイクル合体機関。
【請求項１９７１】
外部をＮ極とした磁化圧縮水を使用する過熱蒸気燃焼ガス噴射ノズル（６Ｈ）より噴射の過程で過熱蒸気を円形から楕円形に膨張加速してノズル噴射部（６ａ）をタービン翼（８ｃ）（８ｃ）の幅と長さに合せた細長い噴口部噴射とした各種エネルギ保存サイクル合体機関。
【請求項１９７２】
外部をＮ極とした磁化圧縮水を使用する過熱蒸気燃焼ガス噴射ノズル（６Ｘ）より噴射の過程で過熱蒸気を円形から楕円形に膨張加速してノズル噴射部（６ａ）をタービン翼（８ｃ）（８ｃ）の幅と長さに合せた細長い噴口部噴射とした各種エネルギ保存サイクル合体機関。
【請求項１９７３】
外部をＮ極とした磁化圧縮水を使用する過熱蒸気燃焼ガス噴射ノズル（６Ｈ）より噴射の過程で燃焼ガスを円形から楕円形に膨張加速してノズル噴射部（６ａ）をタービン翼（８ｃ）（８ｃ）の幅と長さに合せた細長い噴口部噴射とした各種エネルギ保存サイクル合体機関。
【請求項１９７４】
外部をＮ極とした磁化圧縮水を使用する過熱蒸気燃焼ガス噴射ノズル（６Ｘ）より噴射の過程で燃焼ガスを円形から楕円形に膨張加速してノズル噴射部（６ａ）をタービン翼（８ｃ）（８ｃ）の幅と長さに合せた細長い噴口部噴射とした各種エネルギ保存サイクル合体機関。
【請求項１９７５】
外部をＮ極とした磁化圧縮水を使用する過熱蒸気燃焼ガス噴射ノズル（６Ｈ）より噴射の過程で過熱蒸気を円形から楕円形に膨張加速してノズル噴射部（６ａ）をタービン翼（８ｃ）（８ｃ）の幅と長さに合せた細長い噴口部噴射として過熱蒸気マイクロバブルで摩擦損失を低減した回転出力の発生とした各種エネルギ保存サイクル合体機関。
【請求項１９７６】
外部をＮ極とした磁化圧縮水を使用する過熱蒸気燃焼ガス噴射ノズル（６Ｘ）より噴射の過程で過熱蒸気を円形から楕円形に膨張加速してノズル噴射部（６ａ）をタービン翼（８ｃ）（８ｃ）の幅と長さに合せた細長い噴口部噴射として過熱蒸気マイクロバブルで摩擦損失を低減した回転出力の発生とした各種エネルギ保存サイクル合体機関。
【請求項１９７７】
外部をＮ極とした磁化圧縮水を使用する過熱蒸気燃焼ガス噴射ノズル（６Ｈ）より噴射の過程で燃焼ガスを円形から楕円形に膨張加速してノズル噴射部（６ａ）をタービン翼（８ｃ）（８ｃ）の幅と長さに合せた細長い噴口部噴射として燃焼ガスマイクロバブルで摩擦損失を低減した回転出力の発生とした各種エネルギ保存サイクル合体機関。
【請求項１９７８】
外部をＮ極とした磁化圧縮水を使用する過熱蒸気燃焼ガス噴射ノズル（６Ｘ）より噴射の過程で燃焼ガスを円形から楕円形に膨張加速してノズル噴射部（６ａ）をタービン翼（８ｃ）（８ｃ）の幅と長さに合せた細長い噴口部噴射として燃焼ガスマイクロバブルで摩擦損失を低減した回転出力の発生とした各種エネルギ保存サイクル合体機関。
【請求項１９７９】
外部をＮ極とした磁化圧縮水を使用する磁化した過熱蒸気燃焼ガス噴射ノズル（６Ｈ）より噴射の過程で過熱蒸気を円形から楕円形に膨張加速してノズル噴射部（６ａ）をタービン翼（８ｃ）（８ｃ）の幅と長さに合せた細長い噴口部噴射とした各種エネルギ保存サイクル合体機関。
【請求項１９８０】
外部をＮ極とした磁化圧縮水を使用する磁化した過熱蒸気燃焼ガス噴射ノズル（６Ｘ）より噴射の過程で過熱蒸気を円形から楕円形に膨張加速してノズル噴射部（６ａ）をタービン翼（８ｃ）（８ｃ）の幅と長さに合せた細長い噴口部噴射とした各種エネルギ保存サイクル合体機関。
【請求項１９８１】
外部をＮ極とした磁化圧縮水を使用する磁化した過熱蒸気燃焼ガス噴射ノズル（６Ｈ）より噴射の過程で燃焼ガスを円形から楕円形に膨張加速してノズル噴射部（６ａ）をタービン翼（８ｃ）（８ｃ）の幅と長さに合せた細長い噴口部噴射とした各種エネルギ保存サイクル合体機関。
【請求項１９８２】
外部をＮ極とした磁化圧縮水を使用する磁化した過熱蒸気燃焼ガス噴射ノズル（６Ｘ）より噴射の過程で燃焼ガスを円形から楕円形に膨張加速してノズル噴射部（６ａ）をタービン翼（８ｃ）（８ｃ）の幅と長さに合せた細長い噴口部噴射とした各種エネルギ保存サイクル合体機関。
【請求項１９８３】
外部をＮ極とした磁化圧縮水を使用する磁化した過熱蒸気燃焼ガス噴射ノズル（６Ｈ）より噴射の過程で過熱蒸気を円形から楕円形に膨張加速してノズル噴射部（６ａ）をタービン翼（８ｃ）（８ｃ）の幅と長さに合せた細長い噴口部噴射として磁石反発力と過熱蒸気マイクロバブルで摩擦損失を低減した回転出力の発生とした各種エネルギ保存サイクル合体機関。
【請求項１９８４】
外部をＮ極とした磁化圧縮水を使用する磁化した過熱蒸気燃焼ガス噴射ノズル（６Ｘ）より噴射の過程で過熱蒸気を円形から楕円形に膨張加速してノズル噴射部（６ａ）をタービン翼（８ｃ）（８ｃ）の幅と長さに合せた細長い噴口部噴射として磁石反発力と過熱蒸気マイクロバブルで摩擦損失を低減した回転出力の発生とした各種エネルギ保存サイクル合体機関。
【請求項１９８５】
外部をＮ極とした磁化圧縮水を使用する磁化した過熱蒸気燃焼ガス噴射ノズル（６Ｈ）より噴射の過程で燃焼ガスを円形から楕円形に膨張加速してノズル噴射部（６ａ）をタービン翼（８ｃ）（８ｃ）の幅と長さに合せた細長い噴口部噴射として磁石反発力と燃焼ガスマイクロバブルで摩擦損失を低減した回転出力の発生とした各種エネルギ保存サイクル合体機関。
【請求項１９８６】
外部をＮ極とした磁化圧縮水を使用する磁化した過熱蒸気燃焼ガス噴射ノズル（６Ｘ）より噴射の過程で燃焼ガスを円形から楕円形に膨張加速してノズル噴射部（６ａ）をタービン翼（８ｃ）（８ｃ）の幅と長さに合せた細長い噴口部噴射として磁石反発力と燃焼ガスマイクロバブルで摩擦損失を低減した回転出力の発生とした各種エネルギ保存サイクル合体機関。
【請求項１９８７】
外部をＮ極とした磁化圧縮水を使用する過熱蒸気燃焼ガス噴射ノズル（６Ｈ）より噴射の過程で過熱蒸気を円形から楕円形に膨張加速してノズル噴射部（６ａ）をタービン翼（８ｃ）の幅と長さに合せた細長い噴口部噴射とした各種エネルギ保存サイクル合体機関。
【請求項１９８８】
外部をＮ極とした磁化圧縮水を使用する過熱蒸気燃焼ガス噴射ノズル（６Ｘ）より噴射の過程で過熱蒸気を円形から楕円形に膨張加速してノズル噴射部（６ａ）をタービン翼（８ｃ）の幅と長さに合せた細長い噴口部噴射とした各種エネルギ保存サイクル合体機関。
【請求項１９８９】
外部をＮ極とした磁化圧縮水を使用する過熱蒸気燃焼ガス噴射ノズル（６Ｈ）より噴射の過程で燃焼ガスを円形から楕円形に膨張加速してノズル噴射部（６ａ）をタービン翼（８ｃ）の幅と長さに合せた細長い噴口部噴射とした各種エネルギ保存サイクル合体機関。
【請求項１９９０】
外部をＮ極とした磁化圧縮水を使用する過熱蒸気燃焼ガス噴射ノズル（６Ｘ）より噴射の過程で燃焼ガスを円形から楕円形に膨張加速してノズル噴射部（６ａ）をタービン翼（８ｃ）の幅と長さに合せた細長い噴口部噴射とした各種エネルギ保存サイクル合体機関。
【請求項１９９１】
外部をＮ極とした磁化圧縮水を使用する過熱蒸気燃焼ガス噴射ノズル（６Ｈ）より噴射の過程で過熱蒸気を円形から楕円形に膨張加速してノズル噴射部（６ａ）をタービン翼（８ｃ）の幅と長さに合せた細長い噴口部噴射として過熱蒸気マイクロバブルで摩擦損失を低減した回転出力の発生とした各種エネルギ保存サイクル合体機関。
【請求項１９９２】
外部をＮ極とした磁化圧縮水を使用する過熱蒸気燃焼ガス噴射ノズル（６Ｘ）より噴射の過程で過熱蒸気を円形から楕円形に膨張加速してノズル噴射部（６ａ）をタービン翼（８ｃ）の幅と長さに合せた細長い噴口部噴射として過熱蒸気マイクロバブルで摩擦損失を低減した回転出力の発生とした各種エネルギ保存サイクル合体機関。
【請求項１９９３】
外部をＮ極とした磁化圧縮水を使用する過熱蒸気燃焼ガス噴射ノズル（６Ｈ）より噴射の過程で燃焼ガスを円形から楕円形に膨張加速してノズル噴射部（６ａ）をタービン翼（８ｃ）の幅と長さに合せた細長い噴口部噴射として燃焼ガスマイクロバブルで摩擦損失を低減した回転出力の発生とした各種エネルギ保存サイクル合体機関。
【請求項１９９４】
外部をＮ極とした磁化圧縮水を使用する過熱蒸気燃焼ガス噴射ノズル（６Ｘ）より噴射の過程で燃焼ガスを円形から楕円形に膨張加速してノズル噴射部（６ａ）をタービン翼（８ｃ）の幅と長さに合せた細長い噴口部噴射として燃焼ガスマイクロバブルで摩擦損失を低減した回転出力の発生とした各種エネルギ保存サイクル合体機関。
【請求項１９９５】
外部をＮ極とした磁化圧縮水を使用する磁化した過熱蒸気燃焼ガス噴射ノズル（６Ｈ）より噴射の過程で過熱蒸気を円形から楕円形に膨張加速してノズル噴射部（６ａ）をタービン翼（８ｃ）の幅と長さに合せた細長い噴口部噴射とした各種エネルギ保存サイクル合体機関。
【請求項１９９６】
外部をＮ極とした磁化圧縮水を使用する磁化した過熱蒸気燃焼ガス噴射ノズル（６Ｘ）より噴射の過程で過熱蒸気を円形から楕円形に膨張加速してノズル噴射部（６ａ）をタービン翼（８ｃ）の幅と長さに合せた細長い噴口部噴射とした各種エネルギ保存サイクル合体機関。
【請求項１９９７】
外部をＮ極とした磁化圧縮水を使用する磁化した過熱蒸気燃焼ガス噴射ノズル（６Ｈ）より噴射の過程で燃焼ガスを円形から楕円形に膨張加速してノズル噴射部（６ａ）をタービン翼（８ｃ）の幅と長さに合せた細長い噴口部噴射とした各種エネルギ保存サイクル合体機関。
【請求項１９９８】
外部をＮ極とした磁化圧縮水を使用する磁化した過熱蒸気燃焼ガス噴射ノズル（６Ｘ）より噴射の過程で燃焼ガスを円形から楕円形に膨張加速してノズル噴射部（６ａ）をタービン翼（８ｃ）の幅と長さに合せた細長い噴口部噴射とした各種エネルギ保存サイクル合体機関。
【請求項１９９９】
外部をＮ極とした磁化圧縮水を使用する磁化した過熱蒸気燃焼ガス噴射ノズル（６Ｈ）より噴射の過程で過熱蒸気を円形から楕円形に膨張加速してノズル噴射部（６ａ）をタービン翼（８ｃ）の幅と長さに合せた細長い噴口部噴射として磁石反発力と過熱蒸気マイクロバブルで摩擦損失を低減した回転出力の発生とした各種エネルギ保存サイクル合体機関。
【請求項２０００】
外部をＮ極とした磁化圧縮水を使用する磁化した過熱蒸気燃焼ガス噴射ノズル（６Ｘ）より噴射の過程で過熱蒸気を円形から楕円形に膨張加速してノズル噴射部（６ａ）をタービン翼（８ｃ）の幅と長さに合せた細長い噴口部噴射として磁石反発力と過熱蒸気マイクロバブルで摩擦損失を低減した回転出力の発生とした各種エネルギ保存サイクル合体機関。
【請求項２００１】
外部をＮ極とした磁化圧縮水を使用する磁化した過熱蒸気燃焼ガス噴射ノズル（６Ｈ）より噴射の過程で燃焼ガスを円形から楕円形に膨張加速してノズル噴射部（６ａ）をタービン翼（８ｃ）の幅と長さに合せた細長い噴口部噴射として磁石反発力と燃焼ガスマイクロバブルで摩擦損失を低減した回転出力の発生とした各種エネルギ保存サイクル合体機関。
【請求項２００２】
外部をＮ極とした磁化圧縮水を使用する磁化した過熱蒸気燃焼ガス噴射ノズル（６Ｘ）より噴射の過程で燃焼ガスを円形から楕円形に膨張加速してノズル噴射部（６ａ）をタービン翼（８ｃ）の幅と長さに合せた細長い噴口部噴射として磁石反発力と燃焼ガスマイクロバブルで摩擦損失を低減した回転出力の発生とした各種エネルギ保存サイクル合体機関。
【請求項２００３】
前記弾み車タービン（８）（８）を弾み車タービン（８）として使用する各種エネルギ保存サイクル合体機関。
【請求項２００４】
前記弾み車タービン（８）を弾み車蒸気タービン（８ｂ）＋弾み車ガスタービン（８ａ）として使用する各種エネルギ保存サイクル合体機関。
【請求項２００５】
前記水噴射面をＮ極に磁化した弾み車タービン（８）（８）を磁化した弾み車タービン（８）として使用する各種エネルギ保存サイクル合体機関。
【請求項２００６】
前記磁化した弾み車タービン（８）を磁化した弾み車蒸気タービン（８ｂ）＋磁化した弾み車ガスタービン（８ａ）として使用する各種エネルギ保存サイクル合体機関。
【請求項２００７】
前記弾み車蒸気タービン（８ｂ）の排気の過程に気化熱回収器（２ｂ）を具備した各種エネルギ保存サイクル合体機関。
【請求項２００８】
前記磁化した弾み車蒸気タービン（８ｂ）の排気の過程に気化熱回収器（２ｂ）を具備した各種エネルギ保存サイクル合体機関。
【請求項２００９】
前記弾み車蒸気タービン（８ｂ）の排気の過程に気化熱回収器（２ｂ）を具備して熱交換凝縮水（５２ｆ）限り無く縮径主燃焼室熱交換器（２）に供給する各種エネルギ保存サイクル合体機関。
【請求項２０１０】
前記磁化した弾み車蒸気タービン（８ｂ）の排気の過程に気化熱回収器（２ｂ）を具備して熱交換凝縮水（５２ｆ）限り無く縮径主燃焼室熱交換器（２）に供給する各種エネルギ保存サイクル合体機関。
【請求項２０１１】
前記弾み車蒸気タービン（８ｂ）の排気の過程に気化熱回収器（２ｂ）及び空気抽出器（５１）を具備して熱交換凝縮水（５２ｆ）限り無く縮径主燃焼室熱交換器（２）に供給する各種エネルギ保存サイクル合体機関。
【請求項２０１２】
前記磁化した弾み車蒸気タービン（８ｂ）の排気の過程に気化熱回収器（２ｂ）及び空気抽出器（５１）を具備して熱交換凝縮水（５２ｆ）限り無く縮径主燃焼室熱交換器（２）に供給する各種エネルギ保存サイクル合体機関。
【請求項２０１３】
前記弾み車蒸気タービン（８ｂ）の排気の過程に気化熱回収器（２ｂ）を具備して高温水（５２ｂ）を限り無く高温水溜（９５）に供給する各種エネルギ保存サイクル合体機関。
【請求項２０１４】
前記磁化した弾み車蒸気タービン（８ｂ）の排気の過程に気化熱回収器（２ｂ）を具備して高温水（５２ｂ）を限り無く高温水溜（９５）に供給する各種エネルギ保存サイクル合体機関。
【請求項２０１５】
前記弾み車蒸気タービン（８ｂ）の排気の過程に気化熱回収器（２ｂ）及び空気抽出器（５１）を具備して高温水（５２ｂ）を限り無く高温水溜（９５）に供給する各種エネルギ保存サイクル合体機関。
【請求項２０１６】
前記磁化した弾み車蒸気タービン（８ｂ）の排気の過程に気化熱回収器（２ｂ）及び空気抽出器（５１）を具備して高温水（５２ｂ）を限り無く高温水溜（９５）に供給する各種エネルギ保存サイクル合体機関。
【請求項２０１７】
前記弾み車蒸気タービン（８ｂ）の排気の過程に気化熱回収器（２ｂ）を具備して水道水温熱（５２ｄ）を熱交換回収する各種エネルギ保存サイクル合体機関。
【請求項２０１８】
前記磁化した弾み車蒸気タービン（８ｂ）の排気の過程に気化熱回収器（２ｂ）を具備して水道水温熱（５２ｄ）を熱交換回収する各種エネルギ保存サイクル合体機関。
【請求項２０１９】
前記弾み車蒸気タービン（８ｂ）の排気の過程に気化熱回収器（２ｂ）及び空気抽出器（５１）を具備して水道水温熱（５２ｄ）を熱交換回収する各種エネルギ保存サイクル合体機関。
【請求項２０２０】
前記磁化した弾み車蒸気タービン（８ｂ）の排気の過程に気化熱回収器（２ｂ）及び空気抽出器（５１）を具備して水道水温熱（５２ｄ）を熱交換回収する各種エネルギ保存サイクル合体機関。
【請求項２０２１】
前記弾み車蒸気タービン（８ｂ）の排気の過程に気化熱回収器（２ｂ）を具備して水道水温熱（５２ｄ）を熱交換回収して需要家に供給する各種エネルギ保存サイクル合体機関。
【請求項２０２２】
前記磁化した弾み車蒸気タービン（８ｂ）の排気の過程に気化熱回収器（２ｂ）を具備して水道水温熱（５２ｄ）を熱交換回収して需要家に供給する各種エネルギ保存サイクル合体機関。
【請求項２０２３】
前記弾み車蒸気タービン（８ｂ）の排気の過程に気化熱回収器（２ｂ）及び空気抽出器（５１）を具備して水道水温熱（５２ｄ）を熱交換回収して需要家に供給する各種エネルギ保存サイクル合体機関。
【請求項２０２４】
前記磁化した弾み車蒸気タービン（８ｂ）の排気の過程に気化熱回収器（２ｂ）及び空気抽出器（５１）を具備して水道水温熱（５２ｄ）を熱交換回収して需要家に供給する各種エネルギ保存サイクル合体機関。
【請求項２０２５】
前記弾み車蒸気タービン（８ｂ）の排気の過程に気化熱回収器（２ｂ）を具備して水道水温熱（５２ｄ）を熱交換回収して需要家に供給すると共に、水道水温熱を利用する家庭用の各種暖房設備機器を供給する各種エネルギ保存サイクル合体機関。
【請求項２０２６】
前記磁化した弾み車蒸気タービン（８ｂ）の排気の過程に気化熱回収器（２ｂ）を具備して水道水温熱（５２ｄ）を熱交換回収して需要家に供給すると共に、水道水温熱を利用する家庭用の各種暖房設備機器を供給する各種エネルギ保存サイクル合体機関。
【請求項２０２７】
前記弾み車蒸気タービン（８ｂ）の排気の過程に気化熱回収器（２ｂ）及び空気抽出器（５１）を具備して水道水温熱（５２ｄ）を熱交換回収して需要家に供給すると共に、水道水温熱を利用する家庭用の各種暖房設備機器を供給する各種エネルギ保存サイクル合体機関。
【請求項２０２８】
前記磁化した弾み車蒸気タービン（８ｂ）の排気の過程に気化熱回収器（２ｂ）及び空気抽出器（５１）を具備して水道水温熱（５２ｄ）を熱交換回収して需要家に供給すると共に、水道水温熱を利用する家庭用の各種暖房設備機器を供給する各種エネルギ保存サイクル合体機関。
【請求項２０２９】
前記弾み車蒸気タービン（８ｂ）の排気の過程に気化熱回収器（２ｂ）を具備して水道水温熱（５２ｄ）を熱交換回収して需要家に供給すると共に、水道水温熱を利用する家庭用の各種調理設備機器を供給する各種エネルギ保存サイクル合体機関。
【請求項２０３０】
前記磁化した弾み車蒸気タービン（８ｂ）の排気の過程に気化熱回収器（２ｂ）を具備して水道水温熱（５２ｄ）を熱交換回収して需要家に供給すると共に、水道水温熱を利用する家庭用の各種調理設備機器を供給する各種エネルギ保存サイクル合体機関。
【請求項２０３１】
前記弾み車蒸気タービン（８ｂ）の排気の過程に気化熱回収器（２ｂ）及び空気抽出器（５１）を具備して水道水温熱（５２ｄ）を熱交換回収して需要家に供給すると共に、水道水温熱を利用する家庭用の各種調理設備機器を供給する各種エネルギ保存サイクル合体機関。
【請求項２０３２】
前記磁化した弾み車蒸気タービン（８ｂ）の排気の過程に気化熱回収器（２ｂ）及び空気抽出器（５１）を具備して水道水温熱（５２ｄ）を熱交換回収して需要家に供給すると共に、水道水温熱を利用する家庭用の各種調理設備機器を供給する各種エネルギ保存サイクル合体機関。
【請求項２０３３】
前記弾み車蒸気タービン（８ｂ）の排気の過程に気化熱回収器（２ｂ）を具備して水道水温熱（５２ｄ）を熱交換回収して需要家に供給すると共に、水道水温熱を利用する家庭用の各種温水設備機器を供給する各種エネルギ保存サイクル合体機関。
【請求項２０３４】
前記磁化した弾み車蒸気タービン（８ｂ）の排気の過程に気化熱回収器（２ｂ）を具備して水道水温熱（５２ｄ）を熱交換回収して需要家に供給すると共に、水道水温熱を利用する家庭用の各種温水設備機器を供給する各種エネルギ保存サイクル合体機関。
【請求項２０３５】
前記弾み車蒸気タービン（８ｂ）の排気の過程に気化熱回収器（２ｂ）及び空気抽出器（５１）を具備して水道水温熱（５２ｄ）を熱交換回収して需要家に供給すると共に、水道水温熱を利用する家庭用の各種温水設備機器を供給する各種エネルギ保存サイクル合体機関。
【請求項２０３６】
前記磁化した弾み車蒸気タービン（８ｂ）の排気の過程に気化熱回収器（２ｂ）及び空気抽出器（５１）を具備して水道水温熱（５２ｄ）を熱交換回収して需要家に供給すると共に、水道水温熱を利用する家庭用の各種温水設備機器を供給する各種エネルギ保存サイクル合体機関。
【請求項２０３７】
前記弾み車蒸気タービン（８ｂ）の排気の過程に気化熱回収器（２ｂ）を具備して水道水温熱（５２ｄ）を熱交換回収して需要家に供給すると共に、水道水温熱を利用する家庭用の各種食器洗い機を供給する各種エネルギ保存サイクル合体機関。
【請求項２０３８】
前記磁化した弾み車蒸気タービン（８ｂ）の排気の過程に気化熱回収器（２ｂ）を具備して水道水温熱（５２ｄ）を熱交換回収して需要家に供給すると共に、水道水温熱を利用する家庭用の各種食器洗い機を供給する各種エネルギ保存サイクル合体機関。
【請求項２０３９】
前記弾み車蒸気タービン（８ｂ）の排気の過程に気化熱回収器（２ｂ）及び空気抽出器（５１）を具備して水道水温熱（５２ｄ）を熱交換回収して需要家に供給すると共に、水道水温熱を利用する家庭用の各種食器洗い機を供給する各種エネルギ保存サイクル合体機関。
【請求項２０４０】
前記磁化した弾み車蒸気タービン（８ｂ）の排気の過程に気化熱回収器（２ｂ）及び空気抽出器（５１）を具備して水道水温熱（５２ｄ）を熱交換回収して需要家に供給すると共に、水道水温熱を利用する家庭用の各種食器洗い機を供給する各種エネルギ保存サイクル合体機関。
【請求項２０４１】
前記弾み車蒸気タービン（８ｂ）の排気の過程に気化熱回収器（２ｂ）を具備して水道水温熱（５２ｄ）を熱交換回収して需要家に供給すると共に、水道水温熱を利用する家庭用の各種洗濯乾燥機を供給する各種エネルギ保存サイクル合体機関。
【請求項２０４２】
前記磁化した弾み車蒸気タービン（８ｂ）の排気の過程に気化熱回収器（２ｂ）を具備して水道水温熱（５２ｄ）を熱交換回収して需要家に供給すると共に、水道水温熱を利用する家庭用の各種洗濯乾燥機を供給する各種エネルギ保存サイクル合体機関。
【請求項２０４３】
前記弾み車蒸気タービン（８ｂ）の排気の過程に気化熱回収器（２ｂ）及び空気抽出器（５１）を具備して水道水温熱（５２ｄ）を熱交換回収して需要家に供給すると共に、水道水温熱を利用する家庭用の各種洗濯乾燥機を供給する各種エネルギ保存サイクル合体機関。
【請求項２０４４】
前記磁化した弾み車蒸気タービン（８ｂ）の排気の過程に気化熱回収器（２ｂ）及び空気抽出器（５１）を具備して水道水温熱（５２ｄ）を熱交換回収して需要家に供給すると共に、水道水温熱を利用する家庭用の各種洗濯乾燥機を供給する各種エネルギ保存サイクル合体機関。
【請求項２０４５】
前記弾み車蒸気タービン（８ｂ）の排気の過程に気化熱回収器（２ｂ）を具備して水道水温熱（５２ｄ）を熱交換回収して需要家に供給すると共に、水道水温熱を利用する家庭用の海水淡水化設備機器を供給する各種エネルギ保存サイクル合体機関。
【請求項２０４６】
前記磁化した弾み車蒸気タービン（８ｂ）の排気の過程に気化熱回収器（２ｂ）を具備して水道水温熱（５２ｄ）を熱交換回収して需要家に供給すると共に、水道水温熱を利用する家庭用の海水淡水化設備機器を供給する各種エネルギ保存サイクル合体機関。
【請求項２０４７】
前記弾み車蒸気タービン（８ｂ）の排気の過程に気化熱回収器（２ｂ）及び空気抽出器（５１）を具備して水道水温熱（５２ｄ）を熱交換回収して需要家に供給すると共に、水道水温熱を利用する家庭用の海水淡水化設備機器を供給する各種エネルギ保存サイクル合体機関。
【請求項２０４８】
前記磁化した弾み車蒸気タービン（８ｂ）の排気の過程に気化熱回収器（２ｂ）及び空気抽出器（５１）を具備して水道水温熱（５２ｄ）を熱交換回収して需要家に供給すると共に、水道水温熱を利用する家庭用の海水淡水化設備機器を供給する各種エネルギ保存サイクル合体機関。
【請求項２０４９】
前記弾み車蒸気タービン（８ｂ）の排気の過程に気化熱回収器（２ｂ）を具備して水道水温熱（５２ｄ）を熱交換回収して需要家に供給すると共に、水道水温熱を利用する家庭用の各種水道水温熱配管ビルを供給する各種エネルギ保存サイクル合体機関。
【請求項２０５０】
前記磁化した弾み車蒸気タービン（８ｂ）の排気の過程に気化熱回収器（２ｂ）を具備して水道水温熱（５２ｄ）を熱交換回収して需要家に供給すると共に、水道水温熱を利用する家庭用の各種水道水温熱配管ビルを供給する各種エネルギ保存サイクル合体機関。
【請求項２０５１】
前記弾み車蒸気タービン（８ｂ）の排気の過程に気化熱回収器（２ｂ）及び空気抽出器（５１）を具備して水道水温熱（５２ｄ）を熱交換回収して需要家に供給すると共に、水道水温熱を利用する家庭用の各種水道水温熱配管ビルを供給する各種エネルギ保存サイクル合体機関。
【請求項２０５２】
前記磁化した弾み車蒸気タービン（８ｂ）の排気の過程に気化熱回収器（２ｂ）及び空気抽出器（５１）を具備して水道水温熱（５２ｄ）を熱交換回収して需要家に供給すると共に、水道水温熱を利用する家庭用の各種水道水温熱配管ビルを供給する各種エネルギ保存サイクル合体機関。
【請求項２０５３】
前記弾み車蒸気タービン（８ｂ）の排気の過程に気化熱回収器（２ｂ）を具備して水道水温熱（５２ｄ）を熱交換回収して需要家に供給すると共に、水道水温熱を利用する業務用の各種暖房設備機器を供給する各種エネルギ保存サイクル合体機関。
【請求項２０５４】
前記磁化した弾み車蒸気タービン（８ｂ）の排気の過程に気化熱回収器（２ｂ）を具備して水道水温熱（５２ｄ）を熱交換回収して需要家に供給すると共に、水道水温熱を利用する業務用の各種暖房設備機器を供給する各種エネルギ保存サイクル合体機関。
【請求項２０５５】
前記弾み車蒸気タービン（８ｂ）の排気の過程に気化熱回収器（２ｂ）及び空気抽出器（５１）を具備して水道水温熱（５２ｄ）を熱交換回収して需要家に供給すると共に、水道水温熱を利用する業務用の各種暖房設備機器を供給する各種エネルギ保存サイクル合体機関。
【請求項２０５６】
前記磁化した弾み車蒸気タービン（８ｂ）の排気の過程に気化熱回収器（２ｂ）及び空気抽出器（５１）を具備して水道水温熱（５２ｄ）を熱交換回収して需要家に供給すると共に、水道水温熱を利用する業務用の各種暖房設備機器を供給する各種エネルギ保存サイクル合体機関。
【請求項２０５７】
前記弾み車蒸気タービン（８ｂ）の排気の過程に気化熱回収器（２ｂ）を具備して水道水温熱（５２ｄ）を熱交換回収して需要家に供給すると共に、水道水温熱を利用する業務用の各種調理設備機器を供給する各種エネルギ保存サイクル合体機関。
【請求項２０５８】
前記磁化した弾み車蒸気タービン（８ｂ）の排気の過程に気化熱回収器（２ｂ）を具備して水道水温熱（５２ｄ）を熱交換回収して需要家に供給すると共に、水道水温熱を利用する業務用の各種調理設備機器を供給する各種エネルギ保存サイクル合体機関。
【請求項２０５９】
前記弾み車蒸気タービン（８ｂ）の排気の過程に気化熱回収器（２ｂ）及び空気抽出器（５１）を具備して水道水温熱（５２ｄ）を熱交換回収して需要家に供給すると共に、水道水温熱を利用する業務用の各種調理設備機器を供給する各種エネルギ保存サイクル合体機関。
【請求項２０６０】
前記磁化した弾み車蒸気タービン（８ｂ）の排気の過程に気化熱回収器（２ｂ）及び空気抽出器（５１）を具備して水道水温熱（５２ｄ）を熱交換回収して需要家に供給すると共に、水道水温熱を利用する業務用の各種調理設備機器を供給する各種エネルギ保存サイクル合体機関。
【請求項２０６１】
前記弾み車蒸気タービン（８ｂ）の排気の過程に気化熱回収器（２ｂ）を具備して水道水温熱（５２ｄ）を熱交換回収して需要家に供給すると共に、水道水温熱を利用する業務用の各種温水設備機器を供給する各種エネルギ保存サイクル合体機関。
【請求項２０６２】
前記磁化した弾み車蒸気タービン（８ｂ）の排気の過程に気化熱回収器（２ｂ）を具備して水道水温熱（５２ｄ）を熱交換回収して需要家に供給すると共に、水道水温熱を利用する業務用の各種温水設備機器を供給する各種エネルギ保存サイクル合体機関。
【請求項２０６３】
前記弾み車蒸気タービン（８ｂ）の排気の過程に気化熱回収器（２ｂ）及び空気抽出器（５１）を具備して水道水温熱（５２ｄ）を熱交換回収して需要家に供給すると共に、水道水温熱を利用する業務用の各種温水設備機器を供給する各種エネルギ保存サイクル合体機関。
【請求項２０６４】
前記磁化した弾み車蒸気タービン（８ｂ）の排気の過程に気化熱回収器（２ｂ）及び空気抽出器（５１）を具備して水道水温熱（５２ｄ）を熱交換回収して需要家に供給すると共に、水道水温熱を利用する業務用の各種温水設備機器を供給する各種エネルギ保存サイクル合体機関。
【請求項２０６５】
前記弾み車蒸気タービン（８ｂ）の排気の過程に気化熱回収器（２ｂ）を具備して水道水温熱（５２ｄ）を熱交換回収して需要家に供給すると共に、水道水温熱を利用する業務用の各種食器洗い機を供給する各種エネルギ保存サイクル合体機関。
【請求項２０６６】
前記磁化した弾み車蒸気タービン（８ｂ）の排気の過程に気化熱回収器（２ｂ）を具備して水道水温熱（５２ｄ）を熱交換回収して需要家に供給すると共に、水道水温熱を利用する業務用の各種食器洗い機を供給する各種エネルギ保存サイクル合体機関。
【請求項２０６７】
前記弾み車蒸気タービン（８ｂ）の排気の過程に気化熱回収器（２ｂ）及び空気抽出器（５１）を具備して水道水温熱（５２ｄ）を熱交換回収して需要家に供給すると共に、水道水温熱を利用する業務用の各種食器洗い機を供給する各種エネルギ保存サイクル合体機関。
【請求項２０６８】
前記磁化した弾み車蒸気タービン（８ｂ）の排気の過程に気化熱回収器（２ｂ）及び空気抽出器（５１）を具備して水道水温熱（５２ｄ）を熱交換回収して需要家に供給すると共に、水道水温熱を利用する業務用の各種食器洗い機を供給する各種エネルギ保存サイクル合体機関。
【請求項２０６９】
前記弾み車蒸気タービン（８ｂ）の排気の過程に気化熱回収器（２ｂ）を具備して水道水温熱（５２ｄ）を熱交換回収して需要家に供給すると共に、水道水温熱を利用する業務用の各種洗濯乾燥機を供給する各種エネルギ保存サイクル合体機関。
【請求項２０７０】
前記磁化した弾み車蒸気タービン（８ｂ）の排気の過程に気化熱回収器（２ｂ）を具備して水道水温熱（５２ｄ）を熱交換回収して需要家に供給すると共に、水道水温熱を利用する業務用の各種洗濯乾燥機を供給する各種エネルギ保存サイクル合体機関。
【請求項２０７１】
前記弾み車蒸気タービン（８ｂ）の排気の過程に気化熱回収器（２ｂ）及び空気抽出器（５１）を具備して水道水温熱（５２ｄ）を熱交換回収して需要家に供給すると共に、水道水温熱を利用する業務用の各種洗濯乾燥機を供給する各種エネルギ保存サイクル合体機関。
【請求項２０７２】
前記磁化した弾み車蒸気タービン（８ｂ）の排気の過程に気化熱回収器（２ｂ）及び空気抽出器（５１）を具備して水道水温熱（５２ｄ）を熱交換回収して需要家に供給すると共に、水道水温熱を利用する業務用の各種洗濯乾燥機を供給する各種エネルギ保存サイクル合体機関。
【請求項２０７３】
前記弾み車蒸気タービン（８ｂ）の排気の過程に気化熱回収器（２ｂ）を具備して水道水温熱（５２ｄ）を熱交換回収して需要家に供給すると共に、水道水温熱を利用する業務用の海水淡水化設備機器を供給する各種エネルギ保存サイクル合体機関。
【請求項２０７４】
前記磁化した弾み車蒸気タービン（８ｂ）の排気の過程に気化熱回収器（２ｂ）を具備して水道水温熱（５２ｄ）を熱交換回収して需要家に供給すると共に、水道水温熱を利用する業務用の海水淡水化設備機器を供給する各種エネルギ保存サイクル合体機関。
【請求項２０７５】
前記弾み車蒸気タービン（８ｂ）の排気の過程に気化熱回収器（２ｂ）及び空気抽出器（５１）を具備して水道水温熱（５２ｄ）を熱交換回収して需要家に供給すると共に、水道水温熱を利用する業務用の海水淡水化設備機器を供給する各種エネルギ保存サイクル合体機関。
【請求項２０７６】
前記磁化した弾み車蒸気タービン（８ｂ）の排気の過程に気化熱回収器（２ｂ）及び空気抽出器（５１）を具備して水道水温熱（５２ｄ）を熱交換回収して需要家に供給すると共に、水道水温熱を利用する業務用の海水淡水化設備機器を供給する各種エネルギ保存サイクル合体機関。
【請求項２０７７】
前記弾み車蒸気タービン（８ｂ）の排気の過程に気化熱回収器（２ｂ）を具備して水道水温熱（５２ｄ）を熱交換回収して需要家に供給すると共に、水道水温熱を利用する業務用の各種水道水温熱配管ビルを供給する各種エネルギ保存サイクル合体機関。
【請求項２０７８】
前記磁化した弾み車蒸気タービン（８ｂ）の排気の過程に気化熱回収器（２ｂ）を具備して水道水温熱（５２ｄ）を熱交換回収して需要家に供給すると共に、水道水温熱を利用する業務用の各種水道水温熱配管ビルを供給する各種エネルギ保存サイクル合体機関。
【請求項２０７９】
前記弾み車蒸気タービン（８ｂ）の排気の過程に気化熱回収器（２ｂ）及び空気抽出器（５１）を具備して水道水温熱（５２ｄ）を熱交換回収して需要家に供給すると共に、水道水温熱を利用する業務用の各種水道水温熱配管ビルを供給する各種エネルギ保存サイクル合体機関。
【請求項２０８０】
前記磁化した弾み車蒸気タービン（８ｂ）の排気の過程に気化熱回収器（２ｂ）及び空気抽出器（５１）を具備して水道水温熱（５２ｄ）を熱交換回収して需要家に供給すると共に、水道水温熱を利用する業務用の各種水道水温熱配管ビルを供給する各種エネルギ保存サイクル合体機関。
【請求項２０８１】
前記弾み車ガスタービン（８ａ）の排気の過程に冷熱回収器（１０３）を具備して冷水（５２ｈ）を熱交換回収する各種エネルギ保存サイクル合体機関。
【請求項２０８２】
前記弾み車ガスタービン（８ａ）の排気の過程に冷熱回収器（１０３）を具備して冷水（５２ｈ）を熱交換回収して限り無く水溜（９５ｂ）に供給して冷水噴射ノズル（６Ｇ）より噴射する各種エネルギ保存サイクル合体機関。
【請求項２０８３】
前記弾み車ガスタービン（８ａ）の排気の過程に冷熱回収器（１０３）を具備して水（５２ａ）を水溜（９５ｂ）に供給して冷水噴射ノズル（６Ｇ）より噴射する各種エネルギ保存サイクル合体機関。
【請求項２０８４】
前記弾み車ガスタービン（８ａ）の排気の過程に冷熱回収器（１０３）を具備して高温水（５２ｂ）を水溜（９５ｂ）に供給して冷水噴射ノズル（６Ｇ）より噴射する各種エネルギ保存サイクル合体機関。
【請求項２０８５】
前記弾み車ガスタービン（８ａ）の排気の過程に冷熱回収器（１０３）を具備して１００℃以上の高温水（５２ｂ）を水溜（９５ｂ）に供給して冷水噴射ノズル（６Ｇ）より噴射する各種エネルギ保存サイクル合体機関。
【請求項２０８６】
前記磁化した弾み車ガスタービン（８ａ）の排気の過程に冷熱回収器（１０３）（１０３）を具備して水道水冷熱（５２ｅ）を熱交換回収する各種エネルギ保存サイクル合体機関。
【請求項２０８７】
前記弾み車ガスタービン（８ａ）の排気の過程に冷熱回収器（１０３）（１０３）及びガス抽出器（５１ａ）を具備して水道水冷熱（５２ｅ）を熱交換回収する各種エネルギ保存サイクル合体機関。
【請求項２０８８】
前記磁化した弾み車ガスタービン（８ａ）の排気の過程に冷熱回収器（１０３）（１０３）及びガス抽出器（５１ａ）を具備して水道水冷熱（５２ｅ）を熱交換回収する各種エネルギ保存サイクル合体機関。
【請求項２０８９】
前記弾み車ガスタービン（８ａ）の排気の過程に冷熱回収器（１０３）（１０３）を具備して水道水冷熱（５２ｅ）を熱交換回収して需要家に供給すると共に、水道水冷熱を利用する家庭用の各種冷凍設備機器を供給する各種エネルギ保存サイクル合体機関。
【請求項２０９０】
前記磁化した弾み車ガスタービン（８ａ）の排気の過程に冷熱回収器（１０３）（１０３）を具備して水道水冷熱（５２ｅ）を熱交換回収して需要家に供給すると共に、水道水冷熱を利用する家庭用の各種冷凍設備機器を供給する各種エネルギ保存サイクル合体機関。
【請求項２０９１】
前記弾み車ガスタービン（８ａ）の排気の過程に冷熱回収器（１０３）（１０３）及びガス抽出器（５１ａ）を具備して水道水冷熱（５２ｅ）を熱交換回収して需要家に供給すると共に、水道水冷熱を利用する家庭用の各種冷凍設備機器を供給する各種エネルギ保存サイクル合体機関。
【請求項２０９２】
前記磁化した弾み車ガスタービン（８ａ）の排気の過程に冷熱回収器（１０３）（１０３）及びガス抽出器（５１ａ）を具備して水道水冷熱（５２ｅ）を熱交換回収して需要家に供給すると共に、水道水冷熱を利用する家庭用の各種冷凍設備機器を供給する各種エネルギ保存サイクル合体機関。
【請求項２０９３】
前記弾み車ガスタービン（８ａ）の排気の過程に冷熱回収器（１０３）（１０３）を具備して水道水冷熱（５２ｅ）を熱交換回収して需要家に供給すると共に、水道水冷熱を利用する家庭用の各種冷蔵設備機器を供給する各種エネルギ保存サイクル合体機関。
【請求項２０９４】
前記磁化した弾み車ガスタービン（８ａ）の排気の過程に冷熱回収器（１０３）（１０３）を具備して水道水冷熱（５２ｅ）を熱交換回収して需要家に供給すると共に、水道水冷熱を利用する家庭用の各種冷蔵設備機器を供給する各種エネルギ保存サイクル合体機関。
【請求項２０９５】
前記弾み車ガスタービン（８ａ）の排気の過程に冷熱回収器（１０３）（１０３）及びガス抽出器（５１ａ）を具備して水道水冷熱（５２ｅ）を熱交換回収して需要家に供給すると共に、水道水冷熱を利用する家庭用の各種冷蔵設備機器を供給する各種エネルギ保存サイクル合体機関。
【請求項２０９６】
前記磁化した弾み車ガスタービン（８ａ）の排気の過程に冷熱回収器（１０３）（１０３）及びガス抽出器（５１ａ）を具備して水道水冷熱（５２ｅ）を熱交換回収して需要家に供給すると共に、水道水冷熱を利用する家庭用の各種冷蔵設備機器を供給する各種エネルギ保存サイクル合体機関。
【請求項２０９７】
前記弾み車ガスタービン（８ａ）の排気の過程に冷熱回収器（１０３）（１０３）を具備して水道水冷熱（５２ｅ）を熱交換回収して需要家に供給すると共に、水道水冷熱を利用する家庭用の各種冷房設備機器を供給する各種エネルギ保存サイクル合体機関。
【請求項２０９８】
前記磁化した弾み車ガスタービン（８ａ）の排気の過程に冷熱回収器（１０３）（１０３）を具備して水道水冷熱（５２ｅ）を熱交換回収して需要家に供給すると共に、水道水冷熱を利用する家庭用の各種冷房設備機器を供給する各種エネルギ保存サイクル合体機関。
【請求項２０９９】
前記弾み車ガスタービン（８ａ）の排気の過程に冷熱回収器（１０３）（１０３）及びガス抽出器（５１ａ）を具備して水道水冷熱（５２ｅ）を熱交換回収して需要家に供給すると共に、水道水冷熱を利用する家庭用の各種冷房設備機器を供給する各種エネルギ保存サイクル合体機関。
【請求項２１００】
前記磁化した弾み車ガスタービン（８ａ）の排気の過程に冷熱回収器（１０３）（１０３）及びガス抽出器（５１ａ）を具備して水道水冷熱（５２ｅ）を熱交換回収して需要家に供給すると共に、水道水冷熱を利用する家庭用の各種冷房設備機器を供給する各種エネルギ保存サイクル合体機関。
【請求項２１０１】
前記弾み車ガスタービン（８ａ）の排気の過程に冷熱回収器（１０３）（１０３）を具備して水道水冷熱（５２ｅ）を熱交換回収して需要家に供給すると共に、水道水冷熱を利用する家庭用の各種冷却設備機器を供給する各種エネルギ保存サイクル合体機関。
【請求項２１０２】
前記磁化した弾み車ガスタービン（８ａ）の排気の過程に冷熱回収器（１０３）（１０３）を具備して水道水冷熱（５２ｅ）を熱交換回収して需要家に供給すると共に、水道水冷熱を利用する家庭用の各種冷却設備機器を供給する各種エネルギ保存サイクル合体機関。
【請求項２１０３】
前記弾み車ガスタービン（８ａ）の排気の過程に冷熱回収器（１０３）（１０３）及びガス抽出器（５１ａ）を具備して水道水冷熱（５２ｅ）を熱交換回収して需要家に供給すると共に、水道水冷熱を利用する家庭用の各種冷却設備機器を供給する各種エネルギ保存サイクル合体機関。
【請求項２１０４】
前記磁化した弾み車ガスタービン（８ａ）の排気の過程に冷熱回収器（１０３）（１０３）及びガス抽出器（５１ａ）を具備して水道水冷熱（５２ｅ）を熱交換回収して需要家に供給すると共に、水道水冷熱を利用する家庭用の各種冷却設備機器を供給する各種エネルギ保存サイクル合体機関。
【請求項２１０５】
前記弾み車ガスタービン（８ａ）の排気の過程に冷熱回収器（１０３）（１０３）を具備して水道水冷熱（５２ｅ）を熱交換回収して需要家に供給すると共に、水道水冷熱を利用する家庭用の各種製氷設備機器を供給する各種エネルギ保存サイクル合体機関。
【請求項２１０６】
前記磁化した弾み車ガスタービン（８ａ）の排気の過程に冷熱回収器（１０３）（１０３）を具備して水道水冷熱（５２ｅ）を熱交換回収して需要家に供給すると共に、水道水冷熱を利用する家庭用の各種製氷設備機器を供給する各種エネルギ保存サイクル合体機関。
【請求項２１０７】
前記弾み車ガスタービン（８ａ）の排気の過程に冷熱回収器（１０３）（１０３）及びガス抽出器（５１ａ）を具備して水道水冷熱（５２ｅ）を熱交換回収して需要家に供給すると共に、水道水冷熱を利用する家庭用の各種製氷設備機器を供給する各種エネルギ保存サイクル合体機関。
【請求項２１０８】
前記磁化した弾み車ガスタービン（８ａ）の排気の過程に冷熱回収器（１０３）（１０３）及びガス抽出器（５１ａ）を具備して水道水冷熱（５２ｅ）を熱交換回収して需要家に供給すると共に、水道水冷熱を利用する家庭用の各種製氷設備機器を供給する各種エネルギ保存サイクル合体機関。
【請求項２１０９】
前記弾み車ガスタービン（８ａ）の排気の過程に冷熱回収器（１０３）（１０３）を具備して水道水冷熱（５２ｅ）を熱交換回収して需要家に供給すると共に、水道水冷熱を利用する家庭用の各種水道水冷熱配管ビルを供給する各種エネルギ保存サイクル合体機関。
【請求項２１１０】
前記磁化した弾み車ガスタービン（８ａ）の排気の過程に冷熱回収器（１０３）（１０３）を具備して水道水冷熱（５２ｅ）を熱交換回収して需要家に供給すると共に、水道水冷熱を利用する家庭用の各種水道水冷熱配管ビルを供給する各種エネルギ保存サイクル合体機関。
【請求項２１１１】
前記弾み車ガスタービン（８ａ）の排気の過程に冷熱回収器（１０３）（１０３）及びガス抽出器（５１ａ）を具備して水道水冷熱（５２ｅ）を熱交換回収して需要家に供給すると共に、水道水冷熱を利用する家庭用の各種水道水冷熱配管ビルを供給する各種エネルギ保存サイクル合体機関。
【請求項２１１２】
前記磁化した弾み車ガスタービン（８ａ）の排気の過程に冷熱回収器（１０３）（１０３）及びガス抽出器（５１ａ）を具備して水道水冷熱（５２ｅ）を熱交換回収して需要家に供給すると共に、水道水冷熱を利用する家庭用の各種水道水冷熱配管ビルを供給する各種エネルギ保存サイクル合体機関。
【請求項２１１３】
前記弾み車ガスタービン（８ａ）の排気の過程に冷熱回収器（１０３）（１０３）及びガス抽出器（５１ａ）を具備して燃焼ガス溶解水（５２ｇ）を熱交換回収する各種エネルギ保存サイクル合体機関。
【請求項２１１４】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収する各種エネルギ保存サイクル合体機関。
【請求項２１１５】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換回収する各種エネルギ保存サイクル合体機関。
【請求項２１１６】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収する各種エネルギ保存サイクル合体機関。
【請求項２１１７】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して需要家に供給する各種エネルギ保存サイクル合体機関。
【請求項２１１８】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して需要家に供給する各種エネルギ保存サイクル合体機関。
【請求項２１１９】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換回収して需要家に供給する各種エネルギ保存サイクル合体機関。
【請求項２１２０】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して需要家に供給する各種エネルギ保存サイクル合体機関。
【請求項２１２１】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して泥土に分解固定する各種エネルギ保存サイクル合体機関。
【請求項２１２２】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して泥土に分解固定する各種エネルギ保存サイクル合体機関。
【請求項２１２３】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換回収して泥土に分解固定する各種エネルギ保存サイクル合体機関。
【請求項２１２４】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して泥土に分解固定する各種エネルギ保存サイクル合体機関。
【請求項２１２５】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して植物片に分解固定する各種エネルギ保存サイクル合体機関。
【請求項２１２６】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して植物片に分解固定する各種エネルギ保存サイクル合体機関。
【請求項２１２７】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換回収して植物片に分解固定する各種エネルギ保存サイクル合体機関。
【請求項２１２８】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して植物片に分解固定する各種エネルギ保存サイクル合体機関。
【請求項２１２９】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して残飯等に分解固定する各種エネルギ保存サイクル合体機関。
【請求項２１３０】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して残飯等に分解固定する各種エネルギ保存サイクル合体機関。
【請求項２１３１】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換回収して残飯等に分解固定する各種エネルギ保存サイクル合体機関。
【請求項２１３２】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して残飯等に分解固定する各種エネルギ保存サイクル合体機関。
【請求項２１３３】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して泥土に分解固定する過程でバイオガスを回収する各種エネルギ保存サイクル合体機関。
【請求項２１３４】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して泥土に分解固定する過程でバイオガスを回収する各種エネルギ保存サイクル合体機関。
【請求項２１３５】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換回収して泥土に分解固定する過程でバイオガスを回収する各種エネルギ保存サイクル合体機関。
【請求項２１３６】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して泥土に分解固定する過程でバイオガスを回収する各種エネルギ保存サイクル合体機関。
【請求項２１３７】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して植物片に分解固定する過程でバイオガスを回収する各種エネルギ保存サイクル合体機関。
【請求項２１３８】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して植物片に分解固定する過程でバイオガスを回収する各種エネルギ保存サイクル合体機関。
【請求項２１３９】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換回収して植物片に分解固定する過程でバイオガスを回収する各種エネルギ保存サイクル合体機関。
【請求項２１４０】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して植物片に分解固定する過程でバイオガスを回収する各種エネルギ保存サイクル合体機関。
【請求項２１４１】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して残飯等に分解固定する過程でバイオガスを回収する各種エネルギ保存サイクル合体機関。
【請求項２１４２】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して残飯等に分解固定する過程でバイオガスを回収する各種エネルギ保存サイクル合体機関。
【請求項２１４３】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換回収して残飯等に分解固定する過程でバイオガスを回収する各種エネルギ保存サイクル合体機関。
【請求項２１４４】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して残飯等に分解固定する過程でバイオガスを回収する各種エネルギ保存サイクル合体機関。
【請求項２１４５】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して泥土に分解固定して肥料にする各種エネルギ保存サイクル合体機関。
【請求項２１４６】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して泥土に分解固定して肥料にする各種エネルギ保存サイクル合体機関。
【請求項２１４７】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換回収して泥土に分解固定して肥料にする各種エネルギ保存サイクル合体機関。
【請求項２１４８】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して泥土に分解固定して肥料にする各種エネルギ保存サイクル合体機関。
【請求項２１４９】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して植物片に分解固定して肥料にする各種エネルギ保存サイクル合体機関。
【請求項２１５０】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して植物片に分解固定して肥料にする各種エネルギ保存サイクル合体機関。
【請求項２１５１】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換回収して植物片に分解固定して肥料にする各種エネルギ保存サイクル合体機関。
【請求項２１５２】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して植物片に分解固定して肥料にする各種エネルギ保存サイクル合体機関。
【請求項２１５３】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して残飯等に分解固定して肥料にする各種エネルギ保存サイクル合体機関。
【請求項２１５４】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して残飯等に分解固定して肥料にする各種エネルギ保存サイクル合体機関。
【請求項２１５５】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換回収して残飯等に分解固定して肥料にする各種エネルギ保存サイクル合体機関。
【請求項２１５６】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して残飯等に分解固定して肥料にする各種エネルギ保存サイクル合体機関。
【請求項２１５７】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して海中に供給する各種エネルギ保存サイクル合体機関。
【請求項２１５８】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して海中に供給する各種エネルギ保存サイクル合体機関。
【請求項２１５９】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換回収して海中に供給する各種エネルギ保存サイクル合体機関。
【請求項２１６０】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して海中に供給する各種エネルギ保存サイクル合体機関。
【請求項２１６１】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して海中に供給して植物プランクトンを増殖する各種エネルギ保存サイクル合体機関。
【請求項２１６２】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して海中に供給して植物プランクトンを増殖する各種エネルギ保存サイクル合体機関。
【請求項２１６３】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換回収して海中に供給して植物プランクトンを増殖する各種エネルギ保存サイクル合体機関。
【請求項２１６４】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して海中に供給して植物プランクトンを増殖する各種エネルギ保存サイクル合体機関。
【請求項２１６５】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して海中に供給して海藻類を増殖する各種エネルギ保存サイクル合体機関。
【請求項２１６６】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して海中に供給して海藻類を増殖する各種エネルギ保存サイクル合体機関。
【請求項２１６７】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換回収して海中に供給して海藻類を増殖する各種エネルギ保存サイクル合体機関。
【請求項２１６８】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して海中に供給して海藻類を増殖する各種エネルギ保存サイクル合体機関。
【請求項２１６９】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して海中に供給して微生物を増殖する各種エネルギ保存サイクル合体機関。
【請求項２１７０】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して海中に供給して微生物を増殖する各種エネルギ保存サイクル合体機関。
【請求項２１７１】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換回収して海中に供給して微生物を増殖する各種エネルギ保存サイクル合体機関。
【請求項２１７２】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して海中に供給して微生物を増殖する各種エネルギ保存サイクル合体機関。
【請求項２１７３】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して海中に供給して植物プランクトンを増殖して魚介類を増産する各種エネルギ保存サイクル合体機関。
【請求項２１７４】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して海中に供給して植物プランクトンを増殖して魚介類を増産する各種エネルギ保存サイクル合体機関。
【請求項２１７５】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換回収して海中に供給して植物プランクトンを増殖して魚介類を増産する各種エネルギ保存サイクル合体機関。
【請求項２１７６】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して海中に供給して植物プランクトンを増殖して魚介類を増産する各種エネルギ保存サイクル合体機関。
【請求項２１７７】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して海中に供給して海藻類を増殖して魚介類を増産する各種エネルギ保存サイクル合体機関。
【請求項２１７８】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して海中に供給して海藻類を増殖して魚介類を増産する各種エネルギ保存サイクル合体機関。
【請求項２１７９】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換回収して海中に供給して海藻類を増殖して魚介類を増産する各種エネルギ保存サイクル合体機関。
【請求項２１８０】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して海中に供給して海藻類を増殖して魚介類を増産する各種エネルギ保存サイクル合体機関。
【請求項２１８１】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して海中に供給して微生物を増殖して魚介類を増産する各種エネルギ保存サイクル合体機関。
【請求項２１８２】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して海中に供給して微生物を増殖して魚介類を増産する各種エネルギ保存サイクル合体機関。
【請求項２１８３】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換回収して海中に供給して微生物を増殖して魚介類を増産する各種エネルギ保存サイクル合体機関。
【請求項２１８４】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して海中に供給して微生物を増殖して魚介類を増産する各種エネルギ保存サイクル合体機関。
【請求項２１８５】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して海中に供給して海水を冷却して植物プランクトンを増殖して魚介類を増産する各種エネルギ保存サイクル合体機関。
【請求項２１８６】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して海中に供給して海水を冷却して植物プランクトンを増殖して魚介類を増産する各種エネルギ保存サイクル合体機関。
【請求項２１８７】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換回収して海中に供給して海水を冷却して植物プランクトンを増殖して魚介類を増産する各種エネルギ保存サイクル合体機関。
【請求項２１８８】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して海中に供給して海水を冷却して植物プランクトンを増殖して魚介類を増産する各種エネルギ保存サイクル合体機関。
【請求項２１８９】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して海中に供給して海水を冷却して海藻類を増殖して魚介類を増産する各種エネルギ保存サイクル合体機関。
【請求項２１９０】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して海中に供給して海水を冷却して海藻類を増殖して魚介類を増産する各種エネルギ保存サイクル合体機関。
【請求項２１９１】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換回収して海中に供給して海水を冷却して海藻類を増殖して魚介類を増産する各種エネルギ保存サイクル合体機関。
【請求項２１９２】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して海中に供給して海水を冷却して海藻類を増殖して魚介類を増産する各種エネルギ保存サイクル合体機関。
【請求項２１９３】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して海中に供給して海水を冷却して微生物を増殖して魚介類を増産する各種エネルギ保存サイクル合体機関。
【請求項２１９４】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して海中に供給して海水を冷却して微生物を増殖して魚介類を増産する各種エネルギ保存サイクル合体機関。
【請求項２１９５】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換回収して海中に供給して海水を冷却して微生物を増殖して魚介類を増産する各種エネルギ保存サイクル合体機関。
【請求項２１９６】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して海中に供給して海水を冷却して微生物を増殖して魚介類を増産する各種エネルギ保存サイクル合体機関。
【請求項２１９７】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して空気と共に海中に供給して植物プランクトンを増殖して魚介類を増産する各種エネルギ保存サイクル合体機関。
【請求項２１９８】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して空気と共に海中に供給して植物プランクトンを増殖して魚介類を増産する各種エネルギ保存サイクル合体機関。
【請求項２１９９】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換回収して空気と共に海中に供給して植物プランクトンを増殖して魚介類を増産する各種エネルギ保存サイクル合体機関。
【請求項２２００】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して空気と共に海中に供給して植物プランクトンを増殖して魚介類を増産する各種エネルギ保存サイクル合体機関。
【請求項２２０１】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して空気と共に海中に供給して海藻類を増殖して魚介類を増産する各種エネルギ保存サイクル合体機関。
【請求項２２０２】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して空気と共に海中に供給して海藻類を増殖して魚介類を増産する各種エネルギ保存サイクル合体機関。
【請求項２２０３】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換回収して空気と共に海中に供給して海藻類を増殖して魚介類を増産する各種エネルギ保存サイクル合体機関。
【請求項２２０４】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して空気と共に海中に供給して海藻類を増殖して魚介類を増産する各種エネルギ保存サイクル合体機関。
【請求項２２０５】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して空気と共に海中に供給して微生物を増殖して魚介類を増産する各種エネルギ保存サイクル合体機関。
【請求項２２０６】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して空気と共に海中に供給して微生物を増殖して魚介類を増産する各種エネルギ保存サイクル合体機関。
【請求項２２０７】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換回収して空気と共に海中に供給して微生物を増殖して魚介類を増産する各種エネルギ保存サイクル合体機関。
【請求項２２０８】
前記磁化した弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して空気と共に海中に供給して微生物を増殖して魚介類を増産する各種エネルギ保存サイクル合体機関。
【請求項２２０９】
前記各種車両を各種自動車として使用する各種エネルギ保存サイクル合体機関。
【請求項２２１０】
前記各種車両を各種戦闘車両類として使用する各種エネルギ保存サイクル合体機関。
【請求項２２１１】
前記各種車両を各種乗用自動車として使用する各種エネルギ保存サイクル合体機関。
【請求項２２１２】
前記各種車両を各種貨物自動車として使用する各種エネルギ保存サイクル合体機関。
【請求項２２１３】
前記各種車両を各種電車として使用する各種エネルギ保存サイクル合体機関。
【請求項２２１４】
前記各種車両を各種逆電車として使用する各種エネルギ保存サイクル合体機関。
【請求項２２１５】
前記各種車両を各種作業車として使用する各種エネルギ保存サイクル合体機関。
【請求項２２１６】
前記各種車両を各種機関車として使用する各種エネルギ保存サイクル合体機関。
【請求項２２１７】
前記各種車両を各種陸上輸送移動機器として使用する各種エネルギ保存サイクル合体機関。
【請求項２２１８】
前記各種船舶を各種プロペラ船舶として使用する各種エネルギ保存サイクル合体機関。
【請求項２２１９】
前記各種船舶を各種プロペラ戦闘船舶として使用する各種エネルギ保存サイクル合体機関。
【請求項２２２０】
前記各種船舶を各種プロペラ航空母艦として使用する各種エネルギ保存サイクル合体機関。
【請求項２２２１】
前記各種船舶を各種水噴射船舶として使用する各種エネルギ保存サイクル合体機関。
【請求項２２２２】
前記各種船舶を各種水噴射戦闘船舶として使用する各種エネルギ保存サイクル合体機関。
【請求項２２２３】
前記各種船舶を各種水噴射航空母艦として使用する各種エネルギ保存サイクル合体機関。
【請求項２２２４】
前記各種船舶を各種高速船舶として使用する各種エネルギ保存サイクル合体機関。
【請求項２２２５】
前記各種船舶を各種超高速船舶として使用する各種エネルギ保存サイクル合体機関。
【請求項２２２６】
前記各種機械類を各種農業機械として使用する各種エネルギ保存サイクル合体機関。
【請求項２２２７】
前記各種機械類を各種熱と電気と冷熱の供給設備として使用する各種エネルギ保存サイクル合体機関。
【請求項２２２８】
前記各種機械類を各種プロペラ飛行機として使用する各種エネルギ保存サイクル合体機関。
【請求項２２２９】
前記各種機械類を各種戦闘プロペラ飛行機として使用する各種エネルギ保存サイクル合体機関。
【請求項２２３０】
前記各種機械類を各種ヘリコプターとして使用する各種エネルギ保存サイクル合体機関。
【請求項２２３１】
前記各種機械類を各種戦闘ヘリコプターとして使用する各種エネルギ保存サイクル合体機関。
【請求項２２３２】
前記各種機械類を各種汎用機関として使用する各種エネルギ保存サイクル合体機関。
【請求項２２３３】
前記各種飛行機を各種超音速飛行機として使用する各種エネルギ保存サイクル合体機関。
【請求項２２３４】
前記各種飛行機を各種超音速戦闘飛行機として使用する各種エネルギ保存サイクル合体機関。
【請求項２２３５】
前記各種飛行機を各種空中輸送移動機器として使用する各種エネルギ保存サイクル合体機関。
【請求項２２３６】
前記各種飛行機を各種戦闘飛行機として使用する各種エネルギ保存サイクル合体機関。
【請求項２２３７】
前記各種飛行機を各種宇宙往還機として使用する各種エネルギ保存サイクル合体機関。
【請求項２２３８】
前記各種飛行機を各種宇宙往還旅客機として使用する各種エネルギ保存サイクル合体機関。
【請求項２２３９】
前記各種飛行機を各種宇宙往還親飛行機として使用する各種エネルギ保存サイクル合体機関。
【請求項２２４０】
前記各種飛行機を各種宇宙往還旅客親飛行機として使用する各種エネルギ保存サイクル合体機関。
【請求項２２４１】
前記各種飛行機を各種飛行船舶として使用する各種エネルギ保存サイクル合体機関。
【請求項２２４２】
前記各種飛行機を各種飛行自動車として使用する各種エネルギ保存サイクル合体機関。
【請求項２２４３】
前記各種飛行機を各種垂直上昇垂直降下飛行機として使用する各種エネルギ保存サイクル合体機関。
【請求項２２４４】
前記過熱蒸気燃焼ガス噴射ノズル（６Ｈ）は摩擦損失低減手段として加熱高温手段（１０１）を使用する各種エネルギ保存サイクル合体機関。
【請求項２２４５】
前記過熱蒸気燃焼ガス噴射ノズル（６Ｘ）は摩擦損失低減手段として加熱高温手段（１０１）を選択使用する各種エネルギ保存サイクル合体機関。
【請求項２２４６】
前記過熱蒸気燃焼ガス噴射ノズル（６Ｈ）は摩擦損失低減手段として撥水鍍金（３ａ）を使用する各種エネルギ保存サイクル合体機関。
【請求項２２４７】
前記過熱蒸気燃焼ガス噴射ノズル（６Ｘ）は摩擦損失低減手段として撥水鍍金（３ａ）を選択使用する各種エネルギ保存サイクル合体機関。
【請求項２２４８】
前記過熱蒸気燃焼ガス噴射ノズル（６Ｈ）は摩擦損失低減手段として過熱蒸気噴射ノズル（６Ａ）を使用する各種エネルギ保存サイクル合体機関。
【請求項２２４９】
前記過熱蒸気燃焼ガス噴射ノズル（６Ｘ）は摩擦損失低減手段として過熱蒸気噴射ノズル（６Ａ）を選択使用する各種エネルギ保存サイクル合体機関。
【請求項２２５０】
前記過熱蒸気燃焼ガス噴射ノズル（６Ｈ）は摩擦損失低減手段として過熱蒸気噴射ノズル（６Ｂ）を使用する各種エネルギ保存サイクル合体機関。
【請求項２２５１】
前記過熱蒸気燃焼ガス噴射ノズル（６Ｘ）は摩擦損失低減手段として過熱蒸気噴射ノズル（６Ｂ）を選択使用する各種エネルギ保存サイクル合体機関。
【請求項２２５２】
前記過熱蒸気燃焼ガス噴射ノズル（６Ｈ）は摩擦損失低減手段として燃焼ガス噴射ノズル（６Ｃ）を使用する各種エネルギ保存サイクル合体機関。
【請求項２２５３】
前記過熱蒸気燃焼ガス噴射ノズル（６Ｘ）は摩擦損失低減手段として燃焼ガス噴射ノズル（６Ｃ）を選択使用する各種エネルギ保存サイクル合体機関。
【請求項２２５４】
前記過熱蒸気燃焼ガス噴射ノズル（６Ｈ）は摩擦損失低減手段として燃焼ガス噴射ノズル（６Ｄ）を使用する各種エネルギ保存サイクル合体機関。
【請求項２２５５】
前記過熱蒸気燃焼ガス噴射ノズル（６Ｘ）は摩擦損失低減手段として燃焼ガス噴射ノズル（６Ｄ）を選択使用する各種エネルギ保存サイクル合体機関。
【請求項２２５６】
前記過熱蒸気燃焼ガス噴射ノズル（６Ｈ）は各種過熱蒸気（５０）及び各種燃焼ガス（４９）及び各種水を噴射する各種エネルギ保存サイクル合体機関。
【請求項２２５７】
前記過熱蒸気燃焼ガス噴射ノズル（６Ｘ）は各種過熱蒸気（５０）及び各種燃焼ガス（４９）及び各種水を噴射する各種エネルギ保存サイクル合体機関。
【請求項２２５８】
前記合体機関燃焼部（２９Ａ）はガソリン機関やディーゼル機関を圧縮専用で使用する各種エネルギ保存サイクル合体機関。
【請求項２２５９】
前記合体機関燃焼部（２９Ｂ）はＢ型エネルギ保存サイクル機関を圧縮専用で使用する各種エネルギ保存サイクル合体機関。
【請求項２２６０】
前記合体機関燃焼部（２９Ｃ）はＣ型エネルギ保存サイクル機関を圧縮専用で使用する各種エネルギ保存サイクル合体機関。
【請求項２２６１】
前記合体機関燃焼部（２９Ｄ）はＤ型エネルギ保存サイクル機関を圧縮専用で使用する各種エネルギ保存サイクル合体機関。
【請求項２２６２】
前記合体機関燃焼部（２９Ｅ）はＥ型エネルギ保存サイクル機関を圧縮専用で使用する各種エネルギ保存サイクル合体機関。
【請求項２２６３】
前記合体機関燃焼部（２９Ｆ）はＦ型エネルギ保存サイクル機関を圧縮専用で使用する各種エネルギ保存サイクル合体機関。
【請求項２２６４】
前記合体機関燃焼部（２９Ｇ）はＧ型エネルギ保存サイクル機関を圧縮専用で使用する各種エネルギ保存サイクル合体機関。
【請求項２２６５】
前記合体機関燃焼部（２９Ｈ）はＨ型エネルギ保存サイクル機関を圧縮専用で使用する各種エネルギ保存サイクル合体機関。
【請求項２２６６】
前記合体機関燃焼部（２９Ａ）はガソリン機関やディーゼル機関を圧縮専用で予圧圧縮機として使用する各種エネルギ保存サイクル合体機関。
【請求項２２６７】
前記合体機関燃焼部（２９Ｂ）はＢ型エネルギ保存サイクル機関を圧縮専用で予圧圧縮機として使用する各種エネルギ保存サイクル合体機関。
【請求項２２６８】
前記合体機関燃焼部（２９Ｃ）はＣ型エネルギ保存サイクル機関を圧縮専用で予圧圧縮機として使用する各種エネルギ保存サイクル合体機関。
【請求項２２６９】
前記合体機関燃焼部（２９Ｄ）はＤ型エネルギ保存サイクル機関を圧縮専用で予圧圧縮機として使用する各種エネルギ保存サイクル合体機関。
【請求項２２７０】
前記合体機関燃焼部（２９Ｅ）はＥ型エネルギ保存サイクル機関を圧縮専用で予圧圧縮機として使用する各種エネルギ保存サイクル合体機関。
【請求項２２７１】
前記合体機関燃焼部（２９Ｆ）はＦ型エネルギ保存サイクル機関を圧縮専用で予圧圧縮機として使用する各種エネルギ保存サイクル合体機関。
【請求項２２７２】
前記合体機関燃焼部（２９Ｇ）はＧ型エネルギ保存サイクル機関を圧縮専用で予圧圧縮機として使用する各種エネルギ保存サイクル合体機関。
【請求項２２７３】
前記合体機関燃焼部（２９Ｈ）はＨ型エネルギ保存サイクル機関を圧縮専用で予圧圧縮機として使用する各種エネルギ保存サイクル合体機関。
【請求項２２７４】
前記合体機関燃焼部（２９Ａ）はガソリン機関やディーゼル機関を圧縮専用で予圧圧縮機としても使用して限り無く高圧圧縮する各種エネルギ保存サイクル合体機関。
【請求項２２７５】
前記合体機関燃焼部（２９Ｂ）はＢ型エネルギ保存サイクル機関を圧縮専用で予圧圧縮機としても使用して限り無く高圧圧縮する各種エネルギ保存サイクル合体機関。
【請求項２２７６】
前記合体機関燃焼部（２９Ｃ）はＣ型エネルギ保存サイクル機関を圧縮専用で予圧圧縮機としても使用して限り無く高圧圧縮する各種エネルギ保存サイクル合体機関。
【請求項２２７７】
前記合体機関燃焼部（２９Ｄ）はＤ型エネルギ保存サイクル機関を圧縮専用で予圧圧縮機としても使用して限り無く高圧圧縮する各種エネルギ保存サイクル合体機関。
【請求項２２７８】
前記合体機関燃焼部（２９Ｅ）はＥ型エネルギ保存サイクル機関を圧縮専用で予圧圧縮機としても使用して限り無く高圧圧縮する各種エネルギ保存サイクル合体機関。
【請求項２２７９】
前記合体機関燃焼部（２９Ｆ）はＦ型エネルギ保存サイクル機関を圧縮専用で予圧圧縮機としても使用して限り無く高圧圧縮する各種エネルギ保存サイクル合体機関。
【請求項２２８０】
前記合体機関燃焼部（２９Ｇ）はＧ型エネルギ保存サイクル機関を圧縮専用で予圧圧縮機としても使用して限り無く高圧圧縮する各種エネルギ保存サイクル合体機関。
【請求項２２８１】
前記合体機関燃焼部（２９Ｈ）はＨ型エネルギ保存サイクル機関を圧縮専用で予圧圧縮機としても使用して限り無く高圧圧縮する各種エネルギ保存サイクル合体機関。
【請求項２２８２】
前記合体機関燃焼部（２９Ａ）はガソリン機関やディーゼル機関を圧縮専用で予圧圧縮機としても使用して限り無く高圧燃焼長時間熱交換冷却燃焼する各種エネルギ保存サイクル合体機関。
【請求項２２８３】
前記合体機関燃焼部（２９Ｂ）はＢ型エネルギ保存サイクル機関を圧縮専用で予圧圧縮機としても使用して限り無く高圧燃焼長時間熱交換冷却燃焼する各種エネルギ保存サイクル合体機関。
【請求項２２８４】
前記合体機関燃焼部（２９Ｃ）はＣ型エネルギ保存サイクル機関を圧縮専用で予圧圧縮機としても使用して限り無く高圧燃焼長時間熱交換冷却燃焼する各種エネルギ保存サイクル合体機関。
【請求項２２８５】
前記合体機関燃焼部（２９Ｄ）はＤ型エネルギ保存サイクル機関を圧縮専用で予圧圧縮機としても使用して限り無く高圧燃焼長時間熱交換冷却燃焼する各種エネルギ保存サイクル合体機関。
【請求項２２８６】
前記合体機関燃焼部（２９Ｅ）はＥ型エネルギ保存サイクル機関を圧縮専用で予圧圧縮機としても使用して限り無く高圧燃焼長時間熱交換冷却燃焼する各種エネルギ保存サイクル合体機関。
【請求項２２８７】
前記合体機関燃焼部（２９Ｆ）はＦ型エネルギ保存サイクル機関を圧縮専用で予圧圧縮機としても使用して限り無く高圧燃焼長時間熱交換冷却燃焼する各種エネルギ保存サイクル合体機関。
【請求項２２８８】
前記合体機関燃焼部（２９Ｇ）はＧ型エネルギ保存サイクル機関を圧縮専用で予圧圧縮機としても使用して限り無く高圧燃焼長時間熱交換冷却燃焼する各種エネルギ保存サイクル合体機関。
【請求項２２８９】
前記合体機関燃焼部（２９Ｈ）はＨ型エネルギ保存サイクル機関を圧縮専用で予圧圧縮機としても使用して限り無く高圧燃焼長時間熱交換冷却燃焼する各種エネルギ保存サイクル合体機関。
【請求項２２９０】
前記合体機関燃焼部（２９Ａ）はガソリン機関やディーゼル機関を圧縮専用で予圧圧縮機としても使用して限り無く高圧燃焼長時間熱交換冷却燃焼して、過熱蒸気爆発力＋燃焼ガス爆発力に分割する各種エネルギ保存サイクル合体機関。
【請求項２２９１】
前記合体機関燃焼部（２９Ｂ）はＢ型エネルギ保存サイクル機関を圧縮専用で予圧圧縮機としても使用して限り無く高圧燃焼長時間熱交換冷却燃焼して、過熱蒸気爆発力＋燃焼ガス爆発力に分割する各種エネルギ保存サイクル合体機関。
【請求項２２９２】
前記合体機関燃焼部（２９Ｃ）はＣ型エネルギ保存サイクル機関を圧縮専用で予圧圧縮機としても使用して限り無く高圧燃焼長時間熱交換冷却燃焼して、過熱蒸気爆発力＋燃焼ガス爆発力に分割する各種エネルギ保存サイクル合体機関。
【請求項２２９３】
前記合体機関燃焼部（２９Ｄ）はＤ型エネルギ保存サイクル機関を圧縮専用で予圧圧縮機としても使用して限り無く高圧燃焼長時間熱交換冷却燃焼して、過熱蒸気爆発力＋燃焼ガス爆発力に分割する各種エネルギ保存サイクル合体機関。
【請求項２２９４】
前記合体機関燃焼部（２９Ｅ）はＥ型エネルギ保存サイクル機関を圧縮専用で予圧圧縮機としても使用して限り無く高圧燃焼長時間熱交換冷却燃焼して、過熱蒸気爆発力＋燃焼ガス爆発力に分割する各種エネルギ保存サイクル合体機関。
【請求項２２９５】
前記合体機関燃焼部（２９Ｆ）はＦ型エネルギ保存サイクル機関を圧縮専用で予圧圧縮機としても使用して限り無く高圧燃焼長時間熱交換冷却燃焼して、過熱蒸気爆発力＋燃焼ガス爆発力に分割する各種エネルギ保存サイクル合体機関。
【請求項２２９６】
前記合体機関燃焼部（２９Ｇ）はＧ型エネルギ保存サイクル機関を圧縮専用で予圧圧縮機としても使用して限り無く高圧燃焼長時間熱交換冷却燃焼して、過熱蒸気爆発力＋燃焼ガス爆発力に分割する各種エネルギ保存サイクル合体機関。
【請求項２２９７】
前記合体機関燃焼部（２９Ｈ）はＨ型エネルギ保存サイクル機関を圧縮専用で予圧圧縮機としても使用して限り無く高圧燃焼長時間熱交換冷却燃焼して、過熱蒸気爆発力＋燃焼ガス爆発力に分割する各種エネルギ保存サイクル合体機関。
【請求項２２９８】
前記合体機関飛行機（３８Ａ）に合体機関燃焼部（２９Ａ）を搭載した各種エネルギ保存サイクル合体機関。
【請求項２２９９】
前記合体機関飛行機（３８Ａ）に合体機関燃焼部（２９Ｂ）を搭載した各種エネルギ保存サイクル合体機関。
【請求項２３００】
前記合体機関飛行機（３８Ａ）に合体機関燃焼部（２９Ｃ）を搭載した各種エネルギ保存サイクル合体機関。
【請求項２３０１】
前記合体機関飛行機（３８Ａ）に合体機関燃焼部（２９Ｄ）を搭載した各種エネルギ保存サイクル合体機関。
【請求項２３０２】
前記合体機関飛行機（３８Ａ）に合体機関燃焼部（２９Ｅ）を搭載した各種エネルギ保存サイクル合体機関。
【請求項２３０３】
前記合体機関飛行機（３８Ａ）に合体機関燃焼部（２９Ｆ）を搭載した各種エネルギ保存サイクル合体機関。
【請求項２３０４】
前記合体機関飛行機（３８Ａ）に合体機関燃焼部（２９Ｇ）を搭載した各種エネルギ保存サイクル合体機関。
【請求項２３０５】
前記合体機関飛行機（３８Ａ）に合体機関燃焼部（２９Ｈ）を搭載した各種エネルギ保存サイクル合体機関。
【請求項２３０６】
前記空気噴射船舶（３８Ｂ）に合体機関燃焼部（２９Ａ）を搭載した各種エネルギ保存サイクル合体機関。
【請求項２３０７】
前記空気噴射船舶（３８Ｂ）に合体機関燃焼部（２９Ｂ）を搭載した各種エネルギ保存サイクル合体機関。
【請求項２３０８】
前記空気噴射船舶（３８Ｂ）に合体機関燃焼部（２９Ｃ）を搭載した各種エネルギ保存サイクル合体機関。
【請求項２３０９】
前記空気噴射船舶（３８Ｂ）に合体機関燃焼部（２９Ｄ）を搭載した各種エネルギ保存サイクル合体機関。
【請求項２３１０】
前記空気噴射船舶（３８Ｂ）に合体機関燃焼部（２９Ｅ）を搭載した各種エネルギ保存サイクル合体機関。
【請求項２３１１】
前記空気噴射船舶（３８Ｂ）に合体機関燃焼部（２９Ｆ）を搭載した各種エネルギ保存サイクル合体機関。
【請求項２３１２】
前記空気噴射船舶（３８Ｂ）に合体機関燃焼部（２９Ｇ）を搭載した各種エネルギ保存サイクル合体機関。
【請求項２３１３】
前記空気噴射船舶（３８Ｂ）に合体機関燃焼部（２９Ｈ）を搭載した各種エネルギ保存サイクル合体機関。
【請求項２３１４】
前記水噴射船舶（３８Ｃ）に合体機関燃焼部（２９Ａ）を搭載した各種エネルギ保存サイクル合体機関。
【請求項２３１５】
前記水噴射船舶（３８Ｃ）に合体機関燃焼部（２９Ｂ）を搭載した各種エネルギ保存サイクル合体機関。
【請求項２３１６】
前記水噴射船舶（３８Ｃ）に合体機関燃焼部（２９Ｃ）を搭載した各種エネルギ保存サイクル合体機関。
【請求項２３１７】
前記水噴射船舶（３８Ｃ）に合体機関燃焼部（２９Ｄ）を搭載した各種エネルギ保存サイクル合体機関。
【請求項２３１８】
前記水噴射船舶（３８Ｃ）に合体機関燃焼部（２９Ｅ）を搭載した各種エネルギ保存サイクル合体機関。
【請求項２３１９】
前記水噴射船舶（３８Ｃ）に合体機関燃焼部（２９Ｆ）を搭載した各種エネルギ保存サイクル合体機関。
【請求項２３２０】
前記水噴射船舶（３８Ｃ）に合体機関燃焼部（２９Ｇ）を搭載した各種エネルギ保存サイクル合体機関。
【請求項２３２１】
前記水噴射船舶（３８Ｃ）に合体機関燃焼部（２９Ｈ）を搭載した各種エネルギ保存サイクル合体機関。
【請求項２３２２】
前記合体機関飛行機（３８Ａ）に合体機関燃焼部（２９Ａ）を搭載して限り無く高圧燃焼長時間熱交換冷却燃焼する各種エネルギ保存サイクル合体機関。
【請求項２３２３】
前記合体機関飛行機（３８Ａ）に合体機関燃焼部（２９Ｂ）を搭載して限り無く高圧燃焼長時間熱交換冷却燃焼する各種エネルギ保存サイクル合体機関。
【請求項２３２４】
前記合体機関飛行機（３８Ａ）に合体機関燃焼部（２９Ｃ）を搭載して限り無く高圧燃焼長時間熱交換冷却燃焼する各種エネルギ保存サイクル合体機関。
【請求項２３２５】
前記合体機関飛行機（３８Ａ）に合体機関燃焼部（２９Ｄ）を搭載して限り無く高圧燃焼長時間熱交換冷却燃焼する各種エネルギ保存サイクル合体機関。
【請求項２３２６】
前記合体機関飛行機（３８Ａ）に合体機関燃焼部（２９Ｅ）を搭載して限り無く高圧燃焼長時間熱交換冷却燃焼する各種エネルギ保存サイクル合体機関。
【請求項２３２７】
前記合体機関飛行機（３８Ａ）に合体機関燃焼部（２９Ｆ）を搭載して限り無く高圧燃焼長時間熱交換冷却燃焼する各種エネルギ保存サイクル合体機関。
【請求項２３２８】
前記合体機関飛行機（３８Ａ）に合体機関燃焼部（２９Ｇ）を搭載して限り無く高圧燃焼長時間熱交換冷却燃焼する各種エネルギ保存サイクル合体機関。
【請求項２３２９】
前記合体機関飛行機（３８Ａ）に合体機関燃焼部（２９Ｈ）を搭載して限り無く高圧燃焼長時間熱交換冷却燃焼する各種エネルギ保存サイクル合体機関。
【請求項２３３０】
前記空気噴射船舶（３８Ｂ）に合体機関燃焼部（２９Ａ）を搭載して限り無く高圧燃焼長時間熱交換冷却燃焼する各種エネルギ保存サイクル合体機関。
【請求項２３３１】
前記空気噴射船舶（３８Ｂ）に合体機関燃焼部（２９Ｂ）を搭載して限り無く高圧燃焼長時間熱交換冷却燃焼する各種エネルギ保存サイクル合体機関。
【請求項２３３２】
前記空気噴射船舶（３８Ｂ）に合体機関燃焼部（２９Ｃ）を搭載して限り無く高圧燃焼長時間熱交換冷却燃焼する各種エネルギ保存サイクル合体機関。
【請求項２３３３】
前記空気噴射船舶（３８Ｂ）に合体機関燃焼部（２９Ｄ）を搭載して限り無く高圧燃焼長時間熱交換冷却燃焼する各種エネルギ保存サイクル合体機関。
【請求項２３３４】
前記空気噴射船舶（３８Ｂ）に合体機関燃焼部（２９Ｅ）を搭載して限り無く高圧燃焼長時間熱交換冷却燃焼する各種エネルギ保存サイクル合体機関。
【請求項２３３５】
前記空気噴射船舶（３８Ｂ）に合体機関燃焼部（２９Ｆ）を搭載して限り無く高圧燃焼長時間熱交換冷却燃焼する各種エネルギ保存サイクル合体機関。
【請求項２３３６】
前記空気噴射船舶（３８Ｂ）に合体機関燃焼部（２９Ｇ）を搭載して限り無く高圧燃焼長時間熱交換冷却燃焼する各種エネルギ保存サイクル合体機関。
【請求項２３３７】
前記空気噴射船舶（３８Ｂ）に合体機関燃焼部（２９Ｈ）を搭載して限り無く高圧燃焼長時間熱交換冷却燃焼する各種エネルギ保存サイクル合体機関。
【請求項２３３８】
前記水噴射船舶（３８Ｃ）に合体機関燃焼部（２９Ａ）を搭載して限り無く高圧燃焼長時間熱交換冷却燃焼する各種エネルギ保存サイクル合体機関。
【請求項２３３９】
前記水噴射船舶（３８Ｃ）に合体機関燃焼部（２９Ｂ）を搭載して限り無く高圧燃焼長時間熱交換冷却燃焼する各種エネルギ保存サイクル合体機関。
【請求項２３４０】
前記水噴射船舶（３８Ｃ）に合体機関燃焼部（２９Ｃ）を搭載して限り無く高圧燃焼長時間熱交換冷却燃焼する各種エネルギ保存サイクル合体機関。
【請求項２３４１】
前記水噴射船舶（３８Ｃ）に合体機関燃焼部（２９Ｄ）を搭載して限り無く高圧燃焼長時間熱交換冷却燃焼する各種エネルギ保存サイクル合体機関。
【請求項２３４２】
前記水噴射船舶（３８Ｃ）に合体機関燃焼部（２９Ｅ）を搭載して限り無く高圧燃焼長時間熱交換冷却燃焼する各種エネルギ保存サイクル合体機関。
【請求項２３４３】
前記水噴射船舶（３８Ｃ）に合体機関燃焼部（２９Ｆ）を搭載して限り無く高圧燃焼長時間熱交換冷却燃焼する各種エネルギ保存サイクル合体機関。
【請求項２３４４】
前記水噴射船舶（３８Ｃ）に合体機関燃焼部（２９Ｇ）を搭載して限り無く高圧燃焼長時間熱交換冷却燃焼する各種エネルギ保存サイクル合体機関。
【請求項２３４５】
前記水噴射船舶（３８Ｃ）に合体機関燃焼部（２９Ｈ）を搭載して限り無く高圧燃焼長時間熱交換冷却燃焼する各種エネルギ保存サイクル合体機関。
【請求項２３４６】
前記合体機関飛行機（３８Ａ）に合体機関燃焼部（２９Ａ）を搭載して限り無く高圧燃焼長時間熱交換冷却燃焼して過熱蒸気爆発力＋燃焼ガス爆発力に分割する各種エネルギ保存サイクル合体機関。
【請求項２３４７】
前記合体機関飛行機（３８Ａ）に合体機関燃焼部（２９Ｂ）を搭載して限り無く高圧燃焼長時間熱交換冷却燃焼して過熱蒸気爆発力＋燃焼ガス爆発力に分割する各種エネルギ保存サイクル合体機関。
【請求項２３４８】
前記合体機関飛行機（３８Ａ）に合体機関燃焼部（２９Ｃ）を搭載して限り無く高圧燃焼長時間熱交換冷却燃焼して過熱蒸気爆発力＋燃焼ガス爆発力に分割する各種エネルギ保存サイクル合体機関。
【請求項２３４９】
前記合体機関飛行機（３８Ａ）に合体機関燃焼部（２９Ｄ）を搭載して限り無く高圧燃焼長時間熱交換冷却燃焼して過熱蒸気爆発力＋燃焼ガス爆発力に分割する各種エネルギ保存サイクル合体機関。
【請求項２３５０】
前記合体機関飛行機（３８Ａ）に合体機関燃焼部（２９Ｅ）を搭載して限り無く高圧燃焼長時間熱交換冷却燃焼して過熱蒸気爆発力＋燃焼ガス爆発力に分割する各種エネルギ保存サイクル合体機関。
【請求項２３５１】
前記合体機関飛行機（３８Ａ）に合体機関燃焼部（２９Ｆ）を搭載して限り無く高圧燃焼長時間熱交換冷却燃焼して過熱蒸気爆発力＋燃焼ガス爆発力に分割する各種エネルギ保存サイクル合体機関。
【請求項２３５２】
前記合体機関飛行機（３８Ａ）に合体機関燃焼部（２９Ｇ）を搭載して限り無く高圧燃焼長時間熱交換冷却燃焼して過熱蒸気爆発力＋燃焼ガス爆発力に分割する各種エネルギ保存サイクル合体機関。
【請求項２３５３】
前記合体機関飛行機（３８Ａ）に合体機関燃焼部（２９Ｈ）を搭載して限り無く高圧燃焼長時間熱交換冷却燃焼して過熱蒸気爆発力＋燃焼ガス爆発力に分割する各種エネルギ保存サイクル合体機関。
【請求項２３５４】
前記空気噴射船舶（３８Ｂ）に合体機関燃焼部（２９Ａ）を搭載して限り無く高圧燃焼長時間熱交換冷却燃焼して過熱蒸気爆発力＋燃焼ガス爆発力に分割する各種エネルギ保存サイクル合体機関。
【請求項２３５５】
前記空気噴射船舶（３８Ｂ）に合体機関燃焼部（２９Ｂ）を搭載して限り無く高圧燃焼長時間熱交換冷却燃焼して過熱蒸気爆発力＋燃焼ガス爆発力に分割する各種エネルギ保存サイクル合体機関。
【請求項２３５６】
前記空気噴射船舶（３８Ｂ）に合体機関燃焼部（２９Ｃ）を搭載して限り無く高圧燃焼長時間熱交換冷却燃焼して過熱蒸気爆発力＋燃焼ガス爆発力に分割する各種エネルギ保存サイクル合体機関。
【請求項２３５７】
前記空気噴射船舶（３８Ｂ）に合体機関燃焼部（２９Ｄ）を搭載して限り無く高圧燃焼長時間熱交換冷却燃焼して過熱蒸気爆発力＋燃焼ガス爆発力に分割する各種エネルギ保存サイクル合体機関。
【請求項２３５８】
前記空気噴射船舶（３８Ｂ）に合体機関燃焼部（２９Ｅ）を搭載して限り無く高圧燃焼長時間熱交換冷却燃焼して過熱蒸気爆発力＋燃焼ガス爆発力に分割する各種エネルギ保存サイクル合体機関。
【請求項２３５９】
前記空気噴射船舶（３８Ｂ）に合体機関燃焼部（２９Ｆ）を搭載して限り無く高圧燃焼長時間熱交換冷却燃焼して過熱蒸気爆発力＋燃焼ガス爆発力に分割する各種エネルギ保存サイクル合体機関。
【請求項２３６０】
前記空気噴射船舶（３８Ｂ）に合体機関燃焼部（２９Ｇ）を搭載して限り無く高圧燃焼長時間熱交換冷却燃焼して過熱蒸気爆発力＋燃焼ガス爆発力に分割する各種エネルギ保存サイクル合体機関。
【請求項２３６１】
前記空気噴射船舶（３８Ｂ）に合体機関燃焼部（２９Ｈ）を搭載して限り無く高圧燃焼長時間熱交換冷却燃焼して過熱蒸気爆発力＋燃焼ガス爆発力に分割する各種エネルギ保存サイクル合体機関。
【請求項２３６２】
前記水噴射船舶（３８Ｃ）に合体機関燃焼部（２９Ａ）を搭載して限り無く高圧燃焼長時間熱交換冷却燃焼して過熱蒸気爆発力＋燃焼ガス爆発力に分割する各種エネルギ保存サイクル合体機関。
【請求項２３６３】
前記水噴射船舶（３８Ｃ）に合体機関燃焼部（２９Ｂ）を搭載して限り無く高圧燃焼長時間熱交換冷却燃焼して過熱蒸気爆発力＋燃焼ガス爆発力に分割する各種エネルギ保存サイクル合体機関。
【請求項２３６４】
前記水噴射船舶（３８Ｃ）に合体機関燃焼部（２９Ｃ）を搭載して限り無く高圧燃焼長時間熱交換冷却燃焼して過熱蒸気爆発力＋燃焼ガス爆発力に分割する各種エネルギ保存サイクル合体機関。
【請求項２３６５】
前記水噴射船舶（３８Ｃ）に合体機関燃焼部（２９Ｄ）を搭載して限り無く高圧燃焼長時間熱交換冷却燃焼して過熱蒸気爆発力＋燃焼ガス爆発力に分割する各種エネルギ保存サイクル合体機関。
【請求項２３６６】
前記水噴射船舶（３８Ｃ）に合体機関燃焼部（２９Ｅ）を搭載して限り無く高圧燃焼長時間熱交換冷却燃焼して過熱蒸気爆発力＋燃焼ガス爆発力に分割する各種エネルギ保存サイクル合体機関。
【請求項２３６７】
前記水噴射船舶（３８Ｃ）に合体機関燃焼部（２９Ｆ）を搭載して限り無く高圧燃焼長時間熱交換冷却燃焼して過熱蒸気爆発力＋燃焼ガス爆発力に分割する各種エネルギ保存サイクル合体機関。
【請求項２３６８】
前記水噴射船舶（３８Ｃ）に合体機関燃焼部（２９Ｇ）を搭載して限り無く高圧燃焼長時間熱交換冷却燃焼して過熱蒸気爆発力＋燃焼ガス爆発力に分割する各種エネルギ保存サイクル合体機関。
【請求項２３６９】
前記水噴射船舶（３８Ｃ）に合体機関燃焼部（２９Ｈ）を搭載して限り無く高圧燃焼長時間熱交換冷却燃焼して過熱蒸気爆発力＋燃焼ガス爆発力に分割する各種エネルギ保存サイクル合体機関。
【請求項２３７０】
前記撥水鍍金（３ａ）は公知技術により撥水作用を設ける各種エネルギ保存サイクル合体機関。
【請求項２３７１】
前記撥水鍍金（３ａ）は撥水性光沢鍍金により撥水作用を設ける各種エネルギ保存サイクル合体機関。
【請求項２３７２】
前記撥水鍍金（３ａ）は撥水性サテン鍍金により撥水作用を設ける各種エネルギ保存サイクル合体機関。
【請求項２３７３】
前記撥水鍍金（３ａ）は複合金鍍金皮膜により撥水作用を設ける各種エネルギ保存サイクル合体機関。
【請求項２３７４】
前記撥水鍍金（３ａ）は超撥水性複合鍍金皮膜により撥水作用を設ける各種エネルギ保存サイクル合体機関。
【請求項２３７５】
前記撥水鍍金（３ａ）は超撥水性皮膜により撥水作用を設ける各種エネルギ保存サイクル合体機関。
【請求項２３７６】
前記撥水鍍金（３ａ）は高耐久性高撥水性複合鍍金皮膜により撥水作用を設ける各種エネルギ保存サイクル合体機関。
【請求項２３７７】
前記撥水鍍金（３ａ）は公知技術により撥水作用を設けて摩擦損失を低減した水の混合噴射加速にする各種エネルギ保存サイクル合体機関。
【請求項２３７８】
前記撥水鍍金（３ａ）は撥水性光沢鍍金により撥水作用を設けて摩擦損失を低減した水の混合噴射加速にする各種エネルギ保存サイクル合体機関。
【請求項２３７９】
前記撥水鍍金（３ａ）は撥水性サテン鍍金により撥水作用を設けて摩擦損失を低減した水の混合噴射加速にする各種エネルギ保存サイクル合体機関。
【請求項２３８０】
前記撥水鍍金（３ａ）は複合金鍍金皮膜により撥水作用を設けて摩擦損失を低減した水の混合噴射加速にする各種エネルギ保存サイクル合体機関。
【請求項２３８１】
前記撥水鍍金（３ａ）は超撥水性複合鍍金皮膜により撥水作用を設けて摩擦損失を低減した水の混合噴射加速にする各種エネルギ保存サイクル合体機関。
【請求項２３８２】
前記撥水鍍金（３ａ）は超撥水性皮膜により撥水作用を設けて摩擦損失を低減した水の混合噴射加速にする各種エネルギ保存サイクル合体機関。
【請求項２３８３】
前記撥水鍍金（３ａ）は高耐久性高撥水性複合鍍金皮膜により撥水作用を設けて摩擦損失を低減した水の混合噴射加速にする各種エネルギ保存サイクル合体機関。
【請求項２３８４】
前記撥水鍍金（３ａ）は公知技術により撥水作用を設けて摩擦損失を低減した水の混合噴射加速にした弾み車タービン（８）の回転出力にする各種エネルギ保存サイクル合体機関。
【請求項２３８５】
前記撥水鍍金（３ａ）は撥水性光沢鍍金により撥水作用を設けて摩擦損失を低減した水の混合噴射加速にした弾み車タービン（８）の回転出力にする各種エネルギ保存サイクル合体機関。
【請求項２３８６】
前記撥水鍍金（３ａ）は撥水性サテン鍍金により撥水作用を設けて摩擦損失を低減した水の混合噴射加速にした弾み車タービン（８）の回転出力にする各種エネルギ保存サイクル合体機関。
【請求項２３８７】
前記撥水鍍金（３ａ）は複合金鍍金皮膜により撥水作用を設けて摩擦損失を低減した水の混合噴射加速にした弾み車タービン（８）の回転出力にする各種エネルギ保存サイクル合体機関。
【請求項２３８８】
前記撥水鍍金（３ａ）は超撥水性複合鍍金皮膜により撥水作用を設けて摩擦損失を低減した水の混合噴射加速にした弾み車タービン（８）の回転出力にする各種エネルギ保存サイクル合体機関。
【請求項２３８９】
前記撥水鍍金（３ａ）は超撥水性皮膜により撥水作用を設けて摩擦損失を低減した水の混合噴射加速にした弾み車タービン（８）の回転出力にする各種エネルギ保存サイクル合体機関。
【請求項２３９０】
前記撥水鍍金（３ａ）は高耐久性高撥水性複合鍍金皮膜により撥水作用を設けて摩擦損失を低減した水の混合噴射加速にした弾み車タービン（８）の回転出力にする各種エネルギ保存サイクル合体機関。
【請求項２３９１】
前記撥水鍍金（３ａ）は公知技術により撥水作用を設けて摩擦損失を低減した水の混合噴射加速にし、撥水作用により摩擦損失を低減した弾み車タービン（８）の回転出力にする各種エネルギ保存サイクル合体機関。
【請求項２３９２】
前記撥水鍍金（３ａ）は撥水性光沢鍍金により撥水作用を設けて摩擦損失を低減した水の混合噴射加速にし、撥水作用により摩擦損失を低減した弾み車タービン（８）の回転出力にする各種エネルギ保存サイクル合体機関。
【請求項２３９３】
前記撥水鍍金（３ａ）は撥水性サテン鍍金により撥水作用を設けて摩擦損失を低減した水の混合噴射加速にし、撥水作用により摩擦損失を低減した弾み車タービン（８）の回転出力にする各種エネルギ保存サイクル合体機関。
【請求項２３９４】
前記撥水鍍金（３ａ）は複合金鍍金皮膜により撥水作用を設けて摩擦損失を低減した水の混合噴射加速にし、撥水作用により摩擦損失を低減した弾み車タービン（８）の回転出力にする各種エネルギ保存サイクル合体機関。
【請求項２３９５】
前記撥水鍍金（３ａ）は超撥水性複合鍍金皮膜により撥水作用を設けて摩擦損失を低減した水の混合噴射加速にし、撥水作用により摩擦損失を低減した弾み車タービン（８）の回転出力にする各種エネルギ保存サイクル合体機関。
【請求項２３９６】
前記撥水鍍金（３ａ）は超撥水性皮膜により撥水作用を設けて摩擦損失を低減した水の混合噴射加速にし、撥水作用により摩擦損失を低減した弾み車タービン（８）の回転出力にする各種エネルギ保存サイクル合体機関。
【請求項２３９７】
前記撥水鍍金（３ａ）は高耐久性高撥水性複合鍍金皮膜により撥水作用を設けて摩擦損失を低減した水の混合噴射加速にし、撥水作用により摩擦損失を低減した弾み車タービン（８）の回転出力にする各種エネルギ保存サイクル合体機関
【請求項２３９８】
前記撥水鍍金（３ａ）は公知技術により撥水作用を設けて摩擦損失を低減した噴射推進出力にする各種エネルギ保存サイクル合体機関。
【請求項２３９９】
前記撥水鍍金（３ａ）は撥水性光沢鍍金により撥水作用を設けて摩擦損失を低減した噴射推進出力にする各種エネルギ保存サイクル合体機関。
【請求項２４００】
前記撥水鍍金（３ａ）は撥水性サテン鍍金により撥水作用を設けて摩擦損失を低減した噴射推進出力にする各種エネルギ保存サイクル合体機関。
【請求項２４０１】
前記撥水鍍金（３ａ）は複合金鍍金皮膜により撥水作用を設けて摩擦損失を低減した噴射推進出力にする各種エネルギ保存サイクル合体機関。
【請求項２４０２】
前記撥水鍍金（３ａ）は超撥水性複合鍍金皮膜により撥水作用を設けて摩擦損失を低減した噴射推進出力にする各種エネルギ保存サイクル合体機関。
【請求項２４０３】
前記撥水鍍金（３ａ）は超撥水性皮膜により撥水作用を設けて摩擦損失を低減した噴射推進出力にする各種エネルギ保存サイクル合体機関。
【請求項２４０４】
前記撥水鍍金（３ａ）は高耐久性高撥水性複合鍍金皮膜により撥水作用を設けて摩擦損失を低減した噴射推進出力にする各種エネルギ保存サイクル合体機関。
【請求項２４０５】
前記撥水鍍金（３ａ）は凹凸面と公知技術により撥水作用を設ける各種エネルギ保存サイクル合体機関。
【請求項２４０６】
前記撥水鍍金（３ａ）は凹凸面と撥水性光沢鍍金により撥水作用を設ける各種エネルギ保存サイクル合体機関。
【請求項２４０７】
前記撥水鍍金（３ａ）は凹凸面と撥水性サテン鍍金により撥水作用を設ける各種エネルギ保存サイクル合体機関。
【請求項２４０８】
前記撥水鍍金（３ａ）は凹凸面と複合金鍍金皮膜により撥水作用を設ける各種エネルギ保存サイクル合体機関。
【請求項２４０９】
前記撥水鍍金（３ａ）は凹凸面と超撥水性複合鍍金皮膜により撥水作用を設ける各種エネルギ保存サイクル合体機関。
【請求項２４１０】
前記撥水鍍金（３ａ）は凹凸面と超撥水性皮膜により撥水作用を設ける各種エネルギ保存サイクル合体機関。
【請求項２４１１】
前記撥水鍍金（３ａ）は凹凸面と高耐久性高撥水性複合鍍金皮膜により撥水作用を設ける各種エネルギ保存サイクル合体機関。
【請求項２４１２】
前記撥水鍍金（３ａ）は凹凸面と公知技術により撥水作用を設けて摩擦損失を低減した水の混合噴射加速にする各種エネルギ保存サイクル合体機関。
【請求項２４１３】
前記撥水鍍金（３ａ）は凹凸面と撥水性光沢鍍金により撥水作用を設けて摩擦損失を低減した水の混合噴射加速にする各種エネルギ保存サイクル合体機関。
【請求項２４１４】
前記撥水鍍金（３ａ）は凹凸面と撥水性サテン鍍金により撥水作用を設けて摩擦損失を低減した水の混合噴射加速にする各種エネルギ保存サイクル合体機関。
【請求項２４１５】
前記撥水鍍金（３ａ）は凹凸面と複合金鍍金皮膜により撥水作用を設けて摩擦損失を低減した水の混合噴射加速にする各種エネルギ保存サイクル合体機関。
【請求項２４１６】
前記撥水鍍金（３ａ）は凹凸面と超撥水性複合鍍金皮膜により撥水作用を設けて摩擦損失を低減した水の混合噴射加速にする各種エネルギ保存サイクル合体機関。
【請求項２４１７】
前記撥水鍍金（３ａ）は凹凸面と超撥水性皮膜により撥水作用を設けて摩擦損失を低減した水の混合噴射加速にする各種エネルギ保存サイクル合体機関。
【請求項２４１８】
前記撥水鍍金（３ａ）は凹凸面と高耐久性高撥水性複合鍍金皮膜により撥水作用を設けて摩擦損失を低減した水の混合噴射加速にする各種エネルギ保存サイクル合体機関。
【請求項２４１９】
前記撥水鍍金（３ａ）は凹凸面と公知技術により撥水作用を設けて摩擦損失を低減した水の混合噴射加速にした弾み車タービン（８）の回転出力にする各種エネルギ保存サイクル合体機関。
【請求項２４２０】
前記撥水鍍金（３ａ）は凹凸面と撥水性光沢鍍金により撥水作用を設けて摩擦損失を低減した水の混合噴射加速にした弾み車タービン（８）の回転出力にする各種エネルギ保存サイクル合体機関。
【請求項２４２１】
前記撥水鍍金（３ａ）は凹凸面と撥水性サテン鍍金により撥水作用を設けて摩擦損失を低減した水の混合噴射加速にした弾み車タービン（８）の回転出力にする各種エネルギ保存サイクル合体機関。
【請求項２４２２】
前記撥水鍍金（３ａ）は凹凸面と複合金鍍金皮膜により撥水作用を設けて摩擦損失を低減した水の混合噴射加速にした弾み車タービン（８）の回転出力にする各種エネルギ保存サイクル合体機関。
【請求項２４２３】
前記撥水鍍金（３ａ）は凹凸面と超撥水性複合鍍金皮膜により撥水作用を設けて摩擦損失を低減した水の混合噴射加速にした弾み車タービン（８）の回転出力にする各種エネルギ保存サイクル合体機関。
【請求項２４２４】
前記撥水鍍金（３ａ）は凹凸面と超撥水性皮膜により撥水作用を設けて摩擦損失を低減した水の混合噴射加速にした弾み車タービン（８）の回転出力にする各種エネルギ保存サイクル合体機関。
【請求項２４２５】
前記撥水鍍金（３ａ）は凹凸面と高耐久性高撥水性複合鍍金皮膜により撥水作用を設けて摩擦損失を低減した水の混合噴射加速にした弾み車タービン（８）の回転出力にする各種エネルギ保存サイクル合体機関。
【請求項２４２６】
前記撥水鍍金（３ａ）は凹凸面と公知技術により撥水作用を設けて摩擦損失を低減した水の混合噴射加速にし、撥水作用により摩擦損失を低減した弾み車タービン（８）の回転出力にする各種エネルギ保存サイクル合体機関。
【請求項２４２７】
前記撥水鍍金（３ａ）は凹凸面と撥水性光沢鍍金により撥水作用を設けて摩擦損失を低減した水の混合噴射加速にし、撥水作用により摩擦損失を低減した弾み車タービン（８）の回転出力にする各種エネルギ保存サイクル合体機関。
【請求項２４２８】
前記撥水鍍金（３ａ）は凹凸面と撥水性サテン鍍金により撥水作用を設けて摩擦損失を低減した水の混合噴射加速にし、撥水作用により摩擦損失を低減した弾み車タービン（８）の回転出力にする各種エネルギ保存サイクル合体機関。
【請求項２４２９】
前記撥水鍍金（３ａ）は凹凸面と複合金鍍金皮膜により撥水作用を設けて摩擦損失を低減した水の混合噴射加速にし、撥水作用により摩擦損失を低減した弾み車タービン（８）の回転出力にする各種エネルギ保存サイクル合体機関。
【請求項２４３０】
前記撥水鍍金（３ａ）は凹凸面と超撥水性複合鍍金皮膜により撥水作用を設けて摩擦損失を低減した水の混合噴射加速にし、撥水作用により摩擦損失を低減した弾み車タービン（８）の回転出力にする各種エネルギ保存サイクル合体機関。
【請求項２４３１】
前記撥水鍍金（３ａ）は凹凸面と超撥水性皮膜により撥水作用を設けて摩擦損失を低減した水の混合噴射加速にし、撥水作用により摩擦損失を低減した弾み車タービン（８）の回転出力にする各種エネルギ保存サイクル合体機関。
【請求項２４３２】
前記撥水鍍金（３ａ）は凹凸面と高耐久性高撥水性複合鍍金皮膜により撥水作用を設けて摩擦損失を低減した水の混合噴射加速にし、撥水作用により摩擦損失を低減した弾み車タービン（８）の回転出力にする各種エネルギ保存サイクル合体機関
【請求項２４３３】
前記撥水鍍金（３ａ）は凹凸面と公知技術により撥水作用を設けて摩擦損失を低減した噴射推進出力にする各種エネルギ保存サイクル合体機関。
【請求項２４３４】
前記撥水鍍金（３ａ）は凹凸面と撥水性光沢鍍金により撥水作用を設けて摩擦損失を低減した噴射推進出力にする各種エネルギ保存サイクル合体機関。
【請求項２４３５】
前記撥水鍍金（３ａ）は凹凸面と撥水性サテン鍍金により撥水作用を設けて摩擦損失を低減した噴射推進出力にする各種エネルギ保存サイクル合体機関。
【請求項２４３６】
前記撥水鍍金（３ａ）は凹凸面と複合金鍍金皮膜により撥水作用を設けて摩擦損失を低減した噴射推進出力にする各種エネルギ保存サイクル合体機関。
【請求項２４３７】
前記撥水鍍金（３ａ）は凹凸面と超撥水性複合鍍金皮膜により撥水作用を設けて摩擦損失を低減した噴射推進出力にする各種エネルギ保存サイクル合体機関。
【請求項２４３８】
前記撥水鍍金（３ａ）は凹凸面と超撥水性皮膜により撥水作用を設けて摩擦損失を低減した噴射推進出力にする各種エネルギ保存サイクル合体機関。
【請求項２４３９】
前記撥水鍍金（３ａ）は凹凸面と高耐久性高撥水性複合鍍金皮膜により撥水作用を設けて摩擦損失を低減した噴射推進出力にする各種エネルギ保存サイクル合体機関。
【請求項２４４０】
前記加熱高温手段（１０１）は公知技術により加熱高温にする各種エネルギ保存サイクル合体機関。
【請求項２４４１】
前記加熱高温手段（１０１）は電気抵抗により加熱高温にする各種エネルギ保存サイクル合体機関。
【請求項２４４２】
前記加熱高温手段（１０１）は電磁加熱により加熱高温にする各種エネルギ保存サイクル合体機関。
【請求項２４４３】
前記加熱高温手段（１０１）は公知技術による加熱高温気化膜により摩擦損失を低減する各種エネルギ保存サイクル合体機関。
【請求項２４４４】
前記加熱高温手段（１０１）は電気抵抗による加熱高温気化膜により摩擦損失を低減する各種エネルギ保存サイクル合体機関。
【請求項２４４５】
前記加熱高温手段（１０１）は電磁加熱による加熱高温気化膜により摩擦損失を低減する各種エネルギ保存サイクル合体機関。
【請求項２４４６】
前記加熱高温手段（１０１）は公知技術による加熱高温気化膜により摩擦損失を低減した水の混合噴射加速にする各種エネルギ保存サイクル合体機関。
【請求項２４４７】
前記加熱高温手段（１０１）は電気抵抗による加熱高温気化膜により摩擦損失を低減した水の混合噴射加速にする各種エネルギ保存サイクル合体機関。
【請求項２４４８】
前記加熱高温手段（１０１）は電磁加熱による加熱高温気化膜により摩擦損失を低減した水の混合噴射加速にする各種エネルギ保存サイクル合体機関。
【請求項２４４９】
前記加熱高温手段（１０１）は公知技術による加熱高温気化膜により摩擦損失を低減した水の混合噴射加速にして回転出力を発生する各種エネルギ保存サイクル合体機関。
【請求項２４５０】
前記加熱高温手段（１０１）は電気抵抗による加熱高温気化膜により摩擦損失を低減した水の混合噴射加速にして回転出力を発生する各種エネルギ保存サイクル合体機関。
【請求項２４５１】
前記加熱高温手段（１０１）は電磁加熱による加熱高温気化膜により摩擦損失を低減した水の混合噴射加速にして回転出力を発生する各種エネルギ保存サイクル合体機関。
【請求項２４５２】
前記加熱高温手段（１０１）は公知技術による加熱高温気化膜により摩擦損失を低減した水の混合噴射加速にして弾み車タービン（８）の回転出力を発生する各種エネルギ保存サイクル合体機関。
【請求項２４５３】
前記加熱高温手段（１０１）は電気抵抗による加熱高温気化膜により摩擦損失を低減した水の混合噴射加速にして弾み車タービン（８）の回転出力を発生する各種エネルギ保存サイクル合体機関。
【請求項２４５４】
前記加熱高温手段（１０１）は電磁加熱による加熱高温気化膜により摩擦損失を低減した水の混合噴射加速にして弾み車タービン（８）の回転出力を発生する各種エネルギ保存サイクル合体機関。
【請求項２４５５】
前記加熱高温手段（１０１）は公知技術による加熱高温気化膜により摩擦損失を低減した水の混合噴射加速にし、加熱高温気化膜により摩擦損失を低減した弾み車タービン（８）の回転出力を発生する各種エネルギ保存サイクル合体機関。
【請求項２４５６】
前記加熱高温手段（１０１）は電気抵抗による加熱高温気化膜により摩擦損失を低減した水の混合噴射加速にし、加熱高温気化膜により摩擦損失を低減した弾み車タービン（８）の回転出力を発生する各種エネルギ保存サイクル合体機関。
【請求項２４５７】
前記加熱高温手段（１０１）は電磁加熱による加熱高温気化膜により摩擦損失を低減した水の混合噴射加速にし、加熱高温気化膜により摩擦損失を低減した弾み車タービン（８）の回転出力を発生する各種エネルギ保存サイクル合体機関。
【請求項２４５８】
前記加熱高温手段（１０１）は公知技術による加熱高温気化膜により摩擦損失を低減した水の混合噴射加速にした噴射推進出力にする各種エネルギ保存サイクル合体機関。
【請求項２４５９】
前記加熱高温手段（１０１）は電気抵抗による加熱高温気化膜により摩擦損失を低減した水の混合噴射加速にした噴射推進出力にする各種エネルギ保存サイクル合体機関。
【請求項２４６０】
前記加熱高温手段（１０１）は電磁加熱による加熱高温気化膜により摩擦損失を低減した水の混合噴射加速にした噴射推進出力にする各種エネルギ保存サイクル合体機関。
【請求項２４６１】
前記各種エネルギ保存サイクル合体機関は、該発電した電気の蓄電池で駆動する装置の種類を問わないことを特徴とする各種エネルギ保存サイクル合体機関。
【請求項２４６２】
前記各種エネルギ保存サイクル合体機関は、該回転力で駆動する装置の種類を問わないことを特徴とする各種エネルギ保存サイクル合体機関。
【請求項２４６３】
前記各種エネルギ保存サイクル合体機関は、該回転力や噴射推進力で駆動する装置の種類を問わないことを特徴とする各種エネルギ保存サイクル合体機関。
【請求項２４６４】
前記各種エネルギ保存サイクル合体機関で燃焼させる燃料は、重油・軽油・水素・メタノール・メタン・ガソリン・天然ガス・プロパンガス・アルコールの何れかにしたことを特徴とする各種エネルギ保存サイクル合体機関。
【請求項２４６５】
前記各種エネルギ保存サイクル合体機関で燃焼させる燃料は、重油・軽油・水素・メタノール・メタン・ガソリン・天然ガス・プロパンガス・アルコールの何れか１以上にしたことを特徴とする各種エネルギ保存サイクル合体機関。
【請求項２４６６】
前記各種エネルギ保存サイクル合体機関で燃焼させる燃料は種類を問わないことを特徴とする各種エネルギ保存サイクル合体機関。
【発明の詳細な説明】
【技術分野】
【０００１】
本発明は既存往復機関技術が、回転出力を発生で充分な頃の時代遅れの発明の改良で、熱変換も重力も重力加速度も利用しない容積利用で、大気圧質量が水の１／１０００の燃焼ガスを静圧作用させて回転出力を発生させる無茶苦茶をして、回転出力を発生しない死点や死点近傍で最大の熱エネルギを放出し、死点後９０度の回転出力発生の絶好機には放出熱エネルギを１／６等に低減する無茶苦茶をして、仮説発電量や出力を１／１０００等に近付け、燃料電池や風力発電と競合する理由を明快に説明するため、正解は実験数値としてアイディアを仮説数字で説明する、仮説数字に限定しない技術に関する。
【０００２】
図１図２図３図４の磁化圧縮水を使用する各種合体機関燃焼部２９Ｘ等を使用し、例えば既存の往復機関を圧縮専用のエネルギ保存圧縮機２０Ａとして、１／５０×１／５０×１／５０＝１／１２５０００容積圧縮空気等とし、熱回収量を最大にして磁化圧縮水を使用する各種エネルギ保存サイクル合体機関として、縮径主燃焼室兼熱交換器１を一方向流路とし、例えばその内径を拡径圧縮室の１／７等に縮径して、拡径ピストン２１の行程容積の１／４９行程容積等限り無く高圧燃焼が可能な、小径長大の縮径主燃焼室兼熱交換器内長時間熱交換冷却燃焼とし、熱回収量を最大の燃焼温度の障害を最低にして、最高燃焼圧力や空気圧縮圧力を限り無く上昇可能にし、送水ポンプ兼磁気摩擦動力伝達装置５５により限り無く高圧の磁化圧縮水として、熱回収量の超高圧過熱蒸気爆発力（燃焼ガス熱量出力）＋最低温度超高圧燃焼ガス爆発力（燃焼ガス質量出力）に分割する技術に関する。
【０００３】
図１図２図３図４の磁化した過熱蒸気噴射ノズル６Ｉ＋磁化した燃焼ガス噴射ノズル６Ｊの、過熱蒸気５０爆発力＋燃焼ガス４９爆発力と夫々の霧吹きの原理で水を混合加速して、撥水鍍金や加熱高温で撥水作用や気化膜を設けると共に、蒸気マイクロバブルや燃焼ガスマイクロバブルや磁力で用途に合せて摩擦損失を低減し、夫々の水速度を爆発速度に近付け、大気圧重力仕事能力を燃焼ガスの１０００倍に近付けて、対向無接触接近乃至噛合ひ同期させて具備し、磁化した弾み車タービン８・８の死点後９０度に連続噴射して、既存往復機関死点後９０度１ＭＰａ×燃焼ガス質量断続静圧駆動を、死点後９０度４００ＭＰａ×１０００倍水質量連続動圧駆動＝既存往復機関の４０００００倍大気圧重力仕事能力で死点後９０度連続動圧駆動を狙う技術に関する。
【０００４】
図１図２図３図４の例えば内面をＮ極に磁化した燃焼ガス噴射ノズル６ｊの、燃焼ガス４９爆発力と霧吹きの原理により、外面をＮ極に磁化した水５２ａ乃至冷水５２ｈを混合噴射加速して、磁力による反発力を含めて摩擦損失を低減した加速とし、駆動面をＮ極に磁化した弾み車ガスタービン８ａ・８ａを駆動して、燃焼ガス４９爆発力と磁力による反発力で摩擦損失を低減した回転出力を発生して排気の過程で、熱利用の増大により排気温度を−２７３℃に近付け、図２冷熱回収器１０３・１０３により熱交換０℃以上の水道水冷熱５２ｅの回収量を最大にし、燃焼ガス排気温度全部＋燃焼ガス排気全部を、０℃近傍の水道水冷熱５２ｅ＋０℃近傍の燃焼ガス溶解水５２ｇとして需要家に供給して、既存技術海水温度の上昇を逆転して膨大過ぎる燃焼ガス溶解水で海水を冷却し、既存技術のＣＯ２等燃焼ガス排気を０にする技術に関する。
【０００５】
既存の原子力発電所や火力発電所は使用熱量全部で海水温度を上昇しており、中国等の参入により海水温度の上昇速度は１０倍に近付き、海水温度は限り無く上昇してメタンハイドレートの大分解が始まると制御不可能なため、異常気象や灼熱地球等により人類絶滅の危険が増大します。そこで図１図２図３図４の、磁化した過熱蒸気噴射ノズル６Ｉの過熱蒸気５０爆発力と霧吹きの原理により、磁化した高温水５２ｂを混合噴射加速して、超臨界圧力過熱蒸気爆発速度をタービン周速度近傍の高温水５２ｂ速度に減速し、大気圧重力仕事能力が燃焼ガスの１０００倍の高温水５２ｂ質量を、燃焼ガスの１０００倍に近付けて重力仕事能力を１０００倍に近付け、磁化した弾み車蒸気タービン８ｂ・８ｂを駆動して、既存往復機関の１０００倍仮説発電量や出力に近付けて、過熱蒸気５０爆発力で回転出力を発生排気の過程で、使用熱量全部を気化熱回収器２ｂにより熱交換回収し、１００℃近傍の水道水温熱５２ｄとして需要家に供給して、既存の原子力発電所や火力発電所の海水温度の上昇を全廃し、メタンハイドレートの大分解を阻止する技術に関する。
【０００６】
図にない既存技術始動電動機兼発電機によりクランク軸１６・１６を回転して、空気圧縮専用の予圧を含む拡径ビストン２１・２１等を往復させて空気圧縮し、その空気又は通常の空気を吸気弁２８より吸入圧縮して、一方向流れの縮径主燃焼室兼熱交換器１で高圧燃焼し、燃焼ガス４９質量出力の圧力上昇に合せて、全動翼圧縮機２０Ｊや選択したエネルギ保存圧縮機２０Ｘや、既存技術圧縮機を用途に合せて駆動して、用途に合せて予圧した空気を吸気弁２８より吸入圧縮し、例えば１／５０×１／５０×１／５０＝１／１２５０００容積圧縮空気等、限り無く高圧燃焼長時間熱交換冷却燃焼して、例えば４００ＭＰａ過熱蒸気爆発力＋最低温度２００ＭＰａ燃焼ガス爆発力に分割し、同一燃料量既存技術の１０００倍回転出力や噴射推進出力に近付ける技術に関する。
【０００７】
圧縮行程では大幅に高圧圧縮した空気を逆止弁９７を含む一方向空気流路９より、一方向流路の縮径主燃焼室兼熱交換器１に空気噴射して、燃料噴射電磁弁７ｃや既存技術により燃料噴射して空気と攪拌混合し、既存技術着火装置１０２により着火燃焼して、縮径主燃焼室兼熱交換器１の燃焼圧力を用途に合せて限り無く上昇し、長時間熱交換冷却燃焼して燃焼ガス熱量出力＋低温燃焼ガス質量出力に分割して、例えば４００ＭＰａ過熱蒸気爆発力＋最低温度２００ＭＰａ燃焼ガス爆発力に分割し、磁化した過熱蒸気噴射ノズル６Ｉ等＋磁化した燃焼ガス噴射ノズル６Ｄ等により、磁化した高温水５２ｂ＋磁化した冷水５２ｈ乃至水５２ａを、過熱蒸気５０爆発力＋燃焼ガス４９爆発力と夫々の霧吹きの原理により、夫々の磁化水を混合噴射加速して、夫々の爆発力上昇により大気圧重力仕事能力を燃焼ガスの１０００倍に近付け、真空中では更に大幅に増大する技術に関する。
【０００８】
図１の縮径主燃焼室兼熱交換器１内の燃焼ガス４９の圧力上昇時に、燃焼ガス制御弁２４を開放制御して、図３の円筒状燃焼ガス溜９５ａに供給し、磁化した燃焼ガス噴射ノズル６Ｃ６Ｄ６Ｊ等の燃焼ガス爆発力と霧吹きの原理により、１以上の複雑帯状の水溜９５ｂの、１以上の冷水噴射ノズル６Ｇの磁化水５２ａ乃至磁化冷水５２ｈを混合噴射加速し、燃焼ガスにより磁化水を溝状又は円形状又は楕円状に吸引膨張させる過程で、磁化した弾み車ガスタービン８ａ・８ａの中間に最適噴射するノズル形状に移行して、燃焼ガスマイクロバブルを発生させて摩擦損失を低減し、加熱高温手段１０１や撥水鍍金３ａや磁力により気化膜や撥水作用や反発力として、用途に合わせて燃焼ガス噴射ノズルと水との間の摩擦損失を低減し、同様に弾み車ガスタービン８ａ・８ａと水との間の摩擦損失を低減して、回転出力を発生する技術に関する。
【０００９】
磁化した燃焼ガス噴射ノズル内では火薬爆発機関銃の弾丸や吹雪のように磁化水を加速して、垂直噴射等により重力慣性力や重力加速度の利用を用途に合せて最大にすると共に、大気圧重力仕事能力が燃焼ガスの１０００倍の水質量を、１以上の長大等の複雑帯状の水溜９５ｂの１以上多数の冷水噴射ノズル６Ｇにより、混合噴射加速して燃焼ガスの１０００倍水質量に近付けて、タービン周速度近傍に減速し、磁化した燃焼ガス噴射ノズル６Ｊ等のノズル部を、磁化した弾み車ガスタービン８ａ・８ａの長さやタービン翼８ｃの長さに合せて長大小幅に形成して、弾み車ガスタービン８ａ・８ａに噴射して回転出力を発生し、燃焼ガス排気温度を−２７３℃に近付け、燃焼ガス排気温度全部を０℃近傍の水道水冷熱５２ｅとして回収貯蔵して、発電の副産物の水道水冷熱を需要家に供給販売すると共に、水道水冷熱５２ｅを利用して電力消費１／１０等を狙う業務用や家庭用の、冷房設備機器や冷凍設備機器や冷蔵設備機器や製氷設備機器等を製造販売する技術に関する。
【００１０】
図２燃焼ガス質量回転出力発生の過程や水道水冷熱５２ｅ回収の過程で、燃焼ガスを３０〜３００倍質量等の燃焼ガス質量出力発生水に、窒素やＣＯ２等も溶解する物質を混入し、水５２ａに窒素やＣＯ２等も溶解して燃焼ガス溶解水５２ｇにして、溶解容易なＣＯ２を含めて燃焼ガス排気を０に近付け、水道水冷熱５２ｅ回収後は、燃焼ガス溶解水５２ｇを増大して燃焼ガス排気０を狙います。そして燃焼ガス溶解水５２ｇを泥土や植物片や残飯等に固定して肥料にする過程で、バイオガスを発生させて発電燃料とし、バイオ肥料を増産して農作物の増産を図ると共に、膨大過ぎる燃焼ガス溶解水５２ｇは海水に供給して、海水を冷却する過程で、酸素等の空気も吸引して海水を冷却し、ＣＯ２や酸素や窒素等を必要として分解合成吸収等する、植物プランクトンの珪藻等の微生物や海藻類を先ず増殖して、魚介類や海草類等の食料増産等を図る技術に関する。
【００１１】
図１導水管３の燃焼ガス熱量出力の過熱蒸気５０の圧力温度増大上昇時に、過熱蒸気制御弁２５を開放制御して、図３の１以上の筒状過熱蒸気溜９５ｃに過熱蒸気５０を供給し、磁化した過熱蒸気噴射ノズル６Ａ６Ｂ６Ｉ等の過熱蒸気５０爆発力と霧吹きの原理により、１以上の複雑帯状の高温水溜９５の、１以上の水噴射ノズル６Ｅの１００℃近傍の磁化した高温水５２ｂを混合噴射加速し、過熱蒸気により磁化高温水を溝状又は円形状又は楕円状に吸引膨張させる過程で、磁化した弾み車蒸気タービン８ｂ・８ｂの中間に最適噴射する長方形のノズル形状に移行して、過熱蒸気マイクロバブルを発生させて摩擦損失を低減し、加熱高温手段１０１や撥水鍍金３ａや磁力により、加熱高温気化膜や撥水作用や磁石の反発力として、用途に合せて磁化した過熱蒸気噴射ノズルと磁化水との間の摩擦損失を低減し、同様に磁化した弾み車蒸気タービン８ｂ・８ｂと磁化水との間の摩擦損失を低減して、回転出力を発生する技術に関する。
【００１２】
大気圧重力仕事能力が燃焼ガスの１０００倍の水噴射質量を、１以上の長大複雑帯状等の高温水溜９５の１以上の水噴射ノズル６Ｅより混合噴射加速して、燃焼ガスの１０００倍質量に近付けて、磁化した過熱蒸気噴射ノズル内では、火薬爆発機関銃の弾丸や吹雪のように磁化高温水５２ｂを混合噴射加速し、垂直噴射等により重力加速度の利用を最大に近付けると共に、水噴射速度をタービン周速度近傍に減速し、磁化した過熱蒸気噴射ノズル６Ｉ等のノズル部を、磁化した弾み車蒸気タービン８ｂ・８ｂの長さや、タービン翼８ｃ・８ｃの噛み合い長さに合せて長大小幅に形成して、弾み車蒸気タービン８ｂ・８ｂの中間タービン翼８ｃ・８ｃに噴射し、既存往復機関最大の欠点の死点を皆無にして、既存往復機関死点後９０度１ＭＰａ×燃焼ガス質量断続静圧駆動を（死点後９０度４００ＭＰａ×１０００倍水質量連続動圧駆動＝既存往復機関の４０００００倍大気圧重力仕事能力）＝（アイディア数字が膨大過ぎて死点後９０度以外でも使用のため１０００倍大気圧重力仕事能力で説明する）で死点後９０度の絶好機連続動圧駆動の、同一燃料量既存往復機関の１０００倍発電量乃至回転出力を狙う技術に関する。
【００１３】
回転出力発生全出力の排気の過程では大気圧近傍まで使用とし、燃焼ガス熱量出力の排気と燃焼ガス質量出力の排気を分離して、燃焼ガス熱量出力の過熱蒸気５０排気は、図１の空気抽出器５１により吸引して用途に合せて真空度を調整して、気化熱回収器２ｂの冷却水道水で熱回収して凝縮水温度を増減し、１００℃前後の高温水５２ｂと凝縮水５２ｆを隔壁９０ａにより分離回収して、高温水５２ｂを高温水溜９５に循環供給し、凝縮水５２ｆを縮径主燃焼室熱交換器２に循環供給して、超臨界圧力等の過熱蒸気５０爆発力に変換し、気化熱回収器２ｂの冷却水に水道水５２ｃを使用して、圧縮空気保有熱量を含む使用熱量全部の凝縮熱から、１００℃前後の水道水温熱５２ｄを回収貯蔵し、発電の副産物の水道水温熱５２ｄを需要家に供給販売すると共に、水道水温熱を利用して電力消費１／１０等を狙う業務用や家庭用の、暖房設備機器や調理設備機器や洗濯乾燥機等の製造供給や、浴場や温水プール等に供給販売すると共に、水不足地帯では海水を蒸留して供給販売する等、発電の副産物を海水淡水化事業等各種用途に使用する技術に関する。
【００１４】
図５図６図の空気吸引噴射推進合体機関飛行機３８Ａの場合は、選択した合体機関燃焼部２９Ｘと合体機関噴射部７７Ｋを分離して、合体機関噴射部７７Ｋを極限まで簡単とし、合体機関燃焼部２９Ｘで例えば４００ＭＰａ過熱蒸気爆発力＋２００ＭＰａ燃焼ガス爆発力に分割し、その一部により合体機関燃焼部２９Ｘを駆動して、大部分により合体機関噴射部７７Ｋを駆動する過程では、夫々磁化した過熱蒸気噴射ノズル６Ｉ及び燃焼ガス噴射ノズル６Ｊに供給した、過熱蒸気爆発力及び燃焼ガス爆発力と夫々の霧吹きの原理により、夫々の水噴射ノズル６Ｅに供給した磁化水５２ａを混合噴射加速し、夫々の磁化ノズルと磁化水の磁石反発力で摩擦損失を低減して混合噴射加速して、夫々重力仕事能力を最適に増大して前方の空気を吸引噴射し、既存ジェット機の１０００倍噴射推進出力に近付けることで垂直上昇垂直降下飛行全盛として、ビルの屋上等何処でも飛行場を狙う技術に関する。
【００１５】
図５図７図の空気吸引噴射推進合体機関飛行機３８Ａの場合は、選択した合体機関燃焼部２９Ｘと合体機関噴射部７７Ｌを分離して、合体機関噴射部７７Ｌを極限まで簡単とし、合体機関燃焼部２９Ｘで例えば４００ＭＰａ過熱蒸気爆発力＋２００ＭＰａ燃焼ガス爆発力に分割し、その一部により合体機関燃焼部２９Ｘを駆動して、大部分により合体機関噴射部７７Ｌを駆動する過程では、磁化した流線型過熱蒸気燃焼ガス噴射ノズル６Ｘの過熱蒸気溜９５Ｃ及び燃焼ガス溜９５ａに供給した、過熱蒸気爆発力＋燃焼ガス爆発力と霧吹きの原理により、過熱蒸気に含有させた磁化高温水を混合噴射加速して、重力仕事能力を大気中や真空中では燃焼ガスの１０００倍や１００００倍に近付け、前方の空気や真空を吸引して空気中や真空中に噴射して、超音速マッハ３２の地球脱出速度以上等の噴射推進速度を可能にし、宇宙往還機や超音速飛行全盛を狙う技術に関する。
【００１６】
図６図８の空気噴射船舶３８Ｂの場合は、選択した合体機関燃焼部２９Ｘと合体機関噴射部７７Ｋを分離して、合体機関噴射部７７Ｋを極限まで簡単とし、合体機関燃焼部２９Ｘで例えば４００ＭＰａ過熱蒸気爆発力＋２００ＭＰａ燃焼ガス爆発力に分割し、その一部により合体機関燃焼部２９Ｘを駆動して、大部分により合体機関噴射部７７Ｋを駆動する過程では、磁化した燃焼ガス噴射ノズル６Ｊに供給した燃焼ガス爆発力と霧吹きの原理により、水噴射ノズル６Ｅに供給した磁化水５２ａを磁石反発力で摩擦損失を低減して混合噴射加速し、磁化した過熱蒸気噴射ノズル６Ｉに供給した過熱蒸気爆発力と霧吹きの原理により、水噴射ノズル６Ｅに供給した磁化水５２ａを磁石反発力で摩擦損失を低減して混合噴射加速して、夫々重力仕事能力を最適に増大して斜め上前方の空気を吸引して船底斜め下に噴射し、既存ジェット機の１０００倍噴射推進出力に近付けることで、乗客等の大重量を音速に近付けて海上輸送海上移動全盛を狙う技術に関する。
【００１７】
図９図１０図の水噴射船舶３８Ｃの場合は、選択した合体機関燃焼部２９Ｘとウォータージェット７７Ｍを分離して、ウォータージェット７７Ｍを極限まで簡単とし、合体機関燃焼部２９Ｘで例えば４００ＭＰａ過熱蒸気爆発力＋２００ＭＰａ燃焼ガス爆発力に分割して、その一部により合体機関燃焼部２９Ｘを駆動し、大部分によりウォータージェット７７Ｍを駆動する過程で、夫々ウォータージェット外箱７７Ｄ内に具備して、磁化した燃焼ガス噴射ノズル６Ｊに供給した燃焼ガス４９爆発力と霧吹きの原理により、水噴射ノズル６Ｅに供給した磁化水５２ａを混合噴射加速し、磁化した過熱蒸気噴射ノズル６Ｉに供給した過熱蒸気５０爆発力と霧吹きの原理により、水噴射ノズル６Ｅに供給した磁化水５２ａを混合噴射加速して、夫々磁石反発力で摩擦損失を低減して重力仕事能力を最大に増大し、夫々船底前方の水を吸引して船底後方に噴射して、同一燃料量既存ウォータージェットの１０００倍噴射推進出力に近付けることで、水上翼３８ｇを複数の油圧シリンダー４８ａにより最適位置や形状に移動変形し、貨物船等大重量の超高速海上浮上輸送海上浮上移動全盛を狙う技術に関する。
【００１８】
図９図１１図の水噴射船舶３８Ｃの場合は、選択した合体機関燃焼部２９Ｘとウォータージェット７７Ｎを分離して、ウォータージェット７７Ｎを極限まで簡単とし、合体機関燃焼部２９Ｘで例えば４００ＭＰａ過熱蒸気爆発力＋２００ＭＰａ燃焼ガス爆発力に分割し、その一部により合体機関燃焼部２９Ｘを駆動して、大部分によりウォータージェット７７Ｎを駆動する過程で、磁化した燃焼ガス噴射ノズル６Ｊに供給した燃焼ガス４９爆発力と霧吹きの原理により、水噴射ノズル６Ｅに供給した磁化水５２ａを混合噴射加速し、磁化した過熱蒸気噴射ノズル６Ｉに供給した過熱蒸気５０爆発力と霧吹きの原理により、水噴射ノズル６Ｅに供給した磁化水５２ａを混合噴射加速して、夫々磁石反発力で摩擦損失を低減して重力仕事能力を最大に増大し、夫々１以上の筒形外箱７７ｂと共に、夫々１以上のウォータージェット外箱７７Ｄ内に具備して、船底前方の水を吸引して船底後方に噴射し、同一燃料量既存ウォータージェットの１０００倍噴射推進出力に近付けることで、水上翼３８ｇを複数の油圧シリンダー４８ａにより最適位置や最適形状に移動変形し、貨物船等大重量の超高速海上浮上輸送海上浮上移動全盛を狙う技術に関する。
【背景技術】
【００１９】
既存ガソリン機関やディーゼル機関の技術は金儲けのため、回転出力を発生で充分な頃の時代遅れの発明を改良で、合理的な構成を全く考えない容積利用のため、排気温度も非常に高く、燃焼ガスの単位容積大気圧重力仕事能力が水の１／１０００前後と非常に僅少で、回転出力を発生しない死点や死点近傍で最大のエネルギを放出し、死点後９０度の回転力発生絶好機には１／６以下の圧力等に低下して、仮説回転出力を１／１０００に近付けておるのです。そこで限り無く高圧燃焼長時間熱交換冷却燃焼して、限り無く高圧の過熱蒸気爆発力＋最低温度燃焼ガス爆発力に分割し、夫々の爆発力と霧吹きの原理により夫々磁化水を混合噴射加速して、磁化した弾み車タービン８・８に噴射し、磁石の反発力により摩擦損失を低減した混合噴射加速や回転出力の発生として、既存往復機関最大の欠点の死点を皆無にし、例えば既存往復機関死点後９０度１ＭＰａ×燃焼ガス質量断続静圧駆動を、死点後９０度４００ＭＰａ×１０００倍水質量連続動圧駆動＝既存往復機関死点後９０度の４０００００倍大気圧重力仕事能力で駆動し、死点後９０度の絶好機に弾み車タービン８・８に連続噴射する技術完成が最大の急務です。
【００２０】
既存往復機関やガスタービンや蒸気タービン駆動の、各種自動車や各種船舶や各種飛行機や各種機械類や各種発電機や各種小型機械等から、京都議定書とは逆に膨大なＣＯ２等の排出増大が、中国等地球人口の大部分を占める途上国で急加速しており、特に火力発電所や原子力発電所では、使用した熱全部で海水温度を上昇して植物プランクトンを死滅させて、食料の動物プランクトンを死滅させ、例えば日本近海のマイワシ生息数を１／２００に激減し、海水温度の上昇速度を限り無く増大しており、地球温暖化の力がＣＯ２の２０倍の、メタンハイドレートの大分解が始まると制御不可能となり、ＣＯ２濃度の急上昇等予想を遥かに超える異常気象により、灼熱地球・人類滅亡を招きます。人類は集団自殺の末路に向かって急加速しており、仮説出力を１／１０００等に近付けた無茶苦茶過ぎる既存往復機関やガスタービンを全廃し、最大の緊急課題は、火力発電所や原子力発電所の海水温度上昇を０にするための、一刻も早い地球温暖化防止の行動開始が急がれます。
【００２１】
先行発明が皆無で先の出願として、往復機関の燃焼室を例えば１／７等に縮径した一方向流れの、縮径主燃焼室兼熱交換器を設けたエネルギ保存サイクル合体機関があります。
【特許文献１】米国特許第６１１９６５０号、中国特許第８８１８号、ＥＵ特許９０２１７５号、米国特許第６２６３６６４号、特願２０００−３３８７２５号、特願２０００−３４７６６３号、特願２００１−１０２９６４号、特願２００１−３３６１３９号、特願２００２−１９６０７号、特願２００２−１１８８７３号、特願２００２−２１６２２９号、特願２００２−２５７４３５号、特願２００２−３０２６５１号、特願２００２−３２６２４５号、特願２００３−１０６０９２号、特願２００３−３５０１９８号、特願２００３−３７５２７１号、特願２００４−０５０６３４号、特願２００４−０８２１５４号、特願２００４−２０４２９２号、特願２００４−２５１７４１号、があります。
【発明の開示】
【発明が解決しようとする課題】
【００２２】
小学校理科の作用と反作用でも明白なように（同じ容積の燃焼ガスと水を噴射して同じ大きさの反動力を得るためには、水速度の１０００倍の燃焼ガス速度が必要です）即ち既存技術は１００余年発明皆無で、出力を発生で充分な頃発明した時代遅れの往復機関やタービンの改良では、余にも愚か過ぎます。既存ディーゼル機関やガソリン機関は、熱変換も重力慣性力も重力加速度も全く利用しない容積利用のため、「速度（落差）×質量（重力仕事率）＝仕事能力（出力源）」の、最も基本的な思考が完璧に阻止されており、思考を復活することで、大気圧重力仕事能力を燃焼ガスの１０００倍の水出力に近付け、ＣＯ２等の燃焼ガス排気も、水出力とすることで燃焼ガス溶解水の排水とし、仮説出力や仮説発電量を既存往復機関の１０００倍に近付けるのが急務となっております。
【００２３】
そこで全動翼圧縮機２０ｊや選択したエネルギ保存圧縮機２０Ｘや、既存技術で用途に合せて予圧した空気を、選択した合体機関燃焼部２９Ｘで圧縮し、図１一方向流路の縮径主燃焼室兼熱交換器１により、限り無く高圧燃焼長時間熱交換冷却燃焼して、燃焼ガス熱量出力＋燃焼ガス質量出力に分割します。そして燃焼ガス熱量出力を超臨界圧力等の過熱蒸気５０爆発力にし、磁化した過熱蒸気噴射ノズル６Ａ６Ｂ６Ｉ等の、過熱蒸気爆発速度と霧吹きの原理により、１以上の水噴射ノズル６Ｅの磁化水を摩擦損失最少で混合噴射加速して、限り無い高圧噴射により、大気圧重力仕事能力を燃焼ガスの１０００倍の水質量×速度に変換し、用途に合せて水質量を燃焼ガスの１０〜１０００倍質量等に増大することで、各種温度の水速度を最適速度に減速して、同一燃料量大気圧重力仕事能力を燃焼ガスの１０００倍に近付け、燃焼ガス熱量出力＋燃焼ガス質量出力の仮説出力や仮説発電量を、既存往復機関の１０００倍に近付けることを目的とします。
【００２４】
そして燃焼ガス質量出力を、図２の磁化した燃焼ガス噴射ノズル６Ｄ６Ｊ等の、燃焼ガス４９爆発力と霧吹きの原理により、１以上の水噴射ノズル６Ｅの磁化水を摩擦損失最少で混合噴射加速し、大気圧重力仕事能力を燃焼ガスの１０００倍に近付け、用途に合せて水質量を増大して減速することで、燃焼ガス爆発速度を最適速度に減速して大質量水出力を発生して、水に燃焼ガスを溶解混合して燃焼ガス溶解水５２ｇを大量生産し、ＣＯ２や窒素等を大量に含有する燃焼ガス溶解水５２ｇを回収して、泥土や植物片や残飯等にバクテリアで分解固定して肥料にする過程で、メタンガス等を発生させて発電燃料にすると共に肥料を増産し、ＣＯ２等燃焼ガス排気を０に近付けて農産物の増産を図る等、各種新規産業を創出して、用途により−２７３℃に近付く燃焼ガス排気全部を０℃に近い水道水冷熱５２ｅとして回収し、燃焼ガス質量全部を０℃近傍の水道水冷熱５２ｅとして回収販売すると共に、水道水冷熱利用の各種機器を製造販売することを目的とします。
【００２５】
既存の火力発電所や原子力発電所では、蒸気タービンで発電した熱量全部で海水温度を上昇し、海水温度の上昇速度を限り無く増大して、メタンハイドレート大分解の危険を増大しております。そこで燃焼ガス熱量出力を発生して排気の過程では、図１気化熱回収器２ｂにより排気水蒸気を冷却して１００℃に近い凝縮水５２ｆ全部を、限り無く縮径主燃焼室熱交換器２に供給し、超臨界圧力等の過熱蒸気５０爆発力に変換して、磁化した弾み車蒸気タービン８ｂを駆動して排気の過程で、圧縮空気保有熱量を含む使用熱量全部を、気化熱回収器２ｂにより１００℃近傍の水道水温熱５２ｄとして熱交換回収し、発電の副産物として需要家に販売すると共に、電力消費１／１０を狙う水道水温熱５２ｄ利用の、各種暖房設備機器や各種調理設備機器や各種温水設備機器や各種洗濯乾燥機を製造販売して、海水淡水化設備により海水を淡水化して蒸留水や結晶塩として製造販売し、既存発電所の海水温度上昇を皆無にすることを目的にします。
【００２６】
図２燃焼ガス４９爆発力で磁化した弾み車ガスタービン８ａを駆動して、排気の過程では用途に合せて、燃焼ガス排気温度を−２７３℃に近付け、発電用等では冷熱回収器１０３・１０３を設けて、出力発生冷熱回収排気の過程では、不凍液を含む水５２ａ又は冷水５２ｈで回転出力を発生する過程で燃焼ガスを溶解し、燃焼ガス溶解水５２ｇ等として外部の冷熱回収器１０３に排気排水して、冷熱回収後も燃焼ガスを水に混合溶解し、ＣＯ２等燃焼ガス排気を０に近付けます。そして−２７３℃に近付けた燃焼ガス排気全部を、０℃に近い冷水５２ｈや水道水冷熱５２ｅに変換して、冷水５２ｈを燃焼ガス噴射ノズルの水溜９５ｂに供給して噴射し、水道水冷熱５２ｅを回収貯蔵して、発電の副産物として需要家に販売すると共に、電力消費１／１０を狙う水道水冷熱５２ｅ利用の家庭用や業務用の、各種冷凍設備機器や各種冷蔵設備機器や各種冷房設備機器や各種製氷設備機器等を製造販売し、水道水冷熱で都市部を丸ごと冷却する等、ヒートアイランドに換えて水道水冷熱冷却として、脱フロン等により公害低減・地球温暖化防止することを目的とします。
【００２７】
自動車や船舶等の各種回転出力発生は、全動翼圧縮機２０ｊや選択したエネルギ保存圧縮機２０Ｘや、既存技術で用途に合せて予圧した空気を圧縮する、選択した合体機関燃焼部２９Ｘの縮径主燃焼室兼熱交換器１で、限り無く高圧燃焼長時間熱交換冷却燃焼し、燃焼ガス熱量出力＋燃焼ガス質量出力に分割します。そして２００ＭＰａ過熱蒸気爆発力＋１００ＭＰａ燃焼ガス爆発力等で使用して、磁化した過熱蒸気噴射ノズルと霧吹きの原理及び磁化した燃焼ガス噴射ノズルと霧吹きの原理により、夫々タービン周速度を越える磁化水の速度に変換し、夫々磁化した弾み車蒸気タービン８ｂ及び磁化した弾み車ガスタービン８ａを、燃焼ガスの１０００倍大気圧重力仕事能力に近付けた水質量速度で駆動して、各種自動車や各種ヘリコプターや各種プロペラ飛行機や各種プロペラ船舶や、各種機械類等を回転駆動することを目的とします。
【００２８】
図５図６の各種合体機関飛行機３８Ａの各種空気吸引噴射推進出力の発生は、前記同様に選択した合体機関燃焼部２９Ｘで限り無く高圧燃焼長時間熱交換冷却燃焼して、例えば２００ＭＰａ過熱蒸気５０爆発力＋最低温度１００ＭＰａ燃焼ガス４９爆発力に分割し、その一部により磁化した弾み車タービン８を含む合体機関燃焼部２９Ｘを駆動して、大部分の過熱蒸気爆発速度及び燃焼ガス爆発速度を、合体機関噴射部外箱７７Ｆ内夫々１以上の筒形外箱７７ｂ内の、磁化した過熱蒸気噴射ノズル６Ｂ乃至６Ｉの過熱蒸気爆発力及び磁化した燃焼ガス噴射ノズル６Ｄ乃至６Ｊの燃焼ガス爆発力と、夫々の霧吹きの原理により、夫々１以上の磁化水５２ａを混合噴射加速して、大気圧重力仕事能力を燃焼ガスの１０００倍に近付けて増大し、夫々の用途に合せた霧吹きの原理１１１Ｉ・１１１Ｊ等により、前方の空気や真空を吸引噴射して、既存ガスタービンの１０００倍仮説空気吸引噴射推進出力や、１０００倍仮説真空吸引噴射推進出力を狙うことを目的にします。
【００２９】
図５図７の各種合体機関飛行機３８Ａの各種空気吸引噴射推進出力の発生は、前記同様に例えば２００ＭＰａ過熱蒸気５０爆発力＋最低温度１００ＭＰａ燃焼ガス４９爆発力に分割し、その一部により磁化した弾み車タービン８を含む合体機関燃焼部２９Ｘを駆動して、大部分の過熱蒸気爆発速度及び燃焼ガス爆発速度を、合体機関噴射部外箱７７Ｆ内１以上の筒形外箱７７ｂ内の、磁化した過熱蒸気燃焼ガス噴射ノズル６Ｈ乃至６Ｘの、過熱蒸気５０爆発力及び燃焼ガス４９爆発力と霧吹きの原理により、過熱蒸気５０に用途に合せて含有させた磁化高温水を摩擦損失最少で混合噴射加速して、大気圧重力仕事能力を燃焼ガスの１０００倍に近付けて増大し、用途に合せた霧吹きの原理１１１乃至１１１Ｘにより、前方の空気や真空を吸引して空気中や真空中に噴射して、既存ガスタービンの１０００倍仮説空気吸引噴射推進出力や、１０００倍仮説真空吸引噴射推進出力を狙い、既存技術の１０倍速度を狙う各種超音速ジェット機や各種超高速船舶や、各種宇宙往還旅客機や各種宇宙往還旅客親飛行機を狙うことを目的にします。
【００３０】
図６図８の各種空気噴射船舶３８Ｂの各種空気吸引噴射推進出力の発生は、前記同様に例えば２００ＭＰａ過熱蒸気５０爆発力＋最低温度１００ＭＰａ燃焼ガス４９爆発力に分割し、その一部により磁化した弾み車タービン８を含む合体機関燃焼部２９Ｘを駆動して、大部分の過熱蒸気爆発速度及び燃焼ガス爆発速度を、合体機関噴射部外箱７７Ｆ内夫々１以上の筒形外箱７７ｂ内の、磁化した過熱蒸気噴射ノズル６Ｂ乃至６Ｉの過熱蒸気爆発力及び磁化した燃焼ガス噴射ノズル６Ｄ乃至６Ｊの燃焼ガス爆発力と、夫々の霧吹きの原理により、夫々１以上の磁化水５２ａを磁力反発力で摩擦損失最少として混合噴射加速して、大気圧重力仕事能力を燃焼ガスの１０００倍に近付けて増大し、夫々の用途に合せた１以上の霧吹きの原理１１１Ｉ・１１１Ｊ等により、斜め上前方の空気を吸引して船底斜め下の囲い内に噴射して、空圧浮上及び飛行翼３８ｂ飛行尾翼３８ｃで安定飛行さし、既存ガスタービンの１０００倍仮説空気吸引噴射推進出力に近付けて、フェリーボート級の重量を水上一定距離飛行する、各種空気噴射船舶を狙うことを目的にします。
【００３１】
図９図１０の各種水噴射船舶３８Ｃの各種水吸引噴射推進出力の発生は、前記同様に２００ＭＰａ過熱蒸気５０爆発力＋最低温度１００ＭＰａ燃焼ガス４９爆発力に分割し、その一部により磁化した弾み車タービン８を含む合体機関燃焼部２９Ｘを駆動して、大部分の過熱蒸気爆発速度及び燃焼ガス爆発速度を、ウォータージェット外箱７７Ｄ内夫々１以上の筒形外箱７７ｂ内の、磁化した過熱蒸気噴射ノズル６Ｂ乃至６Ｉの過熱蒸気爆発力及び、磁化した燃焼ガス噴射ノズル６Ｄ乃至６Ｊの燃焼ガス爆発力と、夫々の霧吹きの原理により、夫々１以上の磁化水５２ａを磁力反発力で摩擦損失を最低にして混合噴射加速して、大気圧重力仕事能力を燃焼ガスの１０００倍に近付けて増大し、夫々の用途に合せた１以上の霧吹きの原理１１１ｇ・１１１ｈ等により、船底前方の水を吸引して船底後方に噴射して、既存ウォータージェットの１０００倍仮説水吸引噴射推進出力に近付けることで、水上翼３８ｇを複数の油圧シリンダ４８ａにより最適位置形状に移動変形し、水上翼により船体を浮上させて、大重量を水上輸送する各種船舶を狙うことを目的にします。
【００３２】
図９図１１の各種水噴射船舶３８Ｃの各種水吸引噴射推進出力の発生は、前記同様に２００ＭＰａ過熱蒸気５０爆発力＋最低温度１００ＭＰａ燃焼ガス４９爆発力に分割し、その一部により磁化した弾み車タービン８を含む合体機関燃焼部２９Ｘを駆動して、大部分の過熱蒸気爆発速度及び燃焼ガス爆発速度を、夫々のウォータージェット外箱７７Ｄ内の、夫々１以上の筒形外箱７７ｂ内の、磁化した過熱蒸気噴射ノズル６Ｂ乃至６Ｉの過熱蒸気爆発力及び、磁化した燃焼ガス噴射ノズル６Ｄ乃至６Ｊの燃焼ガス爆発力と、夫々の霧吹きの原理により、夫々１以上の磁化水５２ａを磁力反発力で摩擦損失を最低にして混合噴射加速して、大気圧重力仕事能力を燃焼ガスの１０００倍に近付けて増大し、夫々の用途に合せた１以上の霧吹きの原理１１１ｇ・１１１ｈにより、ウォータージェット７７Ｎを構成して、船底前方の水を吸引して船底後方に噴射し、既存ウォータージェットの１０００倍仮説水吸引噴射推進出力に近付けることで、水上翼３８ｇを複数の油圧シリンダ４８ａにより最適位置形状に移動変形して、水上翼３８ｇにより船体を浮上させて、貨物船級の大重量を水上輸送する各種船舶を狙うことを目的にします。
【課題を解決するための手段】
【００３３】
既存のガソリン機関やディーゼル機関は、回転出力を発生で充分な頃の時代遅れの発明を改良で、熱変換も重力も重力加速度も利用しない容積利用で、回転出力を発生しない死点や死点近傍で最大のエネルギを放出し、死点後９０度の回転出力発生絶好機には放出エネルギを１／６以下に低減する等、既存往復機関は愚かで無茶苦茶過ぎるのです。そこで図１既存ガソリン機関やディーゼル機関を空気圧縮専用機として使用し、Ａ型エネルギ保存圧縮機２０Ａとして予圧圧縮機としても使用して、例えばピストン頂部隙間を０に近付け、１圧縮で１／５０〜１／１００容積を可能にし、１／５０×１／５０×１／５０＝１／１２５０００容積圧縮空気など、限り無い高圧圧縮を可能にします。そして構造を簡単としたＢ型エネルギ保存圧縮機２０Ｂ・Ｃ型エネルギ保存圧縮機２０Ｃ・Ｄ型エネルギ保存圧縮機２０Ｄ・Ｅ型エネルギ保存圧縮機２０Ｅ・Ｆ型エネルギ保存圧縮機２０Ｆ・Ｇ型エネルギ保存圧縮機２０Ｇ・Ｈ型エネルギ保存圧縮機２０Ｈから、用途に合せて選択使用して、限り無い高圧圧縮高圧燃焼長時間熱交換冷却燃焼にします。
【００３４】
図１のＡ型エネルキ保存圧縮機２０Ａを使用したＡ型合体機関燃焼部２９Ａを、通常の始動装置により始動して、既存の往復機関と同様に吸気弁２８より予圧した空気を吸入し、既存の往復機関と同様に拡径圧縮室１０ａで圧縮して、用途に合せて限り無く高圧の圧縮空気全量を一方向空気流路９より、一方向流れの縮径主燃焼室兼熱交換器１に供給して、既存技術燃料噴射弁又は燃料噴射電磁弁７ｃより燃料噴射して、空気と攪拌混合して公知の着火装置１０２により着火燃焼し、限り無く高圧燃焼長時間熱交換冷却燃焼して燃焼温度と容積の障害を最低として、例えば燃焼ガス熱量出力（２００ＭＰａ過熱蒸気爆発力）＋燃焼ガス質量出力（最低温度１００ＭＰａ燃焼ガス爆発力）に分割し、夫々の爆発力と霧吹きの原理により磁化水を混合噴射加速して、夫々の爆発速度を用途に合せた最適水速度に減速し、大気圧重力仕事能力を燃焼ガスの１０００倍に近付けて、回転出力の発生や噴射推進出力の発生に使用します。
【００３５】
送水ポンプ兼磁気摩擦動力伝達装置５５により物質を混入した水を圧縮して磁化水とし、例えば外周をＮ極に中心をＳ極に着磁する又はその逆に着磁する物質を混入して、２００〜４００ＭＰａ等に磁化水の水圧を上昇し、過熱蒸気温度上昇時に過熱蒸気制御弁２５を開放制御して、図１全回転出力の場合は過熱蒸気５０全部を過熱蒸気溜９５ｃに供給し、磁化した過熱蒸気噴射ノズル６Ｉの過熱蒸気爆発力と霧吹きの原理により、１以上の水噴射ノズル６Ｅの１００℃に近い磁化高温水５２ｂを磁力反発力で摩擦損失最少にして混合噴射加速して、過熱蒸気噴射ノズル６Ｉ内では、磁化高温水５２ｂを火薬爆発機関銃の弾丸や吹雪のように加速し、大気圧重力仕事能力を燃焼ガスの１０００倍に近付け、磁力反発力により摩擦損失を最少とした、磁化した弾み車蒸気タービン８ｂ・８ｂの中間に垂直噴射して、重力加速度を最大限活用して摩擦損失を最少とした回転出力とし、発電して排気の過程では気化熱回収器２ｂにより、１００℃近傍の水道水温熱５２ｄとして供給熱量全部を熱交換回収して、発電の副産物として需要家に販売します。
【００３６】
既存の火力発電所や原子力発電所が使用熱量全部で海水温度を限り無く上昇して、植物プランクトンを死滅させて食物連鎖により日本近海のマイワシ生息数を１／２００に激減し、メタンハイドレート大分解の危険を増大しております。そこで図１気化熱回収器２ｂを駆動して熱交換水道水温熱５２ｄとして回収し、１００℃に近い凝縮水５２ｆを縮径主燃焼室熱交換器２に循環供給して、１００℃に近い高温水５２ｂを過熱蒸気噴射ノズル６Ｉの水溜９５ｂに循環供給し、回転出力を発生して供給熱量を気化熱の最低に近付け、供給熱量全部を１００℃に近い水道水温熱５２ｄとして需要家に販売すると共に、水道水温熱５２ｄを利用して電力消費１／１０等を狙う、業務用や家庭用の各種暖房設備機器や各種調理設備機器や各種厨房設備機器や各種洗濯乾燥機等を製造販売し、地域により海水を淡水化して水道水や結晶塩として販売して、供給熱量全部で海水温度を上昇している既存発電技術蒸気タービンの現状を逆転し、海水温度の上昇を皆無にします。
【００３７】
縮径主燃焼室兼熱交換器１の内径を、例えば拡径圧縮室１０ａの１／７に縮径して、行程容積が１／４９の縮径主燃焼室兼熱交換器１を限りなく長大とし、圧縮行程では逆止弁９７を具備した一方向空気流路９の空気と、燃料噴射弁の噴射燃料と攪拌混合して着火装置により着火燃焼して、燃焼ガス攪拌板４９ａで攪拌燃焼し、限り無く高圧燃焼長時間熱交換冷却燃焼して燃焼温度と容積の障害を最低にして、例えば４００ＭＰａ過熱蒸気爆発力＋最低温度２００ＭＰａ燃焼ガス爆発力に分割し、夫々の圧力上昇時に過熱蒸気制御弁２５や燃焼ガス制御弁２４を開放制御流量制御圧力制御して、例えば磁化した弾み車ガスタービン８ａ・８ａ及び磁化した弾み車蒸気タービン８ｂ・８ｂを駆動し、（既存往復機関の死点後９０度１ＭＰａ×燃焼ガス質量断続静圧駆動）を（死点後９０度４００ＭＰａ×燃焼ガスの１０００倍水質量連続動圧駆動）＝（既存往復機関死点後９０度の４０００００倍大気圧重力仕事能力で死点後９０度連続動圧駆動とし）＝仮説回転出力や仮説発電量を余裕最大で既存往復機関の１０００倍に近付けます。
【００３８】
最低温度燃焼ガス質量の圧力増大時に燃焼ガス制御弁２４を開放制御して、燃焼ガス４９を、図２図３磁力反発力や撥水鍍金３ａ等により摩擦損失を最少とした、磁化した燃焼ガス噴射ノズル６Ｄ又は６ｊ等の筒形燃焼ガス溜９５ａに供給し、燃焼ガス爆発力と霧吹きの原理により、１以上の冷水噴射ノズル６Ｇの水溜９５ｂの磁化水５２ａ又は磁化冷水５２ｈを混合噴射加速して、燃焼ガス爆発力を最適水速度に変換して大気圧重力仕事能力を燃焼ガスの１０００倍に近付け、磁力反発力や撥水鍍金３ａ等により摩擦損失を最少とした、磁化した弾み車ガスタービン８ａ・８ａの中間接線垂直方向に噴射し、重力加速度を最大限活用した回転出力発生として、排気の過程では−２７３℃に近付く燃焼ガス排気全部を冷熱回収器１０３・１０３により、０℃に近い水道水冷熱５２ｅとして回収して需要家に販売し、０℃に近いＣＯ２や窒素を大量に含有する燃焼ガス溶解水５２ｇを熱交換回収して、泥土や植物片や残飯等に微生物で分解固定して肥料にする過程で、メタンガス等を発生させて燃料や肥料にする新規産業を創出する等、水出力にして燃焼ガス溶解水で利用し、ＣＯ２等の燃焼ガス排気を０にします。
【００３９】
図２図３磁化した燃焼ガス噴射ノズル６Ｄ又は６Ｊの燃焼ガス溜９５ａの、燃焼ガス４９質量出力の磁化した弾み車ガスタービン８ａ・８ａ燃焼ガス排気は、ガス抽出器５１ａによる真空の上昇や大気圧まで使用を含め、用途に合せて−２７３℃に近付け、水道水で冷熱回収する冷熱回収器１０３・１０３を具備して、冷熱回収後の過程でも燃焼ガスを水に溶解して燃焼ガス溶解水５２ｇを増大し、燃焼ガス質量全部から０℃に近い水道水冷熱５２ｅを回収の過程で、その一部に不凍液を混入して冷水５２ｈとし、磁化した燃焼ガス噴射ノズル６Ｄの水溜９５ｂに供給して、０℃に近い水道水冷熱５２ｅを発電の副産物として需要家に貯蔵販売すると共に、水道水冷熱５２ｅにより冷却して電力消費１／１０等を狙う業務用や家庭用の、各種冷凍設備機器や各種冷蔵設備機器や各種冷房設備機器や各種製氷設備機器や各種冷却設備機器等を製造販売し、例えは水道水冷熱配管に通水排水して冷却する、電力消費０等の冷却設備機器等により都市部を丸ごと冷却します。
【００４０】
燃焼ガス４９質量出力発生排気の過程で、燃焼ガス４９を３０〜３００倍質量等の磁化水５２ａや水に溶解して、燃焼ガス溶解水５２ｇとしてＣＯ２等の燃焼ガス排気を０や０に近付け、冷熱回収器１０３・１０３により水道水冷熱５２ｅを回収して、冷熱回収後は燃焼ガス溶解水５２ｇを増大して燃焼ガス排気０を狙い、燃焼ガス溶解水５２ｇを泥土や植物片や残飯等に固定して肥料にし、農作物の増産を図ると共に、膨大過ぎる燃焼ガス溶解水５２ｇ冷熱は海水を冷却する過程で、霧吹きの原理により酸素等の空気も吸引して海水等に供給して、ＣＯ２等を必要として分解合成吸収等する、植物プランクトン等の微生物や海藻類を先ず増殖し、食物連鎖による魚介類や海草類の食料増産を図り、既存発電所が使用熱量全部で海水温度を上昇して、植物プランクトンを死滅させて動物プランクトンを死滅させ、例えば食物連鎖により日本近海のマイワシ生息数を１／２００に大激減の現状を逆転します。
【００４１】
自動車やプロペラ飛行機やプロペラ船舶等の各種回転出力発生は、発電用の回転出力発生と略同様にして回転出力を発生して、停止時や運転中等には発電用と同様に、電気や水道水温熱５２ｄや水道水冷熱５２ｅの製造貯蔵供給を可能にし、同一燃料量既存往復機関の１０００倍仮説回転出力に近付け、既存往復機関を圧縮専用説明用のエネルギ保存圧縮機２０Ａとして、簡単小型軽量とした各種エネルギ保存圧縮機を、エネルギ保存圧縮機２０Ｂ・２０Ｃ・２０Ｄ・２０Ｅ・２０Ｆ・２０Ｇ・２０Ｈとし、選択したエネルギ保存圧縮機２０Ｘを空気圧縮機として使用して、小型軽量大出力簡単多段余圧用等の各種用途に対応し、選択した合体機関燃焼部２９Ｘを駆動して、各種自動車や各種プロペラ飛行機等温熱や冷熱の需要が僅少な用途では、磁化した過熱蒸気燃焼ガス噴射ノズル６Ｈ・６Ｘにより、磁化した弾み車タービン８・８を超高速駆動し、温熱や冷熱を僅少とし更に空冷にする等、各種用途に合せた部品を使用して、各種自動車や各種プロペラ飛行機や各種プロペラ船舶や各種回転力駆動の機械機器類等を回転駆動します。
【００４２】
図５図６の合体機関噴射部７７Ｋを使用した合体機関飛行機３８Ａの、各種超音速ジェット機の各種空気吸引噴射出力発生は、用途に合せて予圧した空気を圧縮して、縮径主燃焼室兼熱交換器１により限り無く高圧燃焼長時間熱交換冷却燃焼し、過熱蒸気爆発力＋燃焼ガス爆発力に分割して、その一部により前記同様に磁化した弾み車タービン８・８を駆動し、合体機関燃焼部２９Ｘを駆動して、大部分を図６の合体機関噴射部外箱７７Ｆ内の、夫々１以上の筒形外箱７７ｂ内の、磁化した過熱蒸気噴射ノズル６Ｂ乃至６Ｉの過熱蒸気溜９５ｃ及び、磁化した燃焼ガス噴射ノズル６Ｄ乃至６Ｊの燃焼ガス溜９５ａに供給し、過熱蒸気爆発力及び燃焼ガス爆発力と夫々の霧吹きの原理により、夫々１以上の磁化水５２ａを磁石反発力により摩擦損失最少で混合噴射加速して、大気圧重力仕事能力を夫々燃焼ガスの１０００倍に近付け、夫々の霧吹きの原理１１１Ｉ・１１１Ｊにより、前方の空気や真空を吸引噴射して既存ジェット機の１０倍速度を狙います。
【００４３】
図５図７の合体機関噴射部７７Ｌを使用した合体機関飛行機３８Ａの、各種超音速ジェット機や各種宇宙往還機等各種空気吸引噴射出力発生は、用途に合せて予圧した空気を圧縮して、縮径主燃焼室兼熱交換器１により限り無く高圧燃焼長時間熱交換冷却燃焼し、過熱蒸気爆発力＋燃焼ガス爆発力に分割して、その一部により前記同様に磁化した弾み車タービン８・８を駆動し、合体機関燃焼部２９Ｘを駆動して、大部分を図７の合体機関噴射部外箱７７Ｆ内の、１以上の筒形外箱７７ｂ内の、磁化した過熱蒸気燃焼ガス噴射ノズル６Ｈ乃至６Ｘの過熱蒸気溜９５ｃ及び燃焼ガス溜９５ａに供給し、過熱蒸気爆発力及び燃焼ガス爆発力と霧吹きの原理により、磁化した過熱蒸気含有水を磁石反発力で摩擦損失を最少として混合噴射加速して、大気圧重力仕事能力を燃焼ガスの１０００倍に近付け、霧吹きの原理１１１Ｘにより、前方の空気や真空を吸引噴射し、超音速マッハ３２の地球脱出速度以上の最大速度を狙い、貯蔵増大した過熱蒸気爆発力及び燃焼ガス爆発力により、液体酸素を搭載しない各種宇宙往還旅客機や各種宇宙往還旅客親飛行機にします。
【００４４】
図６図８の合体機関噴射部７７Ｋを使用した空気噴射船舶３８Ｂの、各種超高速船舶等各種空気吸引噴射出力発生は、用途に合せて予圧した空気を圧縮して、縮径主燃焼室兼熱交換器１により限り無く高圧燃焼長時間熱交換冷却燃焼し、過熱蒸気爆発力＋燃焼ガス爆発力に分割して、その一部により前記同様に磁化した弾み車タービン８・８を駆動し、合体機関燃焼部２９Ｘを駆動して、大部分を図６の合体機関噴射部外箱７７Ｆ内の、夫々１以上の筒形外箱７７ｂ内の、磁化した過熱蒸気噴射ノズル６Ｂ乃至６Ｉの過熱蒸気溜９５ｃ及び、磁化した燃焼ガス噴射ノズル６Ｄ乃至６Ｊの燃焼ガス溜９５ａに供給し、過熱蒸気爆発力及び燃焼ガス爆発力と夫々の霧吹きの原理により、夫々１以上の磁化水５２ａを磁石反発力で摩擦損失最少にして混合噴射加速して、大気圧重力仕事能力を夫々燃焼ガスの１０００倍に近付け、夫々の霧吹きの原理１１１Ｉ・１１１Ｊにより、夫々斜め上前方の空気を吸引して船底斜め下の囲い内に噴射して船体を空圧浮上さし、飛行翼８ｂ＋飛行尾翼３８ｃで浮上安定飛行させて、既存ジェット機の１０００倍仮説空気吸引噴射推進出力で、フェリーボート級の大重量を音速近くで水上一定間隔輸送します。
【００４５】
図９図１０のウォータージェット７７Ｍを使用した水噴射船舶３８Ｃの、水を吸引噴射して噴射推進出力の発生は、前記同様に過熱蒸気爆発力＋燃焼ガス爆発力に分割して、その一部により前記同様に合体機関燃焼部２９Ｘを駆動し、大部分を図１０のウォータージェット外箱７７Ｄ内の、夫々１以上の筒形外箱７７ｂ内の、磁化した過熱蒸気噴射ノズル６Ｂ又は６Ｉの過熱蒸気溜９５ｃ及び、磁化した燃焼ガス噴射ノズル６Ｄ又は６Ｊの燃焼ガス溜９５ａに供給し、過熱蒸気爆発力及び燃焼ガス爆発力と夫々の霧吹きの原理により、夫々１以上の磁化水５２ａを磁石反発力で摩擦損失を最少として混合噴射加速して、大気圧重力仕事能力を夫々燃焼ガスの１０００倍に近付け、夫々の霧吹きの原理１１１ｇ・１１１ｈ等により、船底前方の水を吸引して船底後方に噴射して、既存ウォータージェットの１０００倍仮説水吸引噴射推進出力に近付けることで、水上翼３８ｇを複数の油圧シリンダ４８ａにより最適位置形状に移動変形し、水上翼３８ａの水圧により船体を浮上させて、貨物船級の大重量を水上輸送する各種高速船舶とします。
【００４６】
図９図１１のウォータージェット７７Ｎを使用した水噴射船舶３８Ｃの、水を吸引噴射して噴射推進出力の発生は、前記同様に過熱蒸気爆発力＋燃焼ガス爆発力に分割して、その一部により前記同様に合体機関燃焼部２９Ｘを駆動し、大部分を図１１の夫々のウォータージェット外箱７７Ｄ内の、夫々１以上の筒形外箱７７ｂ内の、磁化した過熱蒸気噴射ノズル６Ｂ又は６Ｉの過熱蒸気溜９５ｃ及び、磁化した燃焼ガス噴射ノズル６Ｄ又は６Ｊの燃焼ガス溜９５ａに供給し、過熱蒸気爆発力及び燃焼ガス爆発力と夫々の霧吹きの原理により、夫々１以上の磁化水５２ａを磁石反発力で摩擦損失最少として混合噴射加速して、大気圧重力仕事能力を夫々燃焼ガスの１０００倍に近付け、夫々の霧吹きの原理１１１ｇ・１１１ｈ等により、船底前方の水を吸引して船底後方に噴射して、既存ウォータージェットの１０００倍仮説水吸引噴射推進出力に近付けることで、水上翼３８ｇを複数の油圧シリンダ４８ａにより最適位置形状に移動変形し、水上翼３８ａの水圧により船体を浮上させて、貨物船級の大重量を水上移動水上輸送する各種高速船舶とします。
【発明の効果】
【００４７】
全動翼圧縮機２０ｊや選択したエネルギ保存圧縮機２０Ｘや既存技術で用途に合せて予圧した空気を圧縮し、縮径主燃焼室兼熱交換器１により限り無く高圧燃焼長時間熱交換冷却燃焼して、過熱蒸気爆発力＋燃焼ガス爆発力に分割し、夫々の爆発速度を磁化水速度に変換して、磁化した過熱蒸気噴射ノズルや磁化した燃焼ガス噴射ノズルにより、磁石反発力で摩擦損失最少で混合噴射加速し、噴射水質量の大幅な増大を可能にして、既存往復機関の１０００倍仮説発電量乃至出力に近付ける効果があります。
【００４８】
最適速度×大質量＝仕事能力が大のうち、摩擦損失は少ない程大量の最適速度水質量に変換可能なため、磁化した過熱蒸気噴射ノズルや燃焼ガス噴射ノズルにより、磁化水を磁石反発力で摩擦損失最少にして混合噴射し、大気圧燃焼ガスの１０００倍重力仕事能力の水質量に近付け、既存往復機関の１０００倍仮説発電量乃至出力に近付ける大きな効果があります。
【００４９】
用途に合せて余圧した空気を圧縮して、限り無く高圧燃焼長時間熱交換冷却燃焼し、過熱蒸気爆発力＋燃焼ガス爆発力に分割して、大気圧燃焼ガスの１０００倍重力仕事能力の磁化水質量に近づけて、磁化した弾み車タービン８・８の中間垂直接線方向に噴射して回転出力を発生させるため、大気中の燃焼ガスでは殆ど利用不可能な重力加速度を利用して回転出力を増大し、回転出力を最大に増大する効果があります。
【００５０】
磁化した弾み車タービン８・８の出力により用途に合せて余圧した空気を圧縮して、限り無く高圧燃焼長時間熱交換冷却燃焼し、過熱蒸気爆発力＋燃焼ガス爆発力に分割して、大気圧燃焼ガスの１０００倍重力仕事能力の磁化水質量に近づけて、摩擦損失最少で空気吸引噴射出力を発生させるため、空気吸引噴射出力の増大が最高に良くなる効果があります。
【００５１】
磁化した弾み車タービン８・８の出力により用途に合せて余圧した空気を圧縮して、限り無く高圧燃焼長時間熱交換冷却燃焼し、過熱蒸気爆発力＋燃焼ガス爆発力に分割して、大気圧燃焼ガスの１０００倍重力仕事能力の磁化水質量に近づけて、摩擦損失最少で水吸引噴射出力を発生させるため、水吸引噴射出力の増大が最高に良くなる効果があります。
【００５２】
８種類のエネルギ保存圧縮機２０Ｘや全動翼圧縮機２０Ｊから、用途に合せて選択した空気圧縮機を使用し、磁化した弾み車タービン８・８を無接触対向に噛合せて磁化水で駆動するため、重力加速度を利用して小型簡単軽量大出力に出来る効果がある。
【００５３】
燃料の１００倍等の高圧水蒸気や水を常時積載して、何時でも噴射して火災消火が可能に加えて、燃料切れ時にも大量の過熱蒸気爆発力＋燃焼ガス爆発力が貯蔵存在し、短時間ロケット飛行機として使用可能なため、非常に安全な飛行機に出来る効果がある。
【００５４】
磁化した弾み車タービン８・８を駆動して回転出力を発生させ、用途に合せて余圧した空気を圧縮して、限り無く高圧燃焼長時間熱交換冷却燃焼し、過熱蒸気爆発力＋燃焼ガス爆発力に分割して、大気圧燃焼ガスの１０００倍重力仕事能力の磁化水質量に近づけて、各種エネルギ保存サイクル合体機関の出力を大幅に上昇する効果があります。
【００５５】
磁化した弾み車タービン８・８を駆動して回転出力を発生させ、用途に合せて余圧した空気を圧縮して、限り無く高圧燃焼長時間熱交換冷却燃焼し、過熱蒸気爆発力＋燃焼ガス爆発力に分割して、大気圧燃焼ガスの１０００倍重力仕事能力の磁化水質量に近づけて、各種大中小型船舶・各種大中小型プロペラ飛行機・各種大中小型車両・各種大中小型機械・各種大中小型自動車・各種大中小型汎用機関・大中小型温熱と電気と冷熱の併給用機関を駆動する、大中小型の各種エネルギ保存サイクル合体機関の性能を向上する効果があります。
【００５６】
磁化した弾み車タービン８・８を駆動して回転出力を発生させ、用途に合せて余圧した空気を圧縮して、限り無く高圧燃焼長時間熱交換冷却燃焼し、過熱蒸気爆発力＋燃焼ガス爆発力に分割して、大気圧燃焼ガスの１０００倍重力仕事能力の磁化水質量に近づけて、噴射推進出力を発生させるため、各種大中小型高速船舶・各種大中小型ジェット機・各種宇宙往還機・各種大中小型超音速ジェット機・各種大中小型超高速船舶・各種大中小型空中輸送移動機器を駆動する、大中小型の各種エネルギ保存サイクル合体機関の性能を向上する効果があります。
【００５７】
磁化した弾み車タービン８・８を駆動して回転出力を発生させ、用途に合せて余圧した空気を圧縮して、限り無く高圧燃焼長時間熱交換冷却燃焼し、過熱蒸気爆発力＋燃焼ガス爆発力に分割して、大気圧燃焼ガスの１０００倍重力仕事能力の磁化水質量に近づけて、噴射推進出力を発生させるため、重油や軽油やガソリンや天然ガスやメタノールや水素やプロパンやアルコール等各種燃料の、燃焼制御や保守が安全容易になる効果がある。
【発明を実施するための最良の形態】
【００５８】
発明の実施の形態や実施例を、図面を参照して説明するが、実施形態や実施例と既説明とその構成が略同じ部分には、同一の名称又は符号を付して、重複説明はできるだけ省略し、特徴的な部分や説明不足部分は、順次追加重複説明する。又発明の意図する所及び予想を具体的に明快に説明するため、アイディアを仮説数字で説明するが、正解は実験数字として仮説数字に限定しません。最良と思われる実施例で説明しますが、用途により千変万化するので、請求項では多用途を考えて変化します。磁化した弾み車タービン８・８の回転力により、全動翼圧縮機２０ｊや各種エネルギ保存圧縮機２０Ｘや、既存圧縮機で用途に合せて予圧した空気を圧縮し、縮径主燃焼室兼熱交換器１により限り無く高圧燃焼長時間熱交換冷却燃焼して、例えば４００ＭＰａ過熱蒸気爆発力＋最低温度２００ＭＰａ燃焼ガス爆発力に分割して使用して、燃焼ガス圧力や過熱蒸気圧力の限り無い上昇と、噴射磁化水質量とマイクロバブルの限り無い増大と、磁石反発力により摩擦損失最少を可能にする、各種エネルギ保存サイクル合体機関とします。
【実施例１】
【００５９】
図１のＡ型合体機関燃焼部２９Ａは、既存ガソリン機関やディーゼル機関を、圧縮専用のエネルギ保存圧縮機２０Ａとしてヒストン頂部隙間を０に近付け、予圧圧縮機としても使用し、例えば１／５０×１／５０×１／５０＝１／１２５０００容積圧縮空気を可能にして、限り無く高圧の燃焼を容易にします。回転出力の発生は通常の始動装置により始動して、用途に合せて全動翼圧縮機２０Ｊ又は各種エネルギ保存圧縮機２０Ｘ又は公知の圧縮機で予圧した空気を、適宜に吸気弁２８より吸入圧縮しますが、燃焼室として使用すると燃焼時間が限定短縮されるため、拡径圧縮室１０ａとして使用することで燃焼空間を不用とし、限り無く高圧の圧縮空気による燃焼を可能にします。
【００６０】
例えば内径を拡径圧縮室１０ａの１／７に縮径した一方向流路の縮径主燃焼室兼熱交換器１として、行程容積が１／４９の限りなく長大な燃焼室で限り無く高圧燃焼長時間熱交換冷却燃焼とし、例えば４００ＭＰａ過熱蒸気爆発力＋最低温度２００ＭＰａ燃焼ガス爆発力に分割して、回転出力や噴射推進出力を発生します。圧縮行程では１以上の逆止弁９７を具備した一方向空気流路９の圧縮空気と、燃料噴射電磁弁７ｃ又は公知の燃料噴射弁の噴射燃料と攪拌混合して、公知の着火装置１０２により着火燃焼し、燃焼ガス撹拌板４９ａで一方向燃焼流を撹拌燃焼して、限り無い高圧燃焼長時間熱交換冷却燃焼にし、圧縮空気保有熱量−２７３℃以上略全部を含めて、熱回収量を既存ボイラの２倍前後に増大して、燃焼ガスの保有熱量を最低にし、燃焼ガス排気温度を-２７３℃に近付けます。
【００６１】
水に磁化する物質を混入して送水ポンプ兼磁気摩擦動力伝達装置５５等により昇圧し、例えば外周をＮ極に磁化して中心をＳ極又はその逆にした磁化水により熱回収して、４００ＭＰａ過熱蒸気爆発力＋最低温度２００ＭＰａ燃焼ガス爆発力に分割し、導水管３の過熱蒸気５０の温度上昇時に過熱蒸気制御弁２５を開放制御して、１以上の磁化した過熱蒸気噴射ノズル６Ｂ又は６Ｉの過熱蒸気溜９５ｃに供給し、過熱蒸気５０爆発力と霧吹きの原理により、１以上の水溜９５ｂの磁化高温水５２ｂを、水噴射ノズル６Ｅより磁石反発力により摩擦損失最少として混合噴射加速して、用途に合せて加熱高温手段１０１や撥水鍍金３ａにより、加熱高温気化膜や撥水作用を設けて摩擦損失を低減し、過熱蒸気マイクロバブルを含めて摩擦損失を低減した過熱蒸気噴射ノズル内では、磁石反発力等により磁化高温水５２ｂを火薬爆発機関銃の弾丸や吹雪のように混合噴射加速します。
【００６２】
過熱蒸気爆発速度をタービン周速度近傍に減速して、磁化高温水５２ｂ噴射質量を増大し、大気圧重力仕事能力を燃焼ガスの１０００倍に近付け、磁化したタービン翼８ｃ・８ｃを夫々の円筒胴８ｅ・８ｅの外周に突設して先端を流線型として、対向無接触に適宜に接近又は噛合せて設け、送水ポンプ兼磁気摩擦動力伝達装置５５等により同期させて、用途に合せて最適形状や長さや最適数設け、用途に合せて加熱高温手段１０１や撥水鍍金３ａにより、高温気化膜や撥水作用を設けて摩擦損失を低減した、磁化した弾み車蒸気タービン８ｂ・８ｂの接線方向＋垂直方向に磁化高温水５２ｂを噴射し、大気圧重力仕事能力が燃焼ガスの１０００倍の水速度に変換することで、大気圧中で重力加速度を活用した回転出力にして、（既存往復機関死点後９０度１ＭＰａ×燃焼ガス質量静圧断続駆動）を（死点後９０度４００ＭＰａ×１０００倍水質量動圧連続駆動とし）＝（既存往復機関死点後９０度の４０００００倍大気圧重力仕事能力で動圧連続駆動）にします。
【００６３】
大気圧中で重力加速度を活用した、磁化した弾み車蒸気タービン８ｂ・８ｂの回転出力にし、対向に接近又は噛合せて無接触同期させて設け、発電用や自動車用等の回転出力を発生して排気の過程では、蒸気排気室５ａや排気庇５ｂや気化熱回収器２ｂを具備して、隔壁９０ａで磁化高温水５２ｂ側と凝縮水５２ｆ側に分割し、凝縮水側に気化熱回収器２ｂと空気抽出器５１を設けて、気化熱回収器２ｂと空気抽出器５１を駆動して、大気圧まで使用の場合１００℃に近い排気高温水５２ｂを、水噴射ノズル６Ｅの高温水溜９５に限り無く循環供給し、１００℃に近い凝縮水５２ｆを昇圧して、縮径主燃焼室熱交換器２の導水管３に限り無く循環供給し、気化熱回収器２ｂより圧縮空気保有熱量略全部を含む使用熱量全部を、水道水温熱５２ｄとして熱交換回収貯蔵して、真空断熱材等で断熱した温熱タンクや温熱配管を製造し、水道水温熱５２ｄと共に需要家に販売します。
【００６４】
既存火力発電や原子力発電が使用熱量全部で海水温度を上昇して、日本近海では植物プランクトンの珪藻の死滅による、食物連鎖によりマイワシ生息数を１／２００に激減や、地球温暖化の力がＣＯ２の２０倍の、メタンハイドレート大分解の危険を増大しております。そこで発電用では使用熱量略全部を１００℃に近い水道水温熱５２ｄとして、発電の副産物で需要家に販売し、１００℃に近い水道水温熱５２ｄを利用して電力消費１／１０等を狙う、業務用や家庭用の各種暖房設備機器や各種調理設備機器や各種温水設備機器や、各種食器洗い機や各種洗濯乾燥機や各種水道水温熱配管ビル等を製造販売し、地域により海水を淡水化して水道水として販売して、深刻な水不足地域を解消します。自動車や船舶等の回転出力発生でも同様に走行中や停止中に、発電貯蔵して複合走行すると共に、停止中は発電所として使用し、蓄電や１００℃に近い温熱水や０℃に近い冷熱水を製造販売して、温熱水の需要に応じて空気抽出器５１の真空度を調整して排気温度を調整し、各種エネルギ保存サイクル合体機関の稼働率を１００％に近付けます。
【実施例２】
【００６５】
図２の図１をタービン側から見た燃焼ガス４９質量出力は、図１の合体機関燃焼部２９Ａの縮径主燃焼室兼熱交換器１により、前記同様に限り無く高圧燃焼長時間熱交換冷却燃焼して、前記同様に例えば４００ＭＰａ過熱蒸気爆発力＋最低温度２００ＭＰａ燃焼ガス爆発力に分割し、縮径主燃焼室兼熱交換器１の燃焼ガス４９の圧力上昇時に、燃焼ガス制御弁２４を開放制御流量制御して、図２の１以上の磁化した燃焼ガス噴射ノズル６Ｄ又は６Ｊの燃焼ガス溜９５ａに供給し、磁化した燃焼ガス噴射ノズル６Ｄ（撥水鍍金で摩擦低減）又は６Ｊ（気化膜＋撥水作用で摩擦低減）の燃焼ガス爆発力と霧吹きの原理により、夫々１以上の水噴射ノズル６Ｅの磁化水５２ａ又は磁化冷水５２ｈを混合噴射加速して、気化膜や撥水作用により摩擦損失を用途に合せて低減し、磁化した燃焼ガス噴射ノズル内では磁化水を、火薬爆発機関銃の弾丸や吹雪のように磁石反発力で摩擦損失最少にして加速する過程で、燃焼ガスマイクロバブルを発生させて摩擦損失を低減し、タービン周速度近傍の水速度に減速して、大気圧重力仕事能力を燃焼ガスの１０００倍に近付けます。
【００６６】
用途に合せて燃焼ガス噴射ノズルやタービンとの摩擦損失を低減する過程を、磁石反発力＋撥水鍍金＋加熱高温手段１０１により、磁化水５２ａ又は磁化冷水５２ｈ等との間に磁石反発力＋撥水作用＋気化膜を用途に合せて設けて、磁化水５２ａ又は磁化冷水５２ｈを磁石反発力により摩擦損失最少で混合噴射加速して、その速度をタービン周速度近傍に減速することで最大水噴射量とし、大気圧燃焼ガスの１０００倍重力仕事能力に近付けて、タービン翼８ｃ・８ｃを夫々の円筒胴８ｅ・８ｅの外周に突設して、用途に合せて最適形状や長さや最適数設けて先端を流線型として磁化し、随意に側板８ｄ・８ｄを設けて、対向無接触に適宜に接近又は噛合せて設け、送水ポンプ兼磁気摩擦動力伝達装置５５により同期させて水を磁化圧縮して、高温気化膜や撥水作用により用途に合わせて摩擦損失を低減し、磁化した弾み車ガスタービン８ａ・８ａの接線方向＋垂直方向等に噴射して、燃焼ガスや水蒸気では大気圧中で重力加速度等が利用不可のため、磁化した水出力として重力加速度を可能な限り活用した回転出力や発電量にします。
【００６７】
磁化した弾み車ガスタービン８ａ・８ａを対向に接近又は噛合せて無接触同期させて設け、大気中で重力加速度を活用した大回転出力にし、発電用や船舶用や自動車用等の回転出力を発生して排気の過程では、磁化した弾み車蒸気タービン８ｂ・８ｂの排気と磁化した弾み車ガスタービン８ａ・８ａの排気を分離して、磁化した弾み車ガスタービン８ａの排気温度は、ガス抽出器５１ａによる真空の上昇を含めて、用途に合せて−２７３℃に近付けてガス排気室５ｃに排気し、水道水等で冷熱回収する冷熱回収器１０３・１０３をガス排気室５ｃや外部に具備して、−２７３℃に近付く燃焼ガス４９排気により排気部の冷熱回収器１０３を駆動し、燃焼ガス４９排気略全部から用途に合せて、０℃以上の水道水冷熱５２ｅや冷水５２ｈを回収して、冷水噴射ノズル６Ｇの水溜９５ｂに供給する磁化水５２ａや磁化冷水５２ｈには不凍液を混入し、水道水冷熱５２ｅの需要が少ない地域では氷塊として断熱容器に保存して、需要の多い地域に輸送して冷房用等として販売します。
【００６８】
外部の冷熱回収器１０３の水道水を、ガス抽出器５１ａの排気燃焼ガス４９と燃焼ガス溶解水５２ｇで冷却し、熱交換して得た水道水冷熱５２ｅの温度を、水道水流量制御して０℃以上の水道水冷熱５２ｅとして、内部の冷熱回収器１０３も水道水冷熱５２ｅを凍結前の０℃近くで流量制御温度制御し、その一部を磁化冷水５２ｈとして磁化した燃焼ガス噴射ノズル６Ｄ又は６Ｊの水溜９５ｂに供給して、磁化した弾み車ガスタービン８ａ・８ａを磁石反発力により摩擦損失最少で駆動します。従って自動車や船舶等の回転出力発生でも冷熱や前記温熱を発生するため、用途により水溜９５ｂに１００℃以上の高温水５２ｂを供給して、冷水噴射ノズル６Ｇより噴射し、燃焼ガス４９爆発力を増大して回転出力を増大します。そして走行中や停止中に発電貯蔵して複合走行等すると共に、停止中は前記温熱水製造所＋冷熱水製造所＋発電所として使用し、蓄電や０℃に近い冷熱水５２ｅや前記１００℃に近い温熱水５２ｄを製造販売して、各種エネルギ保存サイクル合体機関の稼働率を１００％に近付けます。
【００６９】
寒冷地や冬場等の発電の場合、水道水冷熱５２ｅ需要が僅少の場合があり、供給熱量全部が１００℃に近い水道水温熱５２ｄや高温水５２ｂになるため、用途により磁化した燃焼ガス噴射ノズル６Ｊの水溜９５ｂに磁化高温水５２ｂを供給して、磁化した燃焼ガス噴射ノズル６Ｊの燃焼ガス４９爆発力と霧吹きの原理により、１以上の水溜９５ｂの磁化高温水５２ｂを磁石反発力で摩擦損失最少にして混合噴射加速し、重力仕事能力を燃焼ガスの１０００倍に近付け、磁化した弾み車ガスタービン８ａ・８ａを駆動して、回転出力発生の過程で膨張燃焼ガス温度を上昇し、燃焼ガス爆発力を増大する回転出力の増大とします。通常は水道水冷熱５２ｅを発電の副産物として需要家に販売すると共に、真空断熱材等で断熱した冷熱タンクや冷熱配管を製造販売し、０℃に近い水道水冷熱５２ｅを利用して、例えば水道水冷熱配管に通水して電力消費０で冷房する等、電力消費既存技術の０〜１／１０を狙う業務用や家庭用の、各種冷凍設備機器や各種冷蔵設備機器や各種冷房設備機器や、各種冷却設備機器や各種製氷設備機器や各種水道水冷熱配管ビル等を製造販売稼動します。
【００７０】
燃焼ガス質量出力発生排気の過程で冷熱回収器１０３による冷熱回収後は、残留する燃焼ガス４９を水に溶解して燃焼ガス溶解水５２ｇを増大し、ＣＯ２等の燃焼ガス排気を０に近付け、燃焼ガス溶解水５２ｇを泥土や植物片や残飯等に、バクテリア等の微生物により公知技術などで分解固定して肥料にして、メタンガス等発電燃料の回収や農作物の増産を図ると共に、膨大過ぎる燃焼ガス溶解水５２ｇ冷熱は海水を冷却する過程で、霧吹きの原理により酸素や窒素等の空気も吸引して海水等に供給し、海水を冷却してＣＯ２等を必要として分解合成吸収等する、植物プランクトンの珪藻等の微生物や海藻類を先ず増殖し、魚介類や海草類等の食料増産を図り、既存火力発電所や原子力発電所が使用熱量全部で海水温度を上昇して、海水温度の上昇速度を限り無く増大し、メタンハイドレート大分解・人類絶滅の危険を増大しており、海水を冷却して人類絶滅の危険を緩和します。
【００７１】
自動車やプロペラ飛行機やプロペラ船舶等の各種回転出力発生は、図１図２の発電用回転出力発生と同様にして回転出力を発生して、同一燃料量既存往復機関の１０００倍仮説回転出力に近付け、既存往復機関を含む各種エネルギ保存サイクル機関を、各種エネルギ保存圧縮機２０Ｘとして使用し、磁化した弾み車タービン８・８を燃焼ガスの１０００倍大気圧重力仕事能力に近付けて駆動して、極限まで小型簡単軽量大出力とします。そして排気の過程では副産物の温熱や冷熱が膨大で冷暖房容易に加えて、燃焼ガス４９質量の３０〜３００倍水質量等にＣＯ２等を溶解する、燃焼ガス溶解水５２ｇとして排水し、ＣＯ２等燃焼ガス排気を０や０に近付けて、公害低減・地球温暖化防止する、各種自動車や各種プロペラ飛行機や各種プロペラ船舶や、各種回転力駆動の機械機器類等を回転駆動する、各種エネルギ保存サイクル合体機関とします。
【実施例３】
【００７２】
図３の磁化した過熱蒸気燃焼ガス噴射ノズル６Ｈは摩擦損失低減手段として、磁石反発力及び加熱高温手段１０１及び撥水鍍金３ａを設け、磁石反発力や高温気化膜や撥水作用で摩擦損失を低減し、磁化した過熱蒸気燃焼ガス噴射ノズル６Ｘは摩擦損失低減手段として、磁石反発力を設けて、加熱高温手段１０１及び撥水鍍金３ａを用途に合わせて設けて摩擦損失を低減し、過熱蒸気爆発力及び燃焼ガス爆発力で各種磁化水を磁石反発力で摩擦損失最少にして混合噴射加速して、燃焼ガスマイクロバブルや過熱蒸気マイクロバブルで摩擦損失を低減し、回転出力や噴射推進出力の発生に使用します。従って磁化した過熱蒸気燃焼ガス噴射ノズル６Ｈは、磁化した過熱蒸気噴射ノズル６Ａ６Ｂ６Ｉ及び磁化した燃焼ガス噴射ノズル６Ｃ６Ｄ６Ｊを使用し、磁化した過熱蒸気燃焼ガス噴射ノズル６Ｘは、磁化した過熱蒸気噴射ノズル６Ａ６Ｂ６Ｉ及び磁化した燃焼ガス噴射ノズル６Ｃ６Ｄ６Ｊを用途に合せて選択使用して、例えば図７の合体機関噴射部７７Ｌの磁化した過熱蒸気燃焼ガス噴射ノズル６Ｈ６Ｘのように適宜に簡単とします。
【００７３】
磁化した過熱蒸気噴射ノズル６Ａは、加熱高温気化膜で摩擦損失を低減し、過熱蒸気爆発力と霧吹きの原理で磁化水を磁石反発力で摩擦損失最少にして混合噴射加速して、過熱蒸気マイクロバブルで摩擦損失を低減します。磁化した過熱蒸気噴射ノズル６Ｂは、撥水作用により摩擦損失を低減し、過熱蒸気爆発力と霧吹きの原理で磁化水を磁石反発力で摩擦損失最少にして混合噴射加速して、過熱蒸気マイクロバブルで摩擦損失を低減します。磁化した燃焼ガス噴射ノズル６Ｃは、加熱高温気化膜で摩擦損失を低減し、燃焼ガス爆発力と霧吹きの原理で磁化水を磁石反発力で摩擦損失最少として混合噴射加速して、燃焼ガスマイクロバブルで摩擦損失を低減します。
【００７４】
磁化した燃焼ガス噴射ノズル６Ｄは、撥水作用により摩擦損失を低減し、燃焼ガス爆発力と霧吹きの原理で磁化水を磁石反発力で摩擦損失最少にして混合噴射加速して、燃焼ガスマイクロバブルで摩擦損失を低減します。磁化した過熱蒸気噴射ノズル６Ｉは、磁化した過熱蒸気噴射ノズル６Ａ＋６Ｂとします。磁化した燃焼ガス噴射ノズル６Ｊは、磁化した燃焼ガス噴射ノズル６Ｃ＋６Ｄとします。水噴射ノズル６Ｅは、過熱蒸気爆発力又は燃焼ガス爆発力と霧吹きの原理で磁化高温水５２ｂ又は磁化水５２ａを磁石反発力で摩擦損失最少にして混合噴射加速します。冷水噴射ノズル６Ｇは、燃焼ガス爆発力と霧吹きの原理で磁化冷水５２ｈを磁石反発力で摩擦損失最少にして混合噴射加速します。
【００７５】
図３の磁化した過熱蒸気燃焼ガス噴射ノズル６Ｈ乃至６Ｘの、磁化した過熱蒸気噴射ノズル６Ｉ又は６Ａ又は６Ｂは、筒型の過熱蒸気溜９５ｃを具備して過熱蒸気５０を供給して、複雑帯状に１以上具備した高温水溜９５に磁化高温水５２ｂを供給し、高温水５２ｂを吸引噴射容易に設けた１以上の水噴射ノズル６Ｅを具備して、過熱蒸気５０爆発力と霧吹きの原理により、１以上の水噴射ノズル６Ｅの磁化高温水５２ｂを磁石反発力で摩擦損失最少にして混合噴射加速します。
【００７６】
磁石反発力で摩擦損失最少にして混合噴射加速する過程で、高温気化膜や撥水作用により用途に合わせて摩擦損失を低減し、磁化高温水５２ｂを吸引混合毎に過熱蒸気マイクロバブルでも摩擦損失を低減して、円形状から楕円形状に公知ノズル９４ｂを含めて順次断熱膨張加速し、ノズル噴射部６ではタービン翼８ｃ・８ｃ長さに合せた細長い噴口部として、磁化高温水５２ｂを火薬爆発機関銃の弾丸や吹雪のように磁石反発力で摩擦損失最少にして加速し、磁化した弾み車蒸気タービン８ｂ・８ｂの接線方向＋垂直方向に噴射して、大気圧重力仕事能力を燃焼ガスの１０００倍に近付けて、重力加速度を増大して磁石反発力で摩擦損失最少とした回転出力とし、往復機関の死点後９０度の絶好機連続動圧駆動とします。
【００７７】
図３の磁化した過熱蒸気燃焼ガス噴射ノズル６Ｈ乃至６Ｘの、磁化した燃焼ガス噴射ノズル６Ｊ又は６Ｃ又は６Ｄは、筒型の燃焼ガス溜９５ａを具備して燃焼ガス４９を供給して、複雑帯状に１以上具備した水溜９５ｂに磁化水５２ａ又は磁化冷水５２ｈを用途に合せて供給し、磁化水５２ａ又は磁化冷水５２ｈを吸引噴射容易に設けた１以上の冷水噴射ノズル６Ｇを具備して、燃焼ガス４９爆発力と霧吹きの原理により、１以上の冷水噴射ノズル６Ｇの磁化水５２ａ又は磁化冷水５２ｈを、磁石反発力で摩擦損失最少にして混合噴射加速します。
【００７８】
磁石反発力で摩擦損失最少にして混合噴射加速する過程で、高温気化膜や撥水作用により用途に合わせて摩擦損失を低減し、磁化水５２ａ又は磁化冷水５２ｈを吸引混合時にも、燃焼ガスマイクロバブルを発生させて摩擦損失を低減して、円形状から楕円形状に公知ノズル９４ｂを含めて順次断熱膨張加速し、ノズル噴射部６ａではタービン翼８ｃ・８ｃ長さに合せた細長い噴口部として、磁化水５２ａ又は磁化冷水５２ｈを火薬爆発機関銃の弾丸や吹雪のように磁石反発力で摩擦損失最少にして加速し、磁化した弾み車ガスタービン８ａ・８ａの接線方向＋垂直方向に噴射して、大気圧重力仕事能力を燃焼ガスの１０００倍に近付けて、重力加速度を増大して磁石反発力で摩擦損失最少にした回転出力とし、往復機関の死点後９０度の絶好機連続動圧駆動とします。
【実施例４】
【００７９】
図４の選択した合体機関燃焼部２９Ｘは、対向に接近又は噛合せてタービン翼８ｃ・８ｃを具備して、送水ポンプ兼磁気摩擦動力伝達装置５５・５５等により、対向無接触同期させた弾み車タービン８・８を水噴射駆動し、弾み車の接線方向駆動にすることで既存往復機関最大の欠点の死点を皆無として、（既存往復機関死点後９０度１ＭＰａ×燃焼ガス質量静圧断続駆動）を（死点後９０度４００ＭＰａ×１０００倍水質量動圧連続駆動を狙い）＝（往復圧縮機死点後９０度４０００００倍重力仕事能力で動圧連続駆動を狙い）拡径圧縮室１０ａ内に見えるクランク軸１６・１６・１６・１６等を回転して、シリンダ１５ａ内を往復する図１の拡径ピストン２１等を駆動し、予圧圧縮機を含む圧縮専用の選択したエネルギ保存圧縮機２０Ｘ等とすることで、例えば１／５０×１／５０×１／５０＝１／１２５０００容積圧縮空気等として、縮径主燃焼室兼熱交換器１により限り無く高圧燃焼長時間熱交換冷却燃焼し、４００ＭＰａ過熱蒸気爆発力＋最低温度２００ＭＰａ燃焼ガス爆発力等に分割を可能にします。
【実施例５】
【００８０】
図５の合体機関飛行機３８Ａの各種ジェット機の空気吸引噴射出力の発生は、図１から図４や図１４から図２０のＡ型等各種合体機関燃焼部から、用途に合せて選択した合体機関燃焼部２９Ｘを使用して、合体機関噴射部７７Ｋや７７Ｌを飛行翼３８ｂや飛行尾翼３８ｃの左右に分割し、合体機関燃焼部２９Ｘを垂直翼３８ｄ・３８ｄに分割することで、合体機関噴射部７７Ｋや７７Ｌを用途に合せて極限まで簡単として、前方の空気や真空を限り無く高速で吸引して噴射を可能にし、合体機関燃焼部２９Ｘも限り無く高速高圧の空気を、飛行翼３８ｂや飛行尾翼３８ｃの翼前縁心３８ｅより吸入して予圧圧縮し、吸気弁２８より吸入圧縮して、縮径主燃焼室兼熱交換器１により限り無く高圧燃焼長時間熱交換冷却燃焼し、前記例えば４００ＭＰａ過熱蒸気爆発力＋最低温度２００ＭＰａ燃焼ガス爆発力に分割して、大量貯蔵を可能にして燃料切れ時や宇宙往還機に使用し、燃料搭載量を１／１０００に近付け、大部分を水搭載量として非常に安全便利な乗り物にします。
【００８１】
超音速マッハ２３等の第一宇宙速度で摩擦熱が高温となる、飛行翼３８ｂや飛行尾翼３８ｃ等高温となる部分全部に、カーボンナノチューブ等で構成した導水管３を配管して高圧軽量容器を構成して、飛行速度による火の玉温度を回収して例えば４００ＭＰａ過熱蒸気爆発力にし、宇宙飛行時や地球帰還時に主エネルーや補助エネルギーとして使用して、飛行胴３８ａや飛行翼３８ｂには操縦室１０ｂや制御室１０ｃや客室１０ｄを設け、制御室１０ｃには総括制御装置２０を具備して既存技術で全体を制御します。全体を制御の過程で、飛行翼３８ｂや飛行尾翼３８ｃの左右に設けた合体機関噴射部７７Ｋ又は７７Ｌを、夫々の円筒回転部７７Ｇにより９０〜１８０度以上回転制御して、垂直上昇や垂直降下や逆噴射を可能にし、既存技術の１０倍速度を狙う各種超音速ジェット機や各種超音速ジェット戦闘機や、各種ジェット機や各種ジェット戦闘機や各種宇宙往還旅客機や、各種宇宙往還旅客親飛行機等の空気や真空を吸引噴射出力発生として、ビルの屋上等何処でも飛行場や月等に垂直降下垂直上昇を可能にします。
【実施例６】
【００８２】
図６の合体機関噴射部７７Ｋは、各種ジェット機や各種超高速船舶等の空気吸引噴射出力発生に使用するもので、図１図２のＡ型等用途に合せて選択した合体機関燃焼部２９Ｘの、磁化した弾み車タービン８・８を回転してクランク軸１６を直接又は減速して駆動し、余圧圧縮機を含めて空気圧縮して、縮径主燃焼室兼熱交換器１で限り無く高圧燃焼長時間熱交換冷却燃焼し、４００ＭＰａ過熱蒸気爆発力＋最低温度２００ＭＰａ燃焼ガス爆発力に分割して、その一部により前記同様に選択した合体機関燃焼部２９Ｘを駆動し、大部分を合体機関噴射部外箱７７Ｆ内の、夫々１以上の筒形外箱７７ｂ内の、磁化した過熱蒸気噴射ノズル及び磁化した燃焼ガス噴射ノズルに供給します。
【００８３】
撥水鍍金３ａして撥水作用により摩擦損失を低減して磁化した過熱蒸気噴射ノズル６Ｂ又は、加熱高温手段１０１を追加して電磁加熱や電気抵抗等の既存技術で、加熱高温気化膜や撥水作用を設けて摩擦損失を低減して磁化した過熱蒸気噴射ノズル６Ｉの過熱蒸気溜９５ｃ及び、同様に撥水作用で摩擦損失を低減して磁化した燃焼ガス噴射ノズル６Ｄ又は、同様に気化膜と撥水作用により摩擦損失を低減して磁化した、燃焼ガス噴射ノズル６Ｊの燃焼ガス溜９５ａに、夫々過熱蒸気爆発力及び燃焼ガス爆発力を供給します。
【００８４】
そして１以上の流線型過熱蒸気溜９５ｃの過熱蒸気爆発力及び、１以上の流線型燃焼ガス溜９５ａの燃焼ガス爆発力と夫々の霧吹きの原理により、用途に合せて摩擦損失を低減した、夫々１以上の磁化した流線型過熱蒸気噴射ノズル６及び磁化した流線型燃焼ガス噴射ノズル６内では、夫々１以上の帯状水溜９５ｂの１以上の水噴射ノズル６Ｅの磁化水５２ａを、火薬爆発機関銃の弾丸や吹雪のように磁石反発力で摩擦損失最少にして混合噴射加速して、過熱蒸気や燃焼ガスのマイクロバブルを生成して摩擦損失を低減します。
【００８５】
大気圧重力仕事能力を夫々燃焼ガスの１０００倍に近付け、夫々の霧吹きの原理１１１Ｉ・１１１Ｊにより、夫々前方の空気を吸引噴射し、既存ガスタービンの１０００倍噴射推進出力に近付け、合体機関噴射部外箱７７Ｆの円筒回転部７７Ｇと、飛行翼３８ｂ及び飛行尾翼３８ｃに設けた磁気摩擦動力伝達装置７６により、合体機関噴射部外箱７７Ｆを用途に合せて９０〜１８０度以上回転可能にして、垂直上昇や垂直降下や逆噴射を可能にし、既存技術の１０倍速度を狙う、各種ジェット機や各種ジェット戦闘機や各種超高速船舶や各種超高速戦闘船舶等の空気吸引噴射出力発生とします。
【実施例７】
【００８６】
図７の合体機関噴射部７７Ｌは、図６の合体機関噴射部７７Ｋより高速噴射に使用するもので、同様に４００ＭＰａ過熱蒸気爆発力＋最低温度２００ＭＰａ燃焼ガス爆発力に分割して、その一部により前記同様に選択した合体機関燃焼部２９Ｘを駆動し、大部分を合体機関噴射部外箱７７Ｆ内の、１以上の筒形外箱７７ｂ内の、気化膜や撥水作用により摩擦損失を低減して磁化した流線型過熱蒸気燃焼ガス噴射ノズル６Ｈや、用途に合わせて摩擦損失を低減した磁化した流線型過熱蒸気燃焼ガス噴射ノズル６Ｘの、流線型過熱蒸気溜９５ｃ及び帯状燃焼ガス溜９５ａに、夫々過熱蒸気爆発力及び燃焼ガス爆発力を供給して、磁化した流線型過熱蒸気燃焼ガス噴射ノズル６Ｈ又は６Ｘの、過熱蒸気爆発力＋燃焼ガス爆発力と霧吹きの原理により、過熱蒸気含有の磁化高温水を混合噴射加速します。
【００８７】
適宜に摩擦損失を低減した１以上の、磁化した流線型過熱蒸気燃焼ガス噴射ノズル６Ｈ又は６Ｘ内では過熱蒸気含有の磁化高温水を、火薬爆発機関銃の弾丸や吹雪のように磁石反発力で摩擦損失最少にして混合噴射加速して、過熱蒸気や燃焼ガスのマイクロバブルを生成して摩擦損失を低減し、大気圧重力仕事能力を燃焼ガスの１０００倍に近付け、霧吹きの原理１１１Ｘにより、前方の空気や真空を大仕事能力で吸引噴射して、同一燃料量既存ガスタービンの１０００倍噴射推進出力に近付け、構造を極限まで簡単にすることで最高速噴射推進の用途に使用し、合体機関噴射部外箱７７Ｆの円筒回転部７７Ｇと、図５の飛行翼３８ｂ及び飛行尾翼３８ｃに設けた磁気摩擦動力伝達装置７６により、合体機関噴射部外箱７７Ｆを用途に合せて９０〜１８０度以上回転可能にして、垂直上昇や垂直降下や逆噴射を可能にし、超音速マッハ３２の地球脱出速度以上等を狙う、各種宇宙往還旅客機や各種宇宙往還旅客親飛行機や各種超音速ジェット機や、各種超音速ジェット戦闘機等の空気吸引噴射出力発生とします。
【実施例８】
【００８８】
図８の空気噴射船舶３８Ｂの空気吸引噴射の出力発生は、図１から図４や図１４から図２０のＡ型等各種合体機関燃焼部から、用途に合せて選択した合体機関燃焼部２９Ｘを、合体機関噴射部７７Ｋより分離して船体内に適宜に具備して、高速高圧の空気を飛行翼３８ｂの翼前縁心３８ｅより吸入して予圧圧縮機で圧縮し、吸気弁２８より吸入圧縮して、縮径主燃焼室兼熱交換器１により限り無く高圧燃焼長時間熱交換冷却燃焼し、４００ＭＰａ過熱蒸気爆発力＋最低温度２００ＭＰａ燃焼ガス爆発力に分割して、その一部により合体機関燃焼部２９Ｘを駆動し、大部分により合体機関噴射部７７Ｋを駆動して、船前浮揚板９Ａの後方や船後浮揚板９Ｂの前方に夫々１以上分割して具備し、船体前方斜め上や船体中央斜め上等の空気を吸引して、夫々船体底部斜め下の平行垂直板９ｃ内に噴射して船体を空気圧で浮揚します。
【００８９】
船体後部の空気噴口９Ｄ等より空気噴射して噴射推進の過程で、空気噴口９Ｄや垂直翼３８ｄの方向舵４０Ａ・４０Ａを駆動制御操舵して、既存の飛行機より大幅な大重量の車両や戦闘機等を超高速輸送するため、飛行翼３８ｂと飛行尾翼３８ｃを一体として昇降制御操舵し、水上との距離を一定に安定して、飛行胴３８ａや船室１０Ａには操縦室１０ｂや客室１０ｄや、制御室１０ｃや貨物室１０ｅを設け、制御室１０ｃには総括制御装置２０を具備して既存技術で全体を制御し、４００ＭＰａ過熱蒸気爆発力＋最低温度２００ＭＰａ燃焼ガス爆発力を貯蔵して、燃料切れ時に使用可能とし、燃料搭載量を１／１０００に近付け、大部分を水搭載量として火災の場合は即時噴射可能とした非常に安全便利な、飛行翼３８ｂと飛行尾翼３８ｃを一体として既存船舶の２０倍速度を狙う、各種客船や各種フェリーボートや各種貨物船舶や各種航空母艦や各種戦闘艦船等にします。
【実施例９】
【００９０】
図９の水噴射船舶３８Ｃの水吸引噴射出力の発生は、図１から図４や図１４から図２０のＡ型等各種合体機関燃焼部から、用途に合せて選択した合体機関燃焼部２９Ｘをウォータージェットから分離して具備して、縮径主燃焼室兼熱交換器１で限り無く高圧燃焼長時間熱交換冷却燃焼し、例えば４００ＭＰａ過熱蒸気爆発力＋最低温度２００ＭＰａ燃焼ガス爆発力に分割して、その一部により前記同様に選択した合体機関燃焼部２９Ｘを駆動し、大部分により船底に具備した夫々１以上の霧吹きの原理１１１ｇ・１１１ｈで成る、図１０・図１１のウォータージェット７７Ｍ又は７７Ｎを駆動して、船底前方の水を吸引して船底後方に噴射し、噴射推進の過程で噴射部に具備した方向舵４０Ａを駆動制御操舵して、水上を超高速で浮上推進します。
【００９１】
既存の貨物船と同重量を超高速浮上輸送するため、水上翼３８ｇを昇降自在変形可能に具備して、複数の油圧シリンダ４８ａにより最適位置形状に移動変形し、速度に合せた最適位置に最適変形して、船体速度による水上翼３８ａの水圧により大重量船体を浮上させた水噴射推進とします。そして操縦室１０ｂには客室１０ｄ等を設け、船室１０Ａに貨物室１０ｅや制御室１０ｃを設けて、総括制御装置２０により既存技術で総括制御し、４００ＭＰａ過熱蒸気爆発力＋最低温度２００ＭＰａ燃焼ガス爆発力を貯蔵して、燃料切れ時に使用可能とし、燃料搭載量を１／１０００に近付け、大部分を水搭載量として火災の場合は即時噴射可能とした非常に安全便利な、既存船舶の１０倍速度を狙う各種船舶や各種フェリーボートや各種貨物船舶や、各種航空母艦や各種戦闘艦船等にします。
【実施例１０】
【００９２】
図１０のウォータージェット７７Ｍは、用途に合せて選択した合体機関燃焼部２９Ｘの、縮径主燃焼室兼熱交換器１で限り無く高圧燃焼長時間熱交換冷却燃焼して、４００ＭＰａ過熱蒸気爆発力＋最低温度２００ＭＰａ燃焼ガス爆発力に分割し、夫々の温度や圧力の上昇時に過熱蒸気制御弁２５＋燃焼ガス制御弁２４を開放制御して、その一部により選択した合体機関燃焼部２９Ｘを駆動し、大部分をウォータージェット外箱７７Ｄ内に最適配置した、夫々１以上の筒形外箱７７ｂ内の、撥水作用により摩擦損失を低減して磁化した流線型過熱蒸気噴射ノズル６Ｂ又は加熱高温手段１０１を追加して高温気化膜や撥水作用により摩擦損失を低減し磁化した流線型過熱蒸気噴射ノズル６Ｉの過熱蒸気溜９５ｃ及び、同様に撥水作用により摩擦損失を低減して磁化した流線型燃焼ガス噴射ノズル６Ｄ又は高温気化膜＋撥水作用により摩擦損失を低減して磁化した流線型燃焼ガス噴射ノズル６Ｊの燃焼ガス溜９５ａに、夫々過熱蒸気爆発力及び燃焼ガス爆発力を供給します。
【００９３】
送水ポンプ兼磁気摩擦動力伝達装置５５により昇圧して磁化した水５２ａを、夫々１以上の水制御弁２５ｃを開放制御して夫々１以上の帯状水溜９５ｂに供給し、１以上の過熱蒸気溜９５ｃの過熱蒸気爆発力及び１以上の燃焼ガス溜９５ａの燃焼ガス爆発力と、夫々の霧吹きの原理により、１以上の水噴射ノズル６Ｅの磁化水５２ａを、火薬爆発機関銃の弾丸や吹雪のように磁石反発力で摩擦損失最少にして混合噴射加速して、大気圧重力仕事能力を夫々燃焼ガスの１０００倍に近付け、夫々の霧吹きの原理１１１ｇ・１１１ｈにより、夫々前方の水５２ａを大仕事能力で吸引噴射するウォータージェット７７Ｍとし、進行方向下流に噴射して既存ウォータージェットの１０００倍噴射推進出力に近付け、既存技術水噴射推進船舶の１０倍速度を狙う、各種高速船舶や各種高速戦闘船舶や各種航空母艦や各種高速水上輸送移動機器等を、水吸引噴射して噴射推進駆動する、各種エネルギ保存サイクル合体機関とします。
【実施例１１】
【００９４】
図１１のウォータージェット７７Ｎは、用途に合せて選択した合体機関燃焼部２９Ｘの、縮径主燃焼室兼熱交換器１で限り無く高圧燃焼長時間熱交換冷却燃焼し、例えば４００ＭＰａ過熱蒸気爆発力＋最低温度２００ＭＰａ燃焼ガス爆発力に分割して、その一部により選択した合体機関燃焼部２９Ｘを駆動し、大部分を夫々のウォータージェット外箱７７Ｄ内に最適配置した、夫々１以上の筒形外箱７７ｂ内の、撥水作用により摩擦損失を低減して磁化した流線型過熱蒸気噴射ノズル６Ｂ又は、加熱高温手段１０１を追加して高温気化膜や撥水作用により摩擦損失を低減して磁化した流線型過熱蒸気噴射ノズル６Ｉの過熱蒸気溜９５ｃ及び、同様に撥水作用により摩擦損失を低減して磁化した流線型燃焼ガス噴射ノズル６Ｄ又は、高温気化膜＋撥水作用により摩擦損失を低減して磁化した流線型燃焼ガス噴射ノズル６Ｊの燃焼ガス溜９５ａに、夫々過熱蒸気爆発力及び燃焼ガス爆発力を供給します。
【００９５】
送水ポンプ兼磁気摩擦動力伝達装置５５により昇圧して磁化した水５２ａを、夫々１以上の水制御弁２５ｃを開放制御して夫々１以上の帯状水溜９５ｂに供給し、１以上の過熱蒸気溜９５ｃの過熱蒸気爆発力及び１以上の燃焼ガス溜９５ａの燃焼ガス爆発力と、夫々の霧吹きの原理により、１以上の水噴射ノズル６Ｅの磁化水５２ａを、火薬爆発機関銃の弾丸や吹雪のように磁石反発力で摩擦損失最少にして混合噴射加速して、大気圧重力仕事能力を夫々燃焼ガスの１０００倍に近付け、夫々の霧吹きの原理１１１ｇ・１１１ｈにより、夫々前方の水５２ａを大仕事能力で吸引噴射するウォータージェット７７Ｎとし、進行方向下流に噴射して既存ウォータージェットの１０００倍噴射推進出力に近付け、既存技術水噴射推進船舶の１０倍速度を狙う、各種高速船舶や各種高速戦闘船舶や各種航空母艦や各種高速水上輸送移動機器等を、水吸引噴射して噴射推進駆動する、各種エネルギ保存サイクル合体機関とします。
【実施例１２】
【００９６】
図１２により本発明による地球温暖化防止を説明する。世界の火力発電所や原子力発電所の回転出力発生は、回転出力を発生で充分な頃の時代遅れの発明を改良で、超臨界圧力過熱蒸気を蒸気タービンにより断熱膨張させて、膨大過ぎる蒸気速度を膨大な静翼を多段に設けて、多段に堰き止めて実用速度に減速する無茶苦茶をし、使用した熱量全部で海水温度を上昇して、日本近海の海水温度を１〜２℃上昇してマイワシ生息数を１／２００に激減しております。更に火力発電所では１００００倍容積に増大して重力仕事能力を１／１００００に低減して、単位動翼面積の出力を１／１００００に近付けて仮説出力を１／１０００に近付ける無茶苦茶を重ねて、ＣＯ２等の燃焼ガスを排気して地球温暖化を加速しております。
【００９７】
例えば教育テレビで放映の米国カリフォルニアの海では、２０年間海水を採取研究して、海水表面温度１℃の上昇により植物プランクトンの珪藻が死滅し、珪藻を食物とする動物プランクトンが死滅して、動物プランクトンを食物とする魚類が激減し、その魚類を食物とする鳥が８年で１／１０に激減した研究報告があります。例えば日本近海の海水温度上昇速度を中国等と共に限り無く増大し、海水温度の上昇速度を１０倍に近付けて限り無く上昇して、ＣＯ２の２０倍の温暖化ガスのメタンハイドレート大分解が始まると制御不可能となり、集中豪雨やハリケーン等が巨大化する異常気象は限り無く増大し、灼熱地球の危険も増大して、人類絶滅の危険が増大します。
【００９８】
そこで各種エネルギ保存サイクル機関と全動翼蒸気ガスタービン合体機関を合体して、各種エネルギ保存サイクル合体機関とし、圧縮専用の各種エネルギ保存圧縮機２０Ｘとして、予圧圧縮機としても使用し、例えば１／５０×１／５０×１／５０＝１／１２５０００容積圧縮空気等、限り無く高圧燃焼長時間熱交換冷却燃焼して、燃焼温度と容積の障害を最少とし、４００ＭＰａ過熱蒸気爆発力＋最低温度２００ＭＰａ燃焼ガス爆発力に分割を可能にして、過熱蒸気爆発力及び燃焼ガス爆発力と霧吹きの原理により、夫々磁化水を混合噴射加速して夫々の爆発速度をタービン周速度近傍の水の速度に変換し、大気圧重力仕事能力を夫々燃焼ガスの１０００倍に近付け、磁化した弾み車蒸気タービン８ｂ・８ｂ及び磁化した弾み車ガスタービン８ａ・８ａの接線垂直方向に連続噴射して、既存往復機関最大の欠点の死点を皆無とし、既存往復機関死点後９０度１ＭＰａ×燃焼ガス質量断続静圧駆動を、４００ＭＰａ×１０００倍水質量連続動圧駆動として、余裕充分で同一燃料量既存往復機関の１０００倍回転出力や発電量を狙います。
【００９９】
回転出力発生排気の過程では、磁化した過熱蒸気噴射ノズルの４００ＭＰａ過熱蒸気爆発力と霧吹きの原理により、磁化高温水を混合噴射加速して重力仕事能力を燃焼ガスの１０００倍に近付け、磁化した弾み車蒸気タービン８ｂ・８ｂを駆動し、大気圧まで使用して１００℃の高温水及び凝縮水を限り無く循環使用して、供給熱量略全部を気化熱回収器で１００℃の水道水温熱で回収して需要家に供給すると共に、１００℃近傍の水道水温熱を利用して電力消費０から１／１０を狙う、業務用や家庭用の各種暖房設備機器や各種調理設備機器や各種温水設備機器や各種洗濯乾燥機や、各種食器洗い機や各種海水淡水化設備機器等を製造販売等し、海水温度の上昇を全廃して、世界の火力発電所や原子力発電所が供給使用熱量全部で海水温度を上昇、メタンハイドレート大分解・灼熱地球・人類絶滅の危険を増大しており、海水温度上昇の全廃により順次阻止します。
【０１００】
そして磁化した燃焼ガス噴射ノズルの例えば２００ＭＰａ５０℃燃焼ガス爆発力と霧吹きの原理により、磁化不凍水を混合噴射加速して重力仕事能力を燃焼ガスの１０００倍に近付け、磁化した弾み車ガスタービン８ａ・８ａを駆動し、温度と容積の障害を最低とした燃焼ガス爆発力の排気温度を−２７３℃に近付け、その燃焼ガス排気全部を冷熱回収器で熱交換回収して、０℃に近い水道水冷熱にして需要家に供給すると共に、０℃近傍の水道水冷熱を利用して電力消費０から１／１０を狙う、業務用や家庭用の各種冷房設備機器や各種冷蔵設備機器や各種冷凍設備機器や、各種冷却設備機器や製氷設備機器や断熱冷水タンクや温熱冷熱配管ビル等を、製造販売して都市部を丸ごと冷却してヒート・アイランド現象を逆転します。
【０１０１】
ＣＯ２等燃焼ガス全部を水に溶解して燃焼ガス溶解水として回収して、泥土や植物片や残飯等にバクテリア等の微生物で、公知技術等により分解溶解固定して肥料にする過程でメタンガス等を発生回収販売し、肥料の製造等新規産業を創出して農作物の増産を図ると共に、膨大過ぎる０℃に近い燃焼ガス溶解水で海水を冷却してＣＯ２等を海水に供給する過程で、霧吹きの原理により空気を吸引して海水に酸素や窒素を供給して、植物プランクトンの珪藻や海藻等を先ず増殖し、食物連鎖等で魚介類や海草などを増殖して食料の増産を図る等、新規産業の創出を図ります。
【実施例１３】
【０１０２】
図１３の回転出力や噴射推進出力で用途に合せて駆動する、各種エネルギ保存サイクル合体機関の出力発生は、既存技術制御装置の各種エネルギ保存サイクル合体機関制御装置２０により、予圧圧縮機を含めて圧力制御して限り無い高圧燃焼長時間熱交換冷却燃焼し、既存技術の１０倍回転数を狙う、送水ポンプ兼磁気摩擦動力伝達装置等の制御により、４００ＭＰａ過熱蒸気爆発力＋最低温度２００ＭＰａ燃焼ガス爆発力等に分割して、その全部により合体機関燃焼部２９Ｘを駆動し、過熱蒸気爆発力及び燃焼ガス爆発力と夫々の霧吹きの原理により、夫々磁化水を混合噴射加速して夫々磁化した弾み車蒸気タービン８ｂ・８ｂ及び磁化した弾み車ガスタービン８ａ・８ａの接線方向に噴射して、既存往復機関死点後９０度の絶好機の４０万倍仕事能力で連続駆動とし、既存往復機関の１０００倍仮説回転出力を狙い、各種熱と電気と冷熱の供給設備や各種自動車や各種プロペラ飛行機や各種陸上輸送移動機器や各種汎用機関や各種機械類類や各種戦闘車両や各種プロペラ推進船舶や各種プロペラ推進戦闘船舶等、駆動可能なもの全部を駆動します。
【０１０３】
例えば４００ＭＰａ過熱蒸気爆発力＋最低温度２００ＭＰａ燃焼ガス爆発力に分割し、その一部により選択した合体機関燃焼部２９Ｘを駆動して、大部分により合体機関噴射部７７Ｋ又は７７Ｌを駆動して前方の空気や真空を吸引して噴射推進し、又は大部分によりウォータージェット７７Ｍ又は７７Ｎを駆動して、前方の水を吸引して噴射推進し、既存技術の１０倍速度を狙う各種超音速飛行機や各種宇宙往還旅客機や、各種宇宙往還旅客親飛行機や各種空中輸送移動機器や各種超音速戦闘飛行機や、各種飛行船舶や各種垂直上昇降下飛行機等を駆動します。そして水を吸引して噴射推進する各種超高速船舶や各種超高速戦闘船舶や各種超高速航空母艦や各種高速船舶や各種高速戦闘船舶や各種高速航空母艦や各種水上輸送移動機器等、駆動可能なもの全部を駆動します。
【実施例１４】
【０１０４】
図１４のＢ型合体機関燃焼部２９Ｂは、Ａ型合体機関燃焼部２９Ａのシリンダヘッド１５と、逆止弁９７や一方向空気流路９を含む、一方向流路の縮径主燃焼室兼熱交換器１を同様に左右に設けて、全動翼圧縮機２０Ｊ又は各種エネルギ保存圧縮機２０Ｘ又は公知の圧縮機で、用途に合せて余圧した空気を吸気弁２８で吸入して圧縮し、縮径主燃焼室兼熱交換器１で限り無く高圧燃焼長時間熱交換冷却燃焼とし、例えば４００ＭＰａ過熱蒸気爆発力＋最低温度２００ＭＰａ燃焼ガス爆発力に分割して、Ａ型・Ｂ型・Ｃ型・Ｄ型・Ｅ型・Ｆ型・Ｇ型・Ｈ型から、用途に合せて選択した合体機関燃焼部２９Ｘで使用します。そして合体機関燃焼部２９Ｘを合体機関噴射部７７Ｋ・７７Ｌや、ウォータージェット７７Ｍ・７７Ｎで共通使用し、各種エネルギ保存圧縮機２０Ａ・２０Ｂ・２０Ｃ・２０Ｄ・２０Ｅ・２０Ｆ・２０Ｇ・２０Ｈ＝各種エネルギ保存圧縮機より、用途に合せて選択したエネルギ保存圧縮機２０Ｘを使用して、各種用途に最適対応します。
【０１０５】
従ってＢ型合体機関燃焼部２９Ｂは、縮径主燃焼室兼熱交換器１を左右に夫々１以上具備し、Ａ型エネルギ保存圧縮機２０Ａに換えて、Ｂ型エネルギ保存圧縮機２０Ｂを使用し、ディーゼル機関の往復運動による運動エネルギ減少損失最大を最少にするため、クランク軸１６の回転運動による両頭拡径ピストン２１の往復運動を、振り子腕４０ａによる振り子運動で運動エネルギの減少損失最少で拡大増幅して、両頭拡径ピストン２１のピストン行程を拡大し、ピストンの側圧を最低で圧縮比をディーゼル機関並に最も簡単に増大して、磁化した弾み車タービン８を振り子腕４０ａの支点又はクランク軸１６に設けて、直接又は減速してクランク軸１６を駆動し、図１図４のように弾み車タービン８・８を拡大して、磁化したタービン翼８ｃ・８ｃを対向に接近又は噛合せて無接触同期させて具備し、同期回転させる同径の送水ポンプ兼磁気摩擦動力伝達装置５５又は、歯車装置等を設けます。そして多気筒で使用の場合にはクランク軸１６・１６の増設により、（２気筒＋２気筒）×Ｘと増設して多気筒にします。
【実施例１５】
【０１０６】
図１５のＣ型合体機関燃焼部２９Ｃは、Ｂ型エネルギ保存圧縮機２０Ｂを対向に設けたＣ型エネルギ保存圧縮機２０Ｃとして、縮径主燃焼室兼熱交換器１を左右と中央に夫々１以上具備し、クランク軸１６・１６が同期回転可能に、送水ポンプ兼磁気摩擦動力伝達装置５５又は歯車装置を設けて、振動を極限まで相殺僅少にし、両頭拡径ピストン２１・２１径を１０ｍ等の大径に近付け、クランク軸１６に直接又は変速して磁化した弾み車タービン８を具備して、クランク軸１６を変速又は直接回転駆動し、ディーゼル機関の圧縮構造を極限まで簡単にして、振動を極限まで僅少にして前記同様に回転出力を発生する、Ｃ型合体機関燃焼部２９Ｃにし、図１のように磁化した弾み車タービン８・８を拡大して、磁化したタービン翼８ｃ・８ｃを対向に接近又は噛合せて無接触同期させて具備し、同期回転させる同径の送水ポンプ兼磁気摩擦動力伝達装置５５又は歯車装置を設け、磁化した弾み車タービン８・８を同期回転させます。
【０１０７】
例えば両頭拡径ビストン２１・２１の対向往復運動を完璧に同期させるため、図４のクランク軸１６・１６に同径の送水ポンプ兼磁気摩擦動力伝達装置５５を具備して、４００ＭＰａ過熱蒸気爆発力等水圧を上昇制御し、用途に合せて適宜に駆動する送水ポンプ７５や既存技術ポンプを設けます。図１５では紙面の都合で磁化した弾み車タービン８を小径に図示しておりますが、大径の磁化した弾み車タービン８・８を対向に接近又は噛合せて無接触同期回転させる、例えば紙面の都合で寸法が無理な図４の同径の、送水ポンプ兼磁気摩擦動力伝達装置５５又は歯車装置として、クランク軸１６・１６を互いに反対方向に同期回転させ、対向往復運動と弾み車タービン８・８の回転を同時に同期させます。そして多気筒で使用の場合には（４気筒＋４気筒）×Ｘと増設して多気筒にします。
【実施例１６】
【０１０８】
図１６のＤ型合体機関燃焼部２９Ｄは、Ａ型エネルギ保存圧縮機２０Ａに換えて、Ｄ型エネルギ保存圧縮機２０Ｄを使用して既存ガソリン機関に対応し、縮径主燃焼室兼熱交換器１を左右に夫々１以上具備して、クランク軸１６の回転運動により直接両頭拡径ピストン２１を往復運動させて、構造が最も簡単な空気圧縮機とし、圧縮比を用途に合せて最も簡単に増大してピストンの側圧を０に近付けて、磁化した弾み車タービン８・８を夫々のクランク軸１６に設けて、直接又は変速してクランク軸１６・１６を夫々回転駆動し、Ｄ型合体機関燃焼部２９Ｄ・２９Ｄを構成して、図１のように磁化した弾み車タービン８・８を大径にして対向に接近又は噛合せて、無接触同期回転させる図４の同径の送水ポンプ兼磁気摩擦動力伝達装置５５又は歯車装置を具備して、多気筒で使用の場合には、クランク軸１６・１６の増設により、（２気筒＋２気筒）×Ｘと増設して多気筒にします。
【実施例１７】
【０１０９】
図１７のＥ型合体機関燃焼部２９Ｅは、Ｄ型エネルギ保存圧縮機２０Ｄを対向に設けて、Ｅ型エネルギ保存圧縮機２０Ｅを構成して対向往復運動により振動を相殺して、縮径主燃焼室兼熱交換器１を左右と中央に夫々１以上具備し、振動を相殺することで両頭拡径ピストン２１径を１０ｍ等の大径を可能にして、構造が極限まで簡単な圧縮機を対向に具備した、Ｅ型合体機関燃焼部２９Ｅ・２９Ｅを対向に具備し、図１のように磁化した弾み車タービン８・８を拡大して、対向に接近又は噛合せて無接触同期回転とするものです。
【０１１０】
従って両頭拡径ビストン２１・２１の対向往復運動を完璧に同期させる、中央の同期軸１６ａと送水ポンプ兼磁気摩擦動力伝達装置５５又は歯車装置により、夫々適宜に変速する同期軸１６ａ・１６ａに、磁化した弾み車タービン８・８を具備してクランク軸を変速駆動又は直接駆動し、クランク軸１６により直接両頭拡径ビストン２１を往復駆動することで、図１７のように構造が非常に簡単な対向往復運動空気圧縮機として、夫々の磁化した弾み車タービン８・８の回転を最適回転数に制定し、Ｅ型合体機関燃焼部２９Ｅ・２９Ｅを構成します。そして磁化した弾み車タービン８・８を対向に接近又は噛合せて、無接触同期回転させる図４の、同径の送水ポンプ兼磁気摩擦動力伝達装置５５又は歯車装置を具備します。多気筒で使用の場合には、クランク軸１６・１６・１６・１６の増設により、（４気筒＋４気筒）×Ｘと増設して多気筒にします。
【実施例１８】
【０１１１】
図１８のＦ型合体機関燃焼部２９Ｆは、Ｄ型エネルギ保存圧縮機２０Ｄを対向に設けて、Ｆ型エネルギ保存圧縮機２０Ｆを構成して対向往復運動により振動を相殺して、縮径主燃焼室兼熱交換器１を左右に夫々１以上具備し、中央の一方向空気流路９から、左右の縮径主燃焼室兼熱交換器１に空気を供給する構成として、振動を相殺することで両頭拡径ピストン２１径を１０ｍ等の大径を可能にして、構造が極限まで簡単な圧縮機を対向に具備した、Ｆ型合体機関燃焼部２９Ｆ・２９Ｆを対向に具備し、図１のように磁化した弾み車タービン８・８を拡大して、対向に接近又は噛合せて無接触同期回転とするものです。
【０１１２】
従って両頭拡径ビストン２１・２１の対向往復運動を完璧に同期させる、中央の同期軸１６ａと送水ポンプ兼磁気摩擦動力伝達装置５５又は歯車装置により、夫々適宜に変速する同期軸１６ａ・１６ａに、磁化した弾み車タービン８・８を具備してクランク軸を変速駆動又は直接駆動し、クランク軸１６により直接両頭拡径ビストン２１を往復駆動することで、図１８のように構造が非常に簡単な対向往復運動空気圧縮機として、夫々の磁化した弾み車タービン８・８の回転を最適回転数に制定し、Ｆ型合体機関燃焼部２９Ｆ・２９Ｆを構成します。そして磁化した弾み車タービン８・８を対向に接近又は噛合せて、無接触同期回転させる図４の、同径の送水ポンプ兼磁気摩擦動力伝達装置５５又は歯車装置を具備します。多気筒で使用の場合には、クランク軸１６・１６・１６・１６の増設により、８気筒＋８気筒と増設して多気筒にします。
【実施例１９】
【０１１３】
図１９のＧ型合体機関燃焼部２９Ｇは、Ｄ型エネルギ保存圧縮機２０Ｄを対向に設けて、Ｇ型エネルギ保存圧縮機２０Ｇを構成して対向往復運動により振動を相殺して、縮径主燃焼室兼熱交換器１を中央に１以上具備し、左右の一方向空気流路９から中央１以上の縮径主燃焼室兼熱交換器１に空気を供給する構成として、振動を相殺することで両頭拡径ピストン２１径を１０ｍ等の大径を可能にして、構造が極限まで簡単な圧縮機を対向に具備した、Ｇ型合体機関燃焼部２９Ｇ・２９Ｇを対向に具備し、図１のように弾み車タービン８・８を拡大して、対向に接近又は噛合せて無接触同期回転とするものです。
【０１１４】
従って両頭拡径ビストン２１・２１の対向往復運動を完璧に同期させる、中央の同期軸１６ａと送水ポンプ兼磁気摩擦動力伝達装置５５又は歯車装置により、夫々適宜に変速する同期軸１６ａ・１６ａに、磁化した弾み車タービン８・８を具備してクランク軸を変速駆動し、クランク軸１６により直接両頭拡径ビストン２１を往復駆動することで、図１９のように構造が非常に簡単な対向往復運動空気圧縮機として、夫々の磁化した弾み車タービン８・８の回転を最適回転数に制定し、Ｇ型合体機関燃焼部２９Ｇ・２９Ｇを構成します。そして磁化した弾み車タービン８・８を対向に接近又は噛合せて、無接触同期回転させる図４の、同径の送水ポンプ兼磁気摩擦動力伝達装置５５又は歯車装置を具備します。多気筒で使用の場合にはクランク軸１６・１６・１６・１６の増設により、８気筒＋８気筒と増設して多気筒にします。
【実施例２０】
【０１１５】
図２０のＨ型合体機関燃焼部２９Ｈは、Ｄ型エネルギ保存圧縮機２０Ｄを設けて、例えば縮径主燃焼室兼熱交換器１を左側（片方）に１以上具備し、右側（他方）の一方向空気流路９から左側の縮径主燃焼室兼熱交換器１に空気を供給する構成として、Ｈ型エネルギ保存圧縮機２０Ｈとし、クランク軸１６の回転運動により直接両頭拡径ビストン２１を往復運動させて、図２０のように構造が最も簡単な往復運動空気圧縮機として、圧縮比を用途に合せて最も簡単に増大し、ピストンの側圧を簡単に低減して、磁化した弾み車タービン８・８をクランク軸１６・１６に設けて、直接又は変速してクランク軸１６・１６を夫々回転駆動し、Ｈ型合体機関燃焼部２９Ｈ・２９Ｈを構成します。図１のように磁化した弾み車タービン８・８を拡大して対向に接近又は噛合せて、無接触同期回転させる図４の、同径の送水ポンプ兼磁気摩擦動力伝達装置５５又は歯車装置を具備します。多気筒で使用の場合にはクランク軸１６・１６の増設により、４気筒＋４気筒と増設して多気筒にします。
【実施例２１】
【０１１６】
図２１の全動翼圧縮機２０Ｊは、大量の空気を余圧する用途に使用するもので、各種全動翼蒸気ガスタービン合体機関の全動翼圧縮機の内側軸装置に、クランク軸１６を結合して送水ポンプ兼二重反転磁気摩擦動力伝達装置８４を駆動して、内側軸装置と外側軸装置を互いに反対方向に回転し、全動翼圧縮機の外側圧縮機動翼群４ａと内側圧縮機動翼群４ｂを二重反転して、右方の空気を吸引して用途に合せた圧力に余圧圧縮し、冷却した圧縮空気が必要な用途では導水管３により冷却した圧縮空気を、冷却しない用途では圧縮空気を其の侭夫々圧縮空気制御弁２４ａを開放制御して、圧縮空気室１０ｂより図１の吸気弁２８等に送気し、選択したエネルギ保存圧縮機２０Ｘで高圧圧縮します。そして選択した合体機関燃焼部２９Ｘの送水ポンプ兼磁気摩擦動力伝達装置５５等により昇圧して、給水制御弁２５ａを開放制御して熱回収した導水管３の給水５２は、縮径主燃焼室熱交換器２に供給し、前記同様に高圧燃焼長時間熱交換冷却燃焼します。
【産業上の利用可能性】
【０１１７】
発電量が既存往復機関の１０００倍仮説発電量に近付き、供給熱量全部＋圧縮空気保有熱量が１００℃に近い水道水温熱となり、−２７３℃に近付く燃焼ガス排気全部が０℃に近い水道水冷熱と、ＣＯ２等の燃焼ガス溶解水になるため、業務用や家庭用の熱と電気と冷熱の供給設備となり、海水温度上昇とＣＯ２の排気が０になる可能性がある。
【０１１８】
発電量が既存往復機関の１０００倍仮説発電量に近付き、供給熱量全部＋圧縮空気保有熱量が１００℃に近い水道水温熱となるため、１００℃に近い水道水温熱を発電の副産物として需要家に販売すると共に、水道水温熱を利用して電力消費０〜１／１０等を狙う、業務用や家庭用の各種暖房設備機器や各種調理設備機器や各種温水設備機器や、各種食器洗い機や各種洗濯乾燥機や各種海水淡水化設備機器等を製造販売する可能性がある。
【０１１９】
発電量が既存往復機関の１０００倍仮説発電量に近付き、供給熱量全部＋圧縮空気保有熱量が１００℃に近い水道水温熱となるため、１００℃に近い水道水温熱を利用して海水を淡水化し、発電の副産物の水道水として販売する可能性がある。
【０１２０】
発電量が既存往復機関の１０００倍仮説発電量に近付き、−２７３℃に近付く燃焼ガス排気全部が０℃に近い水道水冷熱となるため、０℃に近い水道水冷熱を発電の副産物として需要家に販売すると共に、水道水冷熱を利用して電力消費０〜１／１０等を狙う、業務用や家庭用の各種冷凍設備機器や各種冷蔵設備機器や各種冷房設備機器や、各種製氷設備機器や温熱冷熱配管ビル等を製造販売して大気加熱を止め、都市部を丸ごと冷却してヒート・アイランド現象を逆転する可能性がある。
【０１２１】
回転出力が既存往復機関の１０００倍仮説回転出力に近付き、ＣＯ２等の燃焼ガスを排気しない公害低減のため、各種自動車や各種プロペラ飛行機や各種プロペラ船舶や各種回転力駆動の機械機器類等を、製造販売してＣＯ２排気を０に近付ける可能性がある。
【０１２２】
空気や真空の吸引噴射推進出力が、既存ガスタービンの１０００倍仮説空気吸引噴射推進出力に近付き、ＣＯ２等の燃焼ガス排気を僅少にする公害低減のため、各種超音速ジェット機や各種ジェット戦闘機や各種超高速船舶や各種超高速戦闘船舶や、各種超高速航空母艦や各種宇宙往還旅客機や各種宇宙往還旅客親飛行機や各種空中輸送移動機器等を、製造販売してＣＯ２等の排気を０に近付ける可能性がある。
【０１２３】
水吸引噴射推進出力が、既存ガスタービンや既存往復機関の１０００倍仮説水吸引噴射推進出力に近付き、ＣＯ２等の燃焼ガスを排気しない公害低減のため、各種大中小高速船舶や各種大中小高速戦闘船舶や各種高速航空母艦や、各種大中小高速水上輸送移動機器等を製造販売して、ＣＯ２等の燃焼ガス溶解水で海水を冷却し、珪藻を増殖して食物連鎖により魚類の生息数を増大する可能性がある。
【図面の簡単な説明】
【０１２４】
【図１】Ａ型合体機関燃焼部２９Ａを示す断面図（実施例１）
【図２】２９Ａの磁化した弾み車タービン８を示す断面図（実施例２）
【図３】過熱蒸気燃焼ガス噴射ノズル６Ｈ・６Ｘを示す断面図（実施例３）
【図４】磁化した弾み車タービン８・８を示す断面図（実施例４）
【図５】合体機関飛行機３８Ａを示す説明図（実施例５）
【図６】合体機関噴射部７７Ｋを示す断面図（実施例６）
【図７】合体機関噴射部７７Ｌを示す断面図（実施例７）
【図８】空気噴射船舶３８Ｂを示す断面図（実施例８）
【図９】水噴射船舶３８Ｃを示す断面図（実施例９）
【図１０】ウォータージェット７７Ｍを示す断面図（実施例１０）
【図１１】ウォータージェット７７Ｎを示す断面図（実施例１１）
【図１２】各種エネルギ保存サイクル合体機関の可能性説明図（実施例１２）
【図１３】各種エネルギ保存サイクル合体機関で駆動可能性の説明図（実施例１３）
【図１４】Ｂ型合体機関燃焼部２９Ｂを示す断面図（実施例１４）
【図１５】Ｃ型合体機関燃焼部２９Ｃを示す断面図（実施例１５）
【図１６】Ｄ型合体機関燃焼部２９Ｄを示す断面図（実施例１６）
【図１７】Ｅ型合体機関燃焼部２９Ｅを示す断面図（実施例１７）
【図１８】Ｆ型合体機関燃焼部２９Ｆを示す断面図（実施例１８）
【図１９】Ｇ型合体機関燃焼部２９Ｇを示す断面図（実施例１９）
【図２０】Ｈ型合体機関燃焼部２９Ｈを示す断面図（実施例２０）
【図２１】全動翼圧縮機２０Ｊを示す断面図（実施例２１）
【符号の説明】
【０１２５】
１：縮径主燃焼室兼熱交換器、  １ａ：燃焼部、  ２：縮径主燃焼室熱交換器、  ２ａ：廃熱回収熱交換器、  ２ｂ：気化熱回収器、  ３：導水管、  ３ａ：撥水鍍金、  ４：給気穴、  ４ａ：外側圧縮機動翼群    ４ｂ：内側圧縮機動翼群    ５：排気穴、  ５ａ：蒸気排気室、  ５ｂ：排気庇、  ５ｃ：ガス排気室、  ６：ノズル、  ６ａ：ノズル噴射部、  ６Ａ：過熱蒸気噴射ノズル（加熱高温で摩擦低減し過熱蒸気爆発力で水を混合噴射加速）    ６Ｂ：過熱蒸気噴射ノズル（撥水鍍金で摩擦低減し過熱蒸気爆発力で水を混合噴射加速）    ６Ｃ：燃焼ガス噴射ノズル（加熱高温で摩擦低減し燃焼ガス爆発力で水を混合噴射加速）    ６Ｄ：燃焼ガス噴射ノズル（撥水鍍金で摩擦低減し燃焼ガス爆発力で水を混合噴射加速）    ６Ｅ：水噴射ノズル、  ６Ｆ：不用燃焼ガス噴射ノズル、  ６Ｇ：冷水噴射ノズル、  ６Ｈ：過熱蒸気燃焼ガス噴射ノズル（６Ａ＋６Ｂ＋６Ｃ＋６Ｄ）  ６Ｉ：過熱蒸気噴射ノズル（６Ａ＋６Ｂ）  ６Ｊ：燃焼ガス噴射ノズル（６Ｃ＋６Ｄ）  ６Ｘ：過熱蒸気燃焼ガス噴射ノズル（用途に合せて摩擦損失を低減し水を混合噴射加速）  ７：燃料蒸気噴射電磁弁、  ７Ｃ：燃料噴射電磁弁、  ７Ｄ：燃料水噴射電磁弁、  ７Ｅ：水噴射電磁弁、  ８：弾み車タービン  ８ａ：弾み車ガスタービン、  ８ｂ：弾み車蒸気タービン、  ８ｃ：タービン翼、  ８ｄ：側板、  ８ｅ：円筒胴、  ９：一方向空気流路、  ９Ａ：船前浮揚板、  ９Ｂ：船後浮揚板、  ９Ｃ：平行垂直板、  ９Ｄ：空気噴口、  １０：拡径燃焼室、  １０Ａ：船室、  １０ａ：拡径圧縮室、  １０ｂ：操縦室    １０ｃ：制御室、  １０ｄ：客室、  １０ｅ：貨物室、  １１：排気ダクト、  １２：ターボ過給機、  １３：給気ダクト、  １４：機械式過給機、  １５：シリンダヘッド、  １５ａ：シリンダ、  １６：クランク軸、  １６ａ：同期軸、  １６ｂ：クランク穴、  １７：始動電動機兼発電機、  １８：入力軸、  １９：出力軸、  ２０：エネルギ保存サイクル合体機関制御装置、  ２０Ａ：Ａ型エネルギ保存圧縮機、  ２０Ｂ：Ｂ型エネルギ保存圧縮機、  ２０Ｃ：Ｃ型エネルギ保存圧縮機、  ２０Ｄ：Ｄ型エネルギ保存圧縮機、  ２０Ｅ：Ｅ型エネルギ保存圧縮機、  ２０Ｆ：Ｆ型エネルギ保存圧縮機、  ２０Ｇ：Ｇ型エネルギ保存圧縮機、  ２０Ｈ：Ｈ型エネルギ保存圧縮機、  ２０Ｊ：全動翼圧縮機、  ２０Ｘ：選択したエネルギ保存圧縮機、  ２１：拡径ピストン、  ２２：電磁加熱縮径ピストン、  ２３：弁棒、  ２４：燃焼ガス制御弁、  ２４ａ：圧縮空気制御弁    ２５：過熱蒸気制御弁、  ２５ａ：給水制御弁    ２５Ｂ：高温水制御弁、  ２５Ｃ：水制御弁、  ２６：掃気弁、  ２７：過給ピストン、  ２８：吸気弁、  ２８ａ：空気、  ２８ｂ：予圧した空気    ２９：各種エネルギ保存サイクル合体機関、  ２９ａ：Ａ型エネルキ保存サイクル合体機関（合体機関燃焼部２９Ａ使用）    ２９ｂ：Ｂ型エネルキ保存サイクル合体機関（合体機関燃焼部２９Ｂ使用）    ２９ｃ：Ｃ型エネルキ保存サイクル合体機関（合体機関燃焼部２９Ｃ使用）    ２９ｄ：Ｄ型エネルキ保存サイクル合体機関（合体機関燃焼部２９Ｄ使用）    ２９ｅ：Ｅ型エネルキ保存サイクル合体機関（合体機関燃焼部２９Ｅ使用）    ２９ｆ：Ｆ型エネルキ保存サイクル合体機関（合体機関燃焼部��９Ｆ使用）    ２９ｇ：Ｇ型エネルキ保存サイクル合体機関（合体機関燃焼部２９Ｇ使用）    ２９ｈ：Ｈ型エネルキ保存サイクル合体機関（合体機関燃焼部２９Ｈ使用）  ２９Ａ：Ａ型合体機関燃焼部、  ２９Ｂ：Ｂ型合体機関燃焼部、  ２９Ｃ：Ｃ型合体機関燃焼部、  ２９Ｄ：Ｄ型合体機関燃焼部、  ２９Ｅ：Ｅ型合体機関燃焼部、  ２９Ｆ：Ｆ型合体機関燃焼部、  ２９Ｇ：Ｇ型合体機関燃焼部、  ２９Ｈ：Ｈ型合体機関燃焼部、  ２９Ｘ：選択した合体機関燃焼部、  ３０：断熱材、  ３１：多段減圧漏洩面、  ３２：減圧溜、  ３４：クランク軸受、  ３５：水平継手、  ３６：拡径燃焼室シリンダ、  ３７：両頭拡径ピストン、  ３８：案内具、  ３８Ａ：合体機関飛行機、  ３８Ｂ：空気噴射船舶、  ３８Ｃ：水噴射船舶、  ３８ａ：飛行胴、  ３８ｂ：飛行翼、  ３８ｃ：飛行尾翼、  ３８ｄ：垂直翼、  ３８ｅ：翼前縁吸入口、  ３８ｇ：水上翼、  ３９：固定用溝、  ４０：駆動具、  ４０Ａ：方向舵、  ４０ａ：振り子腕、  ４１：案内溝、  ４１ａ：案内溝、  ４２：案内穴、  ４３：クランク穴、  ４４：凹凸、  ４５：過給室、  ４６：Ｈ型エネルキ保存サイクル合体機関、  ４７：過給室蓋、  ４８：過給室シリンダ、  ４８ａ：油圧シリンダ、  ４９：燃焼ガス、  ４９ａ：燃焼ガス攪拌板、  ４９ｂ：洗浄燃焼ガス、  ５０：過熱蒸気、  ５１：空気抽出器、  ５１ａ：ガス抽出器、  ５２：給水、  ５２ａ：水、  ５２ｂ：高温水（超臨界温度等複数温度の高温水）    ５２ｃ：水道水、  ５２ｄ：水道水温熱、  ５２ｅ：水道水冷熱、  ５２ｆ：凝縮水、  ５２ｇ：燃焼ガス溶解水、  ５２ｈ：冷水、  ５３：公知物質、  ５４：安全弁、  ５５：送水ポンプ兼磁気摩擦動力伝達装置、  ５６：動力伝達面、  ５７：棒磁石、  ５８：電磁石、  ５９：回転方向、  ６０：磁極、  ６１：着磁摩擦車、  ６２：内着磁摩擦車、  ６３：磁着摩擦車、  ６４：内磁着摩擦車、  ６５：着磁摩擦車装置、  ６６：内着磁摩擦車装置、  ６７：磁着摩擦車装置、  ６８：内磁着摩擦車装置、  ６９：低凹凸、  ７０：平凹凸、  ７１：ハスバ凹凸、  ７２：ヤマバ凹凸、  ７３：磁石部、  ７４：ヨーク、  ７５：送水ポンプ、  ７６：磁気摩擦動力伝達装置、  ７７：外箱、  ７７ａ：タービン外箱、  ７７ｂ：筒形外箱、  ７７Ｃ：ジェットエンジン外箱、  ７７Ｄ：ウォータージェット外箱    ７７Ｆ：合体機関噴射部外箱、  ７７Ｇ：円筒回転部、  ７７Ｋ：合体機関噴射部、  ７７Ｌ：合体機関噴射部、  ７７Ｍ：ウォータージェット、  ７７Ｎ：ウォータージェット、  ７８：吸水路、  ７９：送水路、  ８０：摩擦増大手段、  ８１：支軸、  ８１ａ：支点、  ８２：コイル、  ８３：磁力線、  ８４：送水ポンプ兼二重反転磁気摩擦動力伝達装置、  ８５：二重反転磁気摩擦動力伝達装置  ８６：嵌入用凹部  ８７：電磁弁  ８７Ａａ：高温水噴射電磁弁    ８８：公知の燃料噴射弁、  ８９：磁石室、  ９０：断熱壁、  ９０ａ：隔壁、  ９１：冷却室、  ９２：閉弁装置、  ９３：電磁弁装着部、  ９３ａ：電磁弁装着部、  ９４：ノズル噴口部、  ９４ａ：末広ノズル噴口部、  ９４ｂ：公知ノズル、  ９５：高温水溜、  ９５ａ：燃焼ガス溜、  ９５ｂ：水溜、  ９５ｃ：過熱蒸気溜、  ９５ｄ：不用燃焼ガス溜、  ９６：発条、  ９７：逆止弁、  ９８：弁座、  ９９：弁体、  １００：公知の各種流用噴射弁、  １０１：加熱高温手段、  １０２：着火装置、  １０３：冷熱回収器、  １０３ａ：冷熱回収器、  １０４：燃焼ガス液化分離装置、  １０５：液化二酸化炭素、  １０６：液体窒素、  １０７：不用液化燃焼ガス、  １０７ａ：不用冷却燃焼ガス、  １０８：特定液化燃焼ガス、  １１１ａ：霧吹きの原理（６Ａで空気吸引噴射）  １１１ｂ：霧吹きの原理（６Ｃで空気吸引噴射）  １１１ｃ：霧吹きの原理（６Ａで水を吸引噴射）  １１１ｄ：霧吹きの原理（６Ｃで水を吸引噴射）  １１１ｅ：霧吹きの原理（６Ｂで空気吸引噴射）  １１１ｆ：霧吹きの原理（６Ｄで空気吸引噴射）  １１１ｇ：霧吹きの原理（６Ｂで水を吸引噴射）  １１１ｈ：霧吹きの原理（６Ｄで水を吸引噴射）  １１１Ｉ：霧吹きの原理（６Ｉで空気を吸引噴射）  １１１Ｊ：霧吹きの原理（６Ｊで空気を吸引噴射）  １１１Ｋ：霧吹きの原理（６Ｉで水を吸引噴射）  １１１Ｌ：霧吹きの原理（６Ｊで水を吸引噴射）  １１１：用途に合せた霧吹きの原理、  １１１Ｘ：霧吹きの原理（６Ｘで空気を吸引噴射）
【図１】
2006144762.tif 000003
【図２】
2006144762.tif 000004
【図３】
2006144762.tif 000005
【図４】
2006144762.tif 000006
【図５】
2006144762.tif 000007
【図６】
2006144762.tif 000008
【図７】
2006144762.tif 000009
【図８】
2006144762.tif 000010
【図９】
2006144762.tif 000011
【図１０】
2006144762.tif 000012
【図１１】
2006144762.tif 000013
【図１２】
2006144762.tif 000014
【図１３】
2006144762.tif 000015
【図１４】
2006144762.tif 000016
【図１５】
2006144762.tif 000017
【図１６】
2006144762.tif 000018
【図１７】
2006144762.tif 000019
【図１８】
2006144762.tif 000020
【図１９】
2006144762.tif 000021
【図２０】
2006144762.tif 000022
【図２１】
2006144762.tif 000023